(57)【特許請求の範囲】
【請求項１】
記録媒体を生産する生産方法であって、
前記生産方法は、
前記記録媒体に第１の暗号を用いて暗号化された主情報を原盤を用いて記録する第１ステップと、
前記第１ステップの後に、前記記録媒体にマークを設け、前記マークの位置を測定し、前記マークの位置に関する情報を取得する第２ステップと、
前記マークの位置に関する情報を含む情報を第２の暗号を用いて暗号化する第３ステップと、
前記第２の暗号を用いて暗号化された情報を前記記録媒体に記録する第４ステップとを含み、前記第１の暗号は前記第２の暗号と異なる、記録媒体の生産方法。
【請求項２】
請求項１記載の記録媒体の生産方法で生産された記録媒体。
【請求項３】
請求項２に記載された記録媒体のための再生装置であって、前記再生装置は、
前記記録媒体に設けられたマークを検出し、第１情報を取得する物理特徴検出手段と、
前記記録媒体に設けられた暗号化された情報を取得する取得手段と、
前記取得手段が取得した暗号化情報を復号し、第２情報を取得する暗号符号手段と、
前記第１情報と、第２情報とを照合する照合手段とを備えた再生装置。
【発明の詳細な説明】
【０００１】
【産業上の利用分野】
本発明は、記録媒体に情報を記録もしくは再生する記録再生装置に関するものである。
【０００２】
【従来の技術】
近年光ディスクは様々な分野での応用が拡がりつつある。光ディスクは記録のできるＲＡＭディスクと記録のできないＲＯＭディスクに分けられるが、ＲＡＭディスクはＲＯＭディスクに比べて５倍から１０倍メディアの製造コストが高い。従って、大勢の人に大量の情報を配給する用途、例えば電子出版用途や音楽ソフトや映像ソフトを供給する用途のように安いメディアコストが要求される用途にはＲＯＭディスクが主として用いられている。しかし、ＣＤＲＯＭゲーム機やＣＤＲＯＭ内臓パソコンにみられるようにインタラクティブ用途への応用が拡がるにつれＲＯＭディスクにもＲＡＭ機能が求められるようになりつつある。民生用では大きなＲＡＭ容量が要求される用途は少ないため、民生用のインタラクティブ用途において、小容量ＲＡＭ機能と大容量ＲＯＭ機能と低コストの３条件を実現する新しい概念のメディアの登場が待たれていた。又、最近ＣＤ等のＲＯＭディスクの不正複製版が出回り、著作権者に深刻な損害を与えている。ＣＤ等の複製防止方式も求められている。又、ディスクに暗号化した複数のプログラムを入れ、パスワードにより解錠するソフト配布方式も普及しつつあり、パスワードのセキュリティを上げるため、ＲＯＭ毎に異なるＩＤ番号を記録することが求められている。
【０００３】
この概念を実現する一手法はＲ０Ｍディスクの裏面に一層の磁気記録層を設ける方法である。この場合の記録層形成の工程はＲＯＭディスクのコストの１０分の１以下で、できるためＲＯＭディスクのコストを上げることなくパーシャルＲＡＭディスクを実現できる。一つの方法としてカートリッジをもたないＣＤＲＯＭのようなＲＯＭディスクに関して、日本特許公開番号、５６−１６３５３６、５７−６４４６、５７−２１２６４２、２−１７９９５１にみられるように、ＣＤＲＯＭの表面に光記録部を、裏面に磁気記録部を設ける手法は既に提案されている。また、６０−７０５４３にみるようにアモスファス材料を用いた光ディスクのように非磁性材料からなる光記録部を表面に設け、裏面に磁性をもつ磁気記録層をもつディスクを用い、裏面側の機器部に磁気ヘッドを設けて磁気記録することが開示されている。
【０００４】
又、複製防止方法に関してもディスクに意図的に傷をつけたり、すかしを入れたり、特殊な工程により特殊なディスクを作ることにより、その特殊な製造装置をもたないと製造できないという点を利用した複製防止手段しか開示されていなかった。
【０００５】
【発明が解決しようとする課題】
しかしこれらの方法は単に磁気記録部と光記録部を単純に組み合わせただけで具体的に実現するのに必要な要件は全く開示されていない。例えば機器を実現する場合に重要な、光記録部と磁気記録部の相互干渉を防ぐ方法や、簡単な構成で磁気トラックにアクセスする方法や、回路を共用する方法やカートリッジなしで用いるメディアの磁気記録情報を磁気や摩耗等の外部環境から保護する方法や、ＲＡＭ領域に記録する情報を圧縮する方法やアクセスを速くする方法や具体的なトラックの物理フォーマット等に関しては開示されていない。
【０００６】
またメディアを実現するのに重要なメディアを安価に量産する工法や、メディアをＣＤ規格に合致させる方法等々、つまり民生用パーシャルＲＡＭディスクを具体的に実現するための手法は全くといってよいほど従来例には開示されていなかった。従って、従来開示されている方法では、民生用として使用できるメディアとシステムを具体的に実用化することが難しいという大きな問題点があった。
【０００７】
本発明ではＣＤ−ＲＯＭのようにカートリッジなしで用いるＲＯＭディスク型のパーシャルＲＡＭディスク及びシステムを上記の項目について具体的に実現した記録再生装置と媒体を提供することを目的とする。
【０００８】
次に不正複製防止方式に関して、本発明では、従来提案されているような特殊な工法を用いずに、アドレスの物理配置を替える等の方法により複製防止デイスクと装置を実現することを第二の目的とする。
【０００９】
【課題を解決するための手段】
この目的を達成するため、本発明の記録再生装置は透明基盤と光記録層からなる記録媒体上に光源から光を光ヘッドにより、透明基板側から上記光記録層に結像させ、信号の記録もしくは再生を行う記録再生装置において、上記媒体上に記録されたアドレス情報の位置もしくはピット深さ等を検出する位置検出手段と暗号の復号手段と照合部を有している。
【００１０】
【作用】
この構成によって、記録媒体に記録された物理配置情報と位置検出手段により、媒体の物理位置情報を照合部により照合することにより不正複製ディスクを検出することができる。
【００１１】
【実施例】
（実施例１）
以下、本発明の一実施例について図面を参照しながら説明する。
【００１２】
図１は、本発明による記録再生装置のブロック図を示す。記録再生装置１は磁気記録層３と光記録用の光記録層４と光透過層５からなる記録媒体２を内部にもつ。
【００１３】
光磁気再生時には、発光部からの光は光ヘッド６と光記録ブロック７により上記光記録層４上に収束させられ、光磁気記録された記録信号の再生を行なう。光記録時にはレーザー光は光ヘッド６と光記録ブロック７により光記録層４の特定部に収束し、その温度をキュリー温度以上に上げる。この状態で、磁気ヘッド８と磁気記録ブロック９により、この部分の印加磁界を変調することにより、従来型の光磁気記録を行なう。
【００１４】
磁気記録時には、磁気ヘッド８と磁気記録ブロック９を用いて、磁気記録層３に磁気信号を記録する。システム制御部１０は各回路からの動作情報、出力情報を得て、駆動ブロック１１を駆動し、モーター１２の制御や光ヘッド６のトラッキング、焦点の制御を行なう。
【００１５】
次に詳しい動作を説明する。外部からの入力信号を記録する場合は、外部入力信号の受信時、もしくは、操作者によるキー操作により記録命令がキーボード１５もしくは外部インターフェース部１４からシステム制御部１０に送られる。システム制御部１０は入力部１２に入力命令を送るとともに光記録ブロック７には光記録命令を送る。外部からの入力、例えば音声や映像信号は入力部１２に入力され、ＰＣＭ等のデジタル信号となる。この信号は、光記録ブロック７の入力部３２に送られ、ＥＣＣエンコーダ３５によりエラー訂正の符号化がなされ光回路３７を介して上記磁気記録ブロック９の中の磁気記録回路２９と磁気ヘッド回路３１を介して、磁気ヘッド８に送られ光記録層４の特定範囲内の光磁気材料に光記録信号に応じた記録磁界を与える。記録層４のさらに狭い範囲の記録材料は光ヘッド６からのレーザー光によりキュリー温度以上に加熱され、上述の印加磁界によりこの部分の磁化反転が起こる。従って、記録媒体２の回転に伴い、図２の光記録ヘッド部の拡大図に示すように記録媒体２の図示した矢印５１の方向の走行に伴い、光記録層４に矢印で示す磁化５２が図のように次々と記録されてゆく。
【００１６】
この時、システム制御部１０は光記録層４上に記録されたトラッキング情報、アドレス情報、クロック情報を光ヘッド回路３９と光再生回路３８から得て、この情報に基き、駆動ブロック１１に制御情報を与える。詳しく述べるとシステム制御部１０はモーター１７の回転数をモーター駆動回路２６に制御信号を与えることにより、光ヘッド６と記録媒体２との相対速度が所定の線速度になるように制御する。
【００１７】
光ヘッド駆動回路２５、光ヘッドアクチュエーター１８により光ビームが目的とするトラック上を走査するように制御し、また光記録層４に焦点が合うようにフォーカスを制御する。別のトラックをアクセスする場合、アクチュエータ２３とヘッド移動回路２４により、ヘッド台１９を移動させヘッド台１９上にある光ヘッド６と磁気ヘッド８を連動して移動させる。このため、双方のヘッドが所望する同じ半径位置の表面と裏面のトラック上に到達する。ヘッド昇降部２０は磁気ヘッド昇降回路２２と昇降モーター２１により、駆動され、磁気ヘッド８及びスライダー４１はディスクカセット４２のローディング時もしくは、磁気記録を行わない時間帯において記録媒体２のディスク面の磁気記録層３より離れ、磁気ヘッド８の摩耗を防ぐ。以上述べたようにシステム制御部１０は駆動ブロック１１に制御情報を送り光ヘッド６と磁気ヘッド８のトラッキング、フォーカシング、磁気ヘッド８の昇降、モーター１７の回転数等の制御を行なう。
【００１８】
次に、光磁気記録信号の再生方法について述べる。まず図２の光記録ヘッド部の拡大図を用いると、発行部５７からのレーザー光は偏光ビームスプリッタ５５により光路５９に示す方向に進みレンズ５４により、記録媒体２の光記録層４上に焦点を結ぶ。この場合のフォーカスシングトラッキング制御は光ヘッド駆動部１８により、レンズ５４のみを駆動することによって行なわれる。光記録層の光磁気材料は図２に示すように各々光記録信号に応じた磁化状態にある。このため、光路５９ａに示す反射光の偏向角はＫｅｒｒ効果により、磁化方向により異なる。この偏光角θは、偏光ビームスプリッター５５ａにより反射光を分割し、各々に受光部５８、５８ａを設け、２つの受光信号の差分をとることにより、磁化方向が検出できるため光記録信号が再生できる。この光信号の再生時の動作に関しては、従来の光磁気記録と同じなのでこれ以上詳しく述べない。この再生信号は、図１の光ヘッド６から光記録ブロック７へ送られ、光ヘッド回路３９、光再生回路３８を介してＥＣＣデコーダ３６においてエラー訂正されて、元のデジタル信号が再生され、出力部３３に送られる。出力部３３はメモリ部３４をもち、ここで一定時間分の記録信号が蓄積される。例えば、１ＭｂｉｔのＩＣメモリーを使って、２５０ｋｂｐｓの圧縮した音響信号を蓄積させた場合約４秒間の信号を蓄積できる。音響用プレヤに用いた場合、外部振動により光ヘッド６のトラッキングがはずれた場合４秒間の間に回復すれば、音響信号に切れ目がなくなる。この方式はよく知られている。出力部３３からの信号は最終段の出力部１３に送られ音響信号の場合はＰＣＭ復調された後、外部にアナログ音響信号として出力される。
【００１９】
次に磁気記録モードについて説明する。図１において入力部に入った外部からの入力信号もしくは、システム制御部１０からの信号は磁気回路ブロック９の入力部２１に送られ、光記録ブロック７の中のＥＣＣエンコーダ３５を利用して、誤まり訂正等の符号化を行なう。符号化された信号は磁気記録回路２９と磁気ヘッド回路３１により磁気ヘッドに送られる。図３のヘッド部拡大図を用いて説明すると、磁気ヘッド８に送られた磁気記録信号はコイル４０により磁界となり、磁気記録層３の磁性体を磁化し、磁気信号６１として垂直方向の磁気記録がなされる。記録媒体２は垂直磁化膜をもつ。
【００２０】
磁気媒体２の矢印５１方向の走行に伴い、図３のように磁気記録信号に応じて磁気信号が次々と記録されていく。この場合の磁界は光磁気の光記録層４にも印加されるが、光磁気記録材料のキュリー温度以下での保持力は、数千〜１万Ｏｅのためキュリー温度以上に上げない限り磁化されることはなく、磁気記録の磁界の影響は受けない。
【００２１】
しかし、磁気記録層３の磁気記録された部分と、光磁気記録膜を用いた光記録層４が近接しすぎると、上記の磁気記録部からの磁界が光記録層４の部分において数十〜数百Ｏｅに達する場合がある。こうした条件下で光磁気記録のため、光ビームにより光記録層４の温度をキュリー温度以上にした場合、磁気記録層３からの磁界により磁化反転を起こし光記録時にエラーレートが増えてしまう。従って図７の記録媒体の断面図のように磁気記録層３と光記録層４の間に干渉層８１の厚みを設ける。光記録層４の両側には劣化を防ぐための保護層８２、８２ａが設けられているため、干渉層８１の厚みと保護層８２の和が干渉間隔Ｌとなる。この場合磁気記録波長をλとすると、減衰量５６．４×Ｌ／λになるため、λ＝０．５μｍと設定すると、Ｌは０．２μｍ以上あれば効果がある。図８のように保護層８２の厚みをＬ以上にしても同様の効果が得られる。製造法を述べると、光磁気の光記録層４の上に保護層８２と干渉層８１を設け、潤滑剤とバインダーとバリウムフェライト等の垂直異方性をもつ磁性材料を混合した材料をスピンコートにより、基板に垂直方向の磁界を印加しながら塗布し、磁気記録層３を作成する。これにより垂直磁気記録に適した図８の記録媒体断面図ような記録媒体２ができる。
【００２２】
以上は、光磁気記録の光記録層４をもつ場合であるが、本発明の記録再生装置１は、ＣＤのようなＲＯＭディスクも再生できる。図９の記録媒体の断面図に示すように、ピットが刻まれた基板５のピット部にアルミ等の反射膜８４をスパッタ等により製膜し、その上に、潤滑剤とバインダーと磁性材料を混合した材料を基板に垂直方向の磁界を印加しながら塗布し、垂直の磁気記録膜をもつ磁気記録層３を作成することにより、ＲＯＭ型の記録媒体２ができる。このメディアはＣＤのＲＯＭとしての機能を表面に、ＲＡＭとしての機能を裏面にもつため、後で述べるような様々な効果が得られる。この場合のコスト上昇は現在のＣＤで行なわれているスピンコートにより、保護膜を作成する材料に磁気材料を加えるだけである。このため、製造コストの上昇は磁気材料そのもののコストのみになる。このコストはメディアの製造コストの数十分の一であるため、コスト上昇分は極めて少ない。
【００２３】
磁気記録時のトラッキングを説明する。図１のように光ヘッド６と光ヘッド回路３９から再生されるトラッキング情報をもとにシステム制御部１０からヘッド移動回路２４に移動命令を送りアクチュエータ２３を駆動し、ヘッド台１９をトラッキング方向に移動する。すると、図４のトラッキング方向のみたヘッド部の拡大図のように光ヘッドは６は光記録層４の特定の光記録トラック６５の近傍に焦点６６を結ぶ。つまり、光ヘッド６を駆動する光ヘッド駆動部１８はヘッド台１９とヘッド昇降部２０と介して、磁気ヘッド８と機械的に結合している。このため光ヘッドの移動と連動して、磁気ヘッド８はトラッキング方向に移動する。つまり光ヘッド６を特定の光トラック６６に制御すれば磁気ヘッド８は光トラック６６の裏面の特定の磁気トラック６７上に移動する。このトラックの両側にはガードバンド６８、６８ａを設けてある。これをさらに拡大したものが図５の磁気ヘッド部の拡大図である。特定の第Ｔｎ番目の光トラック６５を走査するように光ヘッド６の位置を制御すれば磁気ヘッド８は裏面の特定の第Ｍｍ番目の磁気トラック６７上を走行することになる。
【００２４】
こうすると、光ヘッドの駆動系だけでよく、磁気ヘッド８のトラッキング制御手段を別に設ける必要がなくなる。磁気ディスクドライブでは必要であったリニアセンサーも不要となる。
【００２５】
次に光トラックと磁気トラックのアクセス方法について述べる。光ヘッド６は磁気ヘッド８と連動してトラッキングされる。このため、現在下面から記録再生中の光トラック情報と、上面からアクセスしたい磁気トラックの半径方向の位置が異なる場合、同時にこの両者をアクセスすることはできない。データの場合アクセスが遅くなるだけで致命的な問題とはならないが、音響信号や画像信号のような連続信号の場合、中断は許されない。このため、通常速度の光記録再生中に磁気記録を行なうことはできない。本実施例では入力部３２および出力部３３にメモリ部３４をもち、磁気記録の最大アクセス時間の数倍の時間の信号を蓄積する方式を採用している。従って、図６の磁気記録のタイミングチャート図でみるように記録再生時の記録媒体２の回転速度をｎ倍に上げることにより、光記録再生時間Ｔが通常速度に比べて１／ｎとなりＴ１，Ｔ２となる。従ってｔ＝ｔ３から  ｔ＝ｔまでの記録再生時間のｎ−１倍の時間Ｔ０が余裕時間となる。余裕時間Ｔ０の一部の期間のｔ３からｔ４の間のアクセス時間Ｔａの間に磁気トラックにアクセスし、ｔ４からｔ６の記録再生期間ＴＲの間に磁気記録再生を行い、ｔ５からｔ６の  帰還期間Ｔｂの間に再び元の光トラック、もしくは次の光トラックにアクセスし  帰還することより、１つのヘッド移動部で光記録と磁気記録のアクセスが時分割で可能となる。この場合、余裕期間Ｔｏの間、連続信号を蓄積できる容量をもつ  ようにメモリ部３４を設定する。
【００２６】
図６の磁気記録タイミングチャート図と、図１０〜１４の記録部の断面図を用いて、今述べた磁気ヘッドのトラックアクセスを説明する。まず、図１５カセットの斜視図に示すカセット４２が図１６の記録再生装置の斜視図に示す記録再生装置１に挿入された後、最初に図１０のように、記録媒体２の記録面のインデックス情報が記録されているＴＯＣ領域にある光トラック６５上を光ヘッド６の光ビームは結像されるそしてＴＯＣ情報の再生が行なわれる。この時、磁気ヘッド８は裏面にある磁気トラック６７上を走行し、このトラック上の磁気記録情報の再生が行なわれる。こうして、最初の作業として記録媒体２のＴＯＣの中の光トラックの情報が再生されると同時に磁気トラック上に記録された前回のアクセス内容、前回の作業修了時の状況等の情報が得られ、この内容は図１６のように表示部１６に表示される。
【００２７】
例を挙げると、音響情報の場合、前回の終了時に最後の曲番その中断時の経過時間、予約曲番等を磁気記録領域に自動的に記録する。次に、再びこの記録媒体２を磁気記録再生装置に挿入した場合、上述のように光トラック６５の目次情報とともに磁気トラック６７に記録された前回の終了時の情報を再生し、表示部１６に図１６のように表示する。図１６では前回のアクセス終了時間、操作者名、最後の曲番、中断時に経過時間、前回プリセットした曲順番と曲番が記録され表示された状態を表わしている。具体的には「Ｃｏｎｔｉｎｅｕ？」と表示され、聞いてく  るので「Ｙｅｓ」と入力すると、前回終了時の同一曲番の曲の中断した箇所から音  楽再生が再開される。「Ｎｏ」と入力すると、予めプリセットした曲順で音楽を再生してくれる。こうして自動的に操作者は前回、中断した内容をそのまま再現できたり、好みの曲順で聴ける。これは図１８のゲーム機の斜視図に示すようにゲーム用ＣＤＲＯＭ機器において、前回中断したゲーム内容、例えば、ステージ数、獲得ポイント、アイテム到達数を記録再生することによりゲーム終了後、時間が経ってゲームを再開したい時、前回と全く同じ箇所から同じ状態で再スタートできるという従来のＣＤＲＯＭ型ゲーム機器にない効果が得られる。
【００２８】
以上はＴＯＣ領域の磁気トラックをアクセスする単純なアクセス方法の場合である。この場合メモリー容量は少ないものの、最も単純で最もコストが安いという効果がある。
【００２９】
次にＴＯＣ領域以外のトラックをアクセスする接合を述べる。図１１は特定の光トラック６５ａを光ヘッド６がアクセスしている状態を示す。この時、光ヘッド６と連動している磁気ヘッド８は光トラック６５ａの裏側の磁気トラック６７ａをアクセスする。必要な磁気記録情報が磁気トラック６７ａから離れた別のトラック、磁気トラック６７ｂ上にある場合、磁気ヘッド８を磁気トラック６７ｂまで移動する必要がある。この場合、図６のタイミングチャートで説明したように、余裕期間Ｔｏの間にヘッドの移動、記録、復帰を完了する必要がある。この場合、事前に光記録層４のＴＯＣ領域もしくは特定領域に、裏面の磁気トラックＮＯ．と表面の対応する光トラックＮＯ．を記録したリストが記録されており、この情報を読み取り、必要な磁気トラックＮＯ．に対応する光トラックＮＯ．を算出することができる。次に、図１２のようにアクセス時間Ｔａの間にヘッド台１９を移動して光ヘッド６がこの光トラック番号の光トラック６５ｂをアクセスするように固定する。すると、磁気ヘッド８は所定の磁気トラック６７ｂをトラッキングする。こうして、磁気記録もしくは、再生が行える。この場合、図１３のように光トラック６５ａをトラッキング中は、磁気ヘッド８を昇降モーター２１により、上部に上げ磁気記録層より離しておき、アクセス時間Ｔａの間に図６のωのようにモーター１７の回転速度を下げる。回転速度のさがっている間に、磁気ヘッド８を下げて、磁気記録層３に接触させる。このことにより、磁気ヘッド８の破壊を防ぐことができる。ＴＲの間に回転速度を上げて磁気記録し、Ｔｂの間に回転数を下げて磁気ヘッド８を上げ、上げた後に再び回転数を上げ図１３のように元の光トラック６５ａに戻り、Ｔ２の間に光記録再生を行なう。この余裕  時間Ｔ０の間はメモリー３４に蓄積されたデータが再生されるため、音楽等の連  読信号は中断しない。又、図１４に示すように、ＴＯＣ領域のアクセス中にも、ＴＯＣ領域に磁気記録不要の指示があった場合は磁気ヘッド８を下げない。このことにより、磁気記録層３が設けられていない記録媒体２が挿入された場合にでも、磁気ヘッド８が接触し破壊されるという事故が防げる。このようにして、磁気ヘッド８を回転速度を下げた期間に上下させることにより、磁気ヘッドの破壊と摩擦が大巾に低減できるという効果がある。図１５は光記録媒体２を収納するカセット４２の斜視図である。シャッター８８と磁気記録防止ヅメ８９と光記録防止ヅメ８９ａが設けられており、別々に記録防止が設定できる。当然ＲＯＭタイプのカセットには、磁気記録防止ヅメ８９ａしか設けられていない。
【００３０】
図１７は光記録の再生時用の記録再生装置のブロック図である。光記録ブロックは図１に比べて光記録回路、ＥＣＣエンコーダーが削除されている。一般のＣＤプレーヤー等の再生プレイヤーに比べて磁気ヘッド昇降部２０、磁気ヘッド８と磁気記録ブロック９の部品が追加されているが、部品は全て図１の光磁気記録再生装置の部品を共用できる。かつ、これらのコストは光記録関連部品に比べると格段に安いため、コスト上昇分は少ない。記憶容量はフロッピーに比べると少ないが、こうした少ないコストでＲＯＭ型記録媒体に情報を記録し、再生できるため、少容量のメモリー容量でよいゲーム機器やＣＤプレーヤの場合、前述のような様々な効果が生まれる。我々の試算では直径６０ｍｍのディスクの場合、約１ＫＢ〜１０ＫＢの磁気記録のメモリー容量が磁界変調用の磁気ヘッドを用いて、得られる。現在のゲーム用ＲＯＭＩＣにはＳＲＡＭの２ＫＢもしくは８ＫＢのメモリーが搭載されているため、充分な容量といえ、ＲＯＭＩＣを代替するという。
【００３１】
ここで、図１の誤り訂正エンコーダ３５と誤り訂正デコーダ３６について詳しく述べる。
【００３２】
固定ディスクや広く普及している３．５インチ等の２ＨＤや２ＤＤのフロッピィディスク等のように通常の密度の交換型磁気ディスクにおいては、エラー訂正は行われていない。例を挙げると現在、主流と成っている３．５吋フロッピィディスクの２ＨＤの場合１３５ＴＰＩで、記録再生したときのエラーレートは１０−１２近い。従って、カートリッジに入れた場合、手の油分や傷がつく事がないため、バーストエラーは少なく、インターリブを含めたエラー訂正を使用する必要がなかった。これに対し、ＣＤＲＯＭの媒体面の表面もしくは裏面の外側に磁気記録層を塗布もしくは蒸着，スパッタ貼り付けにより設けた場合、カートリッジなしで使用する。このため、人間の手の油分がついたり、大きなゴミや傷により、大規模なバーストエラーが発生する。
【００３３】
本発明の媒体はＨｃ＝１９００Ｏｅ、印刷層と保護層によるスペースロスは９〜１０ミクロンの磁気記録層をＣＤのラベル側に塗布してある。この媒体をヘッドギャップが３０ミクロンのアモルファス積層型の磁気ヘッドでＭＦＭ変調により５００ＢＰＩつまり波長５０μｍで１０６回記録再生し、各々のパルス巾の出現頻度を測定した実験結果を図２０３に示す。図２０３（ａ）は１ｍｓまでのパルス巾の測定結果を示し、図２０３（ｂ）は１００μｓまでの測定データを拡大したものである。
【００３４】
図２０３（ａ）の矢印５１ａに示すように１０６回のサンプルに対し、長い周期のバーストエラーがいくつか発生している。従って図１，図２０２の誤り訂正部３５に示したようにインターリーブ詳しくは図２０７に示すようにインターリーブの前または後にＥＣＣエンコードを行う。
【００３５】
ここで実際の本発明の実験データからエラー訂正について定量的に詳しく述べる。図２０３（ｂ）からわかるように１０６回で、ＭＦＭ変調の１Ｔ，１．５Ｔ，２Ｔの間隔が充分空いている。このため条件の悪い場合を考えると１０−５〜１０−６程度のエラーレートの発生が考えられる。
【００３６】
バーストエラーの発生はカートリッジに入れたディスク例えばフロッピィでは見られない程多い。またランダムエラーも数桁多い。つまり、カートリッジなしで使うためには、インターリーブと強い誤り訂正が必要であることがわかる。ただ、あまりエラー訂正符号量を多くすると冗長度が増えてデータ量が減ってしまう。そこで、まずバーストエラー対策の目標値としては、ＣＤの傷の許容基準が参考になる。外面の傷の発生確率は光記録面もラベル面も同じである。図２０４はＣＤの場合の光記録面の傷に対するエラー訂正能力を示す。４シンボル訂正した場合最大１４フレーム分の傷つまり、２．３８ミリの大きさの傷を補正できる。そしてインターリーブ長は１０８フレームつまり１８．３６ミリの長さをとっている。従って、磁気記録層にも２．３８ミリ以下の傷に対してエラー訂正できるようにインターリーブを含めたエラー訂正能力を選定すれば最適の冗長が得られる。こうすれば、使用者は従来のＣＤやＣＤ−ＲＯＭと全く同じように取り扱って磁気記録部に傷ができたとしても本発明のインターリーブを含めたエラー訂正、エンコーダ３５とデコーダ３６によりエラー訂正され、データエラーは発生しない。このため、本発明の記録媒体ではＣＤ並みに傷がついても全くデータ再生に支障を来たさないという大きな効果が得られる。ユーザーはＣＤと同じように気軽に取り扱えるという効果が得られる。
【００３７】
本発明の場合、１８ｍｍ以上のインターリーブとリードソロモンのエラー訂正を用い、図２０６に示すように１．２倍の上下１０％の範囲の冗長度で最外周部で７ｍｍ、最内周部で３ｍｍの傷が補正できることが実験で確認できた。この条件でＣＤ並みの２．３８ミリ以上の傷を補正できることがわかった。つまり、図２０５に示すようにデータ上のインターリーブ長ＬＤをとり物理的なインターリーブ長ＬＭを媒体面上で、１８ミリ以上とるようにする。そして図２０６のエラーレート図に示すようにリードソロモン等のエラー訂正符号のデータ量を原データの０．０８〜０．３２倍の値にとることにより、ＣＤと同等の傷に対するエラー訂正ができるという大きな効果が得られる。この場合ＣＤ並みの傷に対応した必要最小限の冗長度のエラー訂正が可能となるため全体のデータ記録再生効率が最適化され、実質的な記録容量が最大になるという大きな効果が得られる。
【００３８】
ここで、全体の回路構成を述べる。図２０２は図１の誤り訂正のエンコーダー３５とデコーダー３６を詳しく示したもので、磁気記録信号は、リードソロモン符号化演算を行うリードソロモンデコーダー３５ａによりＥＣＣのエンコードされ、インターリーブ部３５ｂにより図２０７のインターリープテーブルにおいて、矢印５１ａ，５１ａａの横方向に連続し、ＥＣＣエンコードされたデータ列は横方向のパリティ４５２ａが付加される。このデータ列を矢印５１ｂに示すようにタテ方向に読み出すと、図２０７（ｂ）に示すように、元のデータは分散距離Ｌだけ媒体面上で離れることになり、バーストエラーが発生してもパリティ４５２により復元できる。この媒体面上に換算して分散距離Ｌを上述のように１９ｍｍ以上とることにより、ＣＤ並みの回復能力が得られる。こうして磁気記録されたデータを再生する場合、再生信号は図２０８に示すデインターリーブ３６ｂにおいて、一旦データをＲＡＭ３６ｘにマッピングした上で図２０７の場合と逆のアドレス変換をすることにより、分散されて記録されている磁気記録データは元の配列に戻される。そして図２０９（ｂ）に示すリードソロモンデコーダ３６ａで図２１０のフローチャートに示すようにステップ４５２ｂで例えばＰ，Ｑのパリティと記録データを入力しステップ４５２ｃでシンドロームＳ１，Ｓ２の演算を行いステップ４５２ｄでＳ１＝Ｓ２＝０の場合のみステップ４５２ｇへ進み、データを出力し、誤りがあった場合、ステップ４５２ｅでエラー訂正の演算を行い、ステップ４５２ｆでエラー訂正された時のみステップ４５２ｇでデータの出力を行う。ＣＤではデータレートは高くＥＦＭの復調クロックは４．３２１８ＭＨｚである。このため誤り訂正は専用ＩＣを用いてデータ処理を行っている。しかし本発明の磁気記録再生部の復調クロックは図２０３の実験データに示したように、３０Ｋｂｐｓで、ＣＤの１００分の１のデータレートである。このデータ処理量の少ない点に着目し、図２０２のブロック図のうち光再生信号の誤り訂正は専用ＩＣを用いる一方で磁気記録再生信号の誤り訂正符号化部３５と誤り訂正復号部３６の信号処理は、システム制御部１０を含む太い点線枠で囲ったブロックを１つのマイクロコンピュータ１０ａを利用して、時間分割で図２０７のインターリーブと図２１０のフローチャートに示した誤り訂正演算を行っている。
【００３９】
マイコンは、８ｂｉｔもしくは１６ｂｉｔの１０〜数十ＭＨｚのクロックのＣＰＵチップを用いている。図２１０に示すようにシステム制御ルーチン４５２ｐとエラー訂正演算ルーチン４５２ａの２つのルーチンを時分割で処理している。ステップ４５２ｈでシステムの制御ルーチンを開始し、ステップ４５２ｊでモーターの回転制御を行い、ステップ４５２ｋで、ヘッド昇降やトラバース等のアクチュエーターの制御を行い、ステップ４５２ｍでドライブの表示や入出力のドライブシステムの制御を行い、ステップ４５２ｎでシステム制御の一作業単位が完了した場合、でかつ、エラー訂正処理が必要な場合のみ、ステップ４５２ｑのエラー訂正演算ルーチンに入り、ステップ４５２ｒで図２０７で説明したインターリーブもしくはデインターリーブ処理を行い、ステップ４５２ｂ〜、ステップ４５２ｇで前に説明したようにエラー訂正の演算を行う。
【００４０】
ＣＤの光再生信号のデータレートは１Ｍｂｐｓ以上あるためドライブ制御用の通常の１チップマイコンでは処理能力の面でエラー訂正演算を兼用できない。しかし本発明の磁気記録信号のデータレートは３０ｋｂｐｓ程度のため８ｂｉｔもしくは１６ｂｉｔの市販の１０ＭＨｚ程度のクロック周波数の１チップマイコン１ヶでシステム制御と、エラー訂正演算が時分割で行える。このため光再生のエラー訂正を専用ＩＣで行い、磁気記録再生のエラー訂正作業を制御用マイコンで時分割で処理することにより、エラー訂正用の回路を付加しなくてもよいという効果がある。このことにより、新たにインターリーブと誤り訂正回路を追加しなくてもよいため、構成が若しく簡単になるという効果が得られる。
【００４１】
図２１１のブロック図はインターリーブの前後に誤り訂正を各々１回行う方法を採用したもので、配置は変えてあるが基本的な構成は図１，図２０２と同じであるため、説明を省略し、誤り訂正部のみを説明する。磁気記録データはまず誤り訂正符号部３５の中のＣ２リードソロモン誤り訂正エンコーダー３５ａでＥＣＣをエンコードされ、Ｃ２パリティ４５が付加されインターリーブ部３５ｂで図２１２（ａ）に示すように表の矢印５１ａ方向のヨコ方向のデータが矢印５１ｂ方向、タテ方向に読み出され、図２１２（ｂ）のようにデータが出力され、例えばＡ１とＡ２は分散距離Ｌ１だけ分散させられた後に、リードソロモンＣ１誤り訂正エンコーダー３５ｃにより、タテ方向の誤り訂正エンコードが行われＣ１パリティ４５３が付加され、媒体上に磁気記録される。再生時にはＭＦＭ復調３０ｄで復調された後、まずＣ１パリティによりリードソロモンＣ１誤り訂正部でランダムエラーが訂正され、次にデインターリーブ部３６ｂで、図２０８のＲＡＭ３６ｘでマッピングされ、図２１２の逆のアドレス変換により、元の表のヨコ方向のデータに変更され出力される。こうしてバーストエラーが分散されて、ランダムエラーとなる。この後図２１２のリードソロモンＣ２誤り訂正部３６ａにおいて、このランダムエラーが訂正されて、エラーのないデータが再生出力される。
【００４２】
図２１１の方法の場合インターリーブの前後にエラー訂正を２段に分けて行うため、バーストエラーに対してより強くなるという効果が得られる。本発明の場合、実験データが示すように図２０２に示す１段の誤り訂正で、充分である。基本的なシステムは１段の訂正で成立するが、暗証番号や金額のように特別重要なデータを記録再生する時は図２１１の２段のエラー訂正を用いることが望ましい。
【００４３】
以上のようにカートリッジなしのＣＤの外面部に磁気記録部を設けたハイブッド媒体は傷の影響が避けられないため、従来のフロッピィのような構成では正常なデータが出力されない。図２０２，２１１に示すような１段もしくは２段の誤り訂正とインターリーブを行うことにより、データの記録再生が確実にできるという効果があり実用性が高くなる。
【００４４】
（実施例２）
以下、本発明の第２の実施例について図面を参照しながら説明する。
【００４５】
図１９は実施例２の全体のブロック図である。図１９は実施例１で説明した図１に磁気ヘッド８ａと磁気ヘッド回路３１ａを追加したものである。その他の部分は同じであるため説明は省略する。図２０の磁気ヘッド部の拡大図のようにまず、磁気ヘッド８が磁気記録層３の全体に記録波長の長い磁気記録を行なっていくところは、実施例１と同じである。次に磁気ヘッド８ａが表層部３ａに記録波長の短い磁気記録を行なっていく。すると最終的に表層部３ａには短波長の副チャンネルが深層部３ｂには長波長の主チャンネルの独立したチャンネルの磁気記録ができる。このことにより、実施例１の磁界変調用磁気ヘッドのようなーに長波長用の磁気ヘッドを用いて、実施例２の図２０のような２層記録をされている磁気記録層を再生した場合、上記の主チャンネルは再生できる。このため、主チャンネルに要約情報、副チャンネルに詳細情報を記録すれば、実施例１の方式でも要約情報は得られ両者の互換性をとることができるという効果が得られる。図２１の磁気ヘッド部の拡大図は短波長の磁気ヘッド８のみを搭載した場合で、この場合、上記の副チャンネルの信号に主チャンネルが重畳された信号が再生され、主、副両チャンネルが再生できるため、再生専用機の場合にこの構成をとると、コストが安くなる。図２２の磁気ヘッド部拡大図において図の上部は磁界変調用のヘッドつまり、長波長に適した磁気ヘッド８で記録した場合で、図のようにＮ極部を１、無磁化部を０とすると、磁化領域１、１２０ａでは１２０ｂでは０、１２０Ｃでは１と記録され、“１０１”のデータ列１２１が得られる。図の下部のように、短波長に適した垂直用磁気ヘッド８ｂを用いてＮ極部を１、無磁化部を０、とするとデータ列１２２のように“１０１１０１１０”となり、上部の領域１２０ａと同じ領域１２０ｄに８ｂｉｔ分記録できる。この領域１２０ｄの信号を磁気ヘッド８で再生するとＮ極のみなので、“１”と判断する。これは、領域１２０ａと同じである。つまりデータ列１２２ａのうちの“１”が再生できる。次に、領域１２０ｅではＳ極部を“０”無磁化部を“１”と定義すると、データ列にこのように“０１００１０１０”と８ｂｉｔ分記録される。これを磁気ヘッド８で再生するとＳ極だけのため“０”と判断する。これは１ｂｉｔであり、領域１２０ｂと同じ極性の信号が少し弱い振巾で再生される。従って図２２のように短波長用の磁気ヘッド８ｂでは主チャンネルＤ１のデータ列１２２ａの信  号と、副チャンネルＤ２のデータ列１２２の信号が記録再生され、磁界変調用の  長波長用の磁気ヘッド８では、主チャンネルＤ１のデータ列１２２ａが再生され  、双方の互換がとれるという効果が得られる。なお、磁界変調用の磁気ヘッド８のギャップは０．２〜２μｍである。
【００４６】
（実施例３）
以下、本発明の第３の実施例について図面を参照しながら説明する。
【００４７】
図２３は実施例３の記録部拡大図である。実施例３では、記録媒体２の透明基板５の上にまず、実施例１で説明した図９のようなピットを刻んだ反射膜８４を設け、磁気記録膜３を設ける点は同じであるが、Ｃ０−フェライトをプラズマＣ  ＶＤ等により成膜させである。この材料は透光性をもつため厚みが薄い場合、高い透光率をもつ。
【００４８】
この媒体を図２３に示すように裏側から光ヘッド６で焦点６６を結像させる。光ヘッド６のレンズ５４はばね効果をもつ連結部１５０により、光透過材料からなるスライダー４１に結合されている。さらにスライダー４１には磁気ヘッド８が埋め込まれている。従って、光ヘッドは反射膜８４のピットを裏から読むことになり、トラッキングとフォーカスが制御される。するとこれと連結されているスライダはトラッキング制御され、特定の光トラックの上を走行する。レンズ５４とスライダー４１との位置の誤差は連結部１５０のバネ効果のみで発生するためスライダー４１はミクロンのオーダーで制御される。次に上下方向はフォーカス制御に連動してなされるため、数ミクロン〜数＋ミクロンのオーダーで制御される。
【００４９】
そして、磁気記録層３には次々と磁気記録がなされる。本実施例の場合、光トラッキングが可能となるため、数ミクロンのトラックピッチが実現できるという大きな効果がある。またフォーカス制御によりスライダー４１および磁気ヘッド８が上下方向に制御されるため、記録媒体２の基板５の表面精度が悪くても追従する。このため表面精度の悪い基板を使うことができるため、研磨したガラス基板に比べて非常にコストが安いプラスチック基板や非研磨のガラス基板を使えるという効果がある。
【００５０】
また図２３では記録媒体２の裏面から光ヘッド６で再生する場合を示した。しかし、従来の光ディスクプレーヤのような機構で表面から、同−の記録媒体を再生することも可能であるため、互換性という効果がある。そして、光トラッキングによる従来より１桁以上多いメモリー容量が得られるという顕著な効果がある。
【００５１】
（実施例４）
以下、本発明の第４の実施例について図面を参照しながら説明する。
【００５２】
図２４は実施例４の記録再生装置のブロック図を示す。実施例４は実施例１で説明した図１の記録再生装置と構成と基本的な動作は同じである。このため詳しい説明は省略し、異なる部分に限定して説明する。実施例４と実施例１との違いは実施例１では磁気ヘッド８は光磁気記録磁界変調用のヘッドをそのまま用いているため、図３に示すように垂直記録を行う。これに対し、実施例４では図２５の磁気記録部の拡大図に示すように光磁気記録の磁界変調と水平磁気記録の２つの機能をもつ磁気ヘッド８を用いて記録媒体３の磁気記録層３に水平記録を行う。実施例１の磁界変調用ヘッド例えばＭＤ用ヘッドの等価的なヘッドギャップは、通常１００μｍ以上と大きいため、記録波長λは数百μｍの長波長となる。この場合、反磁界が発生し、実際に記録される磁荷が減衰するため、再生出力は低下する。実施例１は構成の変更が全く不要なためコストが上昇しないという極めて大きな長所がある反面、再生出力が下がるという短所をもつ。
【００５３】
長波長記録で高い再生出力を必要とする場合には、水平記録がより適している。この水平記録を実現するため、実施例４は基本的には実施例１を磁気ヘッドの構成を変えて記録方式を垂直記録から水平記録に変更したものである。図２５に示すように、実施例４の磁気ヘッド８は磁界変調用磁気ヘッド機能を兼用する主磁極８ａと閉磁路を形成するための副磁極８ｂとＬなるギャップ長をもつヘッドギャップ８ｃとコイル４０から構成される。この磁気ヘッド８は水平記録の時はギャップ長Ｌのリングヘッドとみなせる。また、磁界変調型光磁気記録を行う時は均一な磁界を光記録層４に与えるような構成となっています。まず、図２５に示す磁気記録モードの場合は光ヘッド６が光記録層４に焦点６６を結びトラック情報もしくはアドレス情報を読み取り、所定の光トラックの焦点６６がトラッキングするように光ヘッド６が制御される。これに伴い光ヘッド６と連結されている磁気ヘッド８も所定の磁気トラック上を走行する。図２５は走行方向と垂直方向から見た図であり、記録媒体２の矢印５１方向の走行に伴い、磁気記録ブロック９から送られてくる記録信号に従って磁気記録層３に水平方向の磁気記録信号６１が次々と記録されていく。ギャップ長をＬ、記録波長をλとするとλ＞２Ｌとなる。従ってギャップ長Ｌが小さい程記録容量を大きくできる。しかし、Ｌを小さくすると光磁気記録用の変調磁界発生時に、均一磁界の範囲が狭くなる。このため、光ヘッドの焦点６６の記録可能範囲が狭くなり記録媒体とトラッキング機構の寸法精度を高めなければならず、コストが上昇してしまう。図２６の光磁気記録の拡大図に示すように、光磁気記録を行う場合は、光ヘッド６からのレーザー光により光記録層４の焦点６６が熱せられキュリー温度以上になる。そして磁気ヘッド８による変調磁界８５の磁界方向と同方向に光記録層４の焦点６６の部分が磁化され光記録信号５２が次々と記録されていく。この場合、前述のように光ヘッド６と磁気ヘッド８の対向する位置関係はヘッド台１９等のトラッキング機構の寸法精度に左右される。ＭＤの場合コストを下げるため寸法精度の基準が緩い。従って最悪条件を考えると、光ヘッド６と磁気ヘッド８の位置関係は大きく狂う可能性がある。このため均一磁界領域８ｅの範囲はなるべく広いことが要求される。このため、図２６に示すように磁気ヘッド８の主磁極部８ａに絞り込み部８ｄを設けることにより、右側の磁束８５ａ，８５ｂが収束され磁界が強くなる。このため、磁束８５ｃ，８５ｄ，８５ｅ，８５ｆと同等になり、均一磁界領域８ｅが拡大するという効果がある。こうして光ヘッド６と磁気ヘッド８の相対位置関係がずれて焦点６６と磁気ヘッド８の相対位置がずれても、焦点６６が均一磁界領域８ｅの範囲内にあれは最適の変調磁界が光記録層に印加され、光磁気記録が確実に行われ、エラーレートが悪化することはない。
【００５４】
また図３１の光磁気記録部の拡大図に示すように磁気記録層３の磁気記録信号６１の磁束は磁束８６ａ、８６ｂ、８６ｃ、８６ｄのように形成される。従って光磁気記録時、焦点６６により、キュリー温度以上になった光記録層４の焦点６６部の光磁気記録材料に磁気記録信号６１による磁束８６ａの磁界と磁気ヘッド８からの変調磁界の二つの磁界が加わる。磁気ヘッド８からの変調磁界の大きさより、磁束８６ａの磁界の大きさが大きければこの部分の変調磁界による光磁気記録は正常に動作しない。従って、磁束８６ａの大きさを一定値以下に抑える必要がある。このため、磁気記録層３と光記録層４の間に厚さｄの干渉層８１を設け影響を緩和する。磁気記録信号６１の最短記録波長をλとすると光記録層４における磁束６６の強さは約５４．６×ｄ／λだけ減衰する。記録媒体の場合様々  な記録波長λの使用が考えられる。最も短い場合の記録波長にはλ＝０．５μｍ  が一般的である。この場合ｄは０．５μｍあれば６０ｄＢ程減衰するため、磁気  記録信号６１の影響は殆どなくなる。
【００５５】
以上から記録媒体２の磁気記録層３と光磁気の光記録層４の問に少なくとも０．５μｍ以上の干渉膜を用いることにより磁気記録信号の光磁気記録への影響を  なくすという効果が得られる。この場合、非磁性体もしくは保持力の小さい磁性体で干渉膜を構成する。
【００５６】
光磁気記録媒体を用いて光磁気記録と磁気記録を行う場合、光磁気記録の変調用磁界が磁気記録層の磁性体の保持力より充分小さければ変調磁界が記録された磁気信号に損傷を与える可能性はない。しかし、実施例４のようにリング型ヘッドを用いた場合、ヘッドキャップ部に強い磁界が発生する。従って変調用磁界が弱くても磁気信号に影響を与えエラーレートが増加する恐れがある。これを避けるため、光磁気記録媒体を装着して記録する場合、図２７の記録部の断面図に示すように、光ヘッド６で主記録信号を光記録層に記録する前にその光記録予定領域の光トラック６５ｇの裏面にある磁気トラック６７ｇに記録されている磁気記録信号を記録再生装置のメモリー部３４もしくは光記録層に転記し待避される。待避により、光磁気記録時に磁気記録層のデータが変調磁界により破壊されても問題がない。
【００５７】
これを具体的に図２８のフローチャート図を用いて説明する。フローチャートは大きく６つに分けられる。判別ステップ２０１でディスクの属性の判別を行い、光ＲＯＭディスクの場合は再生専用ステップ２０４を用いる。光ＲＡＭディスクを再生する場合は再生ステップ２０２、場合により再生／転記ステップ２０３を行う。光ＲＡＭディスクに記録する場合、記録ステップ２０５、場合により記録／転記ステップ２０６を用いる。空き時間があれば、転記ステップ２０７により転記のみを行う。
【００５８】
このフローチャートを詳しく説明する。判別ステップ２０１においては、ステップ２２０において記録媒体２、具体的にはディスクが装着される。ステップ２２１でディスクの種別、例えばＲＯＭかＲＡＭか、光磁気メディアか、光記録禁止か、磁気記録禁止か等の区別が図１６のディスクのカセットに刻まれたツメ等により判別される。次に、ステップ２２２で図２７の最内周の光トラック６５ａ、磁気トラック６７ａの位置へ光ヘッド６が移動する。ステップ２２３でＴＯＣの光情報と磁気情報の各々のデータの読み出しが行われ、音楽ディスクなら前回終了時の曲番、ゲームディスクならゲームの終了ステージ番号等のデータが入るこれに基づき図１６のように、ユーザーが継続を希望すれば、前回終了時の状態に復帰できる。ステップ２２４で磁気ＴＯＣの中に書き込まれた未転記フラグを読み出す。未転記フラグ＝１なら光データ部へ転記されていない磁気データが残っていることを示す。また未転記フラグ＝０なら残っていないことを示す。ステップ２２５で光磁気ディスクかＲＯＭディスクかを判別し、ＲＯＭディスクならステップ２３８に向い、光磁気ディスクならステップ２２６に向かう。ステップ２３８で再生命令があれば、ステップ２３９で光記録信号及び磁気記録信号の再生を行い、ステップ２４０で操作が終了すれば、ステップ２４１で再生期間中に起った種々の変更、例えば再生曲順の変更や終了時点の曲番等の状況を磁気トラックのＴＯＣ領域等に書き込む。書き込み完了後又ステップ２４２でディスクを排出する。
【００５９】
さて、ステップ２２６の光磁気ディスクの場合に戻る。再生命令があれば、ステップ２２７へ、なければステップ２４３へ進む。ステップ２２７では光記録面の主記録信号の再生を通常の再生速度より速く行い、順次メモリに蓄積させる。音楽信号の場合、数秒間分のデータを蓄積できるようにするため、この間、再生を中断しても音楽は中断しない。ステップ２２８でメモリが一杯になると、ステップ２２９で未転記フラグ＝１の場合、主記録信号の再生を中断し、再生転記ステップ２０３の中のステップ２３０に進む。磁気記録面の副記録信号の全てを再生完了しているかチェックし、Ｙｅｓならステップ２３４に進み、Ｎｏならステップ２３１に進み、磁気記録面の副記録信号を再生し、メモリーに蓄積する。ステップ２３２で音楽信号等の蓄積している主記録信号の出力がまだ可能であるかチェックし、Ｎｏならステップ２２７に戻り、主記録信号の再生蓄積を行う。Ｙｅｓならステップ２３３で副記録信号が設定されたメモリ量に達した時点で、ステップ２３４で再度、主記録信号の蓄積再生ができるかチェックし、Ｙｅｓならステップ２３５でメモリに入っている副記録信号を光記録面の転記用領域に転記し、ステップ２３６で全データの転記が完了したかチェックし、Ｎｏならステップ２３０に戻り転記を継続し、Ｙｅｓならステップ２３７で未転記フラグを１から０に変更しステップ２２６に戻る。
【００６０】
さて光記録層に記録する場合、記録ステップ２０５の中のステップ２４３に進み、記録命令をチェックし、Ｙｅｓならステップ２４４で主記録信号のメモリへの蓄積を行い、光記録をしない。ステップ２４５でメモリに余裕があるかチェックし、Ｎｏならステップ２４５ａで主記録信号の光記録を行い、ステップ２４３へ戻る。Ｙｅｓならステップ２４６へ進み、未転記フラッグが１でないならステップ２４３へ戻り、１なら記録転記ステップ２０６の中のステップ２４７へ進む。
【００６１】
ステップ２４７では主記録信号をメモリーに蓄積しながら同時に今回光記録を予定している図２７の光トラック６５ｇの裏側の磁気トラック６７ｇの副記録信号を再生しメモリに蓄積する。ステップ２４８で、主記録信号蓄積メモリに余裕があるか確認してＹｅｓならステップ２４８ａで副記録信号を光記録層へ転記を行うＮｏならステップ２４５ａへ戻り光記録を行う。ステップ２４９で全データの転記を完了したか確認し、Ｙｅｓならステップ２５０で未転記フラグを１から０に変更し、ステップ２４３に戻る。Ｎｏならそのままで、ステップ２４３に戻る。
【００６２】
ステップ２４３で記録命令があるかチェックし、Ｎｏなら転記ステップ２０７の中のステップ２５１に進む。ここでは主記録信号の記録も再生も不要のため磁気データ面の副記録信号の光データ面への転記のみを行う。ステップ２５１で副記録信号の再生とメモリへの蓄積を行い、ステップ２５２で光記録層への転記を行う。ステップ２５３で全転記が完了したかチェックし、Ｎｏなら再びステップ２５１に戻り転記を続ける。Ｙｅｓならステップ２５４で未転記フラグを１から０に変更しステップ２５５で全操作終了したかチェックし、Ｎｏなら最初のステップ２２６に戻る。Ｙｅｓならステップ２５６に進み、今回の作業で変更した情報および未転記フラグ＝０なる情報等を磁気トラックのＴＯＣ領域に磁気記録し、ステップ２５７でディスクを排出してこの一枚のディスクに関する作業を完了する。
【００６３】
なおステップ２５６では、メモリに蓄積した副記録信号の全てを再び磁気記録層に書き込むことにより、光記録前の状態に磁気記録層を復旧することもできる。
【００６４】
以上のように磁気記録面のデータのうち光記録の変調磁界により破壊される磁気トラックのみのデータをメモリ叉は光記録面に待避させることにより磁気記録面のデータ破壊が実質的に防げるという効果がある。
【００６５】
さらに光記録作業終了後に再び待避データを磁気トラックに記録し、復元することにより光磁気記録を行なってもディスク排出時には磁気記録面のデータが復活しているという効果も得られる。
【００６６】
図２８の場合は、磁気記録面の破壊される可能性のあるデータを光磁気記録を行う前に光記録面に転記するという手法を用いている。これに対し、図２９のフローチャートの場合は、光記録面への転記はしない手法を用いる。図２９のフローチャートの判別ステップ２０１と再生ステップ２０２と再生専用ステップ２０４は図２８と同じであるため、説明は省略する。また転記をしないため再生転記ステップ２０３と記録転記ステップ２０６と転記ステップ２０７はいらない。記録ステップ２０５のみ異なるため以下詳しく説明する。
【００６７】
再生ステップ２０２の中のステップ２２６で再生命令があるかチェックしＮｏの場合、ステップ２６４へ進み、Ｙｅｓの場合ステップ２６０へ進む。ステップ２６０では磁気トラック単位に対処する光トラックを管理し、光トラックの裏面の光磁気記録により破壊される該当磁気トラックを算出し、前回と待避されたものと同じ該当トラックかどうかをチェックしＹｅｓならステップ２６３で光トラックへの光磁気記録を行なう。Ｎｏなら、ステップ２６１で前回の磁気トラックへ待避データを書き込むことにより、前回の磁気トラックのデータを完全に復元できる。次にステップ２６２で今回の破壊される該当磁気トラックのデータを読み込みメモリに待避させる。その後ステップ２６３で光トラックへの記録をし、ステップ２４３へ戻る。ステップ２４３でＮｏの場合ステップ２６１ａで、前回の磁気トラックの復元を行い、終了ステップ２０６の中のステップ２６４で操作終了かチェックしＮｏならステップ２２６へ戻り、Ｙｅｓならステップ２６５でこのディスクの装着から終了までに変更された情報例えば音楽の終了曲番等を磁気記録する。そしてステップ２６６でディスクを排出する。こうして作業を終了し、次のディスクが装着されると再びステップ２２０から作業を開始させる。
【００６８】
図２８の場合磁気データを全て光記録層に転記し、磁気データが光記録により破壊されてもよいように対処するのに対し、図２９の場合はそのかわり各磁気トラック単位に磁気データを管理し、光磁気記録により破壊される予定の該当磁気トラックの磁気データのみを読み出しメモリに蓄積し、その磁気トラックが光磁気記録により破壊され、かつその該当磁気トラックとは別の磁気トラックに光記録する時点で、この磁気トラックを完全に復元する。このことにより、１〜３の磁気トラック分のメモリ容量で対処できるため、メモリが少なくて済む。叉フローチャートをみても明かなように簡単な処理で磁気データを光磁気記録の破壊から守ることができるという効果がある。
【００６９】
また図３０（ａ）の光磁気ディスク装着時の断面図と図３０（ｂ）のＣＤ装着時の断面図に示すように、同じ機構を用いて光磁気ディスクとＣＤを再生することもできる。この場合、ＣＤの場合、外部がカートリッジで保護されていないため外部磁気の影響を受け易い。ＣＤの磁気記録層３の保持力を例えば１０００〜３０００Ｏｅと光磁気メディアの磁気記録層に比べて格段に高くすることにより外部磁界による磁気データの破壊を妨げるという効果がある。光磁気ディスクの場合、保持力を強くすると光磁気記録層において変調磁界の大きさに近づくため、影響が出てしまう。このため１０００Ｏｅ以下に低くしてある。
【００７０】
（実施例５）
以下、本発明の第５の実施例について図面を参照しながら説明する。
【００７１】
図３２は実施例５の記録再生装置のブロック図を示す。実施例５は実施例１と実施例４で説明した図１および図２４と構成と基本的な動作は同じである。このため詳しい説明は省略し、異なる部分に限定して説明する。実施例５と実施例１との違いは実施例４では図２４と図２５で説明したように１つのコイル４０をもつリング型の磁気ヘッド８で磁気記録と磁気記録信号の再生と光磁気記録用の変調磁界発生の３つの機能を１つのコイルで行う方式である。このため構成は簡単であるが３つを両立させるためには相反する要素があるため再生効率の低下及び均一磁界領域の狭さ等の問題が発生する恐れがある。このため、ヘッドの設計が難し、加工の点でも難しくなる。
【００７２】
つまり、構成が簡単なため、配線回路は簡単になるが、設計面、加工面で難しい。
【００７３】
この点に鑑み、実施例５では図３３の磁気記録の拡大図に示すように２つのコイルをつまり磁界変調用コイル４０ａと磁気記録コイル４０ｂの２つのコイルを持っている。図３２のブロック図に戻ると、磁気記録もしくは再生の時は磁気ヘッド回路３１により磁気記録コイル４０ｂに電流を与えるか、コイルより電流を受けとり、磁気記録および再生を行う。
【００７４】
また磁界変調型の光磁気記録を行う時は、光記録回路３７の中の磁界変調回路３７ａより変調信号を磁界変調用コイル４０ａに与え光磁気記録を行う。
【００７５】
図３３を用いて磁気記録および再生時の動作を説明する。磁気ヘッド回路３１からの記録電流はコイル４０ｂに矢印方向に流れる。すると磁束８６ｃ、８６ａ、８６ｂの閉磁路が形成され、磁気記録層３に磁気記録信号６１が次々と記録されている。水平方向の磁気記録となる。この場合磁界変調用コイル４０ａには基本的に電流を流さない。この構成であるとギャップ８ｃを含む閉磁路が構成され再生感度も最適設計ができる。
【００７６】
次に図３４の光磁気記録の拡大図を用いて光磁気の記録時の動作を説明する。磁界変調用コイル４０ａは主磁極８ａとヨークの副磁極８ｂの双方に同一方向に巻かれている。従って、磁界変調回路３７ａより矢印５１ａ方向に変調電流が流れてきた場合、下方向の磁束８５ａ、８５ｂ、８５ｃ、８５ｄが発生する。そして光記録層４の焦点６６の部分にあるキュリー温度以上の光磁気記録材料がこの磁界により磁化反転され、光記録信号５２が記録される。この場合、焦点６６における磁界の強さは均一磁界領域８ｅの範囲において一般的に５０〜１５０Ｏｅに設定される。この場合図２５に示すように磁気記録信号６１により、光磁気記録材料が磁化反転しないように干渉層８１を設けた方が好ましい。この厚さをｄとするとこの場合λ＞ｄでよい。図３４の構成にすると、均一磁界領域８ｅが広くとれるという効果が得られる。またヘッドの設計も２つのコイルに対して各々独立に設計できるので、最適の磁界変調特性と、最適の磁気記録特性および最適の磁気再生特性が得られるという効果もある。図３３のヘッドギャップ８ｃを小さくできるので磁気記録時の波長を短くできる。また、閉磁路形成の最適設計ができるため再生感度も向上する。さらに、図３４のように磁界変調時に主磁極８ａの磁束８５ａと副磁極８ｂの磁束８５ｄは同方向のため実施例４の場合のようにギャップ部８ｃに強い磁界は発生しない。単に変調磁界の弱い磁界しか発生しない。磁気記録層３の保持力は８００〜１５００Ｏｅと変調磁界に比べて充分高く水平方向に磁化容易軸を持つため、変調磁界により磁気記録信号６１が破壊されないという効果がある。従って実施例４では磁気記録層３の保持力Ｈｃを光磁気記録材料の記録磁界Ｈｍａｘより高くとることにより、データが破壊されない。この場合２倍の余裕をみればよいため、
Ｈｃ＜２Ｈｍａｘ
となる。図８に示す記録媒体２を製作すればよい。また磁気ヘッド８は、図３５に示すように主磁極８ａにコイル４０ａを副磁極８ｂにコイル４０ｂを独立して巻くこともできる。この場合、磁界変調時に、磁気記録用コイル４０ｂにも磁気ヘッド回路３１を用いて矢印５１ｂ方向の変調電流を流すことにより磁束８５ｄが発生し、磁界変調用コイル４０ａによる磁束８５ｃ、８５ｂ、８５ａと同方向になり、図３４と同様の効果が得られる。
【００７７】
又、図３６のような１本の巻き線を巻き、タップ４０ｃを設けることにより、３つの端子で２つのコイルを構成することもできる。磁気記録時にはタップ４０ｃとタップ４０ｅを用いる。
【００７８】
また、光磁気記録時には、図３７のようにタップ４０ｄとタップ４０ｅを用いて光磁気記録の変調磁界ができる。このことにより、３つのタップでヘッドを構成できるため、配線が簡単になるという効果がある。
【００７９】
（実施例６）
以下、本発明の第６の実施例に基づき、図面を参照しながら説明する。
【００８０】
図３８は実施例１６の記録再生装置のブロック図を示す。実施例６は実施例１と実施例４と特に実施例５で、説明した図１および図２４および図３２と基本的な動作は同じである。このため詳しい説明は省略し、異なる部分に限定して説明する。実施例６と実施例５の違いを示すと実施例５では磁気変調用コイルとは別に１つのコイルを設け磁気記録を行う。このため消磁と記録を同時に行えない。しかしフロッピィディスクでは同時に行うことが要求される。このため、実施例６では図３８に示すように磁気ヘッド８に２つのギャップ８ｃ，８ｅを設けてある。さらに２つのコイル４０ｂ，４０ｆを磁気ヘッド回路３１に接続し、一方を記録用、一方を消磁用に用いる。こうして、消磁と記録が一つのヘッドで同時に行える。
【００８１】
次に図３９の磁気記録部の拡大図は、具体的な磁気ヘッド８の構成を示す。図３３に示すように副磁極８ｂとは別に第２副磁性極８ｄを追加した構成となっている。図３３で説明したように磁気記録用コイル４０ｂにより磁気記録を行うが、その前に第２副磁極８ｄにより磁気ヘッド回路３１より消磁電流を流す。かくしてギャップ８ｅにおいて磁気記録層３の消磁を記録前に行うことができる。このためギャップ８ｃにおいて磁気記録を行う時に、理想的な記録ができ、Ｃ／Ｎ、Ｓ／Ｎが向上し、エラーレートが下がる等の効果がある。この状態を記録媒体２の垂直方向からみた状態を図４１の磁気記録部の上面図は示す。図４１に示すように記録トラック６７の両側にはガードハンド６７ｆ，６７ｇが設けられている。まず、第２副磁極８ｄのギャップ８ｅにより消磁領域２１０の幅で消磁が行われる。従って記録トラック６７の全部の領域とガードバンド６７ｆ，６７ｇの一部の領域が消磁される。従って磁気ヘッド８のトラックずれが生じてもギャップ８ｃは消磁領域２１０の範囲をはずれることがない。従ってギャップ８ｃにより磁気記録を行う場合、よい状態で記録できる。
【００８２】
また、図４２の磁気記録部の上面図に示すように消磁用のギャップを分割し、ギャップ８ｅ、８ｈを２つ設けることもできる。このことにより、図４１の反対方向の矢印５１の方向に記録媒体２を走行させ、まず記録トラック６７より広い巾をもつギャップ８ｃにより磁気記録を行い、ガードバンド６７ｆ、６７ｇの一部にオーバーラップして記録する。このオーバーラップした部分は２つの消磁領域２１０ａ，２１０ｂにより消磁される。従ってガードバンド６７ｆ、６７ｇは完全に確保される。このため記録トラック間のクロストークが減少し、エラーレートが下がるという効果がある。次に図４０の磁界変調部の拡大図により、磁気ヘッド８を用いて光磁気記録の磁界変調を行う場合を述べる。磁界変調用コイル４０ａを主磁極８ａと副磁性８ｂ、第２副磁性８ｄの３つをまとめて巻いてあるため、各々の磁極に磁束８５ａ，８５ｂ，８５ｃ，８５ｄ，８５ｅが均等に発生する。このため広い均一磁界領域８ｅをとれるという効果がある。このためトラック位置の寸法精度を低くても、焦点６６が光記録トラック６５をはずれない。
【００８３】
次に図４３の磁気記録部の拡大図に示す磁気ヘッド８は、図３９で説明した磁気ヘッド８のコイルの巻き方を変えたものである。図に示すように磁界変調用コイル４０ｄを延長して磁気記録用のコイルと兼用し、中間のタップ４０ｃを設けたものである。これにより、タップ４０ｃとタップ４０ｅにより磁気記録ができる。さらに図４４の磁界変調部４４の拡大図に示すようにタップ４０ｄとタップ４０ｅに矢印５１ａ，５１ｂの方向の電流をタップ４０ｆに矢印５１ｃを流すことにより、同じ方向の磁束８５ａ，８５ｂ，８５ｃ，８５ｄ，８５ｅが発生し均一の変調磁界が生ずる。この場合タップ数が一つ減り構成が簡単になるという効果がある。以上に詳しく述べたように実施例６の磁気ヘッド８を用いることにより、一つのヘッドで消磁ヘッドと磁気記録ヘッドと光磁気記録の磁界変調用ヘッドを共用することができるという大きな効果がある。
【００８４】
（実施例７）
以下、本発明の第７の実施例に基づき、図面を参照しながら説明する。
【００８５】
主として実施例７はメディアを入れるディスクカセットに関するものである。図４５（ａ）のディスクカセットの上面図はディスクカセット４２の可動形のシャッター３０１の閉じた状態を示す。このようにヘッド用穴３０２だけでなくライナー用穴３０３ａ，ｂ，ｃがシャッター３０１により保護されているためゴミが入らないという効果がある。図４５（ｂ）ように矢印５１方向へのディスクカセット４２の本体への挿入に伴いシャッターは開く。このためヘッド用穴３０２とライナー用穴３０３ａ，３０３ｂ，３０３ｃの双方が開く。図４６のように角形の単１のライナー用穴３０３を設けてもよい。図４７、図４８のディスクカセット上面図に示すようにヘッド穴３０２の逆方向にライナー用穴を設けてもよい。この場合図４９（ａ），（ｂ），（ｃ）のライナーの上面図に示すように、ライナー３０４と板バネやプラスチックシートからなるライナー支持部３０５とライナー支持部版付部３０６ａ〜ｄにより、ライナーはライナー可動部３０５ａ以外の部分がディスクカセット４２に固定される。図４９（ｃ）に示すようにカセットハーフにはライナー用溝３０７が掘ってある。この溝３０７にライナー可動部３０５ａが収納される。この上から副ライナー支持部３０５ｂが押さえつける。こうしてライナー支持部３０５ａのバネの復原力により、外力が加わらない限り自ら平板状態を保つ。この状態ではライナー３０３は記録メディア２の表面の記録層と接触しない。このため通常は記録層３の摩耗は防がれる。
【００８６】
次に必要に応じてライナー穴３０３よりディスクカセット４２の内部方向へライナーピン３１０により外力が加えられるとライナー支持部３０５とライナー３０４はメディア面に押しつけられるライナーピンが押さない限り、ライナー３０５と記録メディア２の記録層は接触しない。
【００８７】
ディスクカセットの別の構成を示すと、図５０は（ａ）（ｂ）（ｃ）はライナー支持部３０３ａの板バネに図５０（ｃ）の如くディスクカセット上面方向の変形を予め与えておく。これにより図５０（ｄ）のようにディスクカセット４２に固定した場合カセットハーフ上部４２ａに常に押しつけられる。このためライナーピン３１０により下方向に押されない限り記録メディア２とライナー３０４が接触しない。副ライナー支持部３０５ｂが省略できるという効果が安定して得られる。
【００８８】
次に、ライナーピン３１０によるライナーとディスクの接触、非接触の切り替え方法を説明する。図５１は図４９（ａ）のＡ−Ａ’面の断面図を示すライナーピン３１０はライナーピンガイド３１１の中を矢印５１ａ方向に引き上げられている。このためライナー３０４と記録媒体２の記録層３は接触していない。従って記録メディア２の回転時の摩擦力は少ないため弱い駆動力でも回転する。次に図５２のように矢印５１方向の外力によりライナーピン３１０が押し下げられるとライナー支持部３０５と介してメインの方のライナー３０４は記録メディア２の磁気記録層３に押しつけられる。記録メディア２の矢印５１方向の回転もしくは走行に伴い、磁気記録層３上のほこりやゴミ等の異物が不織布等からなるライナー３０４により、とり除かれる。このため図４６のヘッド穴３０１部にある記録ヘッド８により磁気記録再生、もしくは光磁気記録の磁界変調が行われた場合、エラーレートが大巾に減少するという効果が得られる。ライナーの材料に関しては従来のフロッピーのライナーと同じで例えば不織布を用いる。この場合矢印５１ａで示す回転方向の場合、図４５（ａ）のように磁気ヘッド８の前の磁気記録層３の部分にライナーピン３１０を設けているため、清掃効果が高くなるという効果がある。この場合、通常の磁気記録層３を設けてない接触型の光磁気記録のディスクカセット４２に本発明のライナー制御方式を用いてもゴミが低減するため光磁気記録時のエラーレートが向上するという効果が得られる。
【００８９】
ライナーピン３１０の制御は例えば図５３（ｂ）に示すように磁気ヘッド３とライナーピン３１０を連動させ、磁気ヘッド３の接触した場合には必ずライナー３０４を記録メディア２に接触させるようにすることによりアクチュエータを兼用できる。磁気ヘッド３が接触していない場合は必要に応じてライナーピン３１０を上げてライナー３０４を接触させないようにする。図５３（ａ）（ｂ）の磁気ヘッドの昇降図のように、ライナーピン３１０と磁気ヘッド８と連動させるとカセット４２に磁気記録層の識別穴がある時のみ接触し、ない時はライナー３０４と記録メディア２は接触しなくなる。このことにより不要時にライナ３０４により、磁気記録層３の表面が摩耗することを防げる。同時に摩擦力が減るためにモーターの回転トルクが少なくて済み消費電力が減るという効果がある。また磁気記録層のない記録媒体２を挿入した場合も、図７５に示したように磁気ヘッド８は記録媒体２に接触しないため双方の破壊が防止されるという効果がある。また本発明の磁気記録方式に対応していない従来の記録装置に本発明のディスクカセット４２を装着しても、図５４（ａ）（ｂ）の磁気ヘッド昇降図に示すように従来方式の装置はライナーピン３１０及び昇降機能をもたないために図５４（ｂ）のようにライナー３０４と記録メディア２は接触せずディスクの駆動トルクの小さい従来型の光磁気記録再生装置でも安定して回転させられる。このためメディアと従来機器との互換性が保たれるという効果がある。又、本発明の記録再生装置にライナー３０４やライナー穴３０３のない従来型のディスクカセット４２を装着しても、図５５（ａ）（ｂ）の磁気ヘッド昇降図に示すようにライナー穴３０３がないためにライナーピン３１０が挿入されない。従って記録メディア２やライナ３０４にライナーピン３１０が接触しない。従って従来のメディアを本発明の記録再生装置に挿入しても問題は全く消じないため、これらの間の互換性も保たれるという効果がある。なおこの場合、従来の記録メディアの潤滑剤が磁気ヘッド８の接触面に付着し、エラーレートが悪化する。これを防ぐために図５６本発明の記録媒体の上面図に示すように清掃用トラック６７ｘを設定する。本発明の記録再生装置に従来の記録媒体２が装着され、脱着された後に本発明の記録媒体２を挿入した場合、最初に少なくとも１回この清掃トラック６７ｘの上を挿入磁気ヘッド８を走行させる。これにより、上述のゴミは清掃用トラック６７ｘ上に付着する。このゴミはさらに記録媒体２と接触している。ライナー３０４により取り除かれる。これにより、磁気ヘッド８の接触面のゴミは最終的に取り除かれ、エラーレートの少ない確実な記録再生ができるという効果がある。また図５７（ａ）（ｂ）のライナー昇降部の断面図は各々ライナーピンのＯＦＦの状態とＯＮの状態を示す。なお図５８図５９のライナー昇降部の断面図は各々図５１，図５２を記録媒体２の走行方向からみたライナー昇降部の断面図である。
【００９０】
次に板バネ型のライナーピン３１０を用いた実施例を示す。図６０，図６１のライナーピン部の横断面図，図６２，図６３のライナーピン部の前断面図は板バネのライナーピン部の全断面図は板バネのライナーピン３１０を用いた場合のＯＦＦ状態とＯＮ状態を各々示す。この場合ライナーピン３１０はピン駆動テコ３１２を介して昇降モータ２１により矢印５１，５１ａ方向に駆動されＯＮ，ＯＦＦする。図６４、図６５のライナーピンの前面断面図は図４６（ａ）の長方形の一穴のライナー穴３０３を用いる場合のライナーピン３１０を用いた場合のＯＦＦ状態、ＯＮ状態を各々示す。この場合、ライナーピンのライナー取付部との接触面積が大きくなるた確実にゴミがとれるという効果がある。
【００９１】
図６６、図６７のライナーピンの前断面図はライナーガイド３１１に保護部３１１ａを設けてある。また図６６のように本発明のディスクカセット４２にも認識穴３１３が設けてある。このため図に示すように本発明のディスクカセット４２を挿入した場合は、ライナーピン３１０はライナー穴３０３に入れる。しかし、従来型の認識穴３１３のないディスクカセット４２を挿入した場合図６７のように保護膜３１４がディスクカセット４２のケースにあたるためライナーピン３１０はディスクカセット４２のケースには接触しない。このため、ライナーピン３１０が汚れたり破損したりすることが防げるという効果がある。
【００９２】
（実施例８）
以下、本発明の第８の実施例に基づき、図面を参照しながら説明する。
【００９３】
実施例８ではディスクカセットの下面方向からライナーピンを押し上げライナーを昇降させる方法を開示する。
【００９４】
図６８（ａ）（ｂ）のディスクカセットの上面透視図に示すように上面にはライナー穴はない。裏側にある認識穴３１３ａ，３１３ｂ，３１３ｃに隣接してライナー穴３０３を設けこのライナ穴３０３に図の裏側からライナーピンを挿入し、ライナーを昇降させる。図６９（ａ）（ｂ）はライナー昇降部の図６８のＡ−Ａ’面の断面図を示す。まず、図６９（ａ）に示すようにライナーピン３１０がＯＦＦ状態にある時は、ライナーピン３０４と記録媒体２は接触しない。図６９（ｂ）に示すようにライナーピン３１０が認識穴３１３に挿入されると変形し字型の板バネからなるライナー駆動部３１６はライナーピン３１０により図上右側に押されピン軸３１５を中心として反時計まわりに回転する。これにより、ライナー駆動部３１６によりライナー支持部３０５が下方向に押されてライナー３０４と記録媒体２は接触し、回転に伴いゴミがとり除かれる。
【００９５】
次にライナーの構造について述べる。図７０（ａ）（ｂ）（ｃ）のライナーの構成図のように、ライナーの構造は図４９で説明した構造と基本的には同じである。ただ、ライナー駆動部３１６の駆動部先端に可動部３０５ａを設けている点と図７０（ｃ）に示すようにライナー駆動部３１６を収納するためのライナー駆動溝３０ａが追加されている点が異なる。
【００９６】
ここでライナーピン３１０の本体側の構造について述べる。ライナーピン３１０とモーター１７は図７１の周辺部の断面図に示すような位置関係にある。図７２（ａ）のライナーピン周辺部の断面図に示すように、もし、本発明のディスクカセット４２が矢印５１方向に挿入された場合、ライナーピンのアクチュエータを設けなくてもライナー３０４は連動して昇降する。しかし、図７２（ｂ）のように従来のディスクカセット４２を挿入した場合、ライナー穴３０３はないため、ライナーピン３１０はバネ３１７により挿入に伴い、自動的に下がり、従来のディスクカセット４２を破壊したり等の悪い影響を全く与えないという効果がある。この場合、例えばゲーム機のようにディスクのアクセス頻度が少ない用途にはライナーピンにアクチュエータを設けなくともよいため構成が簡単になるという効果がある。図７３（ａ）（ｂ）の磁気ヘッド昇降部の図に示すように１つの昇降モーター２１を用い昇降部２０と連結部３１８によりライナーピン３１０を連動させることができる。この構造を用いると磁気ヘッド８が記録媒体２に接触する時は必ずライナー３０４が記録媒体２に接触するためアクチュエータを兼用できるという効果がある。図７４（ａ）（ｂ）のディスクカセットの断面図は図６９と基本的に同じであるが、ライナー駆動部３１６を延長してピンシャッター部３１９を追加しているため、図７４（ａ）に示すように、ライナーピンのＯＦＦ時にピンシャッター３１９が閉じ、外部のゴミのディスクカセット４２内への流入を防げるという効果がある。この構造ではディスクカセットの認識穴の近傍を用いるため、従来のディスクカセットに小さな穴を１ヶ追加するだけでよい。従ってカセット構造の互換性がより高くなるという効果がある。また図６９の構造では水平方向の必要占有スペースが小さいという効果がある。このため例えば図６８のＢ−Ｂ’断面のように殆ど取り付けスペースのない部分にもライナー穴３０３ａを設けることができ、カセット設計の自由度が向上する。
【００９７】
（実施例９）
以下本発明の第９の実施例に基づき、図面を参照しながら説明する。
【００９８】
実施例９はライナー駆動部３１６の取り付けスペースが十分ある場合の実施例を示す。図７５のディスクカセット上面図は実施例９の上面からみた構成でライナー３０５ライナー取付部３０５ａの構成は図４９とほぼ同じであるため省略する。本実施例ではライナー取付部３０５の可動部３０５ａにライナー昇降部３０５ｃを設けてある。この部分をライナー駆動部３１６により、図上で押し下げることによりライナー３０５を昇降させる。これを図７５のＡ−Ａ’の断面図である図７６、図７７の昇降部の断面図を用いて説明する。図７６のようにライナーピン３１０のＯＦＦ時はピンシャッター３１９はバネ３０７により下部に押しけられているため外からゴミは入ってこない。ライナー支持部３０５、可動部３０５ａも板バネの効果と副ライナー支持部３０５ｂにより上面に押し付けられている。従ってライナー３０４は記録媒体２と接触していない。
【００９９】
次に図７７のように、ライナーピン３１０のＯＮ時にはピンシャッター３１９により、ライナー駆動部３１６はピン軸３１６を中心に右回りに回転し、ライナー昇降部３０５ｃを下に押し下げるため、ライナー取付部３０５の可動部３０５ａは押し下げられ、ライナー３０４と記録媒体２は接触し、矢印５１方向の回転に伴い、ディスク面上の異物はとり除かれる。このためエラーレートが低減するという効果が得られる。実施例９の場合、構造が簡単で、確実にライナー昇降が行われるという効果が得られる。またディスクカセット４２ａに溝を設ける必要がないため、カセットの強度が損なわれないという効果も得られる。
【０１００】
また図６８（ａ）のカセット上面図のＢ−Ｂ’断面図に取り付けた場合、図７８（ａ）（ｂ）のライナーピンの断面図に示すような構造となる。図７６、図７７の場合と動作が同じであるため詳しい説明は省略する。図７８（ａ）に示すようにライナーピン３１０のｏｆｆ時はピンシャッター３１９によりライナー穴は閉じられている。図７８（ｂ）に示すようにライナーピン３１０のｏｎ時にはライナー駆動部３１５が左回りに回転しライナー昇降部３０５Ｃを下げライナー取り付け部３０５ａとライナー３０４を押し下げるため、ライナーと記録媒体は接触する。この場合図７６に比べて、より短いスペースでライナー昇降を実現するという効果がある。なおライナーピン３１０を挿入した場合にライナーと記録媒体の接触が解放される方式にすると不使用時にライナーが接触し、この摩擦力により記録媒体が回転しなくなるため記録媒体の破壊を防ぐという効果がある。
【０１０１】
（実施例１０）
以下、本発明の実施例１０における記録最盛装置を図面に基づき説明する。
【０１０２】
基本構成は、実施例６で説明した図３８のブロック図と同じであるため省略する。まず、トラッキングの方式について詳しく説明する。図７９の未補正のトラッキング原理図に示すように、理想的な設定状態であれば、上面の磁気ヘッド８と下面の光ヘッド６は上下同じ位置関係にある。このため、特定の光アドレスの光トラック６５を光ヘッドがアクセスすれば、磁気ヘッド８はこの裏面の対応する磁気トラック６７を走行する。この場合、光ヘッドアクチュエータ１８のトラッキングエラー信号のＤＣオフセット電圧は発生しない。しかし、実際はアクチュエータのバネ定数の製品バラッキや、装置の傾斜による重力Ｇの印加により、光アクチュエーア１８のセンター３２１ｂとの間には△Ｌ、具体的には数十〜数百μｍのズレが生じる。また、光アクチュエータ１８のセンター３２１ａと対向する磁気ヘッド８のセンター３２１Ｃにも組立誤差によるズレがある。従って、図７９（ｂ）のように、対向する磁気ヘッド８と光ヘッド６の間に位置ずれが生じる。
【０１０３】
特定のアドレスの光トラックを光ヘッド６が走直しても、磁気ヘッド８がトラッキングする磁気トラックとの対応関係がないため、別の磁気トラックをアクセスする可能性がある。具体的に述べると、磁気トラックのトラックピッチは通常５０〜２００μｍである。光ヘッド６と磁気ヘッド８のセンターすれば、最大数百μｍある。従って、悪い条件においては、目的とするトラックの隣の磁気トラック上を磁気ヘッド８が、走行し、間違ったデータが記録される場合もある。
【０１０４】
これを避けるためには、本発明では図８０（ａ）に示すようにトラッキング制御信号にオフセット電圧△Ｖｏを与えて基準磁気トラック６７ｚの裏側に光ピッ  クアップ６がくるように光ヘッド６を△Ｌだけ偏心させる方法をとっている。つまり常に偏心補正量△Ｌだけ偏心させておけば、据え置き機の場合、常に磁気ヘッド８と光ヘッド６は精度よく上下方向に対向し、光トラック６５と磁気トラック６７の相関度は高まり、通常の機械精度では、数μｍ〜十数μｍのトラックずれに収まれる。
【０１０５】
こうすれば、トラックピッチが５０μｍであっても、光アドレスに基づき磁気ヘッドを目的とする磁気トラックにトラックキングできる。
【０１０６】
図８０（ｂ）にますように、このオフセット電圧△Ｖｏを印加しておけば、△  Ｌだけ光ヘッド６は偏心し、光トラック６８のアドレスをアクセスすることにより磁気ヘッド８は所望の磁気トラック６７をアクセスすることになる。
【０１０７】
ここで、このオフセット電圧△Ｖｏを算出する方法を述べる。
まず、偏心対策としてディスクの平均トラック半径を求める方法を述べる。ＣＤやミニディスク（ＭＤ）規格においては、光トラック６５の偏心は最大２００μｍ発生する。一方、磁気トラック６７のトラックピッチは２ＤＤつまり、１３５ＴＰＩクラスで２００μｍである。従って、何も対策をとらなければ、光トラック６５のアドレスを参照して目的とする裏面の磁気トラック６７をアクセスすることは難しい。
【０１０８】
図８１（ａ）のディスク偏心量の図に示すように、プリマスターした光トラック６５ＰＭと光ヘッド６にサーボをかけない場合の軌跡６５Ｔの間には△ｒｎなる偏心が発生する。
【０１０９】
ここで、トラバースを移動させないで光ヘッドにトラッキングサーボをかけた場合、光トラックの偏心により図８１（ｂ）のようなトラッキングエラー信号が発生することが検知できる。
【０１１０】
θ＝０゜時の光トラックアドレスを読み取り基準点に設定した場合、偏心によ  りトラッキング半径はｒｎ−△ｒｎとなり、設計したトラッキングの半径ｒｎより  小さな半径を描く。又、θ＝１８０゜の時は逆にｒｎ＋△ｒｎとなり、ｒｎより大きな半径を描く。
【０１１１】
トラックピッチが１００〜２００μｍの場合、±２００μｍの光トラックの偏心がある場合、トラックサーボをかけない限りトラック半径自体が変わってしまう。
【０１１２】
図に示すようにθ＝９０゜とθ＝２７０゜において、エラーが最も小さい。従って、θ＝９０゜，２７０゜の時の光トラック６５ＰＭのアドレスを基準にして光トラックの中心位置を決めることにより、設定値の第ｎトラックの半径ｒｎが求まる  。
【０１１３】
図８１から明かなように、θ＝９０゜とθ＝２７０゜の時、△ｒｎ＝０となり、  標準トラック半径ｒｎが求まる。
【０１１４】
θ＝９０゜と２７０゜の位置は、図８１（ｃ）のトラッキングエラー信号より求まる。
【０１１５】
この角度の延長線上の位置にある光トラック６５のアドレスを用いることにより、この光アドレス６５ｓに光ヘッドをトラッキングさせることにより、標準トラック半径ｒｎが得られ、より正確な磁気ヘッドによるトラッキングが可能とな  るという効果がある。
【０１１６】
なお、この光アドレス３２０は磁気トラック６７の第１トラックもしくはＴＯＣトラックに記録する。
【０１１７】
なお、ＣＤ，ＭＤフォーマットの場合、アドレス情報は１つの光トラックの１周におけるアドレス情報の数が少ない。従って、３６０゜において全角度の３６  ０ケのアドレスが得られない。
【０１１８】
図８６に示すように、アドレス１の何個目のブロックが角度θの何度に相当するかはわかる。このことにより、例えば１度単位の角度分解能が得られる。従って、このブロック単位で管理することにより、任意の角度上の任意の半径の光アドレス情報が得られる。この正確な光アドレス情報と対応する磁気トラックＮｏの対応テーブルを以下“アドレス対応テーブル”と呼ぶ。
【０１１９】
以上正確な光トラック半径を求める方法について述べた。
次に磁気トラック半径ｒｍと光トラック半径ｒｏを対応させる方法を述べる。
【０１２０】
光ヘッドと磁気ヘッドの対抗する位置ずれは、製造時のずれに動作時のずれが加わる。これらは製品間のバラツキがあるため、一義的に定まらない。互換性をとるためにはこの対応関係をはっきりさせることが重要である。
【０１２１】
この方法として２つの方法がある。
一番目の方法は、記録媒体の磁気面に基準トラックを設けない方法である。
【０１２２】
図７９（ｂ）のように磁気面をフォーマットする時には磁気ヘッド８と光ヘッド６の間には位置ずれ△Ｌが通常存在する。この状態でフォーマットすると△Ｌずれたトラックが記録される。この場合同じディスクで同じドライブで同じ条件で記録再生する場合は全てが△Ｌずれた状態で行なわれるため問題ない。
【０１２３】
さてこの場合、トラバースのアクチュエータのバックラッシュがあるため、所定トラックへトラッキングする時は必ず同一方向、例えば内周から外周方向へトラバースを必ず移動させることが必要である。
【０１２４】
もう一度第ｎトラックをトラッキングするには、トラッキング時に、オフセット電圧をかけなくても、磁気ヘッド８と光ヘッド６の間には図７９（ｂ）に示すように△Ｌのオフセット距離が存在する。従って、記録時と同じ光トラックをアクセスした場合、記録時と同じ磁気トラックをトラッキングするため、目的とする磁気トラックのデータが記録再生できる。
【０１２５】
次に、このフォーマットされた記録媒体を別のドライブにかけた場合、オフセット電圧を加えない時、図８２（ａ）のように、例えば△Ｌ＝０になる特性を持つドライブであった場合、記録時に比べてオフセット距離△Ｌｏだけ光トラック  と磁気トラックがずれて、誤った磁気トラックにデータが記録再生されてしまう。これを避けるため本発明では、まず図８２（ａ）に示すように基準の磁気トラック６７をアクセスするようにトラバースを制御し、移動させる。
【０１２６】
次にトラバースを固定した状態で基準アドレス信号が入った光トラック６５を光ヘッド６がアクセスするようにオフセット電圧△Ｖを変化させ、△Ｖｏを得る。このことにより、フォーマットを行なった前回のドライブと同じ様の、光トラックと磁気トラックとの対応関係ができる。
【０１２７】
このオフセット電圧△Ｖｏを光ヘッド６のアクチュエータにたえずかけておく  ことで、図８２（ｂ）に示すように、他の全ての磁気トラックと光トラックは数μｍ〜＋数μｍの精度で対応するという効果が安価な構成で得られる。いいかえると、オフセット電圧をかけることにより、特定の光アドレスをアクセスすれば、特定の磁気アドレスを自動的にアクセスできる。光ヘッド６にレンズの位置センサーを設けない構成で、この効果が得られるため、部品点数の削減ができるという効果がある。
【０１２８】
次に二番目の方法つまり、基準トラックを磁気記録面に予め記録しておく方法を述べる。図８３の磁気記録面の図に示すように、ディスクの製造時に、埋め込みサーボ用のトラックを記録した磁気トラック６７を１トラック設けておく。
【０１２９】
このサーボ磁気トラック６７ｓは、図８３の左に示すように、Ａ，Ｂ１つの異なる周波数ｆａ，ｆｂのキャリアが記録された２つの磁気トラックの一部が重なりながら記録されている。
【０１３０】
この中心を磁気ヘッド８がトラッキングし、再生した時のｆａとｆｂの大きさは同じである。しかし内側にずれるとｆａの出力が、外側にずれるとｆｂの出力が大きくなるため、トラバースを移動させトラックの中心部へ磁気ヘッド８を制御することができる。
【０１３１】
このサーボ磁気トラックを設けることにより、メディアのコストは若干高くなるが、図８０（ａ）においてオフセット電圧△Ｖｏを算出する時により正確な値  が求められるという効果がある。また、光トラックの偏心情報もより正確に求まる。
【０１３２】
なお、図８４（ａ）（ｂ）の磁気ヘッドの側面図に示すように、磁気ヘッド８のスライダー４１を金属ではなくテフロン等の柔らかい材料でモールティングし構成する。このことによりスライダー４１による磁気記録層３の破壊が減少するという効果がある。
【０１３３】
また、図８５（ａ）（ｂ）の磁気ヘッドの側面図に示すように磁気記録をしない時はスライダーアクチュエータによりスライダーを傾け、磁気ヘッド８を磁気記録層３から離し、スライダー４１の端の一部を接触させる。
【０１３４】
次に、図８５（ｂ）に示すように磁気記録する時のみアクチュエータにより、スライダー４１を傾け磁気記録面と平行にすると、磁気ヘッド８は磁気記録層３にコンタクトし、磁気記録が可能となる。この場合、磁気記録をしない時に磁気ヘッド８の摩耗が減るという効果がある。
【０１３５】
（実施例１１）
以下、本発明の実施例１１における記録再生装置を図面に基づき説明する。
【０１３６】
基本的な構成は実施例６で説明した図３８のブロック図と同じである。実施例１１は一般的にノントラッキング方式と呼ばれている磁気ヘッドのトラッキングサーボ制御をかけない方式を採用している。
【０１３７】
記録時のブロック図は図８７の記録回路のブロック図のような構成をとっている。
【０１３８】
図８８（ａ）（ｂ）の磁気ヘッド図に示したような異なるアジマス角をもつ２つの磁気ヘッド８ａと磁気ヘッド８ｂ各々Ａヘッド８ａ、Ｂヘッド８ｂを用いて記録する。図８８（ｂ）に示すように磁気トラック６７のトラックピッチをＴＰ  とするとヘッドの巾のＴＨは、ＴＰ＜ＴＨ＜２ＴＰの関係をもつ。通常はＴＨ＝１．  ５〜２．０ＴＰの条件で用いる。このため第ｎトラックを記録した場合、第ｎ＋  １トラックの領域にも重なって記録される。第ｎ＋１トラックの記録時にこの重複部分はオーバーライト記録されるため、ＴＰの巾で記録トラックは形成される。
【０１３９】
図８９の記録フォーマット拡大図に示すように、θ＝０゜においてアジマス角の異なる２つのヘッド、Ａヘッド８ａ、Ｂヘッド８ｂを切り替えて交互にスパイラル状にデータをオーバーライトしながら記録してゆく。従って図８８に示すようにヘッド巾ＴＨより小さいトラック巾ＴＰが形成される。アジマス角の異なるＡトラック６７ａとＢトラック６７ｂが交互に隣接するため再生時のトラック間のクロストークは発生しない。また図９０の記録フォーマット図に示すように、複数の隣接するトラック群３２６の間には、ガードバンド３２５を設けられているため、互いに独立して記録再生ができるようになっている。
【０１４０】
図９１のデータ構造図に示すように、Ａ１，Ｂ１，Ａ２等の各トラックのデータ  は複数のブロック３２７から構成され、各トラックを複数個まとめて、１トラック群としている。各トラック群の間にはガードバンド３２５を設け、トラック群単位の書き換えを可能としている。１つのトラックを構成する複数のブロックは、同期信号３２８とアドレス３２９とパリティ３３０、データ３３１、エラー検出信号３３２から構成される。
【０１４１】
ここで、記録時の動作を説明する。アドレスの指定された入力データは、入力回路２１に入力される。実施例１１の場合、記録時には図９１のトラック群３２６を一つの単位としてデータを書き換える。つまり、複数トラック分を一斉に書き換える。図９０のようにガードバンド３２５で各トラック群３２６は分離されているため、この単位で記録再生しても他のトラック群への影響はない。
【０１４２】
さて、入力データが、トラック群の一部の情報しか含まない場合、データが足らないため、一つのトラック群３２６全部を書き換えることはできない。このため、第ｎトラック群を書き換える場合、事前に第ｎトラック群を再生し、全データを磁気再生回路３０の中のバッファメモリー３４に蓄える。このデータは書き込み時にアドレスとデータとして入力回路２１に送られ、ここで入力データと一致するアドレスのデータは入力データに置きかえられる。この場合バッファメモリー３４の中の入力データのアドレスと同じデータを、入力データと置きかえておいてもよい。
【０１４３】
こうして書き込むべき第ｎトラック群３２６ｎの全データが入力回路２１から磁気記録回路２９に送られ、変調回路３３４で変調され、分離回路３３３でＡヘッド８ａ用データとＢヘッド８ｂ用データが作成される。
【０１４４】
図９２（ａ）の記録タイミングチャート図に示すように、ｔ＝ｔ１でＡヘッド  ８ａによりＡトラックデータ３２８ａ１の記録を行ない、ディスクが３６０゜回転したｔ＝ｔ２でＢヘッド８ｂによりＢトラックデータ３２８ｂ１の記録を行な  う。
【０１４５】
ＡヘッドとＢヘッドの切り換えタイミング信号は、ディスクモーター１７の回転信号もしくは、光アドレス情報を光再生回路３８より３６０゜の回転を検知し、ディスク回転角検知部３３５から磁気記録回路２９へ送られる。各トラックデータ３２８の最後部には無信号部３３７を設け、Ａトラックデータ３２８ａとＢトラックデータ３２８ｂが重複しないように信号ガードバンドを設ける。
【０１４６】
ディスク上にガードバンド３２５があるが、これを越えて、隣のトラック群３２６の上に誤って記録しないように記録の開始半径と終了半径を正確に設定する必要がある。本発明では特定の光アドレスを基準点として用い、恒久的な絶対半径を得る方法を用いている。
【０１４７】
図８７において光ヘッド６と光再生回路３８から光アドレスを読み取る。この場合、精度を高めるため、実施例１０の図８０，８２で説明した光ヘッド偏心補正方式を用いる。同じ方法で偏心補正量を算出し、偏心補正量メモリー３３６に蓄え、必要時に読みだし、光ヘッド駆動回路２５により光ヘッド６を偏心させた状態でトラバース移動回路２４ａによりトラバースアクチュエータ２３ａを光アドレスを参照しながら駆動し、トラバースを移動させる。こうして光トラックの光アドレスを参照し、磁気トラック６７を精度よくトラッキングできる。
【０１４８】
異なるアジマス角を持つ２つの磁気ヘッド８ａ，８ｂを交互に用い記録する例を説明したが、この方式では記録時間が長くなる。
【０１４９】
図８８の（ｃ）図のように、２つのヘッドの半径方向の位置をＴｐだけずらし、図８７の分離回路３３３から同時にＡトラックデータとＢトラックデータを送出し、トラバースを１周ごとにＴｐの２倍のピッチで送ることにより、図９２（  ｂ）の記録タイミングチャート図に示すように、半分の時間で１つのトラック群を記録することができ、高速化できるという効果がある。
【０１５０】
こうしてトラックには、入力データがスパイラル状に記録される。
具体的な設計例を挙げると、光トラックの偏心が±２００μｍあっても、偏心補正手段により影響がなくなり、チャッキングの偏心量、例えば、±２５μｍに収まる。モーターの回転軸の偏心は、±数μｍに収まる。この場合、ガードバンドの巾を５０μｍ以上とることにより、トラックピッチを１０μｍとっても±数μｍの誤差内の巾でトラックが記録できる。こうしてノントラッキング方式により大容量の記録ができるという効果がある。
【０１５１】
スパイラル記録する場合のトラバース制御について述べる。図８９の記録フォーマットにおいて、記録開始の始点光アドレス３２０ａと記録終了の終点光アドレス３２０ｅの２点を基準点に設定する。図８９の場合であるとディスクが４回転する間に始点から終点まで、同じピッチでトラバースを駆動すればよい。本発明の場合、回転モーターでネジを回し、トラバースを送る構成をとる。回転モーターからの回転パルスは得られる。
【０１５２】
図９７のトラバース歯車回転数の図のようにトラバースを始点の光アドレス３２０ａから終点の光アドレス３２０ｅまで移動させ、この間のトラバース駆動歯車の回転数ｎｏを測る。ディスクは４回転していることから、システム制御部１  ０はｎｏ／４Ｔ  ｒ．ｐ．ｓの回転速度を計算し、この回転数でトラバース駆動  歯車を回す命令を出す。そして磁気ヘッドは正確なトラックピッチでデータ記録する。かつ、記録終了時には磁気ヘッド８は終点の光アドレス３２０ｅの近傍にあるため、ガードバンドを通過し、隣のトラック群の開始光アドレス３２０ｘまで達することはない。なお、トラバース駆動歯車回転速度はディスクを替える度に１度、測定すればよい。又ディスクに記録しておいてもよい。又、光トラックのラインＮｏをカウントしながらトラバース制御をかけることにより、よりスムーズで正確がトラバース送りができる。
【０１５３】
図９６のシリンドリカル状の記録フォーマット図は同軸状のトラックを用いる場合を示す。この場合は各トラックの光アドレス３２０ａ，３２０ｂ，３２０ｃ，３２０ｄ，３２０ｅ，３２０ｆの６点を各々のトラック記録時に、光ヘッドがアクセスするようにトラバースを毎回移動させる。このことにより、シリンドリカルなトラックが形成される。
【０１５４】
また、図９８の光記録面フォーマット図に示すように光アドレス及び信号のない無アドレス領域３４６が存在する場合は、光アドレスによるアクセスはできない。この場合は光アドレス領域３４７において基準半径とディスク回転基準角を求め、光トラックのラインＮｏをカウントすることにより、無光アドレス領域３４６においても所定の相対位置をトラッキングできる。各トラック毎の基準光アドレスポイントからのラインＮｏの表を作成し、磁気ＴＯＣ領域３４８に書き込んでおけば、他のドライブでも目的の磁気トラックにアクセスできる。ラインＮｏでアクセスする方式は光アドレス方式に比べて絶対位置の精度は落ちるが、アクセス速度が早くなるという効果がある。両者の併用が望ましいが、再生時はラインＮｏカウント方式を多く用いるのが、高速アクセスの面でよい。なお、ドライブには、高密度タイプと通常密度タイプの２種類がある。高密度タイプはヘッド巾ＴＨが通常タイプの１／２〜１／３である。トラックピッチも通常タイプを  Ｔｂｏとすると１／２〜１／３Ｔｐｏとなる。ノントラッキングの場合、高密度タイプは通常密度タイプのデータを再生できるが、逆はできない。
【０１５５】
互換性をとるためには、高密度タイプで記録する場合互換トラックを設け、図９９の記録フォーマット図に示すようにＴｐｏのトラックピッチで記録することにより、通常タイプでも再生できる。図１００の光記録面と磁気記録面の対応関係図に示すように光面のデータが３つのプログラム６５ａ、６５ｂ、６５ｃに分けられる時、各々のセーブすべき磁気記録データを略々、各々の表面の領域の磁気トラック６７ａ、６７ｂ、６７ｃに領域を設定することにより、トラバースの移動量がわずかになりアクセス時間が短くなるという効果がある。
【０１５６】
次に再生原理を述べる。
図９３の再生時のブロック図は再生に関係するブロックを表している。図８７のブロック図とほぼ同じであるが、磁気再生部３０のみが異なる。
【０１５７】
まず、システム制御部１０から再生命令と磁気トラックＮｏのアクセス命令がトラバース制御部３３８へ送られる。図８７と同様にして、正確に磁気ヘッドは目的とする磁気トラックＮｏをアクセスする。
【０１５８】
図８９のように、磁気トラック６７をスパイラル状にトラッキングし、Ａヘッド８ａとＢヘッド８ｂの双方の出力が同時に磁気再生部３０に入力され、ヘッドアンプ３４０ａ，３４０ｂで各々増巾され、復調器３４１ａ，３４１ｂで復調、エラーチェック部３４２ａ，３４２ｂでエラーチェックし、正常なデータにのみ正常信号をＡＮＤ回路３４４ａ，３４４ｂに送る。データ分離部でアドレスとデータなどに分離し、ＡＮＤ回路３４４ａ，３４４ｂでエラーがないデータのみバッファメモリー３４に送られ、所定のアドレスに各々のデータが蓄積される。このデータはシステム制御部１０からの読みだしクロックに基づきメモリー３４よりデータが出力される。バッファメモリー３４のメモリーがオーバーフローなりそうになるとオーバーフロー信号がシステム制御部１０に送られ、システム制御部１０はトラバース制御部へトラバース送り巾を小さくする命令を出す。もしくはモーター１７の速度を遅くし、再生転送レートを低くする。こうしてオーバーフローは防げる。
【０１５９】
また、エラーチェック部３４２のエラーが多いときは、エラー信号がシステム制御部１０に送られ、システム制御部１０はトラバース制御回路２４ａにトラックピッチ縮小命令を送る。こうして、再生のトラックピッチは通常のＴｐから２  ／３Ｔｐ，１／２Ｔｐ，１／３Ｔｐとなり、同じアドレスのデータが１．５倍，２  倍，３倍の回数再生されるためエラーレートが下がる。又バッファメモリー３４に第ｎトラックのデータが全部集まる前に次の第ｎ＋１トラックのデータが全部集まった場合、第ｎトラックのデータが再生できなくなる可能性がある。この場合システム制御部１０はトラバース制御部へ逆方向トラバース命令を出して、トラバースを内周方向に戻させる。そして第ｎトラックを再生させることにより、第ｎトラックのデータが再生できる。
【０１６０】
こうして、エラーレートを上げないでデータが確実に再生ができるという効果がある。
【０１６１】
次にノントラッキングによるディスクの再生動作を述べる。
図９４のデータ配置図に示すように、Ａトラックの記録データ３４５ａ，３４５ｂ，３４５ｃ，３４５ｄのようにディスク上にデータが記録されている。Ｂトラックのデータ，Ｂ１，Ｂ２，Ｂ３，Ｂ４も記録されているが、Ａヘッドで再生した場合、アジマス角が異なるため再生できない。
【０１６２】
説明を容易にするためにＢトラックのデータは省略する。Ａトラックの記録データ３４５を記録時と同じトラックピッチＴｐｏでＡヘッド８ａで再生した場合、そのトラックの軌跡はディスクとチャッキングのずれがあるためトラック軌跡３４９ａ，３４９ｂ，３４９ｃ，３４９ｄのようになる。Ａヘッド８ａのヘッド巾ＴＨはＴｐｏより広いため両側のトラックを半分ずつ再生する。Ｂトラックは当然  再生しない。
【０１６３】
従って、各トラック軌跡の再生信号のうちエラーなしに再生されるデータはＡヘッド再生データ３５０ａ，３５０ｂ，３５０ｃ，３５０ｄ，３５０ｅのようになる。
【０１６４】
このデータは順次図９３のバッファメモリー３４に送られ、所定のディスクアドレスに記録され、メモリーデータ３５１ａ，３５１ｂのように各トラックのデータが完全に再生される。
【０１６５】
こうして、ノントラッキングのＡトラックのデータが再生される。Ｂトラックも同様にして再生される。
【０１６６】
以上説明したように、実施例１１は磁気ヘッドのトラッキングサーボをかけなくても小さなトラックピッチで記録再生ができるため、簡単な構成で大容量のメモリーを実現できるという効果がある。特に光面のアドレスを用い、トラバース制御を行なうため、トラバース送りの精度も低くてよいし、半径方向のリニアセンサーも省略できる。ＭＤＲＯＭに応用した場合、数ＫＢ〜数＋ＫＢのブロック単位、カートリッジをもたないＣＤＲＯＭに応用した場合、数百Ｂ〜数ＫＢのブロック単位でしか書き換えはできないという短所がある。しかし家庭用のマルチメディア用途に的を絞った場合、高速アクセス性よりも低コスト大容量化が重要であるため問題とはならない。この短所と引き換えにノントラッキングサーボ方式の場合１桁〜２桁以上の飛躍的な容量増大が計れるという効果がある。高価なトラックサーボをかれない方式のため、この大容量が低いコストで実現できる。これは、ノントラッキング方式の場合、基本的に回転モーターの軸受けの精度だけで正確にトラッキングするためである。そしてこの軸受精度は低コストで実現する。カートリッジで用いるＭＤ−ＲＯＭの場合、記録波長は１μｍ以下にできるため２〜５ＭＢ程度の記録容量が得られる。裸で用いるＣＤＲＯＭの場合実施例１２，１３で後述するように磁性層の上に印刷層や保護層を設けるため記録波長は１０μｍ以上と長くなる。このため通常方式では数＋ＫＢの容量しか得られない。しかし、ノートラッキング方式の採用により数＋ＫＢから１ＭＢ程度の記録容量が得られる。以上のように実施例１１は現在のＣＤ，ＣＤＲＯＭ，ＭＤ，ＭＤＲＯＭの光アクセス機構をそのまま利用して低コストで大巾な大容量化が計れるという効果がある。
【０１６７】
（実施例１２）
以下本発明の実施例１２における記録再生装置を図面に基づき説明する。
【０１６８】
基本的な構成は実施例で説明した図８７のブロック図とほぼ同じである。
本実施例１２の記録再生装置は、前の実施例で説明したＣＤＲＯＭのようなカートリッジを用いないＲＯＭディスクの裏面に磁気記録層を設けた記録媒体を用いている。記録再生装置の基本的な構成動作は既に説明してあるため、省略し、この記録媒体について詳しく説明する。
【０１６９】
図１０１は記録媒体２の斜視図である。下から光透過層５、光記録層４、磁気記録層３、その上に印刷層４３があり、印刷領域４４の上にＣＤのタイトルなどのラベル等の、印字４５がなされているその上にモース硬度５以上の固い保護層５０を設けてもよい。ＣＤやＣＤＲＯＭのようにカートリッジをもたず、片面の光記録面をもつ記録媒体においては、反対側の片面のほぼ全面に印刷領域４４を設けることができる。ＬＤやＬＤＲＯＭ等の両面の光記録面をもつ場合には図１０２の記録媒体の斜視図に示すように、光再生に影響を及ぼさない中心部のより狭い領域に印刷領域４４を設けることができる。
【０１７０】
本実施例では記録媒体としてＣＤＲＯＭを用いた場合を説明する。ここで、記録媒体の構成と製造方法について述べる。図１０３の記録媒体の製造工程図において、まず工程Ｎｏ．をＰとするとＰ＝１の時、ピット４６の刻まれた光透過部５をもつ基板４７を準備する。Ｐ＝２の時、アルミ等の光反射膜４８を蒸着やスパッタ等により形成する。Ｐ＝３において、Ｈｃが１５００Ｏｅ以上の１７５０もしくは２７５０Ｏｅの高いＨｃをもつバリウムフェライト等の磁性材料を直接塗布するか、もしくは基材フィルムに一旦塗布したものを接着層とともに転写し、磁気記録層３を作成する。本実施例の記録媒体はカートリッジにより保護されてない。従って磁石等の外部の強力な磁界により、記録データが破壊されないよう高Ｈｃ磁性材料を用いる必要がある。産業用途では磁気メディアを裸で用いる場合Ｈｃが１７５０Ｏｅから２７５０Ｏｅの磁気記録材料を用いることにより、通常の使用条件ではデータ破壊がないことがフィールドテストで確認されている。家庭用途では図１２１の家庭内各種製品の磁界の強さの図からわかるように、家庭内においては通常１０００〜１２００Ｇａｕｓｓの磁界しか存在しない。従って磁気記録層３の磁性材料のＨｃは１２００Ｏｅ以上に設定すればよい。本実施例ではＨｃが１２００Ｏｅ以上の材料を用いることにより、日常生活におけるデータ破壊を防止している。データ記録時の信頼性を上げるためにはバリウムフェライト等を用い磁性体のＨｃを２５００以上に上げれば信頼性がさらに向上する。バリウムフェライトは材料が安価で安価な塗布工程で作成できることに加え自然にランダム配向するためランダマイザー工程が不要のため低コスト大量生産が不可欠のＣＤＲＯＭ型パーシャルＲＡＭディスクに適している。この場合円盤上に加工する。重要なのは円周方向に記録再生するため磁気カードや磁気テープのように特定方向に磁気配向すると記録特性が劣化する。こうした一定方向の配向を防ぐため、塗布した磁性材料が固まる前にランダマイザーにより様々な方向の外部磁界を与えながら磁性膜を作成する。前述のようにバリウムフェライトの場合ランダマイズ工程を省略できるという効果が得られる。ただ、ＣＤやＣＤＲＯＭの場合、図１０１に示したように消費者がメディアの内容を目視で認識弁別できるようにメディアのタイトルや内容をラベルとして印刷し、表示することがＣＤの規格により義務づけられている。また写真等をカラーで印刷することにより外観を美しくし、商品価値を高めることも重要である。磁性材料は通常茶色や黒色の暗い色調であるため、この上に直接印刷できない。Ｐ＝４において磁気記録層３の暗い色を消し、カラー印刷ができるようにするため白色等の反射の多い色の印刷下地層４３を塗布等により数百ｎｍから数μｍの膜厚で作成する。記録特性の面からは印刷下地層は薄い方が良いが、薄すぎると下の磁気記録層の色が透過してしまうので印刷下地層４３の膜厚ｄ２はある程度の厚さが要求される。光が透過しないためには波長の半分以上の厚さが必要であるため、可視光の最短波長λ＝０．４μｍとしてλ／２＝０．２μｍ以上の厚さが必要である。従ってｄ２は０．２μｍ以上の厚さが要求される。ｄ２≧０．２μｍで用いることによ���印刷の下地として磁性体の色の遮蔽効果が省れる。逆にｄ２＞１０μｍではスペースロスのため磁気記録特性が大幅に劣下するため好ましくない。従って少なくともｄ２≦１０μｍにより磁気記録再生に用いることができる。０．２＜ｄ２＜１０μｍにすることにより色の遮断特性と磁気記録特性を両立させられるという効果がある。実験により１μｍ前後で用いることが望ましいことが明らかになった。印刷下地層４３に磁気記録材料を混合すれば、実質的なスペースロスを減少させる効果がある。
【０１７１】
Ｐ＝５において、染料からなる印刷インキ４９を塗布することにより、図１０１のようなラベルの印字４５が表示できる。白色の印刷下地層４３の上に印刷するためフルカラー印刷が可能となる。図１０３のＰ＝５のように染料の印刷インキ４９を塗るため、インキはｄ３の深さで印刷下地層４３にしみ込み、印刷下地層４３の表面の凹凸は生じない。このため磁気記録再生時に磁気ヘッドのヘッドタッチが良くなるとともに、磁気ヘッドの走行による印字の脱落が妨げるという効果がある。以上で記録媒体は完成する。
【０１７２】
製造方法としてはＰ＝３の磁気記録層３、とＰ＝５の印刷インキ４９は、図１０５の塗布工程の全体斜視図に示すようなグラビア塗布工程を用いて製造する。これを説明すると塗布材ツボ３５２より塗布材転写ロール３５３に転写されたバリウムフェライトの磁気材料の塗布材は選択的にエッチングされ、凹版ドラム上のＣＤの形状をしたエッチング部３５５に残留する。不要な塗布材はスクライバー３５６により除去される。ＣＤの形状をした塗布材は軟かい樹脂部３６１でカバーされたソフト転写ロール３６７上にＣＤ形状の塗布部３５８のように転写される。この塗布部３５８はＣＤ等の記録媒体２の表面に転写され塗布される。乾燥する前にランダム磁界発生機３６２により磁界印加され、ランダムな磁化配向となる。ソフト転写ロール３６７は柔かいためＣＤのような固い物体上に、正確に塗布できる。こうして図１０３のＰ＝３、Ｐ＝４、Ｐ＝６塗布ができる。ただＰ＝５の印刷工程は、膜厚が薄いためオフセット印刷工程でもよい。また、図１０３のＰ＝６に示すように記録媒体の上に厚みｄ４のモース硬度５以上の硬い透明材料からなる保護層５０を塗布することにより、印刷インキの脱落が防げるとともに、外部の傷や磁気ヘッドによる摩耗から磁気記録層３を保護できるためデータの信頼生が向上するという効果がある。
【０１７３】
また、図１０６の塗布転写工程断面図に示すように離型フィルム３５９の上に図１０３で説明した工程と逆の順序のＰ＝６、５、４、３、の工程により保護層５０、印刷インキ４９、印刷下地層４３、磁気記録層３を塗布し、ランダム磁界発生機３６２によりランダム配向させる。この塗布膜を基盤４のピット４６側の面に位置合わせし、転写後熱圧着等により固着させ、離型フィルム３５９を取り去ることにより、図１０３の工程Ｐ＝６と同じ構造の記録媒体が完成する。大量生産の場合、転写方式の方がスループットが上がりコストが下がるため、ＣＤのように何万枚も作成する場合、生産効率が上がるという効果がある。このため適している。
【０１７４】
また、図１０３の印刷時に染料を用いたが、図１０４の塗布工程図の工程Ｐ＝５のように顔料の印刷インキ４９を用いてもよい。この場合ｄ３の厚みとなるが、Ｐ＝６においてｄ４＞ｄ３なる潤滑剤を含む透明材料からなる保護層５０を設けることにより、表面の凹凸が減少するとともに潤滑剤によりヘッドタッチがよくなるという効果がある。顔料を用いることにより、より巾の広いカラー印刷ができるという効果がある。この場合、Ｐ＝５の工程の後、熱プレスを加えることにより表面の凹凸をなくし、そのまま完成品として用いることもできる。この場合、保護層５０を省けるため１工程削減できるという効果がある。
【０１７５】
次に、磁気シールド層の作成法について述べる。記録媒体の磁気記録層３の側には磁気ヘッド、光透過層側には光ヘッドがあるため、光ヘッドのアクチュエータからの電磁ノイズが磁気ヘッドに直接洩えいして磁気信号再生時のエラーレートが劣化する。図１１６の光ピックアップから磁気ヘッドへの相対ノイズ量の図にみるように５０ｄＢ近いノイズが発生する。対策として記録媒体２の中に磁気シールドを設けることにより、電磁ノイズの影響を少なくすることができる。図１０７の記録媒体の製造工程図のようにＰ＝２においてパーマロイ等のμの高くＨｃの小さいハイμ磁性層６９をスパック等により設けることにより磁気シールド効果が得られる。製造工程において低Ｈｃ磁性層６９を短時間で作成したい時や厚くしたい場合は数〜数十μｍ厚のパーマロイ箔をはさみこんでもよい。メッキ工法でも厚く作成できる。厚く作成することにより磁気シールド効果がより高くなる。また図１０３においてＰ＝２において光反射層４８をアルミで作成したがパーマロイをスパッタリングにより成膜することにより、光反射と磁気シールドを１つの膜で共用することができる。パーマロイを厚くしたい時はメッキ工法で低コストで作成できる。このことにより反射シールド膜の工程が半分になるという著しい効果がある。また、転写方式の工程においては図１０８の記録媒体の転写工程図１０６の工程に加えて、接着層６０ａと数μｍ〜数十μｍのパーマロイ箔等のハイμ磁性層６９をはさんで作成することにより磁気シールド効果のある記録媒体が転写工程で作成できる。
【０１７６】
以上説明したようにして、図１０１に示したような印刷面をもつ磁気記録層と光記録層をもつ記録媒体が作成できる。このため、ＣＤの規格を満たした従来のＣＤと同様のラベルを設けると同時に磁気記録面を付加できるという効果が得られる。さて図１２１の家庭内製品の磁界強度図で前述したように日常生活に存在する磁石は主として価格が安いフェライト磁石である。そして殆んどの磁石は直接露出していない。露出していても近傍においても１０００Ｏｅ程度の磁界しか発生しない。まれに磁気ネックレスのように稀土類の磁石が生活に用いられているが小型のものであるため、バリウムフェライトの磁気記録材料を磁化する可能性は低い。そこでバリウムフェライト等のＨｃが１２００Ｏｅ、余裕をみると１５００Ｏｅ以上の磁気記録材料を用いることにより日常生活に存在する磁石による磁気記録層のデータ破壊を防げるという効果がある。さらにハイμ磁性材料による磁気シールド層を追加することもできるので、磁気再生時の光ヘッドからの電磁ノイズを大巾に低減できる。そして以上の製造法は基本的にグラビア塗布工程等の安価な工法と安価な材料を用いるため低コストが特徴であるＣＤやＣＤＲＯＭ等のパーシャルＲＡＭディスクのコストを上げないでＲＡＭ機能と印刷面が得られるという著しい効果がある。
【０１７７】
ここで具体的に磁気層の有無を示す識別子つまり以下、略してＨＢ識別子をつけた記録媒体を構成する方法を述べる。図２１３に示すようにＣＤの場合光記録層のデータはＥＦＭ変調されたデータ構造のフレームが９８集まり、１ブロックを形成している。ＴＯＣ内のフレームのサブコードのＱビットの中に、例えば、ＰＯＩＮＴを“ＢＯ”とした符号をＨＢ識別符号４６８ａと定義すれば、現在“ＢＯ”という符号は使用されてないため、従来のＣＤやＣＤ−ＲＯＭと本発明の磁気層付のＨＢ媒体とを完全に互換性を保ちながら識別できるという効果がある。しかもＴＯＣ領域に記録されているため、ＴＯＣを最初に読んだ時点で識別できるため、立ち上がり作業時間中にＨＢ媒体を識別できるという効果も得られる。
【０１７８】
図２２３（ａ）はＨＢ媒体の横断面図を示し、透明基板５の上にアルミ蒸着膜３が設けられている。そして、図２２３（ｂ）に示すようにこのピットにはＥＦＭ変調された信号が形成されており、そのデータ列４７０ｂの中のサブコード４７０ｃの中のＱｂｉｔ４７０ｄのコントロールｂｉｔ４７０ｅの場合“００１１”のＨＢ識別符号４６８ａが記録されている。別の方法としては、ＴＯＣのＰＯＩＮＴ４７０ｆの中に“ＢＯ”の識別符号４６８ａが記録されている。この記録媒体２により、構成を変えずに磁気層の有無の識別ができるという効果が得られる。
【０１７９】
（実施例１３）
以下、本発明の実施例１３における記録再生装置を図面に基づき説明する。
【０１８０】
基本的な構成は実施例１１で説明した図８７のブロック図と似ている。大きな違いは実施例１２で説明したように通常の磁気ディスクに比べて高いＨｃの磁性材料を用いるとともに磁気記録層の上層部に非磁性の保護層を厚さ１μｍ以上設けた記録媒体を用いるため、この記録媒体に適した磁気ヘッドを採用している点と光ヘッドからの磁界による混入ノイズを防ぐ対策を取っている点にある。
【０１８１】
まず磁気ヘッドの構成について述べる。図１１０の記録再生装置の全体ブロック図は、図８７のブロック図の磁気ヘッドを２分割し、書き込み用の磁気ヘッド８ａと読み出し用の磁気ヘッド８ｂの２つのヘッドを一体化し、さらにノイズキャンセル用磁気ヘッド８ｓを加えた３つのヘッドを用いている。そして、記録しながら再生することもできるため、エラーチェックが同時にできる。その他の動作は図８７と同じであるため詳しい説明を省略する。
【０１８２】
ここで、本実施例の特徴である磁気ヘッド８ａ、８ｂの２つのヘッドについて、図１１１の磁気ヘッド部の横断面図を用いて説明する。
【０１８３】
記録媒体２の両側に光ヘッド６と磁気ヘッド８ａ、８ｂは対向して配置され、光ヘッド６は、記録媒体２上の光記録層４の所望する特定トラックをアクセスする。この結果、光ヘッド６と連動して移動する磁気ヘッド８ａ、８ｂは磁気記録層３上の光トラックの裏側の磁気トラック上を走行し、磁気記録は書き込み用の磁気ヘッド８ａで行われ、再生は磁気ヘッド８ｂで行われる。この記録再生状態を図１１３の磁気トラックを上方からみた図で説明する。磁気ヘッド８ａは書き込み用のトラック巾Ｌａ、ギャップ長Ｌｇａｐのヘッドギャップ７０ａをもつため、Ｌａの巾の磁気トラック６７ａが磁気記録層３の上に記録される。磁気ヘッド８のアクセスする磁気トラック上には、フェルト等の柔らかい材料でできた円板状のディスククリーニング部３７６があり、ディスクのゴミ、汚れをとり除き再生時のエラーレートを下げる効果がある。図１１１のＯＦＦ状態では磁気ヘッド８もばねでディスククリーニング部連結部３８０連結されたディスククリーニング部３７６も記録媒体２に接触していない。次に磁気ヘッド８をおろす時、図のＯＮ−Ａのようにまずディスククリーニング部３７６が記録媒体２上に着地する。磁気ヘッド部８はバネからなるディスククリーニング部連結部３８０により、記録媒体２には接触しない。このためＯＮ−Ｂの状態で磁気ヘッド８は記録媒体２の２ステップでソフトランディングするため、磁気ヘッド８を記録媒体２の回転中に上げ下げしても、磁気ヘッド８もしくは記録媒体２の双方に損傷を与えることが防止されるという効果がある。さらに図１１３の上面図に示すように磁気ヘッド８の走行する前の部分の磁気トラック６７ａを清掃するため磁気記録再生時のエラーレートが低下するという効果も得られる。磁気ヘッド昇降部２１と連動する磁気ヘッドクリーニング部３７７も設けられており、ディスク装着時、磁気ヘッド８が昇降する時、少なくとも１回、磁気ヘッド８の接触部は磁気ヘッドクリーニング部３７７により、清掃される。この時ディスククリーニング部３７６の円板は若干の角度回転し、新しい面となるため次のディスク装着時は新しい面でディスクが清掃される。次に磁気ヘッド８ａの再生用のヘッドギャップ７０ｂはＬｂの巾しかないためで上記の磁気トラック６７ａのうち再生用トラック６７ｂの巾の部分のみが再生される。実施例１３の場合、磁気ヘッド８ａのヘッドギャップ長Ｌｇａｐが重要となる。というのは実施例１２で説明した記録媒体は、図１０３で説明したように、磁気記録層３と磁気ヘッド８ａ８ｂとの間に印刷下地層４３と印刷層４９保護層５０が存在し、各々の厚みは各々、ｄ２，ｄ３，ｄ４である。従って、少なくともｄ＝ｄ２＋ｄ３＋ｄ４となるスペースロスが常時発生する。スペースロスＳは記録波長をλとすると
Ｓ＝５４．６（ｄ／λ）（ｄＢ）……………………（１）式
となる。
【０１８４】
また、ヘッドギャップＬｇａｐとλとの間には
λ＝３×Ｌｇａｐ………………………………………（２）式
なる関係がある。
【０１８５】
実験した結果、遮光性の面から印刷下地層４３は１μｍ以上あることが好ましい。また印刷層４９と保護層５０は合わせて１μｍは必要である。従ってｄは２μｍ必要であり
ｄ＝２μｍ………………………………………………（３）式
となる。
【０１８６】
以上３つの条件式から
Ｓ＝５４．６×２／３Ｌｇａｐ（ｄＢ）……………（４）式
となる。
【０１８７】
これは図１１２のヘッドギャップとスペースロスの関係図で表せる。スペースロス単独で少なくとも１０ｄＢ以下に抑制しないと充分な記録再生特性が得られない。従って図１１２のグラフから印刷層付きの記録媒体を用いる用途においてはＬＧａｐを少なくとも３μｍ以上に設定する必要があることがわかる。
【０１８８】
また印刷の美しさより高密度化が優先される用途においては印刷層無しの記録媒体を使えば容量を上げることができるが、本発明のハイブリッド媒体の場合ＣＤのように裸で使うことを前提としている。このため、ゴミによるスペースロスが避けられない。指等の油や生活ゴミによるスペースロスは最悪
ｄ＝１μｍ………………………………………………（５）式
を考慮する必要がある。この場合の減衰を図１１２に示す。図１１２から印刷層が無い媒体を用いる場合ヘッドギャップを１．５μｍ以上とることによりスペースロスの影響を受けないで記録再生ができるという効果がある。
【０１８９】
ハードディスクやフロッピィ等のデータ記録用の磁気ディスクを回転させて記録再生する記録再生装置の磁気ヘッドはスライダー部をもつとともにヘッドギャップは通常０．５μｍ以下である。このような従来の磁気ディスク用の磁気ヘッドを用いて本発明の記録媒体を記録再生した場合、保護層または印刷層の存在等により充分な記録再生出力が得られない。しかし実施例１３のようにでは図１１１の磁気ヘッド部８ａに示すようにスライダー部４１をもつとともに少なくとも記録ヘッド８ａのヘッドギャップを５μｍ以上とっているため、図１１２のグラフに示すようにスペースロスは１０ｄＢ以下となる。このため記録再生時に充分な記録再生出力が得られるという効果がある。
【０１９０】
実施例１３では媒体表面にフルカラーのラベル印刷ができ、図１０１のように従来のＣＤ，ＣＤＲＯＭと全く同じ外観の記録媒体を採用できる。従って、本発明の磁気記録層をもつＣＤを採用しても、外観上の違いにより消費者に混乱を招くこともなく、ＣＤ規格の基本機能も損なうことないという効果がある。特に磁気記録層にＨｃの高く材料コストの安く、ランダム配向工程が不要なバリウムフェライトを用いるため日常生活で遭遇する磁界では最悪条件においても磁気データが破壊されないとともに低コストで製造できるという効果がある。以上のように既存のＣＤと全く同じ取扱いができるためＣＤと完全互換性があるという効果がある。
【０１９１】
次に光ヘッドから磁気ヘッドへの磁界ノイズ抑制対策について述べる。光ヘッドアクチュエーター１８からの電磁ノイズにより再生用の磁気ヘッド８ｂにノイズが混入し、エラーレートが悪くなる。
【０１９２】
そこで１番目の方法として図１１４の磁気ヘッド周辺部の横断面図のように実施例１２で説明した磁気シールド層６９をもつ記録媒体２を用いることにより光ヘッド６のアクチュエータからの電磁ノイズの磁気ヘッド８への混入によるエラーレートの劣化を防ぐことができる。この場合ディスクの端に光ヘッドがきた場合ディスクの外側には磁気シールドはないため、光ヘッドアクチュエータからの電磁ノイズが、磁気ヘッド８に到達してしまう。そこで図１１０に示すように記録再生装置側のディスクの周辺部に磁気シールド３６０を設けディスクの外側の電磁ノイズを遮断する。もう一つの方法として図１１１に示すように、光ヘッドのアクチュエーター１８をパーマロイや鉄等のμの高い磁気シールド３６０でレンズ用の開口部３６２を残して囲んでいる。このことにより光ヘッドのアクチュエーターにより発生する電磁ノイズの磁気ヘッド８ｂへの混入が減り混入電磁ノイズが大巾に低減するという効果が得られる。
【０１９３】
図１１６の磁気ヘッドと光ヘッドの間隔と混入ノイズの関係図は実際に試作した記録再生装置の光ヘッド部を固定した上で光記録部への焦点制御をさせた状態で磁気ヘッド部の位置を記録媒対する平面上を移動させて、光ヘッド６から磁気ヘッド８へ混入する電磁ノイズの相対レベルを測定したものである。２番目の方法として、このノイズを検知し再生信号に逆相に加算し、ノイズ成分を低減する方法をとっている。図１１１の磁気記録再生装置のブロック図に示すようにノイズキャンセル用磁気ヘッド８ｓや磁気センサー等のノイズ検知部を設け、ノイズキャンセラー部３７８において、磁気ヘッド８ｂの再生信号と逆相に一定の加算比Ａにより加算することにより、ノイズ成分がキャンセルさせる。この加算比Ａを最適にすることによりノイズがキャンセルできる。この最適加算比Ａ０は磁気記録信号のない磁気トラックを走行させ、再生信号が最小となるように加算比を変化させることにより、求めることができる。その方法でＡ０｀を校正できる。混入ノイズが大きくなった段階でこの校正作業を行う。この場合、図１１０において再生時には記録ヘッド８ａを利用しない点を利用して記録ヘッド８ａを混入ノイズ検知部として用い、記録ヘッド８ａの信号をノイズキャンセラー３７８に入力することにより同様の効果が得られる。この場合、キャンセル用磁気ヘッド８ｓが省略できるという効果がある。
【０１９４】
ノイズキャンセル用磁気ヘッド８ｓを設ける場合の構成を述べる。図１２９のノイズキャンセル用磁気ヘッドの構成図にに示すように、図１２９（ａ）の側面図に示すように、ノイズキャンセル用磁気ヘッド８ｓ磁気ヘッド８ａ、８ｂに結合部８ｔを介してとりつけられている。図１２９（ｃ）は上面からみた図を示す。図１２９（ｂ）はトラック走行方向からみた側面図を示し、記録媒体２に接触した場合、高さのｄｏスペースロスが発生する。本実施例の（１）式からλ＝２００μｍの場合でもｄｏを２００μｍ以上とれば、磁気記録層からの再生信号は−６０ｄＢとなり殆ど再生できない。一方、図１１６の混入ノイズの図に示すように磁気ヘッドの上方向に０．２ｍｍ上げても混入ノイズのレベルは−１ｄＢ以内で殆ど低下しない。この場合、ノイズキャンセル用磁気ヘッド８ｓと再生用磁気ヘッド８ｂとの間隔Ｌｓは例えばλ＝２００μｍとするとλ／５つまり４０μｍ以上空けることにより再生ヘッドからの原信号混入を防げる。このため、ほぼ完全に光ヘッド駆動部から再生用磁気ヘッドに混入する電磁ノイズを抑制できるという大きな効果がある。又、キャンセル用磁気ヘッド８ｓのかわりに図１３０の磁気センサーの構成図に示すようにホール素子やＭＲな素子等の磁気センサー３８１を磁気ヘッド８の近傍のスライダー４１に設けることにより、光ヘッド６の駆動磁気ノイズを検出することができる。この信号を磁気再生信号に逆相に加えることにより、混入ノイズを大巾に減らすことができる。この場合、磁気ヘッド検知方式に比べて小型化できるという効果がある。
【０１９５】
図１７２〜図１７５は図１２９のより具体的な構造を示し、図１７２（ａ）は１つのギャップで記録用ヘッド８ａと再生用ヘッド８ｂを兼用する構造のヘッドを用いた例を示している。
【０１９６】
図１７５（ａ）（ｂ）のようにまったく同じ大きさのヘッドを並べた場合、大きくなるが最も効果が高い。
【０１９７】
図１７５（ａ）（ｂ）は、キャンセル用ヘッド８ｓの巾を狭くし小型化した例を示す。この場合小型化できる。
【０１９８】
図１７２（ａ）（ｂ）は巾の均一なキャンセル磁気ヘッド８ｓを用いた例を示す。特に図１７２（ｃ）は、スライダ４１にｄ０なるギャップの上記の溝を兼用した溝４１ａを設ける。ヘッド８ａよりスライダ４１の方が空気接触面が秘録なり磁気ヘッド８ａの方が空気圧力が小さくなる。このためヘッドとメディアコンタクトがよくなるという効果がある。この場合ｌ２＞ｌ１とする。
【０１９９】
図１７３は、図１７１のキャンセルヘッド８ｓのヘッドギャップをなくしたもので、磁気面に接触させても磁気信号を読まないので、ノイズだけをピックアップできるという効果がある。
【０２００】
図１７６〜１７８はキャンセルヘッドとしてコイル４９９を用いたものである。
【０２０１】
図１７６（ａ）は磁気ヘッド８の溝に２つのコイル４９９ａ，４９９ｂを配置したもので。図１７５（ｂ）のようなノイズの磁束８５を検知できる。
【０２０２】
図１７７（ａ）は、ヘッドのギャップに平行にコイル９９ａ，４９９ｂを配置したもので、ヘッドの磁界方向のノイズを検知できるため効果が高い。
【０２０３】
図１７７（ｂ）はノイズキャンセルのブロック図を示し、４９９ａ，４９９ｂの信号を各々アンプ５００ａ，５００ｃで増巾し、アンプ５００ｂで混合し、図１３４のノイズキャンセラー３７８のノイズ入力部に入力する。
【０２０４】
図１７８（ａ）はヘッドキャップに平行なコイル４９９ａ，４９９ｂと垂直な４９９ｃ，４９９ｄの４つのコイルを用いてノイズ検知能力を高めたものである。
【０２０５】
図１７８（ｂ）のブロック図に示すように平行コイル４９９ａ，４９９ｂの出力と垂直コイル４９９ｃ，４９９ｄの出力を調節して混合することにより、キャンセルに最適なノイズ検知信号を得られる。
【０２０６】
図１７９のスペクトラム分布図に実際にノイズキヤンセルヘッドをとりつけ光ピックアップの電磁ノイズを測定した結果を示す。図から明らかなように数ＫＨｚのところに発生するノイズは波長１００ミクロンを用いる本発明の再生周波数領域と重なってしまい再生を困難にする。しかしキヤンセルヘッドの採用によりこの領域で約３５ｄＢノイズが軽減されることが図に示されている。このため再生時のエラーレートが大巾に改善されるという効果がある。
【０２０７】
第３番目の方法として図１１６から明らかなように１０ｍｍの間隔を設けると１５ｄＢノイズが低下する。従って光ヘッドと磁気ヘッドの間隔を１０ｍｍ以上とることにより、ノイズが大巾に低下するという効果がある。このように離した場合には光ヘッドと磁気ヘッドとの位置関係の精度を保つ方法が重要である。これを具体的に実現する構成を述べる。
【０２０８】
図１１７のヘッドトラバース部の横断面図に示すように光ヘッド６と磁気ヘッド８は同一のトラバースアクチュエータ２３の回転によりトラバース歯車３６７ａ、３６７ｂ、３６７ｃによりトラバースシャフト３６３ａ、３６３ｂは同一方向に回転する。これらは互いに逆ネジが切ってあるため、光ヘッド６は矢印５１ａで示すように図面上で左方向へ、磁気ヘッド８は矢印５１ｂ方向の図上で右方向の互いに反対方向に移動する。そして、各々のヘッドはまず位置基準点３６４ａと３６４ｂにあたった結果位置が調整され光ヘッド６は基準の光トラック６５ａの上に移動し、磁気ヘッド８は基準の磁気トラック６７ａの上に移動する。こうして両者の位置の初期設定が行われるため、移動中の両者の位置関係の精度は保たれる。この位置決めを少なくとも新たな記録媒体２が装着されるもしくは、電源投入時に一回行うことにより、両者は単に同じ距離だけ移動する。このため光ヘッド８が特定の光トラック６５をアクセスした場合、この光トラック６５と同一半径上にある特定の磁気トラック６７を磁気ヘッド６は正確にアクセスすることになる。その後、光ヘッド６を移動した場合、磁気ヘッド８も同じ量だけ移動するため、図１１８のトラバースの上面図に示すように常に、同じ半径上にある光トラック６７ｂと磁気トラック６５ｂの上を正確にアクセスする。最外周の場合、半径Ｌ２の円周上のトラック上に両ヘッドはある。最内周の場合、半径Ｌ１の円周上のトラック上に両ヘッドは移動する。この場合、光ヘッド６と磁気ヘッド８の間隔は２Ｌ１となるが、この間隔を１０ｍｍ以上とれば、光ヘッドから磁気ヘッドへの混入ノイズは小さくなる。ＣＤの場合このＬ１＝２３ｍｍのため両者の間隔は２Ｌ１＝４６ｍｍとなり図１１６から明らかなように、混入ノイズが１０ｄＢ以下になり影響が殆どなくなるという大きな効果がある。図１１７にみるように記録媒体２を装着する時、磁気ヘッド８があるため、そのままでは装着できない。従って図１に示す磁気ヘッドの昇降部２１により、磁気ヘッド８とトラバース部を大きく持ち上げて記録媒体を装着する。この時点、前述の両ヘッドの位置関係は狂う。この時、前述のように、磁気ヘッドクリーニング部３７７により磁気ヘッド８の接触面はきれいになる。そして磁気ヘッド８とトラバース部を所定の位置に戻す。磁気ヘッド８とトラバース部を元に戻した時点では、光ヘッド６と磁気ヘッド８との正確な相対位置関係はずれている。従って、このまま光ヘッド６に連動させて磁気ヘッド８を移動させても光トラック６５と同じ半径上の特定の磁気トラック６７を正確にアクセスすることはできない。上に述べた位置決め作業を記録媒体装着時に少なくとも１回行うことにより、簡単な構成で磁気ヘッド８が所望する磁気トラック６７をアクセスする時の位置精度が上がるという大きな効果がある。低コストが要求される民生用機器を実現するのに重要な機能といえる。
【０２０９】
別の構成としては図１２０の別のトラバース部の横断面図に示すように、板バネ等の柔軟なトラバース連結部３６６とそれをガイドする連結部ガイド３７５により光ヘッド６と磁気ヘッド８を連結することにより矢印５１のように連動して移動させることができ、図１１７で説明したトラバース部と同様両ヘッドを連動して移動させる効果が得られる。この方式の場合トラバース連結部３６６が柔らかいため、磁気ヘッド８を矢印５１ａの方向に容易に上げることができる。このため記録媒体２の装着時の磁気ヘッド８の磁気ヘッド昇降部による持ち上げがより容易になるという効果が加わる。
【０２１０】
また図１１７を図１２６のトラバースの横断面図に示すような配置にして光ヘッド６と磁気ヘッド８の間隔が常にＬ０になるように構成してもよい。この場合光ヘッド６と磁気ヘッド８は矢印５１ａ、５１ｂに示すように同一方向に移動する。この場合磁気ヘッド８と光ヘッド６の間隔を最も大きくとれるため、光ヘッドから磁気ヘッドの混入ノイズが減るという効果がある。ＣＤの場合大きな効果がないがＭＤディスクのように半径が小さく図１１７で説明した方式では光ヘッド６と磁気ヘッド８との間隔が充分とれない場合に混入ノイズが小さくなるという効果がある。
【０２１１】
本実施例の説明においては、図１１７のように磁気ヘッドと光ヘッドがディスクの中心に対して１８０°の角度に配置した場合の図を用い説明したが４５°６０°や９０°や１２０°の配置でもよい。この場合両ヘッドが最も近づいた時に両者間が１０ｍｍ以上離れているという条件を満たせば混入ノイズを軽減できるという効果は得られる。
【０２１２】
以上３つの混入ノイズ対策のうち１つもしくは複数ケを組み合わせることにより、ノイズは低減する。
【０２１３】
また光ヘッド６の電磁シールドが充分効果のある場合、図１１９のトラバース部の横断面図に示すように光ヘッド６と磁気ヘッド８を上下方向に対面させることができる。この場合も位置基準部３６４ａ，３６４ｂを設けることにより両ヘッドの位置合わせの精度が上がるという効果がある。この対面配置方式はディスク中心に対して片側に全部品を配置できるため小型化できるという効果がある。
【０２１４】
次に、ここで記録フォーマットについて述べる。データ用光ディスクは、ＣＡＶ（定回転速度）のため光ヘッドの半径が変わっても回転速度は同じである。しかしＣＤＲＯＭに応用した場合ディスクの回転はＣＬＶとなりトラックの半径により回転速度は異なるが、線速は一定である。この場合一般のフロッピィディスクやハードディスクのような記録フォーマットは使えない。本発明ではＣＤＲＯＭに応用した場合の記録容量を上げるために、図１２２の記録フォーマット図の記録フォーマット３７０ａ、３７０ｂ、３７０ｃ、３７０ｄ、３７０ｅに示すように、各トラックのデータ容量を外周に行く程大きく設定している。データの先頭には同期部３６９とトラック番号部３７１そして、各トラック毎に容量の異なるデータ部３７２、最後にエラーチェックのためのＣＲＣ部３７３を設け、その後に無信号のギャップ部３７４を設定し、線速が異なった場合でも次の先頭部の同期部３６９ｂ等を記録時に誤って消すことのないようにしてある。このような構成によりフロッピーのように各トラック同一容量にするよりもＣＤの場合、記録容量が約１．５倍になるという効果がある。また、ＣＤの光ヘッドの信号に基づくＣＬＶのモーターの回転制御をそのまま使って磁気ヘッドは磁気記録再生を行うため、磁気記録専用のモーター制御回路が省略できるという効果がある。
【０２１５】
次はディスク上の物理フォーマットについて述べる。物理フォーマットはの“ノーマルモード”と“バリアブルトラックピッチモード”の２種類がある。図１２３の記録媒体上のノーマルモード時の物理フォーマット図に示すように、光トラック６５ａ、６５ｂ、６５ｃ、６５ｄの各々の裏面に磁気トラック６７ａ、６７ｂ、６７ｃ、６７ｄが配置され、ノーマルモードでは等間隔のトラックピッチＴｐｏでトラックが配置されている。
【０２１６】
さらに、本発明では“バリアブルアングル”方式をとっている。さて図１１７や図１１９に示すように本発明の場合光ヘッド６と磁気ヘッド８の相対角度が０°や１８０°そして４５°、９０°等様々な角度が存在する。通常、従来の回転磁気ディスク型の記録再生装置ではデータの同期部３６９つまりＩｎｄｅｘ４５５はディスク上の中心からみて一定角度上の位置に配置されている。しかし、本発明のバリアブルアングル方式のＩｎｄｅｘの場合、図１２３に示すように、データの開始地点にある同期部３６９の配置の角度をＣＤの光記録部の特定のＭＦＳの光ブロックをＩｎｄｅｘとして定義することにより、円周方向に１７．３ｍｍピッチで任意に選べる。また、この場合図２１４に示すように各トラック毎のインデックスの光フレームのＭＳＦ情報を記録しておけば、トラッキングと同時にＩｎｄｅｘ情報が得られる。ＭＳＦの次のＳｙｎｃをＩｎｄｅｘとして用いると、図２１３に示すように１７０．８μｍの精度で記録を開始できる。なお、この場合、図１２３に示すように磁気記録をＩｎｄｅｘに基づき正確にＳｙｎｃ３６９から開始できるが、正確に終了できるとは限らない。正確に終了しないと最後尾の記録信号により、Ｓｙｎｃ３６９が上書きされてしまう。これを避けるには一周の光パルス数が解ればよい。このため、まずＩｎｄｅｘの光記録部から回転させる。そして途中で元のトラックへ光ビームを１トラック戻らせる。すると再びＩｎｄｅｘの光アドレスへ再生する。この間の光パルス数を記録しておけば、正確に１回転できる。こうして測定したデータを図２１４の磁気トラック一光アドレス対応テーブルの磁気記録部つまり、トラック０叉はトラック１に記録しておけば、もう一度パルス数を測定する必要がなくなる。
【０２１７】
こうして、一周にようするＭＳＦのブロック数と物理フレーム数がわかっているため、前述のように１フレームつまり、１７３μｍの高い精度で、磁気記録が終了するため、Ｓｙｎｃ３６９の破壊が防げるとともにＧａｐ３７４を最小にできるため、記録容量が上がるという効果がある。
【０２１８】
この場合、同期を得るためには、サブコードのデータを迅速に入手する必要がある。図２１１において光再生信号がＥＦＭ復号された後、サブコード同期検出部４５６より、特定のＭＳＦのサブコードを入手する。さらに図２１５を用いて詳細に説明すると、サブコード同期検出部４５６より、サブコードを入手したＩｎｄｅｘ検出部４５７は、特定の磁気トラックの光アドレスのサブコードと比較して一致すれば、データバッファ９ｂから出力させデータ記録をＩｎｄｅｘアドレスの次のブロックのＳｙｎｃから開始する。この場合、最も速く入手できるサブコード情報を用いるため遅延時間が少なく正確に、頭出しができるという効果が得られる。
【０２１９】
なお、時としてＩｎｄｅｘとなる光アドレスのデータが破壊される可能性があり、この場合トラックの磁気記録ができなくなる。これを避けるため図２１４に示すように、その光アドレスの次のエラーのない光アドレスを定義し、その光アドレスＭＳＦ情報を磁気記録部の磁気トラックテーブルに記録することにより、そのトラックが再び使用できるようになるという大きな効果がある。
【０２２０】
このことにより、ディスクの絶対角度の検知手段や検知回路を省略できるという効果が得られる。また、任意の回転角の部分から磁気記録の先頭部を記録開始できるのでＣＤの場合、Ｉｎｄｅｘとなるサブコード等の光記録部の特定の光アドレス情報を読んだ直後からデータ記録を始められる。このため再生時にはそのトラックの光アドレス情報を読んだ直後に磁気データの先頭の同期部の再生が開始されるので、磁気データ記録時や再生時の回転待ち時間のロスタイムが全くなくなり、実質的なデータアクセス時間が早くなるという大きな効果も得られる。この方式は特に同一のタイプの記録再生装置を用いた場合、効果が大きい。
【０２２１】
ここで磁気トラックのアクセス方法について述べる。実施例１３の図２１３に示したように光アドレス情報はサブコードのＱビットに分，秒，フレームつまりＭＳＦの形式で記録されている。光トラックをアクセスする時はＭＳＦそのものをアクセスする必要があるが、磁気トラック巾は光トラックの２桁大きい数百μｍで数百の光トラック巾に相当する。
【０２２２】
そこで、図２２１のフローチャートに示すように、まず、ステップ４６８ａで特定磁気トラックの記録再生を開始し、ステップ４６８ｂで光アドレス−磁気トラック対応表より磁気トラックに対応する光アドレスを入手する。ステップ４６８ｃで基準光アドレスＭ０Ｓ０Ｆ０を入手する。ステップ４６８ｄで磁気再生かを確認し、再生ならステップ４６８ｅで検索アドレス範囲の上限値Ｍ２Ｓ２Ｆ２と下限値Ｍ１Ｓ１Ｆ１を演算し、ステップ４６８ｆで光アドレスをサーチし、ステップ４６８ｇで上限値と下限値の範囲に入っているかを確認した時点でステップ４６８ｈで磁気データ再生作業を開始し、ステップ４６８ｊでエラーがなければ再生完了し、エラーならステップ４６８ｊで回数をチェックし、ステップ４６８ｋで検索光アドレス範囲を縮小し、磁気再生を行う。
【０２２３】
ステップ４６８ｄに戻り、磁気記録ならステップ４６８ｍで光インデックスあるかチェックし、Ｙｅｓならステップ４６８ｎでステップ４６８ｅより狭い範囲例えば±５フレームの光アドレスを設定し、ステップ４６８ｐ，４６８ｑで光トラック範囲に光ヘッドをアクセスさせ、ステップ４６８ｒで光インデックスマークに基づき、頭出しさせ、ステップ４６８ｓで磁気記録を開始し、ステップ４６８ｔで完了する。
【０２２４】
ステップ４６８ｍに戻り、光インデックスマークがない時は、ステップ４６８ｕで特定の光アドレスＭ０Ｓ０Ｆ０をサーチし、ステップ４６８ｖでアクセスした後、ステップ４６８ｗでＭ０Ｓ０Ｆ０のブロックの次のブロックの図２１３に示した第１，第２フレームのサブコード領域に記録されたＥＦＭ変調信号の特定符号であるＳ０，Ｓ１を検出した時点で磁気記録の頭出しを行い、ステップ４６８ｘで記録を開始し、ステップ４６８ｔで完了する。
【０２２５】
図２２１の方式を用いることにより、磁気記録トラックのアクセスをする場合、光アドレスの前後数十フレームの範囲の複数の光アドレスの検索だけでよいため、１つの光アドレスを検索する場合に比べて磁気トラックのアクセス時間が大巾に速くなるという効果が得られる。
【０２２６】
また、記録の場合の光アドレスの検索範囲を例えば±２０フレームと±５フレームの採用に再生の場合の検索範囲より、狭くすることにより光記録がより確実に行えるという効果が得られる。
【０２２７】
次に“バリアブルトラックピッチモード”について説明する。ゲーム機のように一般的なＲＯＭディスクを装着し、プログラムの立ち上がり時には、最初にＴＯＣのトラックを読み込み、プログラムの記録されている特定トラックを読み、データの記録されている特定トラックを読み込む。この手順は立ち上がり時、毎回同じである。例えばＣＡＶの光ディスクを用いる場合、図１２４に示すように第１トラック６５ｂ第１００４トラック、６５ｃ第２５０４トラック６５ｄ、第３６０４トラック６５ｅというように決まったトラックをアクセスした場合を想定してみよう。本発明のハイブリッドディスクを用いた場合もし、立ち上がり時に必要な磁気情報が上記の立ち上がり時にアクセスする光トラックの裏側の磁気トラック以外のところにあれば、装置は光トラックのアクセス以外に余分な磁気トラックをアクセスすることになる。従ってその分、初期の立ち上がりが遅くなる。又、“ノーマルモード”の等間隔のトラックピッチなら上記の光トラックの裏側に磁気トラックの中心がくる確率は低い。このため光トラックとは別の磁気トラックをアクセスする必要があり、この場合も立ち上がり速度が遅くなる。本発明の“バリアブルトラックピッチモード”においては例えば上記の立ち上がり時に読み込むことが必要な４つの光トラック６５ｂ、６５ｃ、６５ｄ、６５ｅの裏側に磁気トラック６７ｂ、６７ｃ、６７ｄ、６７ｅを定義する点に特長がある。そのトラックＮｏと各トラックＮｏに対応するＩｎｄｅｘとなる光記録部のアドレス情報、ＣＤの場合はサブコード情報を光記録部のＴＯＣ部もしくは磁気記録部のＴＯＣ部に記録してある。次にその磁気トラックに立ち上がり時に読み込むべきデータ、例えば前回終了時のゲームの獲得アイテム数、進行貢、得点、個人名等を記録するように設定すれば立ち上がり時、光データのアクセスと同時に立ち上がりに必要な情報の記録されている磁気トラックを特別にアクセスしなくても、立ち上がり時に自動的にアクセスし、それらの磁気データを読み込むため、ロスタイムがなくなり立ち上がり時間が格段に早くなるという効果が得られる。この場合、図１２４に示すように各トラック間のトラックピッチはＴｐ１、Ｔｐ２、Ｔｐ３、Ｔｐ４となりランダムな値をとる。このため若干記録容量は落ちるが立ち上がりの速さが優先される用途は効果がある。
【０２２８】
この“バリアブルピッチモード”や“バリアブルアングルモード”は音楽用途、例えばカラオケにも有効である。本発明をカラオケに用いた場合、各曲別に各個人の歌い易い音程の高さ、曲のテンポ、エコーの量、ＤＳＰの各パラメータ等の個人の環境設定データの記録保存ができる。このことにより、一回設定すればカラオケＣＤをカラオケ機に挿入するだけで自動的に各個人に合った音程、テンポ、エコーで曲を再生するため、自分の能力・好みに合った条件でカラオケを楽しむことができるという効果が得られる。この場合、各曲の頭出しの光トラック６５ｂ、６５ｃ、６５ｄ、６５ｅの部分の裏側の磁気トラックを定義し、その磁気トラック６７ｂ、６７ｃ、６７ｄ、６７ｅにその曲に関する個人のカラオケデータを記録しておく。すると光トラック６５ｃのカラオケの曲を選定した場合、その裏側の磁気トラック６７ｃに、個人別のカラオケの設定データが記録されており、特定の曲の再生を開始する時ディスクをを１回転する期間に曲の音程、テンポ、エコーが設定されて音楽が出力される。このように音楽用途においてもバリアブルピッチモードは光データと磁気データの双方を迅速にアクセスできるという大きな効果が得られる。このことは一搬の音楽用途において各曲別のＤＳＰ音場等の環境設定に用いると効果がある。
【０２２９】
本発明をＣＤＲＯＭに用いた場合、Ｈｃを１７５００ｅに設定すると３２ｋＢ程度のＲＡＭ容量が得られる。ＣＤＲＯＭの光記録面のＲＯＭ容量は５４０ＭＢであるため１０万倍近い容量差がある。実際のＣＤＲＯＭの製品は５４０ＭＢを一杯使っているケースは少なく最も少ない場合でも数＋ＭＢの空き容量がある。本発明ではこの点ＲＯＭの空き領域を利用してデータ圧縮伸長のための圧縮伸長プログラムと圧縮のための各種参照テーブルをＲＯＭに記録し、ＲＡＭ領域に記録するデータの圧縮を行っている。この方法を図１２５の圧縮方法の図を用いて説明する。ゲームの場合、例えば光記録部４にはゲーム等のプログラムの過程で必要になると思われるゲーム内容に相関の強い情報、例えば地名の参照テーブル３６８ａや人名の参照テーブル３６８ｂ等の圧縮のための参照デーブルが予め記録されている。ＲＯＭの空き領域の容量は大きいため人名、地名、等の単語や数字列のうち使用頻度が高いと思われる情報の様々な参照テーブルが準備できる。例えば“Ｗａｓｈｉｎｇｔｏｎ”という単語をＲＡＭ領域である磁気記録層３に記録する場合、そのままでは８０ｂｉｔのエリアを消費する。しかし、本発明の場合、圧縮用の参照テーブル３６８ａを参照すると“Ｗａｓｈｉｎｇｔｏｎ”が“１０”の２進コードに定義づけられていることがわかる。この場合８０ｂｉｔのデータが、“１０”の２ｂｉｔデータに圧縮されたことになる。この圧縮データを磁気記録層３に記録することにより、４０分の１の容量で記録できる。一般的にロスなしの圧縮法を用いると２〜３倍の圧縮できることが知られている。しかし、この圧縮手法を用いることにより、用途を限定すれば１０倍以上のデータ圧縮が可能となり、例えば前述の本発明の３２ｋＢのＣＤＲＯＭの磁気記録容量が３２０ｋＢの磁気記録容量の磁気ディスクと実質的に等価になる。以上のようにして、本発明のハイブリッドディスクの場合、光記録部のＲＯＭ領域を用いて物理的なＲＯＭ容量は減るが圧縮するため実質的な論理的なＲＡＭ記憶容量を著しく増大できるという効果がある。図１２５では圧縮伸長プログラムを光記録部のＲＯＭ部に記録してあるため、ＲＡＭ領域の実質的な容量が減らないという効果がある。磁気記録部のＲＡＭ領域に充分余裕のある場合は、圧縮伸長プログラムを磁気記録部に記録してもよい。具体的にはＨｕｌｆｍａｎの最適符号化法やＺｉｖ−Ｌｅｍｐｅｌのデータ圧縮法を用いることにより実現できる。Ｚｉｖ−Ｌｅｍｐｅｌ方式の場合の参照テーブルやＨａｓｈ関数を予め作成しておき光記録部に記録することにより、磁気記録部の記録データを下げることができる。
【０２３０】
ここで図１２７、図１２８の全作業のフローチャートを用いて、具体的な全体の動作の一例を説明する。
【０２３１】
まず磁気ヘッドを持ち上げた状態でステップ４１０でディスクを装着し、ステップ４１１で磁気ヘッドを定位置に戻す。ステップ４１２で光ヘッドをＴＯＣトラックに移動し、ステップ４１３でＴＯＣの光データを読み出す。第１の方法としては、図２１３のＣＤデータ図のサブコードのＱ１〜Ｑ４ビットのコントロールビットを用いる事により実現する。Ｑ３＝１の時、磁気記録層付であると定義すれば、磁気層を識別できる。そして、光トラックの後に磁気層のデータトラックを例えば図２１３において、Ｑ１，Ｑ２，Ｑ３，Ｑ４＝００００と１０００と０００１と１００１と０１００は既に使われている。そこで、Ｑ１，Ｑ２，Ｑ３，Ｑ４＝０，１，１，０を磁気のデータトラックと定義すれば、ＴＯＣにおいて磁気トラックのフォーマット情報を記録できる。具体的には、図２１４に示すように各磁気トラックの記録再生の開始点となるＩｎｄｅｘとなる光記録部のＣＤの物理的位置が記録してある。例えば第１トラックの場合、ＭＳＦつまり３分１５秒５５フレームのブロックを光ヘッドがアクセスすれば、磁気ヘッドは第１トラックをアクセスする。図２１３に示したように記録開始位置を示すＩｎｄｅｘはＭＳＦの情報だけで、１７．３ｍｍの精度が得られる。さらに精度を高めるには、特定のＭＳＦの特定フレームを特定すれば１７６μｍの精度でＩｎｄｅｘ信号が得られる。従って、例えば特定のＭＳＦブロックの次のブロックのＳｙｎｃ信号でＩｎｄｅｘを作り、記録開始すれば、１７６μｍの精度で記録再生の頭出しが可能となる。この場合、図１２３で説明したようにＣＬＶのためＩｎｄｅｘが一定の角度上に揃わないため、各トラックのＩｎｄｅｘが異なるが、実際の記録再生にはさしつかえない。こうしてＭＳＦ情報を用いる事により、Ｉｎｄｅｘが得られるため、Ｉｎｄｅｘを特別に設ける必要がなくなるため、構成が簡単になるという効果がある。このデータの中には光ディスクに磁気記録部があるかどうかのフラグや磁気データのデフォルトの各磁気トラックの位置に対応するＣＤのサブコード番号等のアドレス情報やバリアブルピッチモードの有無が入っている。ステップ４１４で磁気記録層のフラグの有無を確認し、Ｙｅｓならステップ４１８へ向かい、Ｎｏならステップ４１５において磁気記録面等にある磁気記録層の有無を示す光学マークを読みとり、ステップ４１６で光学マークがなければブロック８のステップ４１７にジャンプし、このディスクに関する磁気記録再生は一切行わない。ステップ４１８で磁気記録再生モードに入り、磁気トラックの初期設定ステップ４０２に入る。ステップ４１９で磁気ヘッドを媒体面におろし、ステップ４２０でＴＯＣの磁気データを読み出した後、ステップ４２１で摩耗を防ぐため磁気ヘッドを上げる。ステップ４２２で磁気データのエラー状態を示すエラーフラグをチェックし、ステップ４２３ａで、もしフラグがあればブロック５へ向かう。ブロック５の磁気ディスク面の清掃指示ブロック４２７ではステップ４２７ａで光ディスクを排出し、ステップ４２７ｂで“光ディスクを清掃しなさい”という表示を機器の表示部に出してステップ４２７ｃで停止する。一方、ステップ４２４では各磁気トラックの光アドレス対応表が光記録面側に記��されていたデフォルト値でよいかをチェックし、ＮＯならステップ４２６でＴＯＣトラックの磁気データ情報に基づき、一部の磁気トラック一光アドレス対応表の内容を更新して、本体の内部メモリーに保存する。Ｙｅｓならブロック１の再生ブロック４０３に入る。
【０２３２】
ステップ４２８で、磁気トラックの読み出し命令があればブロック２へ向かい、くればステップ４２９へ向かい、バリアブルトラックピッチモードでなければブロック２へ、そうであればステップ４３０で光トラックグループ番号ｎを０にする。ステップ４３１でｎをｎ＋１とし、ステップ４３２でｎが最終値ならステップ４３８へ飛び、最終値に達してなければ、ステップ４３３で、ｎ番目の光トラックグループの先頭の光トラックをアクセスする。ステップ４３４で、デフォルトの磁気トラックでよいならステップ４３６でそのまま磁気ヘッドを媒体面におろし、ステップ４３７で磁気データを読み込み、内部メモリーへ蓄積し、ステップ４３１へ戻る。一方磁気ヘッドに対応する光アドレスがデフォルト値でだめならステップ４３５でデフォルト値以外の光アドレスをアクセスし、ステップ４３６、４３７で磁気データを読み出しステップ４３１へ戻る。ステップ４３１でｎを１ケ増やし、ステップ４３２でｎが最終値に達すれば、ステップ４３８で光データの読み出しと磁気データの読み出しが完了するため、ゲーム機の場合ならゲームプログラムが起動し、磁気記録部に記録されたデータに基づき、前回終了したゲーム場面が再現される。ステップ４３９で磁気ヘッドを上げて、ブロック３の内部“メモリーの書き換え”ブロック４０５へ向かう。
【０２３３】
さてステップ４２９に戻り、バリアブルトラックピッチモードでない場合はブロック２のノーマルトラックピッチモード４０５に飛ぶ。ステップ４４０でノーマルトラックピッチモードでなければブロック３へジャンプし、Ｙｅｓであれば、ステップ４１１で、ｎ番目の磁気トラックのアクセス命令を受け、ステップ４４２でマイコン１０の内部メモリーの中のｎ番目の磁気トラックに対応する光アドレスを待て、ステップ４４３で、この光アドレスをアクセスした直後に、ステップ４４４で磁気データを読み込み、ステップ４４５で内部メモリーへ蓄積し、ブロック３へジャンプする。ブロック３の書き換えステップ４０５ではステップ４４６で、書き換え命令の有無をチェックし、Ｎｏならステップ４５５にジャンプし、Ｙｅｓならステップ４４７で最終蓄積命令かをチェックし、Ｙｅｓならブロック５へ、“Ｎｏ”ならステップ４４８へ向かう。ステップ４４８では書き換えたい磁気データが本体の内部メモリーにあるかをチェックし、“Ｙｅｓ”ならステップ４５４にジャンプし、磁気記録は行わず、内部メモリーの書き換えのみ行う。“Ｎｏ”ならステップ４４９で磁気トラック一光アドレス対応表をみて、特定の光トラックをアクセスし、ステップ４５０で磁気ヘッドを降ろし、ステップ４５１、４５２、４５３で磁気データの読み出し、内部メモリーへの蓄積、磁気ヘッドを上げる作業を行い、ステップ４５４で内部メモリーの中に移された情報を書き換え、ブロック４へ向かう。
【０２３４】
ブロック番号４の最終蓄積ブロック４０６では、まずステップ４５５で最終蓄積命令かどうかチェックし、“Ｎｏ”ならステップ４５８で作業完了ならブロック６へ、作業未完了ならブロック１へジャンプして戻る。ステップ４５５がＹｅｓなら、ステップ４５６において、内部メモリーの磁気データの中で更新されたデータがあるかをチェックし、更新分のみを抽出し、ステップ４５７で更新がなければステップ４５８に向かい、更新があればステップ４５９で該当する磁気トラックの光アドレスをアクセスし、ステップ４６０、４７０、４７１で磁気ヘッドをおろし、光アドレス検知直後に磁気データを記録し、記録データのチェックを行う。ステップ４７２でエラーレートが大きい時はブロック７の磁気ヘッド清掃ブロック４０８にジャンプし、ステップ４８１、４８２で磁気ヘッドを上げて、ヘッドクリーン部により、磁気ヘッドを清掃し、ステップ４８３で再び記録し、エラーレートをチェックし、ＯＫならブロック１へ向かい、ダメならブロック５の磁気ディスクの清掃指示ブロックへジャンプする。
【０２３５】
さて、ステップ４７２にもどり、エラーレートが小さいならステップ４７３において、記録が完了したかチェックし、“Ｎ０”ならステップ４７０に戻り、Ｙｅｓならステップ４７４で磁気ヘッドを上げ、ステップ４７５で全作業終了ならブロック６の終了ブロックへ進み、終了してないなら、ブロック１へ戻る。
【０２３６】
このブロック６の終了ステップ４０７では、ステップ４７６で磁気ヘッドを上げ、４７７で磁気ヘッドを磁気ヘッドクリーン部で清掃した後、ステップ４７８でＥＪＥＣＴ命令があれば、ステップ４７９で光ディスクを排出し、ＥＪＥＣＴする必要がなければステップ４８０で停止する。以上のようなフローチャートで本発明の実施例１３の記録再生装置は作動する。
【０２３７】
混合ノイズはアクチュエータ１８の駆動回路に磁気ヘッドの再生信号の周波数分布と同じ帯域のバンドフィルターをいれても低減する。また、磁気トラックにアクセスした後、光ヘッド６のアクチュエータの駆動電流を切り、磁気ヘッド８ｂで再生し、再生終了とともにアクチュエータを駆動開始することによっても電磁ノイズは減少する。
【０２３８】
既存のＣＤは裏面にスクリーン印刷等により厚く印刷インキが塗布されているものが多く数十μｍの凹凸がある。こうしたＣＤに磁気ヘッド８を接触させると凹凸部の印刷インキが脱落して傷がつく恐れかある。図１１５の記録媒体挿入時の横断面図のＯＮの状態の図に示すように、磁気シールド層６９のある記録媒体２を挿入した場合はＯＦＦ状態の図に示すような磁気シールド層６９のない記録媒体２を挿入した場合に比べて、光ヘッド６のアクチュエータからの電磁ノイズは著しく低減する。このノイズは磁気ヘッド再生回路３０より出力され、容易に検知できる。つまり磁気ヘッド８を磁気記録層３に接触させなくとも本発明の記録媒体と従来のＣＤ等の記録媒体を弁別できる。そして、本発明の磁気記録層のある記録媒体の挿入された時のみ磁気ヘッド８を記録面に接触させることにより、ＣＤやＬＤ等の磁気記録層のない記録媒体の裏面に磁気ヘッドを接触させることがないため、裏面の印刷物や光記録面を磁気ヘッドにより破損することを防げるという効果がある。別の方法として図１１１においてＣＤの光記録部のＴＯＣ部やＴＯＣ部の近傍の光トラック部に媒体の磁気記録層が存在することを示す弁別符号を予め記録しておき、まず磁気ヘッド８をメディアに接触させないで光ＴＯＣを読み、この磁気層弁別符号を検出した時だけ磁気ヘッド８をメディア面におろす。この方法により、既存のＣＤが挿入された時には磁気ヘッド８が媒体の光記録側と印刷面側のどちらにも接触しないため、既存ＣＤの損傷は妨げるという効果がある。光ディスクの印字面に特定を光マークをつけ、マークがある場合のみ磁気記録層があると判断させてもよい。
【０２３９】
（実施例１４）
第１４の実施例を図面に基き説明する。
【０２４０】
図１３４は本発明の実施例１４の記録再生装置のブロック図を示す。
本実施例では記録媒体２の光記録面の光記録再生信号の光クロック信号３８２に基づき、変調もしくは復調を行うことにより磁気記録部３の記録もしくは再生を行う。基本的な動作は図１１０の場合と同じ動作であるため詳しい全体の動作説明は省略する。
【０２４１】
図１３４において光再生回路の中のクロック再生回路３８ａにおいて、光再生信号より、光クロック３８２が再生される。この光クロック３８２を分周し、磁気記録回路２９の中のクロック回路２９ａにおいて図１３４と図１３５に示す磁気クロック信号３８３が作られ、変調回路３３４の変調時のクロックとなる。この状態を詳細に説明した図が図２１６である。光再生回路のクロック再生部３８ａの光クロックは４．３ＭＨＺである。この信号を分周器４５７で１５〜３０ＫＨＺの本発明のＭＦＭ変調器３３４の変調クロック信号に落とし、磁気記録させる。頭出しは前述のようにＩｎｄｅｘ検出部４５７が光アドレスを検知して行なう。この場合のモーターの回転制御は光信号に基づき、行われる。図２１８のタイムチャート図に示すように光Ｉｎｄｅｘの後の周期信号で磁気記録が開始される。
【０２４２】
磁気信号の再生時には、磁気再生回路３０のクロック回路３０ａにおいて磁気クロック信号３８３が再生され復調部３０ａの復調時のクロックとなる。図２１７のブロック図を用いて、磁気再生時の動作を詳しく説明する。この場合はＩｎｄｅｘの光アドレスを再生した後、図２１８（ｄ）に示すように光ピックアップ６のアクチュエーターの電源がＯＦＦとなり、電磁ノイズがなくなった後に磁気再生はＯＮとなり、磁気記録信号に基づきデータの復調とモーターの回転制御が行われる。磁気ヘッド８からの再生信号は波形成形部４６６で成形され、クロック再生部４６７により、おおよその再生クロックが再生され、疑似磁気同期信号発生器４６２に送られる。磁気同期信号検出部４５９では磁気同期クロック信号が再生されＭＦＭの復調器３０ｂでデジタル信号に復調され、誤り訂正部３６で誤り訂正された後、磁気再生データとして出力される。光再生信号を一定の分周比で分周したものが磁気再生信号であるから、光再生信号から磁気再生信号に切り換わる時、磁気同期信号検出部４５９のＰＬＬ４５９ａには光から磁気へ切り換わる直前まで光再生クロックを分周した信号が参考情報として送られているため、引き込み中心周波数をこの近傍に設定してある。従って、光から磁気に切り換わった時、短時間で磁気再生クロックＰＬＬにより引き込まれる。光再生クロックを分周することにより、磁気記録クロックを作り、磁気記録することにより、磁気信号再生時に光ヘッド６をＯＦＦにしても光再生クロックから磁気再生クロックに短時間で切り換えることができるという効果がある。同じ円周上もしくは、違う円周上でも固定されている場合は光ヘッド６と磁気ヘッド８が走行する場合は一定の分周比で良いが、異なった円周上を固定されないで走行する場合は、半径ｒＭとｒＯを求め分周比を演算し、補正すればよい。
【０２４３】
次に回転制御方法について述べる。光再生時の回転制御は図２１７のモーター回転制御部２６の最短／最長パルス検出部４６０により、疑似光同期信号発生器４６１により、おおよその光同期信号を作成し、モーター制御部２６ａにより、モーター１７の回転数を、ほぼ規定の回転数に送り回転数で回転させる。この時、切り換えスイッチ４６５はＢの位置にある。光同期信号検出器４６５が同期した場合は切り換えスイッチ４６５に切り換え命令を送り、スイッチをＢからＡに切  次に図２１８のタイムチャート図のｔ＝ｔ２で光再生がＯＦＦし、磁気再生に切り換わった直後は、磁気再生信号のＭＦＭの周期Ｔを波形整形部４６６において測定することにより、おおよその本発明の場合１５ＫＨｚもしくは３０ＫＨｚの磁気同期信号が得られる。この信号を疑似磁気同期信号発生器４６２を介して分周／逓倍器４６４で光回転同期信号とクロック周波数を合わせ切り換えスイッチ４６５へ送る。光から磁気に切り換わった直後は切換スイッチ４６５はＡからＣへ切り換わり、ラフな回転制御が行われる。その後磁気同期信号検出部４５９のＰＬＬ４５９ａのロックがかかった時点で、切換スイッチはＣからＤへ切り換わり磁気同期信号による正確な回転制御が行われる。こうして図２１８のタイミングチャートのｔ＝ｔ３の時点では磁気再生信号は再生クロックに同期しているため、磁気データが連続的に復調される。
【０２４４】
さて、ｔ＝ｔ４において媒体面上の傷によりエラーが発生し一定時間ｔｅ継続した場合、ｔ＝ｔ５において、磁気再生をＯＦＦし、光再生をＯＮしｔＲの期間光再生信号による回転制御を行い、モーターの回転を安定させる。
【０２４５】
そしてｔＲの期間が経過するとｔ＝ｔ７において光再生をＯＦＦし、磁気再生をＯＮする。エラーが終了しているため光から磁気への回転制御の移行は短時間で完了し、ｔ＝ｔ８において、磁気記録同期信号が再生されるためＤａｔａ５は確実に再生される。こうして媒体の傷によるエラーがあっても短時間に復旧し、地名的なデータエラーとはならない。こうして光再生と信号による回転制御と磁気再生信号による回転制御を時分割で切り替えながら磁気再生することにより、光再生時の光ピックアップからの電磁ノイズの影響を全く受けることなく安定した磁気信号の再生が可能となるという効果がある。磁気ヘッド８と光ヘッド６を１ｃｍ以上離して配置した場合も、図２１７，図２１８の方式を用いて磁気再生が可能である。この場合は、光再生と磁気再生を同時に行える。
り換え同期した回転数でモーター１７は回転する。
【０２４６】
図１３５に示すように記録媒体２の回転速度ωはワウ・フラッターと呼ばれるモータの回転ムラにより大きく変動する。磁気記録クロックを固定した場合記録媒体２上の磁気記録信号記録波長λは、同一トラック上においても、上記変動により色々と変動する。本発明の図１３５に示すように、光再生クロック３８２から分周等により磁気クロック３８３を作り、磁気記録を行うことにより、記録媒体２上には、正確な長さの周期をもつ磁気記録信号が記録できる。このため、最短記録波長で確実な記録ができるという効果がある。又、１回転に記録する記録部の１周のトラックの中に正確に記録信号を配置できるため図１２３で説明した重複記録を防止するためのガードＧａｐ部３７４を最小限に設定できる。磁気信号の再生時においても図１３２に示すように光クロック信号を分周することにより復調クロックが正確に再生できる。このため再生時の復調の判別ウインドウ時間３８５の範囲を狭く設定できる。このためデータの弁別能力が上がり、エラーレートが改善されるという効果がある。
【０２４７】
また、この光記録再生クロックを利用して記録容量を２倍、３倍と増やすことができる。通常の２値記録では図１３２のＤａｔａ１に示すように１シンボルに１ｂｉｔしか記録できない。しかし図１３２のｒｅｐｒｏｄｕｃｅ２に示すように、光クロック信号３８２の正確な時間Ｔｏｐを利用して磁気記録信号３８４の時間巾変調つまりＰＷＭをかけることができる。１シンボルの波形を巾変調することにより、磁気記録信号３８４ａ、３８４ｂ、３８４ｃ、３８４ｄの４つの時間巾に対して、００、０１、１０、１１の４値つまり２ｂｉｔを割りあてることにより、１シンボルあたり１ｂｉｔから２ｂｉｔに増えるため記録データ量を増やすことができる。この場合信号３８４ｄに示すように均等な周期Ｔｏで記録すると図に示すようにλ／２はｔ３’−ｔ３＝Ｔｏ−ｄＴとなり、最短記録波長つまり、最短記録周期Ｔｍｉｎを下回るため正常に記録できなくなる。そこで、磁気記録信号３８４ｄの場合ｔ＝ｔ３を新しい開始点として磁気クロックをｄＴだけずらす。すると、ｔ４＝ｔ３’ｄＴ時間がＤａｔａ２の００を判別するための判別ウインドウ３８４となり、ｔ５，ｔ６，ｔ７のパルスの場合、各々０１、１０、１１と２ｂｉｔのデータが復調される。
【０２４８】
こうして、ＮＲＺ等の２値記録であると１シンボルあたり１ｂｉｔしか記録できないが、本発明により２ｂｉｔ記録できる。パルス巾変調の変調巾を８種類にすると１シンボルあたり３ｂｉｔ，１６種類にすると１シンボルあたり４ｂｉｔとなり、３倍弱、４倍弱の記録容量が得られるという大きな効果がある。これは光記録の波長が１μｍ以下であるのに対し、本発明の磁気記録の波長はスペースロスが多いため１０μｍから１００μｍであるため、数十倍から１００倍の波長差がある。従って、光信号のクロック信号を用いて磁気記録信号のパルス間隔を磁気記録信号の波長の数十分の１から１００分の１の分解能で測定できるという効果がある。このことから記録容量はＰＷＭと光信号クロックの組み合わせにより、２値記録の記録容量に対して、理論的には数十倍から１００倍になる。実際には磁気記録の波形歪み等により数倍から数十倍の記録容量が得られる。
【０２４９】
こうして、ＣＤＲＯＭに記録された正確な光記録クロック信号を基準クロック信号として、第１の方法では、常に一定の記録波長で記録できるという効果がある。また第２の方法では光記録クロック信号を基準信号としてＰＷＭ（パルス巾変調）することにより、記録容量を数倍から数十倍増やせるという効果がある。
【０２５０】
次に、磁気記録部の領域を予め検地し、磁気ヘッド等の破壊を防ぐ方法について、さらに詳しく説明する。本発明の記録媒体２の磁気記録部の領域は用途によって異なる。ゲーム用ＣＤＲＯＭやパソコン用ＣＤＲＯＭでは大容量の記録容量が要求されるため、記録媒体２の全面に各トラックの記録領域が設定される。一方音楽用ＣＤにおける曲名や曲順等の情報や複製防止コード情報の記録に要する情報量は数百Ｂ程度でよい。この場合、１トラックから数トラックの記録領域で充分あるため、磁気トラック部を除いたＣＤの残りの部分は印刷面側ではスクリーン印刷等の凹凸の多い印刷も可能となる。又、光記録面側の内周部もしくは外周部に１トラックの磁気トラックを設けることもできる。１トラックの場合、図８４（ａ）（ｂ）に示すように昇降モーター２１と昇降回路２２と磁気記録再生ブロック９と磁気ヘッド８を加えるだけで、再生専用ディスクに記録材料を付加できるため、構成が簡単になりコストが安くなるという効果がある。１トラック方式の場合、内周であると記録容量が小さくなる。図１２４の６７ｆに示すように最外周の磁気トラック６７ｆの１トラックのみに記録することによりＣＤに用いた場合、１トラックでも波長４０μｍで２ＫＢの容量が得られる。この場合、トラックへのアクセス機構が不要のため、構成が簡単になると同時に小型化するという効果がある。
【０２５１】
この場合、ＣＤを装着した時、図１２４の光トラック６４ａのＴＯＣを光ヘッド６を読むと同時にＴＯＣのクロックで回転モーター１７はＣＬＶ駆動される。ＣＤのＴＯＣの半径は一定であるため、低速回転する。この状態で磁気記録再生を行う。磁気記録のインデックス信号と同期信号は光トラック６５より読み出す。この時、図８４に示すようにもし、ＴＯＣ部もしくはＴＯＣ周辺の光トラック６５に磁気記録層３の有ることを示す情報が入っていた場合、光記録ブロック７はこの情報を検出し、ヘッド昇降モーター２１を駆動し、図８４（ｂ）に示すように磁気ヘッド８を磁気記録層３に接触させ、磁気記録信号の再生を行う。
【０２５２】
再生データは記録再生装置１のメモリ部３４に一旦収容し、このデータを用いて更新を行い、実際の磁気記録再生の回数を減らし、摩耗を軽減する。
【０２５３】
図８４に示すようにＴＯＣの光トラック６５ａと１トラックの場合の最外周の磁気トラック６７ｆは同時に記録再生するため、物理的距離が３ｃｍ近く離れている。このため、図１１６に示すように光ヘッド６の出す電磁ノイズが磁気ヘッド８に混入することは３４ｄＢ減少する。従って混入ノイズが大巾に少なくなるという効果がある。
【０２５４】
１トラック方式の場合、磁気記録層３は、外周部を使うため光記録側の面に設けても良い。この場合、図１３１内点線の磁気記録層３ａ、磁気ヘッド８ａ昇降モーター２１ａに示すように上ブタ３８ａ方式のＣＤプレーヤに用いた場合、ＣＤの下面に磁気ヘッド８ａが収納されるため小型化できるとともに上ブタに設けなくてよいため構造が簡単になるという効果がある。
【０２５５】
又、図１３１の磁気記録層３ａを透明基板５側にスクリーン印刷等の厚膜工法で作成することにより、数十μｍから数百μｍの厚みつまり、高さが生ずる。この高さにより磁気ヘッド８ａは磁気記録層３ａのみに接触し、透明基板５に接触しない。このため透明基板５に傷をつけないため光記録再生に支障をきたさないという効果もある。なお、この場合磁気記録部を設けるため光記録部の容量はこの分小さくなる。また図１３１の左端に示すように磁気ヘッド８ａをＣＤ２より０．２ｍｍ以上のｈｏだけはなして固定し、上ブタ３８ａ等にとりつけた昇降部２１ｂによりゴムローラー２１ｄを矢印５１方向に押しつけることにより、ＣＤがわん曲し、磁気記録部３ｂが磁気ヘッド８ａとコンタクトする。この場合、圧力が加えられるため、ゴミがあってもコンタクトし、磁気記録特性が向上するという効果がある。
【０２５６】
この場合ＣＤは図９８の右下図に示すように透明基板５側の最外周部に磁気トラック６７ｆをスクリーン印刷により磁気記録材料を塗布することにより得られる。実際は、従来のＣＤの印刷面スクリーン印刷工程においてＣＤを裏返して印刷することにより得られる。
【０２５７】
既存のＣＤ製造ラインを使えるため設備投資をしなくてもすむという大きな効果が得られる。この場合、磁気ヘッドが印刷部のスクリーン印刷のように凹凸の多い印刷領域や光記録面側の透明基板部に接触した場合、双方が傷む。この損傷を避けるため図１３１の磁気記録装置の断面図に示すように記録媒体２の磁気記録面側に光学マーク３８７が設けられている。この光学マークは反対の面に設けてもよい。この光学マーク３８７は磁気記録領域の大きさを示す円周上にバーコード等の光学的なデータが印刷されている。磁気ヘッド８側に設けられた光センサー３８６により、光学マーク３８７のバーコード等のデータを読みとることができる。バーコードのデータ再生はＬＥＤと光センサーを組み合わせた光検知部３８６により従来の方法で容易にできる。この光学マーク部３８７は図ではＣＤのＴＯＣ部の内周上に設けてもよいがＴＯＣ部より内周部に設けることにより、磁気ヘッド８による摺動傷や汚損を防止できるという効果がある。
【０２５８】
図１３１（ｂ）や図１４５（ａ）に示すように光学マーク３８７のバーコードには、ＣＤの磁気記録層の半径方向の領域（ｒ＝ｌｍ）を示す情報や磁気記録材料のＨｃの値やコピーガードのための暗号情報やＣＤごとに異なるＤｉｓｋのＩＤＮｏ．等の情報が記録されている。こうして光学マーク３８７を事前に読みとることにより識別できるため磁気ヘッド８が磁気記録層の領域以外の記録媒体２に接触することが防止できる。このため、前述のような磁気ヘッドの破壊が防止できるという効果がある。
【０２５９】
次に光学マークの別の構成を述べる。ＣＤの場合通常ＴＯＣの内周部には光記録部が設けられていない。この光記録部のない領域に図１３１（ａ）のように光記録層のない透光部３８８を設ける。すると光学マーク３８７の裏側が透光部３８８を介して光ヘッド６の側から見える。光学マーク３８７の記録媒体側にバーコード等の光学マークを印字することにより、光ヘッド６により、この光学マーク３８７を読みとることができる。この方法により光センサー３８６を省略できるという効果がある。読みとるもう一つの方法として、光センサ３８６を光ヘッド６側に設けることができる。この場合、図１３１のような上ブタ開閉式のＣＤプレーヤにおいて固定部側に光センサ３８６を設けることができるため、配線が簡単になるという効果がある。
【０２６０】
なお、この光学マーク３８７の情報は反射光を光ヘッド６より読んでもよいが、透過光を光センサー３８６で読んでも良い。また光センサ３８６をＣＤの有無を検知する従来の光センサと共用することにより、部品点数を減らすという効果がある。また、アルミ等の蒸着による光記録層を間欠的に設け、円周型のバーコード状に形成することにより光学マークを光記録膜製造時に作成することができる。この場合光学マークの製造工程が不要となる効果がある。また図１３１（ｂ）と図１４４（ａ）のＣＤ製造工程図と図１４５（ａ）のＣＤ上面図に示すように、磁気記録層３の製造時に磁性材料の塗布の一回の工程で磁気記録領域３９８と印字４５と光学マーク３８７をスクリーン印刷材３９９で二度に塗ることにより、１工程で３つの成膜ができる。ＣＤの印刷面は図１４５の（ａ）のようになる。特に高いＨｃの材料は黒色をしているため、タイトルの印字４５のコントラストが上がる。スクリーン印刷することにより、従来のＣＤの製造ラインの印刷インキを高Ｈｃの磁気材料インキに変えるだけで、本発明の記録媒体２が仮想できるため既存のＣＤとほぼ同じコストで、かつ設備投資なしでＲＡＭ付ＣＤが得られるという大きな効果がある。
【０２６１】
図１４５（ａ）のようにバーコード３８７ａからはＤａｔａ”２０４３１２００１”が読みとれる。ディスク毎にスクリーン印刷機３９９で）異なるＤａｔａを印刷することによりＣＤにＩＤＮｏ．を印字することができる。これを用いてＣＤの光記録部もしくは磁気記録部に鍵解錠プログラムを記録するとによりコピープロテクトができるＣＤの複製防止スクリーン印刷機３９９が一枚毎に印刷内容を変更できない場合、図１４４（ｂ）に示すように図１４４（ａ）で説明した工程に円周形のバーコード印刷機４００により、バーコード３８７ａ、場合によりディスクＩＤを示す数字３８７ｂ、を印字する。この場合は通常のインキでよく印刷面は図１４５（ｂ）のようになる。この場合使用者が目視でバーコードの内容と同じディスクＩＤＮＯ．をよみとることができるという効果がある。また、図１４５（ｃ）に示すように、バーコード部３８７ａにＯＣＲ文字でＩＤＮｏ．の数字３８７ｂを印字することにより、光検知部でも使用者の目視でもディスクＩＤＮｏ．を確認できる。という効果がある。又、図１４４（ａ）の右側の点線で示すように２番目の印刷機３９９ａにより４０００Ｏｅ等の磁気記録部３９８より高いＨｃの高Ｈｃ磁気記録領域４０１を設ける。この領域は通常の記録再生装置で再生はできるが、記録ができない。このため工場でディスクＩＤＮｏ．や暗号を記録しておく。すると特別な工程が必要なため不法な業者による複製がより困難になるとう効果がある。また、図１４６（ａ）に示すように、光ディスク２に空間部４０２ａを設け鉄粉等の磁性粉４０２を入れ、上部に鉄等のＨｃをもつ磁性部４０３を設ける。すると、磁化されてない場合、図１４５（ａ）のように磁性粉４０２は磁性部４０３に吸着せず、文字はでない。しかし多チャンネルの磁気ヘッドにより磁化することにより図１４６（ｂ）に示すように磁性粉４０２は吸着され文字が出ない。図１４５（ｃ）で説明したＯＣＲ文字を記録すると、使用者は矢印５１ａ方向からこのＯＣＲ文字を視認できる。一方磁気ヘッド８は磁性部４０３のＩＤＮｏ．等の磁気記録情報を読むことが出きる。この方法を用いるとディスクの工程では１枚ごとのＩＤを変えて印刷する必要はなくなる。工場でＯＣＲ形状にＩＤＮｏ．等のデータを１枚毎に磁気記録をするだけでよいため、従来の工程が使え新たな設備投資が不要になるという効果がある。
【０２６２】
磁気記録層３を図９８の右下図に示すように透明基板５側の外周部に設け不正防止コピー信号を工場で記録する方式は、従来のＣＤＲＯＭキャディを使うことができるため、キャディの互換性がとれるという効果がある。またＭＤ再生専用ディスクの場合は、シャッターが片面しか窓がないが、透明基板側に磁気層を設けることにより、片面窓シャッターでも本発明を適用できる。
【０２６３】
さて、ここでこのＩＤＮｏ．を用いた複製防止方式とソフトウェア別の鍵解除方式について述べる。まずＣＤには論理的な鍵のかかったプログラムが１００本入っているとする。使用者がソフト制作会社にＩＤＮｏ．を通知し、料金を払い会社からＩＤＮｏ．に対応した鍵Ｎｏ．を通知してもらう。この１０番目のプログラム用の鍵Ｎｏ．をＣＤの磁気記録部ＴＯＣ等に記録する。すると次回このＣＤの１０番目のプログラムを再生した場合磁気記録層に記録された鍵情報と光マーク部に記録されたＩＤＮｏ．とを使用許可プログラムに入力することにより、正しい鍵であればプログラムの使用を許可され、毎回手順なしにプログラムを使用することができる。従来のＣＤやＣＤＲＯＭの場合ＩＤＮｏ．と鍵を使用者が毎回入力する必要があるが、本発明の場合１回入力すればそのプログラムは鍵の入力なしに使用できるという効果がある。さらにＩＤＮｏ．は書き換えできない上に各ディスク毎に異なるため、ある個人用のディスクの鍵情報を他の個人ディスクに入力しても、鍵は解除されない。従って、ＣＤＲＯＭソフトのソフト料金を払わない使用が防止できるという効果がある。
【０２６４】
次に、ポータブル型のＣＤプレーヤの場合、図１３１のように上下に開閉する上ブタ３８９を設け、ＣＤを脱着する方式が一般的に採用されている。本発明においては、上ブタ３８９の開閉時、磁気ヘッド８と磁気ヘッドトラバースシャフト３６３ｂが上ブタ３８９と連動して開閉される。上ブタ３８９が「開」の状態においては図１３１に示すように、磁気ヘッド８が上ブタ３８９とともに記録媒体２から離れるため、記録媒体２の着脱が容易になる。上ブタ３８９が「開」の状態においては、上ブタ３８９は閉じられ磁気ヘッド８と磁気ヘッドトラバースシャフト３６３ｂは記録媒体２の近傍に近づく。ヘッドアクチュエータ２２により、磁気記録再生の必要な場合のみ、磁気ヘッド８は記録媒体２と接触する。
【０２６５】
光ヘッド６はトラバースアクチュエータ２３とトラバース歯車３６７ｂとトラバースシャフト３６３ａにより、トラッキングされる。この時、トラバース歯車３６７ａによりトラバース歯車３６７ｃに伝えられ、磁気ヘッドトラバースシャフト３６７ｂは矢印５１方向に移動する。こうして磁気ヘッド８は光ヘッド６と連動して、同じ方向に同じ距離だけ移動するため、上ブタ３８９を閉めた時点で前で述べたように光ヘッド６と磁気ヘッド８の位置合わせをしておけば、光ヘッド６と磁気ヘッド８は、予め設定された光トラックの裏側の所定の磁気トラックをアクセスする。
【０２６６】
このように上ブタ３８９と連動して磁気ヘッド８と磁気ヘッドトラバースを移動させることにより、上ブタ開閉方式のＣＤプレーヤにも本発明を採用させることができるため、プレーヤ全体を小型計量化できるという効果がある。
【０２６７】
次に本発明のＣＤＲＯＭを収納するカートリッジについて述べる。まず、図１３３に本発明の光ディスクカートリッジの斜視図を示す。さて、この図を開いて従来のＣＤＲＯＭ用のカートリッジについて説明する。従来のＣＤＲＯＭ用のカートリッジはＣＤＲＯＭ等の記録媒体２を取り出すために回転軸３９を中心に矢印５１ｃ方向に回転するカセットブタ３９７をもっていると同時に図の裏側に光記録面側の窓があり、光記録面用のシャッタ３０１をもつ。
【０２６８】
本発明のカートリッジの場合、カセットブタ３９０に磁気面用シャッタ３９１が追加されている。光記録面のシャッタ３９２が矢印５１ａ方向に開く時、光記録部の窓が開くとともに連結部３９２により、磁気面シャッタ３９１は矢印５１ａの方向にスライドし、記録媒体２の磁気記録面側の窓が開く。こうして本発明のディスクカセット４２を用いることにより、ＣＤが着脱できると同時に、磁気記録面と光記録面の両側の窓が、開閉できるため、本発明の光記録再生と磁気記録再生が同時にできるという効果がある。そして従来の光記録再生用の片面窓方式のＣＤＲＯＭカートリッジと完全互換性があるという効果がある。
【０２６９】
（実施例１５）
前の実施例１、２、３ではカートリッジ４２の中にある記録媒体２の片面に補助の磁気記録層３を設けた例を説明した。
【０２７０】
実施例１５ではディスク２のカートリッジ４２の外面部に磁気記録層３を設けた場合を示す。図１３６は実施例１５の記録再生装置全体のブロック図を示し、図１３７ａ，ｂ，ｃと図１３８ａ，ｂ，ｃは各々実施例１５のカートリッジ挿入時、固定時、排出時の記録再生の状態を示す。また図１３９ａ，ｂ，ｃは図１３７ａ，ｂ，ｃの横断面図を示す。
【０２７１】
図１３６は全体のブロック図を示す。光記録再生部と磁気記録再生部の基本的な構成と原理は、図８７のブロック図と図１１０のブロック図から磁気記録再生部のノイズキャンセラーをはずした構成と同じであるため重複する部分は省略する。
【０２７２】
図１３６の記録再生装置１はディスクのカートリッジ４２の挿入口３９４をもち、図１３６はカートリッジ４２が矢印５１方向に挿入された後の状態を示している。
【０２７３】
又、図１３７と図１３８のカートリッジ挿入時と取り出し時の斜視図は、カセットの脱着時の状態を示し、図１３９はカセット挿入時の磁気へッド部の横断面図を示す。
【０２７４】
図１３７（ａ）に示すように、記録再生装置１にカートリッジ４２を挿入する時、まず、光センサ３８６によりラベル部３９６の一部に設けられたバーコード等の光学マーク３８７を光センサ３８６が読みとり、図１３６の光再生回路３８によりデータが、クロック再生回路３８９により同期クロック信号が再生される。上記の再生データはシステム制御部１０に送られ、もし磁気記録層３があると判断すれば、ヘッド昇降命令が送られヘッドアクチュエータ２１はヘッド昇降部２０により磁気ヘッド８ａ，８ｂを磁気記録層３の方向に移動させる。こうして、磁気記録層３のデータは磁気ヘッド８ａ．８ｂにより検出され第１と第２の磁気再生回路３０ａ，３０ｂの復調器３４１ａ，３４１ｂによりデータに復調される。この時、前述の光マーク部３８７の信号に基づきクロック再生回路３８ａが再生した同期クロック信号を用いることにより、走行速度が変動しても確実に復調できる。このため、カートリッジ４２が手により挿入されて挿入時の走行速度が大巾に変動しても磁気記録層３に記録されたデータが確実によみとれるという効果がある。また、光学マーク３８７にカートリッジのＩＤＮｏ．やソフトのタイトル名等の識別情報を記録することにより、カセット別にデータ管理ができる。
【０２７５】
この場合、磁気ヘッド８は１ヶで良い。しかし図１３６のように２つの磁気ヘッドで同じデータの記録再生を２回行うことにより、データの読みとり信頼性が上がる。合成回路３９７でデータ１とデータ２のエラーのない部分を合成し、エラーのない完全なデータを作成し、ＴＯＣデータ等の索引情報の含まれたデータを再生し、ＩＣメモリー３４に蓄積する。ＴＯＣデータにはカートリッジ４２の前回のディレクトリーや記録再生の過程や結果の情報が含まれている。従ってカートリッジ４２を挿入した時点で光ディスクの内容や経過がわかる。
【０２７６】
図１３７の（ｂ）図に示すように、カートリッジ４２が中に装着されている間に、磁気記録再生が任意に行われ、新しい情報が追加されたり、記録されていた情報が削除されたりする。この場合、ＴＯＣの内容はそのつど変更しなければならないが、本発明の場合、前の多くの実施例において再三述べたように磁気記録層３のデータは書き換えないで、ＩＣメモリ３４のＴＯＣデータを書き替える。こうしてＩＣメモリ３４の中の新しいＴＯＣデータと磁気記録層３の古いＴＯＣデータとはデータの内容が異なる。図１３７（ｃ）図に示すように、カートリッジ４２の取り出し時に磁気ヘッド８ｂにより磁気記録層のデータを更新する。書いたデータは磁気ヘッド８ｂにより、ただちに再生され検証される。
【０２７７】
この場合磁気記録層３のトラック数が１ケの場合は何も工夫は要らない。しかし、多トラック、例えば３トラックある場合、このうちＴＯＣデータを書き替える必要のあるトラック、例えば第２トラックのみのデータを書き替えることにより、記録時のミスを減少させている。この場合図１３７の（Ｃ）図に示すように、カートリッジ４２の取り出し時に磁気ヘッド８ｂにより第３トラックのみを記録する。
【０２７８】
１ヘッドの場合これで完了する。一方図１３７のように２ヘッドの場合は磁気ヘッド８ａにより記録された信号６８を同時によみとり、エラーチェックをする。図１３９の（Ｃ）に示すように磁気ヘッド８ｂにより記録された磁気信号６８ａは磁気ヘッド８ａにより検証できる。もし、エラーがあった場合、磁気記録再生装置１は表示部１６にエラーメッセージを出し、”もう一度カセットを本体に挿入して下さい。”という表示を出したり、ブザー３９７により警告音を出し、操作者に通知すると同時に、操作者に命令を発し、もう一度カートリッジ４２を挿入部３９４に挿入されるようにしむける。もう一度挿入されると、排出する時にもう一度ＴＯＣデータを記録するため、２回目はかなり高い確率でエラーなく記録できる。これを何回も繰り返す場合は、カートリッジ４２の磁気記録層３が破壊されていると判断し、光学マーク３８７のＩＤＮｏ．を記録しておき、そのＩＤＮｏ．のカートリッジ４２が再び挿入された時、磁気ヘッド８をおろす命令を出さず磁気データを読み込まない。このＩＤＮｏのデータはＩＣメモリー３４にバックアップして保存しておく。こうして、確実に各々のディスクのカートリッジ４２にＴＯＣデータを記録し、再生できる。本発明によりわずかの部品の追加でディスクのカートリッジ挿入時にディスクの目次が検知できるという効果がある。メディア側は磁気ラベルを貼るだけでよいため、従来のカートリッジ４２に付加できるという効果が安価に実現する。
【０２７９】
（実施例１６）
実施例１６は実施例１５で説明したディスク用のカートリッジをテープ用のカートリッジに変更したものである。
【０２８０】
具体的にはＶＴＲやＤＡＴやＤＣＣの回転ヘッド型磁気ヘッドや固定磁気ヘッドをもつ磁気の記録再生装置１のカートリッジ４２の上面部に本発明の図１０３で説明した保護層５０をもつ磁気記録層３をとりつけている。
【０２８１】
図１４０は全体のブロック図を示す。基本的な構成と原理は、図１３６と同じであるため重複する部分の説明は省略する。
【０２８２】
図１４０の記録再生装置１はＶＴＲのカセットのカートリッジ４２の挿入口３９４をもち、図１４０はカセット４２が矢印５１方向に挿入されつつある過程を示している。又、図１４１と図１４２のカセット挿入時と取り出し時の斜視図は、カセットの脱着時の状態を示し、図１４３はカセット挿入時の磁気へッド部の横断面図を示す。
【０２８３】
図１４２（ａ）に示すように、ＶＴＲにカートリッジ４２を挿入する時、まず、光センサ３８６によりラベル部３９６の一部に設けられたバーコード等の情報や同期信号の記録された光学マーク３８７を光センサ３８６が読みとり、図１４０の光再生回路３８によりデータが再生され、クロック再生回路３８９により同期クロック信号が再生される。上記の再生データはシステム制御部１０に送られ、もし、磁気記録層３があると判断すれば、ヘッド昇降命令が送られヘッドアクチュエータ２１はヘッド昇降部２０により磁気ヘッド８ａ，８ｂを磁気記録層３に接触する。こうして、磁気記録層３に記録されたデータは磁気ヘッド８ａ．８ｂにより検地され第１と第２の磁気再生回路３０ａ，３０ｂの復調器３４１ａ，３４１ｂにより元のデータが復調される。この時、復調時に前述のクロック再生回路３８ａの同期クロック信号を用いることにより、走行速度が変動しても確実に復調できるため、カートリッジ４２が手で挿入されて挿入時の走行速度が大巾に変動しても磁気記録層のデータが確実によみとれるという効果がある。また、光学マーク３８７にＩＤＮｏ．やソフトのタイトル等のインデックス情報を記録することにより、カセット別の管理もできる。
【０２８４】
この場合、磁気ヘッド８は基本的に１ヶで動作するが、２つの磁気ヘッドで同じデータの再生を２回行うことにより、データの読みとり信頼性は上がる。合成回路３９７でデータ１とデータ２のエラーのない部分を合成し、エラーのない完全なデータを作成し、ＴＯＣデータ等の含まれたこの再生データはＩＣメモリー３４に蓄積される。ＴＯＣデータにはカートリッジ４２の前回終了時の絶対番地と各曲や各セグメントの開始と終了の絶対番地が含まれている。従って磁気データが再生された段階でカートリッジ４２を挿入した時点における現在のテープの絶対番地がわかる。そこで、この絶対番地の情報によりシステム制御部１０の絶対番地カウンタ３９８の内容が書き変えられる。
【０２８５】
ここで、テープに曲が入っている場合を例に述べてみる。
例えば、現在番地が第８曲目の１分３２秒で現在の絶対番地が６２分１２秒にいることがわかる。ここで、６曲目の絶対番地の４２分２６秒の地点にアクセスしたい時は、１９分４６秒の絶対番地の分量だけ絶対番地検地ヘッド３９９のデータを参照しながらテープを巻き戻せば６曲目の頭出しが高速にできる。この場、どれだけテープを巻き戻せば目標地点に到達するか予め解るため最高の巻き戻し速度で、加速し減速することにより、従来方式より、大幅にアクセス速度を高速化できる。またＴＯＣ情報のリストもテープ挿入時に瞬時に表示できる。このためＶＴＲやＤＡＴ，ＤＣＣをテープレコーダをインテリジェント化できる。図１４１の（ｂ）図に示すように、カートリッジ４２が中に装着されている間は、磁気記録再生が任意に行われるため、新しい曲が追加されたり、記録されていた曲が削除されたりする。この場合、ＴＯＣの内容は本来その都度変更しなければならないが、本発明の場合、前の多くの実施例において再三述べたように磁気記録層３のデータは書き換えないで、ＩＣメモリ３４のＴＯＣデータのみを書き替える。こうしてＩＣメモリ３４の中の新しいＴＯＣデータ磁気記録層３の古いＴＯＣデータとはデータの内容が異なる。
【０２８６】
この場合磁気記録層３のトラック数が１ケの場合は何も工夫は要らない。しかし、多トラック、例えば３トラックある場合、このうちＴＯＣデータを書き替える必要のあるトラック、例えば第２トラックのみのデータを書き替えることにより、記録時のミスを減少させている。この場合図１３７の（Ｃ）図に示すように、カートリッジ４２の取り出し時に磁気ヘッド８ｂにより第３トラックのみを記録する。
【０２８７】
１ヘッドの場合これで完了する。一方図１３７のように２ヘッドの場合は磁気ヘッド８ａにより記録された信号６８を同時によみとり、エラーチェックをする。図１３９の（Ｃ）に示すように磁気ヘッド８ｂにより記録された磁気信号６８ａは磁気ヘッド８ａにより検証できる。もし、エラーがあった場合、磁気記録再生装置１は表示部１６にエラーメッセージを出し、”もう一度カセットを本体に挿入して下さい。”という表示を出したり、ブザー３９７により警告音を出し、操作者に通知すると同時に、操作者に命令を発し、もう一度カートリッジ４２を挿入部３９４に挿入されるようにしむける。もう一度挿入されると、排出する時にもう一度ＴＯＣデータを記録するため、２回目はかなり高い確率でエラーなく記録できる。これを何回も繰り返す場合は、カートリッジ４２の磁気記録層３が破壊されていると判断し、光学マーク３８７のＩＤＮｏ．を記録しておき、そのＩＤＮｏ．のカートリッジ４２が再び挿入された時、磁気ヘッド８をおろす命令を出さず磁気データを読み込まない。このＩＤＮｏ．のテープはＩＣメモリ３４にバックアップしながら保存しておく。こうして、確実にＶＴＲテープのカートリッジ４２ごとにＴＯＣデータを記録し、再生できる。ＤＡＴ，ＶＴＲ、ＤＣＣ等の場合、テープメディアのため瞬時にＴＯＣデータがアクセスできない。このため内容リストが表示できなかったり、挿入時に現在の曲番がわからないという課題があった。しかし本発明によりわずかの部品の追加アクセス時間を要しないＴＯＣ機能が実現する。テープのカートリッジ側は磁気ラベルを貼るだけでよいため、既存のテープのカートリッジ４２に付加できると同時に上記の効果が安価に実現する。
【０２８８】
（実施例１７）
実施例１７で不正に複製されたＣＤ，ＣＤＲＯＭやＣＤ−ＲＯＭから正規の数以上のパソコンに不正にプログラムをコピーすることを防止する方法について述べる。
【０２８９】
まず前述した各々にＰａｓｓｗｏｒｄ等の鍵のついた多数のプログラムの記録されたＣＤＲＯＭ等の光ディスクの特定のプログラムの鍵を解除する方法について詳しく述べる。図１４７に示すように、このＣＤは本発明のディスクコピー防止方式が採用されているため、ＣＤの複製はできない。更にＣＤの光学マーク部３８７にはディスク毎に異なるＩＤＮｏ．が記録されている。これを発光部３８６ａと受光部３８６ｂからなる光センサー３８６で例えば”２０４３１２００１”なるデータを読みとりＣＰＵのメモリーの中の鍵管理テーブル４０４のＤｉｓｋ  ＩＤＮｏ．（ＯＰＴ）に入れる。通常はこの方法で良いが光学マークは不正な複製業者により、印刷機に複製される可能性がある。さらに複製防止効果を高めるには、前述のようにバリウムフェライトによる４０００Ｏｅ等の非常に高いＨｃの高Ｈｃ部４０１を設け、工場で磁気用のＩＤＮｏ．（Ｍａｇ）データ”２０５１６２”を磁気記録する。このデータの再生は通常の磁気ヘッドで可能であるため再生でき、鍵管理テーブル４０４のＤｉｓｋ  ＩＤＮｏ．（Ｍａｇ）の項目に入れられる。
【０２９０】
図２４１（ａ）のＩＤ番号の工程図に示すように、図２４２に示す着磁機５４０を用いることにより、媒体２にＩＤ番号を記録する工程が１秒以下に収まる。この着磁機５４０は、図２４２（ａ）（ｂ）のようにリング形状で図２４２（ｃ）（ｄ）に示すように複数の着磁極５４２ａ〜ｆをもち、各々コイル５４５ａ〜ｆが巻かれている。着磁電流発生器５４３からの電流は、電流方向切換器５４４により、任意の電流がコイル５４５ａ〜ｆに流れるため、任意の磁化方向が得られる。
【０２９１】
図２４２（ｄ）では左からＳ，Ｎ，Ｓ，Ｓ，Ｎ，Ｓ極の着磁方向を設定した場合を示している。この場合磁気記録層３は矢印５１ａ，５１ｂ，５１ｃ，５１ｄの方向の磁気記録信号が一瞬のうちに記録される。４０００Ｏｅの高Ｈｃの磁性材料でも記録できる。従って、図２４１（ａ）に示すように従来の工程図２４１（ｂ）に比べて、同じ時間でＩＤを記録したＣＤを生産できる。
【０２９２】
磁気ヘッドを使って媒体２を回転させながらＩＤ番号を磁気記録する方法であると、媒体回転立ち上がりと数回転の回転、回転の停止を含めると数秒かかる。従って、１秒程度のプロセス時間しか許されないＣＤの大量生産の工程に工程の流れを変えないで導入することは難しいという課題があった。
【０２９３】
図２４１（ａ）のＩＤ番号の工程図に示すように、図２４２に示す着磁機５４０を用いることにより、媒体２にＩＤ番号を記録する工程が１秒以下に収まるため、スループットの速い工程には、より適している。この着磁機５４０の記録動作を説明すると、図２４２（ａ）（ｂ）のようにリング形状で図２４２（ｃ）（ｄ）に示すように複数の着磁極５４２ａ〜ｆをもち、各々コイル５４５ａ〜ｆが巻かれている。着磁電流発生器５４３からの電流は、電流方向切換器５４４により、任意の電流がコイル５４５ａ〜ｆに流れるため、任意の磁化方向が得られる。図２４２（ｄ）では左からＳ，Ｎ，Ｓ，Ｓ，Ｎ，Ｓ極の着磁方向を設定した場合を示している。この場合磁気記録層３は矢印５１ａ，５１ｂ，５１ｃ，５１ｄの方向の磁気記録信号が特定トラック上に一瞬のうちに例えば数ｍｓで記録される。着磁機の場合、大電流を流すことができるため４０００Ｏｅの高Ｈｃの磁性材料でも記録できる。従って、図２４１（ａ）に示すように図２４１（ｂ）の従来の工程図の他の工程と同じ程度の作業時間でＩＤを記録できるため、工程の流れを全く変えないでＣＤを生産できる。しかも、着磁機５４０を用いた場合は媒体２を回転させずにＩＤ番号を磁気記録できるため、工程のスルプットを短縮できる上に、媒体を回転させないため、図２４１（ａ）の工程図に示すようにＩＤ番号記録後に印刷工程で印刷をしても、所定の角度に正確に印刷できるという効果がある。
【０２９４】
現在Ｈｃが２７００Ｏｅ程度の磁気記録層に記録できる磁気ヘッドは市販されている。このためＨｃが低いとＩＤ番号が改ざんされるという課題が想定できる。この課題に対して本発明の着磁機５４０は強力な磁界を発生するため、Ｈｃ＝４０００Ｏｅのような高いＨｃをもつ磁気記録層３でもＩＤ番号を記録できる。高いＨｃの磁気記録層３を特定トラックに使用してＩＤ番号を記録した場合、この媒体のＩＤ番号は通常入手できる磁気ヘッド８では書き換え、つまり改ざんできないため、媒体のＩＤ番号に関連したパスワードのセキュリティを向上できるという効果がある。
【０２９５】
さらに本発明では図２４３に示すように、ディスクの物理配置テーブル５３２のデータとユニークなＩＤ番号の発生器５４６の信号を混合器５４７により、分離キーがないと分離しにくいように混合し、混合信号を分離キー５４８とともに暗号化器５３７に送り、暗号５３８にし、成形工程後に磁気記録トラック６７に記録するか、原盤作成工程で光記録トラック６５に記録する。記録再生装置１側では暗号デコーダ５４３により暗号を解読し、分離キーにより分離器５４９において分離キーによりＩＤ番号５５０とディスクの物理配置テーブル５３２を分離し、図２３８、図２４０で説明したような不正ディスクチェック方式により、不正ディスクをチェックし、不正ディスクの動作を停止させる。
【０２９６】
図２４３の方式の場合、磁気記録トラック６７に記録される暗号５３８は、ユニークなＩＤ番号発生器５４６により、ＩＤ番号とディスク物理配置表との混合信号が暗号化されるため、一枚一枚のディスク毎に全て異なる。当然のことながらこのディスクは本発明の不正複製防止方式を用いているため、不正複製業者はＣＤの光記録部を不正複製できない。このため不正使用者はＩＤ番号を改ざんすることしか不正使用の道はない。パスワードの判明しているディスクと全く同一の原盤のディスクをみつけてきて、同じ暗号を磁気記録部に記録することによりこのパスワードを用いることにより不正使用ができる。ディスク物理配置表の暗号とＩＤ番号の暗号を分離して記録すると、同一原盤の全てのディスクの磁気記録層に同じ物理配置表の暗号が記録され、この暗号を読むことにより、同一原盤のディスクであることが容易に識別されてしまうため、ＩＤ番号の暗号をパスワードのわかっているＩＤ番号の暗号とに書き換えることにより、不正使用されてしまうという課題が考えられる。しかし、図２４３の方式は一枚のデイスクに対して複数の異なる原盤が存在し、しかも一枚一枚ディスク毎に暗号が全く違うため、２枚のディスクが同じ原盤であることを暗号を見ただけでは確認できない。ディスクのディスク物理配置表５３２の情報を一枚分全部の領域にわたって読みとり、同一原盤かどうかをチェックするしかない。アドレス、角度、トラッキング、ピット深さ、エラーレートの全データをチェックするには大規模な装置が必要であり、確認時間も必要である。従って、不正複製業者がパスワードのわかっているＣＤ等のディスクと同じ原盤のディスクを探し出すことが難しくなるため、不正複製業者がＩＤ番号を改ざんすることが困難になるという効果がある。
【０２９７】
ここで具体的な手順を図１４８のフローチャート図を用いて説明する。ステップ４０５でプログラムＮｏ．Ｎの起動命令がきた場合ステップ４０５ａでプログラムの鍵情報が磁気トラックに記録されているか読みにいく。この時、磁気ヘッドで記録電流を流し、このデータの消去を実行する。正規のディスクならＨｃが高いため鍵情報は消せない。不正なディスクならＨｃが低いため鍵情報は消えてしまう。次にステップ４０５ｂで鍵データつまりＰａｓｓｗｏｒｄがあるかチェックし、Ｎｏならステップ４０５ｃで図１７０の画面図に示すように鍵の入力命令を使用者に伝え、ステップ４０５ｄで使用者が例えば“１２３４５６”と入力し、ステップ４０５ｅで正しいかチェックし、“Ｎｏ”ならステップ４０５ｆで停止し、画面に“鍵が正しくないか複製ディスクです”と表示し、Ｙｅｓならステップ４０５ｇへ進み、プログラムＮｏ．Ｎを開ける鍵データを記録媒体２の磁気トラックへ記録し、ステップ４０５ｉへとぶ。
【０２９８】
ステップ４０５ｂに戻り、Ｙｅｓならステップ４０５ｈでプログラムＮｏ．Ｎの鍵データを読み、ステップ４０５ｉで光記録層のディスクＩＤ（ＯＰＴ）を読み込み、ステップ４０５ｊで磁気記録層に記録されているディスクＩＤ（Ｍａｇ）を読み込み、ステップ４０５ｋで正しいかチェックする。Ｎｏの時はステップ４０５ｍで“複製ディスクです”と表示し停止する。Ｙｅｓならステップ４０５ｎで鍵データとディスクＩＤ（ＯＰＴ）とディスクＩＤ（Ｍａｇ）の暗号解除演算をして正しいデータかをチェックする。ステップ４０５ｐでチェックし、Ｎｏならステップ４０５ｑでエラー表示をし、Ｙｅｓならステップ４０５ｓでプログラムＮｏ．Ｎの使用を開始させる。
【０２９９】
本発明のこの方式をを用いた場合、ＣＤなら１／５に音声圧縮した曲を１２０曲入れて、ゲームソフトなら数百タイトル入れてＣＤを１２曲もしくは１ゲームだけ最初に聴けるようにしておくと、１２曲分もしくは１ゲーム分の著作権料に見合った価格で販売できる。そして、後で使用者が料金を支払うことにより、ソフト業者はディスクのＩＤＮｏ．に対応する鍵を通知することにより、図１４７に示すように追加の曲もしくは追加のゲーム等のソフトを使用できるようになる。この場合、音声伸長ブロック４０７の採用により、ＣＤの場合５倍の３７０分入るため最大１２０曲の音楽ソフトを１枚のＣＤに納めることができ、この中から鍵の解除により好きな曲を聴くことができる。鍵を一回解除すれば鍵データは記録されるため、鍵を毎回入れる必要がなくなるという効果がある。音楽ＣＤやゲームＣＤ以外にも電子辞書やフォトＣＤ一般プログラムに用いても同様の効果がある。またコストを下げるため高Ｈｃ部４０１のＩＤＮｏ．を省略してもよい。
【０３００】
次にＣＤ自体の複製を防止する方法について述べる。ＣＤは現在、様々な形で不正に複製されており、複製を防止する方法が求められている。暗号化等のソフウェアだけでは、不正複製は防止できない。本発明ではＣＤのピット配列と暗号方式を利用して複製防止する方法を述べる。
【０３０１】
図２３４のマスタリング装置のブロック図に示すようにＣＤ等のＣＬＶ型光ディスクの原盤を作成するマスタリング装置５２９は、線速度制御部２６ａをもち、ＣＤの場合、１．２ｍ／ｓから１．４ｍ／ｓの範囲内に線速度を保ちながら光ヘッド６により、ディスク２上の感光体に光ビームでピットの潜像を露光により記録する。ＣＤの場合、トラッキング回路２４により、１回転につき、約１．６μｍのピッチで半径ｒを増加させていくため、ピットはスパイラル状に記録されていく。こうして図２３６（ａ）に示すようにデータは原盤上にスパイラル上に記録される。ＶｉｄｅｏｄｉｓｋのようなＣＡＶの光ディスクの場合、オリジナルディスクを再生し、この回転と回転制御を完全に連動して、原盤を作成することができる。従って、第三者がマスターデータ５２８を入手した場合、正規に製造されたＣＡＶの光ディスクと全く同じピットパターンをもつ光ディスクの原盤をマスタリング装置５２９により容易に作成できる。ＣＡＶの場合、正規に製造された原盤と不法に製造された原盤とのビットパターンの差は数μｍ以内に収められる。このため、従来の方法で正規に作成された不正に作成された光ディスクとをピットパターンの物理的配置から区別することはできない。
【０３０２】
一方、ＣＤ−ＲＯＭのようにＣＬＶの光ディスクの場合、１．２〜１．４ｍ／ｓの範囲内の初めに設定した一定線速度でスパイラル上に原盤上に記録する。ＣＡＶの場合は一周に記録させるデータ数は常に一定であるがＣＬＶの場合は、線速を変えることにより、一周のデータ数は変化する。線速の遅い場合は、図２３６（ａ）のようなデータ配置５３０ａになるし、線速の速い場合は図２３６（ｂ）のようなデータ配置５３０ｂになる。このように通常のマスタリング装置では正規のＣＤと不正にコピーされたＣＤでは、データ配置５３０が異なることがわかる。通常市販されているＣＤ用のマスタリング装置では０．００１ｍ／ｓの高い精度で線速の設定ができる。そして一定の線速度で原盤を作成するが、この高い精度で、１．２ｍ／ｓの線速で７４分のＣＤの原盤を作成した場合でも、最外周トラックでプラス側に誤差がずれた場合１１．７８３周分の誤差ができる。つまり、理想原盤に比べて最外周で１１．７８３周×３６０度の角度誤差のあるデータ配置５３０ｂをもつ原盤ができる。従って図２３６（ａ）と図２３６（ｂ）のようにデータ配置５３０すなわち各々のＡ１〜Ａ２６のアドレス３２３ａ〜ｘが正規のＣＤと不正複製のＣＤでは異なる。例えば４分割し、Ｚ１〜Ｚ４の配置ゾーン５３１を定義した場合、Ａ１〜Ａ２６のアドレス３２３の配置ゾーン５３１が異なる。従って、２つのＣＤの配置ゾーン５３１とアドレス３２３の対応テーブルすなわち物理位置テーブル５３２を作成した場合、図２３６（ａ）と図２３６（ｂ）に示すように、各々の物理位置テーブル５３２ａと５３２とが正規のＣＤと不正複製されたＣＤでは異なることがわかる。この違いを利用して不正複製ＣＤと正規なＣＤを弁別できる。
【０３０３】
ただ、単に物理的に複製しにくいＣＤを作っても、正規なＣＤを正規であると照合する方法が改ざんされ易いと効果が薄い。図２３８に示すように本発明ではこの物理位置テーブル５３２をＣＤの原盤製作中もしくは原盤製作完了後に、作成する。この物理配置テーブル５３２をＲＳＡ方式の公開暗号鍵方式等の一方向性関数を用いて暗号化手段５３７により暗号化して、ＣＤ媒体２の光ＲＯＭ部６５もしくはＣＤ媒体２ａの磁気記録トラック６７に記録する。
【０３０４】
次にドライブ側ではＣＤ媒体２もしくは２ａから暗号信号５３８ｂを再生し、ＣＤの光記録部から再生した暗号解読プログラム５３４を用いて、物理配置テーブル５３２を復元する。同じくＣＤから再生したディスクチェックプログラム５３３ａを用いて現実のＣＤのアドレス３８ａに対するディスク回転角情報３３５を前述のＦＧからの回転パルス信号もしくはインデックスより得て、物理配置テーブル５３２のデータと照合し、ＯＫであればＳＴＡＲＴし、ＮＯであれば不正複製ＣＤであると判別して、ソフトプログラムの動作や音楽ソフトの再生を停止させる。図２３６（ｂ）に示す不正コピーのＣＤでは物理位置テーブル５３２ｂが正規のものと異なるため、リジェクトされる。暗号エンコードプログラム５３７が解読できない限り不正複製されたＣＤは動作しない。従って暗号信号をコピーしてもリジェクトされる。こうしてほぼ完全に不正コピーＣＤの再生は防止できるという大きな効果がある。
【０３０５】
不正複製業者が、本発明のＣＤドライブに対して対策をとれるとしたら、次の３つが考えられる。
【０３０６】
１．全く同じピットパターンのＣＬＶディスクの原盤をつくる。２．図２３８のｓｅｃｒｅｆｋｅｙの暗号エンコードプログラムを暗号デコードプログラム５３４より解読する。３．ＣＤ−ＲＯＭの中の全プログラムを分析し、暗号デコードプログラム５３４やディスクチェックプログラム５３３ａをプログラム改造により入れ替える。以上のうちまず３番目の方法は、プログラム解読およびプログラム改造に時間つまり、高額のコストがかかるためＣＤ複製による利益が少なくなるため意味がない。また、本発明の場合、暗号デコードプログラム５３４やディスクチェックプログラム５３３ａをドライブ側ではなく、メディア側にもたせているため、ＣＤ−ＲＯＭのタイトルやプレス毎に変更できる。従って、プログラム解読や暗号解読の投資が毎タイトル必要なため不正複製業者の採算を悪化させ、経済的に複製を防止させる効果がある。
【０３０７】
次に、２番目の方法は、本発明では図２３８に示すようなＲＳＡ方式等の公開暗号鍵方式のような一方向性関数を用いている。例えば、演算式Ｃ＝Ｅ（Ｍ）＝Ｍｅｍｏｄｎを用いることができる。このため、ＣＤ−ＲＯＭ上に暗号デコードプログラムつまり鍵の一方が公開されていても、もう一方の鍵の暗号エンコードプログラム５３７の解読には例えば１０億年かかるため解読されることはない。ただ、暗号エンコードプログラム５３７の情報が流出する可能性もある。しかし、図２３８の方法では、ドライブ側ではなくメディア側に暗号デコードプログラム５３４がある。従って、万が一流出したとしても流出した時点で、暗号プログラム一対を両方とも変更することにより、容易に再び複製防止を回復できるという効果がある。
【０３０８】
最後に、１番目の方法の全く同じピットパターンのＣＬＶ原盤を作ることは、現状のＣＬＶ用のマスタリング装置５２９では１回転に１パルスの回転信号は出るが回転角を高精度で検知し、制御する機構がついていないため、難しい。しかし、複製元のＣＤの回転角情報と記録信号を読みとり、複製時に回転パルスに同期をかけることにより、正確ではないが、ある程度の位置精度で似たピットパターンを描画することができる。しかし、これは複製元のＣＤが同じ線速度で記録されている場合のみ成立する。
【０３０９】
本発明のマスタリング装置５２９では図２３４に示すようにＣＬＶ変調信号発生部１０ａ〜ＣＬＶ変調信号を発生させ、ある場合は線速度変調部２６ａに送り、ある場合は光記録回路３７の時間軸変調部３７ａに送りＣＬＶ変調をかける。線速度変調部２６ａを持ち、図２３５（ａ）のように線速度をＣＤ規格の範囲内の１．２ｍ／ｓから１．４ｍ／ｓで変調をランダムにかけている。このことは線速度を一定にして時間軸変調部３７ａにより信号に変調をかけても同じことが実現する。この場合装置の改造は不要となる。この線速度変調を複製元のＣＤから高精度で検出することは困難である。ランダムに制御をかけずに記録しているため原盤を作ったマスタリング装置でも複製はできない。毎回違った原盤となる。従って、本発明の線速度変調の入ったＣＤを完全に複製することは不可能に近い。しかし、ＣＤの線速度の１．２〜１．４ｍ／ｓの規格範囲であるため、現在市販されている通常のＣＤ−ＲＯＭプレーヤーでは正常にデータは再生される。
【０３１０】
次に図２３５（ｂ）のように同一データを一定の１．２ｍ／ａの線速度で特定の光トラック６５ａを記録した場合の始点をＳとするとデータを記録し終えた終点Ａ１は３６０゜の位置にくる場合を想定してみる。この場合図２３５（ｃ）に示すように、１回転で１．２ｍ／ｓから１．４ｍ／ｓまで均一に増速した場合、アドレスＡ３の物理位置５３９ａは３０゜ずれた物理位置５３９ｂにくる。そして１／２回転で増速した場合４５゜ずれた物理位置５３９ｃの位置にくる。つまり、１周で最大４５゜位置を変えることができる。通常のＣＬＶ用のマスタリング装置は１周に１回しか回転パルスを発生しないため、２回転するまでこの誤差は累積され９０゜の位置ずれが発生する。将来、不正コピー業者が回転制御を行なっても本発明の線速度変調により９０゜の位置ずれが正規の原盤と不正コピーの原盤との間で発生する。この位置ずれを検出することにより不正コピーＣＤを検出できる。そして位置ずれの検出分解能は９０度以下にすれば良いことがわかる。従って線速度を１．２〜１．４ｍ／ｓの範囲で変化させる場合は、図２３６（ａ）（ｂ）に示すように少なくともＺ１，Ｚ２，Ｚ３，Ｚ４の４つの９０゜の分割ゾーンを設定すれば不正ＣＤを検知できる。４分割異常の角度分割が効果があるといえる。
【０３１１】
もちろん、極めて高精度のＣＬＶ用のマスタリング装置を新たに開発すれば全く同じビットパターンを不正複製業者が作成することができる。しかし、このような装置は世界で数社しか開発できないし、通常の使用目的には必要ない機能である。著作権保護のためこのようなマスタリング装置の出荷を限定することにより、不正コピーは完全に防止される。
【０３１２】
次に図２３４に示す回転角度センサー１７ａのついたマスタリング装置では入力データのアドレス情報３２ａとモータ１７からの回転角度の位置情報３２ｂにより物理位置テーブル５３２を作成し、暗号エンコーダ５３７により暗号化し、光記録回路３７により原盤２の上の外周部に記録する。このことにより、図２３８のディスク２の光トラック６５上に暗号化された物理配置テーブル５３２が原盤作成時に記録することができる。従ってこのディスクは磁気ヘッドのついていない通常のＣＤ−ＲＯＭドライブでも再生できる。ただ、この場合は図２３８，図２３９に示すようにドライブにディスク回転角センサー３３５を設ける必要がある。この検知手段はアドレス３２３相対位置でかつ、９０゜のゾーンを検知できれば良いため、角度センサーのような複雑なセンサーを必ずしも用いる必要はない。図２３７にその相対位置検出方法を述べる。例えば図２３７（ａ）のようにモーターの回転パルスや光センサーのインデックス信号はディスクの一定回転につき１回発生する。この間隔を図２３７（ｂ）のように時間分割することにより、６分割ゾーンの場合、信号位置タイムスロットＺ１〜Ｚ６が定まる。一方再生信号のサブコードから前述のようにアドレス信号３２３ａ，３２３ｂが得られる。信号位置信号からアドレスＡ１はゾーンＺ１にあり、アドレスＡ２はゾーンＺ３にあることが検出できる。
【０３１３】
この場合、サブコードに回転信号もしくはＺｏｎｅ信号を記録すると確かに簡単な構成になるが、このデータもそっくり複製できるため複製防止効果はない。従って本発明のように光記録部以外に回転角を検知する手段を設ける方法が複製防止効果が高い。
【０３１４】
図２３９に戻ると記録再生装置１では信号を光再生回路３８で再生し、光トラックに物理配置テーブル５３２があるならば、図２４０のフローチャート図のステップ４７１ｂからステップ４７１ｄ，４７１ｅに進む。ステップ４７１ｂがＮｏならステップ４７１ｃで磁気記録部６７に暗号データがあるかをチェックし、Ｎｏならステップ４７１ｒに進み、起動を許可する。Ｙｅｓならステップ４７１ｄ，４７１ｅに進み、暗号データを再生しドライブのＲＯＭもしくはディスクに記録された暗号デコーダ５３４の暗号解読プログラムを起動し、暗号を解読し、ステップ４７１ｆで物理配置テーブル５３２つまりＡｎ：Ｚｎのゾーンアドレス対応表を作成する。ステップ４７１ｗでメディア内にディスクチェックプログラムがあるかチェックし、Ｎｏならステップ４７１ｐに進み、Ｙｅｓならステップ４７１ｇでディスク内に記録されたディスクチェックプログラムを起動する。ステップ４７１ｆのディスクチェックプログラムの中では、まずステップ４７１ｈでｎ＝０とし、ステップ４７１ｉでｎ＝ｎ＋１とし、ステップ４７１ｊでドライブ側でディスク２のアドレスＡｎをサーチさせ再生させる。ステップ４７１ｋで前述のアドレス位置検出手段３３５より位置情報Ｚ’ｎを検知し出力させる。ステップ４７１ｍでＺ’ｎ＝ＺｎをチェックしＮｏならステップ４７１ｕで不正コピーＣＤと判断して“不正コピーＣＤ”の表示を表示部１６に出してステップ４７１ｓでＳＴＯＰさせる。ステップ４７１ｍがＹｅｓなら、ステップ４７１ｎでｎ＝ラストをチェックし、Ｎｏならステップ４７１ｉに戻り、Ｙｅｓならステップ４７１ｐに進む。ステップ４７１ｐではドライブ側のＲＯＭ又はＲＡＭにディスクチェックプログラムがあるかをチェックし、Ｎｏの時はステップ４７１ｒでソフトを起動させる。Ｙｅｓの場合はステップ４７１ｑでディスクチェックプログラムを走らせる。この内容はステップ４７１ｔと全く同じである。Ｎｏの場合はステップ４７１ｕ，４７１ｓに進む。Ｙｅｓの場合はステップ４７１ｒでディスク内のソフトの再生を開始する。
【０３１５】
現在、生産されているＣＤプレーヤにおいて、線速度を１．２〜１．４ｍ／ｓの間で変化させたディスクを再生させた場合、問題なく原信号を再生できる。一方、マスタリング装置は０．００１ｍ／ｓ以上のかなり厳密な線速度の精度でカッティングができる。そこで、マスタリング装置用の規格として、線速＝±０．０１ｍ／ｓというＣＤ規格が設けられている。このＣＤ規格を順守した場合は、図２４４（ａ）（ｂ）に示すように、例えば１．２０ｍ／ｓから１．２２ｍ／ｓに線速度を上げることが規格内でできる。この場合、図２４４（ｃ）（ｄ）に示すように、ディスク一回転につき５．９度の角度分だけ同一アドレスの角度の物理配置が５３９ａから５３９ｂへとシフトする。図２４６に示すようにこの５．９度の角度シフトを検出する回転角度センサー３３５を記録再生装置側に設ければこの物理配置の違いを弁別できる。ＣＤの場合、６゜の分解能つまり、一回転１／６０以上に角度分割する回転角度センサー３３５をもてばよい。
【０３１６】
この回転角度センサー３５５の構成を図２４９の記録再生装置のブロック図に示している。モーター１７のＦＧ等の回転角度センサー１７ａから出るパルスをディスク物理配置検出部５５６の中の角度位置検出部５５３の中の時間分割回路５５３ａにより、時間分割することにより、一回転に１回の回転パルス信号しか得られない場合でも、例えば±５％の時間精度が得られた場合、２０分割できるため１８゜程度の角度分解能が得られる。この動作は図２３７（ａ）（ｂ）（ｃ）を用いて説明した。ＣＤの場合±２００μｍの偏芯があるため、偏芯による角度の測定誤差が発生する。ＣＤ規格のディスクの場合、Ｐ−Ｐで最大０．８度の角度測定誤差が偏芯により生じる。従って、１゜の角度測定分解能を必要とする場合測定できなくなる。これを避けるため、高精度の角度分解能が必要な場合は、図２４９の角度位置検知部５５３に偏芯量検知部５５３ｃを設け、偏芯量を検知し、偏芯量補正部５５３ｂで補正演算を行い、偏芯による影響を補正している。この偏芯量の検知と補正値の演算の方法を述べる。図２５２（ａ）に示すように、偏芯が全くない場合、ディスクの同一半径上のＡ，Ｂ，Ｃの３点はθａ＝θｂ＝θｃの時、三角形の中心に真のディスク中心５５７がある。実際には図２５２（ｂ）に示すようにディスクの偏芯やディスク装着ずれにより、偏芯５５９が生ずる。図２５２（ｂ）に示すように、３点のアドレスＡ，Ｂ，Ｃの相対角度を角度センサー３５３により検出することにより、ディスクの回転中心５５８と真のディスク中心５５７とのずれＬ’ａは図に示すようにＬ’ａ＝ｆ（θａ，θｂ，θｃ）の演算で求めることができる。偏芯補正部５５３ｂで、この演算した偏芯量を用いて、回転角度センサー１７ａの回転角信号を補正演算することにより、偏芯による影響を補正できるので角度分解能が１゜以下の精度に向上するという効果が得られ、不正ディスクの検出精度をより上げられる。
【０３１７】
前に述べた６゜程度の低い分解能で、角度位置を検知する場合、不正と正規のディスクとの判別結果には厳密さが要求される。特に正規のディスクが不正と判別されることは正規ユーザーに多大な損害を与えるため、絶対避ける必要がある。このため、図２４７のフローチャートのステップ５５１ｔ，５５１ｕ，５５１ｖに示すように不正と判別されたアドレスを２回以上複数回アクセスし再生し、チェックすることにより誤った判別を避けることができる。基本的なフローチャートは図２４０と同じため省略し、追加ステップのみを説明すると、ステップ５５１ｒで許容値内でないと判別された場合、ステップ５５１ｔでアドレスＡｎを複数回再アクセスして、ステップ５５１ｕでＡｎに対する相対角度を示すゾーン番号Ｚ’ｎを検知し、ステップ５５１ｖで許容値内であるか同じく複数回チェックし、Ｙｅｓなら正規ディスクとみなし、ステップ５５１ｓへ進む。もしＮｏなら不正ディスクとみなし、ステップ４７１ｕ，４７１ｓへ進み、プログラムを動作させない。
【０３１８】
また、誤った判定を防ぐもう一つの方法として、統計的処理を追加することにより判別精度が上がる。図２４５（ａ）のように正規の原盤では読み出した角度−アドレス、角度−トラッキング方向、アドレス−トラッキング方向、角度−ピット深さ、アドレス−ピット深さの頻度分布はグラフ１のようになる。そこで、グラフ２のように特定データを選別しプレーヤで再生した場合、弁別し易いサンプルアドレスのデータを選別する。そして、図２４５（ｂ）に示すように成形したディスクを再生し、グラフ３の黒色で示したように許容値からはずれた信号部をみつけ、グラフ４に示すように許容値からはずれた異常値をリストから削除する。図では角度−アドレス配置の頻度分布を示しているが、ピット深さの分布でもアドレス−トラッキング量の分布でも同じ効果が得られる。こうすると弁別しにくい、つまり誤りと判定され易いコピー防止信号部をリストから排除できるため、再生プレーヤで再生時誤る度合いが少なくなる。前述の２回以上不正と判断されたアドレスを再アクセスすることにより、誤る確率はさらに低下する。
【０３１９】
一方、不正に複製された原盤の場合は、図２４５（ｃ）に示すように、成形されたディスクのアドレスを読みとり原盤を作成するため、まずグラフ５のように一定の確率である範囲に分布したＣＰ（コピー防止）信号が発生する。この場合、前述のようにディスク物理配置テーブルは改ざんできないためグラフ（２）のようなデータの選別作業はできない。従って不正原盤の物理配置先は許容値限度にかなり迫ったデータ、もしくは許容値を越えたＣＰ信号が存在する。図２４５（ｄ）に示すように、このような不正原盤から成形プレスされた光ディスクには、さらに成形バラツキによる誤差が加わり、グラフ６のような分布となり、黒く塗った部分で示すように許容値を越えた物理配置信号５５２ｂが作成される。この不正ディスクに特有な物理配置信号５５２ｂはディスクチェックプログラムにより検出されるため、プログラムの動作は停止し、コピーディスクの使用が防止される。このように角度−アドレスのＣＰ（ＣＯＰＹ  ＰＲＯＴＥＣＴ）信号の時の分布は成形プレスにより、小さい範囲内で分散する。これに対し図２５０（ｂ）に示すピット深さの場合は、カッティングと成形条件により、大幅に深さが変化し、これを精密に制御することは極めて難しいため、不正複製ディスクの製造時の分留りは大巾に下がる。従ってピット深さの場合、強力なコピープロテクトをかけられる。
【０３２０】
ここで、図２４５のディスクの物理配置の頻度分布を検出し、コピー防止をする再生装置と、フローチャートについて述べる。記録再生装置１は図２４６と図２４９に示すようにディスク物理配置検出部５５６をもち、この中には角度位置検知部５５３とトラッキング変位検知部５５４とピット深さ検知部５５５の３つの検知部があり角度位置情報Ｚ’ｎ、トラッキング変位Ｔ’ｎ、ピット深さＤ’ｎを検知し検知信号を出力する。アドレス検出部５５７の信号Ａ’ｎと時間的な一致を確認することにより、Ａ’ｎ−Ｚ’ｎ，Ａ’ｎ−Ｔ’ｎ，Ａ’ｎ−Ｄ’ｎ，やＺ’ｎ−Ｔ’ｎ，Ｚ’ｎ−Ｄ’ｎ，Ｔ’ｎ−Ｄ’ｎ，の対応データが得られる。このデータを暗号デコーダ５３４により復号された正規の基準ディスク物理配置表５３２のＡｎ，Ｚｎ，Ｔｎ，Ｄｎと照合部５３５において照合することにより、正規のディスクでない場合は出力／動作停止手段５３６により、プログラムの動作を停止できる。
【０３２１】
次に統計的手法を用いて、ディスク判別の誤判定を減らすフローチャートを述べる。図２４７のフローチャートの図２４０と同じ部分の説明を省略し、ディスク物理配置データの図２４５のグラフ１〜６に示した分布頻度に着目して、ディスクの不正判別をする部分に限定して説明する。まずディスクチェックプログラム４７１ｔの中において、ステップ５５１ｗのＣＰ（ＣＯＰＹ  ＰＲＯＴＥＣＴ）暗号解除プログラムつまり、図２４９の暗号デコーダ５３４の中の基準物理配置表５３２の暗号を解くＲＳＡ等の一方向性関数演算部５３４ｃをもつ第一暗号デコーダ５３４ａが不正に変更されているか、つまり不正に改ざんされて不正な暗号デコーダにより不正に暗号が解除されていないか、ディスクチェックプログラムや応用プログラムの随所にチェックポイントを設けて毎回チェックしＹｅｓの場合、動作を中止させる。これにより、不法複製業者が第一暗号デコーダ５３４ａを不正な暗号デコーダと入れ替えることを防止できるため、暗号の安全度が高まり、複製防止を強化できるという効果がある。次にステップ５５１ｆの説明をすると、このステップでは角度位置の場合、特定アドレスの位置を測定し、ゾーン番号の基準物理配置表５３２の基準角に対するずれ量の分布状態を測定する。ｍ＝０をずれのない場合、ｍ＝±ｎをｎ個ゾーンがずれた場合と定義すると、ステップ５５１ｇにおいてｍ＝−１としステップ５５１ｈでｍ＝ｍ＋１とし、ステップ５５１ｉで測定した角度ゾーンＺ’ｎがｍヶずれているかチェックし、Ｎｏならステップ５５１ｈに戻り、Ｙｅｓならステップ５５１ｊでＺ’ｎのずれの分布リストに追加し、次々とずれ量の分布表を作成してゆく。ステップ５５１ｋで最後なら次のステップ４７１ｎに進み、Ｎｏならステップ５５１ｈへ戻る。こうして図２４９に示す特定アドレスの角度位置もしくは、トラッキング変位、ピット深さと角度／アドレス位置との基準とのずれの分布状態が測定されていく。
【０３２２】
ディスクチェックプログラム４７１ｔの中のステップ５５１ｍは、正当性判別プログラムで、ステップ５５１ｎで磁気層又は光記録層に暗号化されて記録された例えばアドレスｎの角度配置Ｚ’ｎの基準値よりのずれ量ｍに対する最大許容値Ｐｎ（ｍ）を暗号復号化して読み出し、今述べたステップ５５１ｆの物理位置のずれの分布測定プログラムで作成した図２５１に示すずれ分布表５５６ａと基準の物理配置表５３２ａをチェックしディスクの真偽を判定する。まず、ステップ５５１ｐでｍ＝０、ステップ５５１ｑでｍ＝ｍ＋１とし、ステップ５５１ｒで許容値の範囲内かをチェックする。Ｚ’ｎの数が図２５１のＰｎ（ｍ）より小さいかを見ることにより許容値の範囲内かをチェックする。Ｎｏなら上述のステップ５５１ｆに進み、再度該当アドレスをアクセスし、ダメなら不正と判断し、ＯＫならステップ５５１ｓへ進む。ステップ５５１ｒがＹｅｓならステップ５５１ｓへ進む。ｍがラストならステップ４７１ｐへ進み、Ｎｏならステップ５５１ｑへ戻る。こうしてＺ’ｎのＺｎに対するずれの分布を測定することにより、許容値以内なら正規ディスク、許容値の範囲外なら不正ディスクと判別する統計的処理をする。このことにより、より正規ディスクを不正ディスクと誤判断する確率及びその逆の確率が低くなるという効果がある。
【０３２３】
またこの図２４７のフローチャートでは、ステップ５５１ａにおいて図２４９に示すような乱数発生器５８３のようなランダム抽出器５８２により、暗号デコーダ５３４や磁気再生回路３０に部分的選択信号を送り、暗号の記録されている全トラックの一部の磁気トラックもしくは光トラックを選択しアクセスし再生させている。このことにより、暗号データの全数のうち１部、例えば１万個のうち１００ヶ程度、アクセスすれば良いため機械的アクセス時間が短縮され複製チェック時間が短くなるという効果がある。またランダム抽出器５８２は暗号デコーダ５３４に選択信号を送り、再生された暗号データの一部のデータの暗号解除を行う。例えば５１２ｂｉｔの一方向性関数の暗号の場合、暗号解除には３２ビットのマイコンでも、数分の１秒要する。しかし、この部分選択方式の採用により、暗号解読時間を短縮できるという効果がある。乱数発生器５８４により、毎回最低必要なサンプル量だけ、毎回異なるサンプルデータをディスクチェックするため、例えば１００００点のサンプル点のうち毎回１００ヶのサンプル点しかチェックしないシステムにおいても、最終的には１００００ヶのサンプル点をチェックすることになる。従って、複製業者は１００００ヶサンプル点全部の物理配置を基準ディスクと全く同じ形状に複製する必要がある。全てのサンプルポイントの角度、トラッキング量、ピット深さを複製することは困難なため複製防止効果は高い。このランダム抽出器５８２の追加により、高い複製防止効果を落とさずにディスクチェック時間の大幅な短縮が実現する。
【０３２４】
さて、ここで図２４６と図２４９の記録再生装置の図に戻り説明する。図２４９の記録再生装置１のディスク物理配置検出部には、上述した角度位置検知部５５３以外にトラッキング量検知部５５４とピット深さ検知部５５５の２つの検知部がある。まず、トラッキング量検知部５５４は、光ヘッド６のトラッキング制御部２４のウォブリング等を測定できるトラッキングエラー検出回路のようなトラッキング量センサー２４ａからのアドレスｎのトラッキング量Ｔｎを受けて、トラッキング量と他のＡ’ｎ，Ｚ’ｎ，Ｄ’ｎ等の他の検知信号との時間的一致を測定して、Ｔ’ｎとして照合部５３５へ出力する。この原理を図２５３（ａ）（ｂ）を用いて説明すると、図２５３（ａ）の正規ディスクでアドレスＡ１の物理位置５３９ａは、原盤作成時にウォブリング等のトラッキング方向の変調を加えてある。このため外周方向にトラッキングがずれている。これをＴ１＝＋１と定義すると、アドレスＡ２の物理位置５３９ｂではＴ２＝−１となる。この情報は原盤作成時もしくは原盤作成後に判別できるため、基準物理配置表５３２が作成され、暗号化されて媒体２に記録される。
【０３２５】
次に図２５３（ｂ）に示す不正複製された媒体２では、通常トラッキング変位が追加されてない。もし、トラッキング変位が追加されていても、図に示すように同じ角度ゾーンＺ１におけるアドレスＡ１，Ａ２のトラッキング変位Ｔ’１，Ｔ’２は各々例えばＯ１＋１となり、測定したディスク物理配置表５５６は正規ディスクの基準物理配置表５３２と異なる。このため、図２４９のディスクチェック部５３３の照合部５３５によって検出され、出力／動作停止手段５３６によりプログラムの出力、もしくはプログラムの動作、もしくは第２暗号デコーダ５３４ｂによる応用プログラムの暗号解読が停止し、“不正コピーディスク”を示す表示が表示部１６に出力される。図２４９の場合、ディスクチェックプログラム自体が第２暗号デコーダ５３４ｂにより暗号化されているため、ディスクチェックプログラム５３３の改ざんが困難となり、不正複製防止効果を上げられる。
【０３２６】
次にピット深さ検知部について説明する。図２４９に示すように、光ヘッド６からの光再生信号はピット深さ検知部５５５のエンベロープ等の振巾もしくは変調度の変動、もしくは多値レベルスライサー等の振巾量検知部５５５ａに送られ、振巾変化によりピット深さを検知し、検知出力Ｄ’ｎを照合部５３５に送り基準物理配置表５３２のデータと照合する。異なる場合はコピー防止動作に入る。こうして図２５４（ａ）（ｂ）（ｃ）（ｄ）に示すようにアドレスＡｎ、角度Ｚｎ、トラッキング変位量Ｔｎ、ピット深さＤｎの４つのチェックパラメータが１つのサンプル点の物理配置５３９ａ，５３９ｂ，５３９ｃに対して各々チェックできるため、全てのサンプルポイントで４つのパラメーターの条件が一致した原盤を複製する必要がある。このような条件を満たす原盤を分留まりよく複製することは難しい。従って強力なコピー防止が実現する。特に巾を変えた上でピット深さの揃ったピット群を複製する事は極めて難しく分留まりが悪くなるため経済的に成立しなくなる。本発明の場合、図２６９に示すようにステップ５８４ａで、例えば１０００組のピット群を同一原盤上で、記録出力、パルス巾等の１０００組の異なる記録条件で記録すると、ステップ５８４ｂである一定の分留り、例えば１／２００の分留りなら５組の条件に合格したピット群ができる。ステップ５６４ｃでこの合格したピット群の物理配置等を原盤上をレーザー光でモニターすることによりみつけ出す。ステップ５８４ｄで合格ピット群の物理配置表を作成し、ステップ５８４ｅで物理配置表の暗号化し、ステップ５８４ｆで光記録部ならステップ５８４ｇで原盤の第２感光部５７２ａにこの暗号を記録する。ステップ５８４ｈで原盤にプラスチックを注入し、光ディスクを形成し、ステップ５８４ｉで反射膜を形成し、ステップ５８４ｊで磁気層がないなら完成し、あるなら、ステップ５８４ｋで磁気記録部を作成し、ステップ５８４ｍで磁気記録部に暗号を記録し、光ディスクは完成する。原盤作成後にピット深さを測定して、暗号化して配置表を記録するため、原盤を作成する時の分留まりは１００％近くまで高めることができる。
【０３２７】
ここで、ピット深さ検知部５５５におけるピット深さの検知法について述べる。図２５０（ａ）の不正複製ディスクのピット５６１ａ〜ｆは、同じピット深さである。図２５０（ｂ）の正規のディスクのピットのうち、ピット５６０ｃ，ｄ，ｅはピットが浅い。従って、図２５０（ｃ）のように再生パルス５６２ｃ，ｄ，ｅはピーク値が低くなり、多レベルスライサ５５５ｂの基準スライスレベルＳ０では、図２５０（ｆ）のように出力ができるが、検出用スライスレベルＳ１では、図２５０（ｄ）のように出力が出ない。従って、Ｓ１の逆値とＳ０の論理積をとることにより、図２５０（ｇ）のように正規ディスクの場合のみ、複製防止信号５６３ｃ，５６３ｄ，５６３ｅが得られる。不正ディスクでは、検出用スライスレベルＳ１の出力が連続して１になるため、複製防止信号は出力されない。従って、複製ディスクが検出できる。なおこの場合、図２５０（ｅ）のように光出力波形のエンベロープの振巾低下もしくは変調率の低下を振巾量検知部５５５ａにより検知して、Ｓ１の逆符号を得ても同様の効果が得られる。
【０３２８】
図２５６の複製防止効果の比較表から明かなように通常のＣＤやＭＤの原盤作成装置では角度制御機能をもたないため角度方向のディスクチェックつまりＡが有効である。一方、レーザーディスク（ＬＤ）用やＭＤ用やＣＤ用のＲＯＭ用の原盤作成装置はウォブリングつまりトラッキング方向の制御手段がないため、トラッキング方向の変位つまりＢが有効である。一方深さ方向つまりＣは、従来の回路に加えて振巾もしくは変調度の検出回路が入力回路に必要なため、既存のＣＤ用のＩＣでは検出できない。従って、現時点ではＡ＋Ｂがコピー防止効果が高いとともに既存のＩＣとの互換性があるため、ＣＤ，ＭＤに最も効果の高い組み合わせである。現状の原盤作成装置ではＡ＋Ｂつまり角度方向とトラッキング方向の２つのパラメータをの組み合わせたチェック方式が最も効果が高いことが解る。
【０３２９】
この角度方向とトラック方向とピット深さ方向に変調を加えたディスクの原盤作成装置を図２５７に示す。図２５７のマスタリング装置５２９は基本的には既に説明した図２３４のマスタリング装置とほぼ同じ構成と動作であるため、説明を省略し、違う部分のみを述べる。まず、トラッキング変調方式について述べる。システム制御部に、トラッキング変調信号発生部５６４があり、トラッキング制御部２４に変調信号を送り、基準トラックピッチ２４ａに基づく、ほぼ一定半径ｒ０のトラッキングを行なう。このトラックの半径のｒ０±ｄｒの範囲内で、ウォブリング等の変調をかける。このため原盤５７２上には図２５３（ａ）（ｂ）のような蛇行したトラックが作成される。このトラッキング変位量は、位置情報入力部３２ｂのトラッキング変位情報部３２ｇに送られる。コピー防止信号発生部５６５において、図２４６で説明したアドレスＡｎと角度Ｚｎとトラッキング変位量Ｔｎとピット深さＤｎが表になつた基準物理配置表５３２が作成され、暗号エンコーダー５３７で暗号に暗号化される。この暗号は図２６５、図２６６に示すような原盤の外周部に設けた第２原盤５７２ａもしくは図２６７，図２６８に示すような外周部に設けた第２領域の原盤に記録される。又、ピット深さ方向の変調Ｄｎも独立して加えることができる。図２５７のシステム制御部１０には光出力変調信号発生部５６６があり、光記録部３７ｂの出力変調部５６７のレーザー出力の振巾を図２６３（ｂ）のように変化させるか、図２６３（ａ）のように一定振巾でパルス巾もしくはパルス間隔をパルス巾変調部５６８により変調することにより、レーザー出力の実効値を変化させることができる。すると図２６３（ｃ）のように原盤５７２の感光部５７３には深さの違う感光部５７４が形成される。エッチング工程を経ることにより、図２６３（ｄ）のように深さの異なるピット５６０ａ〜５６０ｅが形成され、λ／４近くの深さの深いピット５６０ａ，５６０ｃ，５６０ｄと例えばλ／６近くの深さの浅いピット５６０ｂ，５６０ｅのピットが形成される。この原盤５７２にニッケル等の金属メッキを施すことにより、図２６３（ｅ）に示すような金属原盤５７５ができ、プラスチック成形することにより、成形ディスク５７６ができる。このようにレーザ出力の振巾を変えて、原盤にピットを形成する場合、図２６４の波形（５）の波形図に示すように再生出力のピーク値が減るため、レベルスライサーで特定のスライスレベルでスライスした場合、ピット深さの深いピットに比べて、パルス巾が狭く検知されてしまい、正常なデジタル出力が得られない。このため図２６４の波形（１）の図に示すような同期Ｔの原信号に対してパルス巾調整部５６９により、波形（２）の図に示すようにＴ＋△Ｔの巾の広いパルスを発生することにより波形（６）の図のようにデジタル信号が補正される。もし補正しなければ、波形（７）の図のように原信号より巾の狭いスライスされたデジタル出力が得られ、誤ったデジタル信号が出力される。
【０３３０】
こうして光出力変調部５６７によりピット深さが変調され、ピット深さ情報Ｄｎは光出力変調信号発生部５６６からピット深さ情報部３２ｈに送られ、コピー防止信号発生部５６５において、上述のＡｎ，Ｚｎ，Ｔｎ，Ｄｎが表になった基準物理配置表５３２が作成され、暗号エンコーダ５３７で暗号化され、磁気記録層に磁気記録される。もしくは図２６７の工程のように、原盤の外周部に設けた未感光部５７７原盤作成後、工程５に示すようにピット深さ等を測定し、物理配置表を得て暗号化し、工程６において、この暗号を第２感光部５７７に記録することにより、工程７、８、９に示すように一枚の原盤上にプログラムソフトとともに物理配置表５３２を記録することができる。各ディスク毎に異なるＩＤ番号をいれない場合は、必ずしも磁気層が必要ではなくこの方式により光記録部のみでコピー防止効果をもたせることができる。図２６８は原盤の上面図と断面図を示す。又、図２６５、図２６６にように２枚の原盤を貼り合わせても良い。又、図２５７では外部との通信インターフェース部５８８を設けて、図２６２のように外部のソフトの著作権者がもつ外部暗号エンコーダ５７９において、第１暗号Ｋｅｙ３２ｄにより物理配置表を暗号化してその暗号を外部暗号エンコーダ５７９から第２通信インターフェース５７８ａと通信回線と通信インターフェース５７８を介して光ディスク製造会社のマスタリング装置５２９に送り返す。この方式では、著作権者の第１暗号Ｋｅｙ３２ｄは光ディスク製造会社に渡されることはないため、暗号の安全性が高まるとともに第１暗号ｋｅｙ３２ｄが第３者に万が一盗まれても光ディスク製造業者は責任を負う必要がないという効果がある。
【０３３１】
また、光ピット深さ方向の精密な加工の制御は感光材料の感度とガンマ特性、レーザー光の出力変動やビーム形状、ガラス基板の熱特性、エッチング特性、成形プレスの寸法誤差等の多くの変動要因が含まれるため、かなり難しい。例えば図２５５に示すようにピットのパルス巾と深さを組み合わせと変更しようとすると、そのパルスの巾ごとにレーザー出力の振巾とパルス巾の最適条件が異なる。従って、図２５５に示すようにガンマ特性を考慮してレーザー出力の出力値とパルス巾を色々と変えた組み合わせ条件をｎ個つくる。例えば数百個のレーザー出力の組み合わせを作り、数百回違う条件で原盤を作成すれば、このうち数回は各々のピットの深さが最適化される。つまり数百個の原盤のうち数個、合格原盤ができる。この合格原盤では、信号を再生した場合、図２５５の波形（３）の波形５８１ａ、５８１ｃに示すように基準電圧Ｓ０に到達し、かつ検出電圧Ｓ１に到達しないピット群が形成できていることになる。しかし、１つのソフトに対し数百個無駄な原盤を作成するというのは数千万円の出費を要するため経済的に成立しない。そこで本発明では１回の原盤作成で、最適ピットを作る方式を用いている、図２６３に示すように数百組つまりｎ組の５８０ａ〜ｄのピット群を設け、各々ｎ組の異なるレーザー出力条件で記録する。すると、ｎ組のうちの数個、例えば、数百組のうち数組の確率で目的の条件に合格したピット深さとピット形状とパルス巾のピット群が得られる。図２４８に示すように、この合格したピット群５８０ｃの物理配置表５３２を暗号化してディスク２の磁気記録部や図２６６、図２６８に示す第２原盤や第２感光部の原盤５７２の光記録部に記録すれば、ピット深さを用いたコピー防止ディスクができる。この場合、合格ピット群ができる分留りが悪い程、ピット群のｎ組の数は増えるがコピー防止能力がその分高まる。現実にはピット群５６０の１組の総ピット数とパルス巾の種類を増やすことにより組み合わせの数が増え、分留りは数百分の１程度に悪くできる。物理配置表５３２は前述のように一方向関数で暗号化されているため暗号キーを知らない限り改ざんできない。従って、複製業者は１０万円以上する原盤を数百個作らない限り複製できない。つまり、１ヶの複製原盤を得るのに数千万円必要とするため経済的な意味がなくなり、複製業者はコピーをあきめるため複製が防止されるという効果がある。一方１０ビットのピット群を数百種類設け、このピット群を各々百組作っても総容量は数十ＫＢであり、例えばＣＤ−ＲＯＭの容量６４０ＭＢに与える影響は１万分の１であるため、本発明による容量減少が殆どないという効果がある。
【０３３２】
図ではＣＤのようなＲＯＭデイスクを用いた例を用いて説明したがパーシャルＲＯＭの様な記録型の光デイスクを用いて光ＲＡＭの記録層部に物理配置表を暗号化して記録しても同様の効果が得られる。またデイスクチェックプログラム５８４は図２７０のフローチャートに示すように応用ソフトの中のプログラム５８６の中のプログラムインストールルーチン５８４ｄや、印刷ルーチン５８４ｅや保存ルーチン５８４ｆ等のように各所に、例えば１０００箇所配置することにより応用プログラム全部を解読しない限りデスクチェックプログラム５８５を改ざんしたり削除できないため一部のディスクチェックプログラム５８５を省いても、他の残っているチェックプログラムにより動作は停止する。このようにディスクチェックプログラムを複数ヶ分散して配置することにより不正複製をより困難にするという効果が生じる。
【０３３３】
（実施例１８）
実施例１８はＯＳや一般のパソコン用プログラムのように特定の複数台のパソコンにソフトをインストールするソフトの場合のコピーガード機能を実現する。
【０３３４】
図１４９はブロック図を示し、図１４７と似ている。説明が重複しないように違う点を述べる。まず、ディスクの光マーク部３８７もしくは高Ｈｃ部４０１にはこのディスクがインストールできる最大のパソコン数が記録されており、このデータに鍵管理テーブルのＤｉｓｋ  ＩＤＮｏ．（ＯＰＴ）もしくはＤｉｓｋ  ＩＤＮｏ．（Ｍａｇ）のデータとして収められる。例えば”ＩＤ＝２０４３１２００１，Ｎ１＝５，Ｎ２＝３”と収められる。これは”ＤｉｓｋＩＤは“２０４０３１２１”で１番目のプログラムの最大インストール機種数が５台、２番目のプログラムの最大インストール台数が３台”を意味する。図のようにプログラム１を１台目の”××××１１”なるパソコン４０８にインストールするとＰｒｏｇｒａｍ１のテーブルは５つのうち５つ残っているため鍵解除のデコーダ４０６はデータを送出し、外部インターフェース部１４を介して第１のパソコン４０８のハードディスク４０９にＯＳ等のプログラムをインストールする。この時パソコン４０８の機器ＩＤＮｏ．”××××１１”はＣＤＲＯＭドライブ１ａへ送られ、このデータは鍵管理テーブル４０４のＰｒｏｇｒａｍ１のｎ＝１の箇所に収納された後、ＣＤＲＯＭの磁気トラック６７に記録される。
【０３３５】
次にこのＣＤＲＯＭ２ａを用い”××××２３”なる２台目のパソコン４０８ａにＯＳ等をインストールしようとした場合同様にして鍵管理テーブル４０４をチェックする。すると、まだ４台分インストールできることがわかるためインストールが始まり、Ｐｒｏｇｒａｍ１のｎ＝２の欄に”××××２３”なるパソコンのＮｏ．が記録され、磁気トラック６７に記録される。こうして５台のパソコンまでインストールできる。しかし、６台目の別のパソコンにＯＳ等をインストールしようとするとＰｒｏｇｒａｍ１のコラムに余裕がないため、新しいパソコンＩＤＮｏ．は記録できずインストールも防止される。こうしてソフトメーカーに支払った代金の台数のパソコンにしかインストールできないため不正なソフトのコピーは防止される。一方合法的にインストールしたパソコンのソフトがこわれ、再インストールが必要になった時は、マシンＩＤＮｏ．がすでに５台分の１つとして登録されているため何回でもインストールできるという効果がある。Ｄｉｓｋ  ＩＤＮｏ．も高Ｈｃの記録部４０１と光学マーク３８７の２種の異なる工程で記録されているために、それだけ複製にコストと手間がかかるため複製防止効果が高くなる。
【０３３６】
この方法つまり、このプログラムを図１５０のフローチャート図を用いてさらに詳しく説明する。ステップ４１０ａにおいてプログラムＮｏ．Ｎのインストール命令が出る。まずステップ４１０ｂにおいてパソコンのマシンＩＤＮｏ．例えば”××××１１”が読み出される。次にＣＤＲＯＭ２ａがＣＤＲＯＭドライブ１ａにセットされ、ステップ４１０ｃにおいて磁気データがパソコン４０８のメモリに送られ、鍵管理テーブル４０４が作成される。ステップ４１０ｅにおいてこのテーブルのプログラムＮｏ．Ｎの欄に登録されたマシンＩＤＮｏ．が読み出されて、ステップ４１０ｆにおいてインストールしようとするパソコンのマシンＩＤＮｏ．と一致するかをチェックし、Ｙｅｓならステップ４１０ｑに向かい、Ｎｏならステップ４１０ｇでマシンＩＤＮｏ．を登録する余裕があるかチェックする。具体的には５台インストール可能なら後何台インストールできるかをチェックする。Ｎｏならステップ４１０ｎに向かい当然インストールは防止され、ステップ４１０Ｐで停止する。Ｙｅｓならステップ４１０ｈにて、インストールするパソコンのマシンＩＤＮｏ．をテーブル４０４に登録する。するとインストールできる残りのパソコン数は減る。ステップ４１０ｃにて、このマシンＩＤＮｏ．を磁気ヘッドにより磁気トラック６７に記録する。ステップ４１０ｊでインストールを開始し、ステップ４１０ｋでインストールに成功した場合、ステップ４１０ｐで停止する。もし失敗した場合、ステップ４１０ｍでインストールするパソコンのＩＤＮｏ．を磁気トラックより削除し、ステップ４１０ｐで停止する。
【０３３７】
（実施例１９）
実施例１８ではパソコン４０８とＣＤＲＯＭドライブ１ａとのデータのやりとりを説明したが、実施例１９では、パソコンとＣＤＲＯＭドライブとのインターフェースの構成と動作について詳しく述べる。
【０３３８】
インターフェースを除くと基本的に従来のコンピュータと同じ動作をする。図１５１のパソコンとＣＤＲＯＭドライブのブロック図に示すようにパソコン４０８のソフトウェア部４１１の中のＷＰソフト等のプログラムのアプリケーション４１２は、シェル部４１３を介してシステムを管理するカーネル部４１４と情報をやりとりする。この、カーネル部４１４はＭＳＤＯＳ．ＳＹＳ等の狭義のＯＳ４１５とＩＯ．ＳＹＳ等の入出力制御システム４１６から成る。入出力制御システム４１６はハードディスクなどのデバイスとその入出力をするデバイスドライバ４１７をもつ。外部記憶装置は図の場合４つのドライバＡ，Ｂ，Ｃ，Ｄ各々、４１７ａ，４１７ｂ，４１７ｃ，４１７ｄが論理的に定義され通常、ＲＯＭＩＣ等のソフトウェアの入ったハードウェアで構成されるＢＩＯＳ４１９とＳＣＳＩ等のインターフェース４２０を介してパソコンとＨＤＤ４０９，ＣＤＲＯＭ２ａ，ＦＤＤ４２６等の外部記憶装置のインターフェース１４，４２４は物理的に接続されて、相互間のデータの入出力を行う。以上の動作は、従来方式と同じである。又、ＨＤＤ４０９とＦＤＤ４２６のインターフェースも従来と同じである。
【０３３９】
さて、従来のＣＤＲＯＭドライブや光ディスクドライブの場合、物理的に１つのドライブの場合、論理的に１つのドライブが定義される。しかし、本発明の磁気記録部をもつＣＤＲＯＭドライブ１ａの場合、入出力制御システム４１６において、２つのドライバＡすなわちドライバ，４１８ａとＢドライバ，４１８ｂが定義されている。ドライバＡはＣＤＲＯＭドライブ１ａの中のインターフェース１４を介して、論理的に定義された光記録ファイル４２１のデータを再生するが記録はしない。物理的には、前の実施例で説明したように光ディスクでの再生専用の光記録層４のデータを光再生部７により読みとり、パソコン４０８にドライバＡを介してデータを送る。ドライバＢは同様にして論理的に定義された磁気記録ファイル４２２のデータを記録再生する。物理的には、磁気記録再生部９により光ディスク２の磁気記録層３にデータを記録再生して、ドライバＢ４１８ｂとしてデバイスドライバ４１７を介してパソコン４０８とデータを入出力する。
【０３４０】
本実施例の場合、１つのＲＡＭ付ＣＤＲＯＭドライブ１ａに対して、２つのドライバ４１７ａ，４１８ｂを定義する。これによりＯＳ４１５がマルチタスクをすることにより、パソコン４０８が光記録ファイル４２１の再生を行いながら磁気ファイル４２２の記録又は再生を行うことができるため、１つのドライブ４１８の場合に比べてファイルの入出力処理が高速に行うことができるという効果がある。特に後で述べる仮想ファイルを用いた場合に効果が高い。
【０３４１】
次に物理的に上記の同時処理を行う方法を述べる。一番目の方法を述べる。まず、図１５２にＲＡＭ付ＣＤＲＯＭ２ａの光アドレステーブル４３３と磁気データテーブル４３４を示す。ＣＤＲＯＭのため光アドレステーブル４４０の全データは書き込み禁止フラグが立っている一方で、磁気アドレステーブル４４１の全データは指定がない限り、書き込み可能となっている。本発明のＣＤＲＯＭドライブ１ａは前述のように、ＣＤＲＯＭ２ａが挿入された時点で使用頻度の高いデータ予めドライブメモリー３４ａに読み込む。従って、磁気アドレステーブル４４１のうち必要なデータのアドレスが磁気アドレステーブルの例えば物理アドレス００の磁気データ４４２に使用頻度順に並んでいる。従ってディスク挿入時にアドレス００の磁気データを読み出し、必要なデータ順にＩＣメモリからなるドライブメモリ３４ａに移しておく。これによりＣＤＲＯＭの磁気データの記録再生時には物理的にＩＣメモリーのドライブメモリー３４ａのデータをアクセスし記録再生するだけでよい。このため、システム制御部ＩＯのＣＰＵの時分割処理で同時に実行させることにより光再生部７により光データを再生すると同時にドライブメモリ３４ａの中の磁気ファイル４２２を読み書きすることが可能となる。このため物理的にＣＤＲＯＭ２ａの磁気記録層３の記録再生は１回でよいため、記録面の損傷が減る。ドライブメモリ３４ａの内容はＣＤＲＯＭドライブ１ａの電源がＯＦＦになってもメモリバックアップ部４３３により保持される。従って、電源のＯＮ，ＯＦＦに関係なくＣＤＲＯＭ２ａの排出時の時だけドライブメモリ３４ａの中の変更された磁気記録データを選び出し、磁気記録層３に記録するためディスクの挿入から排出されるまでに記録回数は最大１回となり、寿命が伸びるという効果がある。並列のファイル処理ができ、転送速度が上がる。このドライブメモリａはメモリバックアップ部４３３によりＣＤＲＯＭドライブ１ａの電源が切れても記憶内容は保持される。従って、電源を再びＯＮしてもＣＤＲＯＭを交換しない限り、ＣＤＲＯＭの磁気データを読む必要はない。
【０３４２】
この場合、ＣＤＲＯＭドライブ１ａのシステム制御部１０の中に図１２５で説明したようなデータ圧縮伸長部４３５を設けることにより、磁気ファイル４２２の実質的な容量を増やすことができる。
【０３４３】
次に本発明のＣＤＲＯＭドライブを１つのドライブとして扱う場合を述べる。基本的に２ドライブの場合と動作は変わらないため説明の重複する部分は省く。
【０３４４】
図１５３のブロック図に示すようにパソコン４０８の入出力制御システム４１６の中で本発明のＲＡＭ付ＣＤＲＯＭを１つのドライブ、例えばＡドライブ４１８として、扱うこともできる。この場合シングルタスクのＯＳでもＲＡＭ付ＣＤＲＯＭドライブ１ａのデータを読み書きできる。ファイル構成としては、図１５４のアドレステーブルのように、光ファイル４２１と磁気ファイル４２２に連続アドレスをつけ光データテーブル４４０と磁気データテーブル４４１を一つのファイルとして扱い、例えば、図のように論理アドレス”０１２５１”まではＣＤＲＯＭのデータを割りあて、書き込み禁止フラッグを全てたてる。論理アドレス”０１２５２”以降には、磁気データを割りあて、書き込み可能なフラッグをたてる。
【０３４５】
すると、パソコン側からみた場合、１つのディスクとみなし光データは再生でき、磁気データは記録再生ができる。この場合も論理アドレス”０１２５２”には、磁気データの使用頻度の高いデータのアドレスが記録されているため、図１５３のブロック図に示すようにこのアドレスに対応する磁気記録層３のデータをＣＤＲＯＭ２ａ挿入後に磁気記録再生部９とデータ圧縮伸長部４３５を介してドライブメモリー３４ａの磁気ファイル４２２に移動させることにより、以後、磁気記録層３のデータを物理的に読み出す必要は殆どなくなる。磁気データの記録再生はドライブメモリ３４ａＩＣメモリのデータを書き換えることにより、仮想的に行われる。磁気のデータは、例えば３２ＫＢのように小さいため容量の小さいＩＣメモリでも収納することができるからである。このことにより、ディスクの寿命が伸び、アクセスと入出力の速度を上げられる。前述のようにディスク排出時にのみ、物理的な磁気データの記録が行われる。他の動作は前述の２ドライブ方式と同じであるため省略する。１ドライブ方式の場合、システム構成が簡単になる。
【０３４６】
次に、磁気記録層３のデータの再生と、光記録層４のデータの再生を効率よく行う方法を述べる。ＣＤＲＯＭの転送速度を落とさないためには、光記録層の再生時間中に、磁気記録層の再生を行うことが望ましい。さらに、ＣＤＲＯＭ挿入時の立ち上り時間を早くすることが最も重要である。まず、本実施例のファイル構成を図１５４のファイル構造アドレス表を用いて説明する。図に示すように磁気記録層付ＣＤＲＯＭ２ａは光ファイル４２１と小容量の磁気ファイル４２２から構成され、各々光アドレステーブル４４０と、別々の物理的な光アドレスと磁気アドレスをもつ。そして図１５５の光ディスクの横断面図に示すようにこの光アドレスＡ，Ｂ，Ｃ，Ｄ，Ｅ，Ｆの裏側に磁気ドライブ６７ａ，６７ｂ，６７ｃ，６７ｄ，６７ｄ，６７ｅ，６７ｆが配置され、磁気アドレスａ，ｂ，ｃ，ｄ，ｅ，ｆが各々対応している。この対応関係は磁気アドレス００の磁気ＴＯＣ部４４２に前述の頻度管理データとともに記録されている。そして、図１５３のシステム制御部１０はドライブメモリ３４ａに光アドレスと磁気アドレスの物理的位置を示す１アドレスリンクテーブル４４３をもつ。この内容は図１５４（ｂ）に示すように、２つのアドレスのリンク情報が記録されている。
【０３４７】
さて、具体的に磁気データの再生と光データの再生を同時に行う方法を述べる。ＣＤＲＯＭを挿入して最小限のプログラムを立ち上げる時、最小限の光データの再生を行う。この必ず再生する光データの光トラックの丁度裏側の磁気トラックにプログラム立ち上げに必要な最小限の磁気データ、例えばゲームソフトの個人別点数データや進度データを記録しておけばよい。
【０３４８】
この動作を図１５６のフローチャート図を用いて説明する。
ステップ４４４ａでｍ＝０なる初期値を設定し、ステップ４４４ｂでｍ＝ｍ＋１とする。ステップ４４４ｃでｍが最終値か確認し、Ｙｅｓならステップ４４４ｍへ飛び、Ｎｏならステップ４４４ｄへ進み、ｍ番目の光アドレスＡ（ｍ）の光データを再生する。次に、ステップ４４４ｅで、磁気トラックに対応する光トラックの中でこの光アドレスＡ（ｍ）に近いものがあるか探すサブルーチンに入る。このサブルーチンの中ではステップ４４４ｆでｎ＝０とし、ステップ４４４ｇでｎ＝ｎ＋１とし、ステップ４４４ｗでｎが最終値かチェックし、Ｙｅｓならステップ４４４ｍに跳び、“Ｎｏ”ならステップ４４４ｈでｎ番目のステップ４４４ｈでｎ番目の磁気アドレスの裏側の光アドレスＭ（ｎ）をアドレスリンクテーブル４４３より読み込み、ステップ４４４ｉで例えばＭ（ｎ）＋１０なるチェックをして、この光アドレスが近傍にあるかチェックする。Ｎｏならステップ４４４ｇに戻り、次の磁気トラックの光アドレスをチェックする。Ｙｅｓならステップ４４４ｊで磁気ヘッドを磁気記録層３へおろし、磁気アドレスｎのデータの再生と光トラバースのこの間の固定を行い、ステップ４４４ｋで磁気データの再生が完了したかチェックし、Ｎｏならステップ４４４ｊを再び実行し、Ｙｅｓならステップ４４４ｂに戻り、再びｍの数を１つ増加させる。以上の作業を繰り返す。しかし、ここでｍが完了値であればステップ４４４ｍに跳び、ゲーム等のプログラム立ち上げに必要な磁気データの入った磁気トラックの全ての再生が終わったかチェックし、ステップ４４４んで完了なら、ステップ４４４ｖに跳び、Ｎｏなら残ったｎ０個の磁気トラックの再生サブルーチン４４４ｐに入り、残った磁気磁気データの再生を行う。このサブルーチンを説明すると、ステップ４４４ｑでｎ＝０としステップ４４４ｒでｎ＝ｎ＋１とし、ステップ４４４ｓでｎが完了したかチェックし、Ｙｅｓならステップ４４４ｖへ跳び、Ｎｏならｎ番目の磁気アドレスの対応光アドレスをアクセスし、ステップ４４４ｕで磁気データの再生を行い、ステップ４４４ｒへ戻り、再びｎ＝ｎ＋１とし、完了しない限り、同じ操作を繰り返す。完了すればステップ４４４ｖに跳び、プログラムの初期立ち上がりデータの再生作業を完了する。
【０３４９】
このフローチャートから、光データの光トラックの裏側の磁気トラックにプログラム立ち上げにつまりＩＬＰ必要な最小限の磁気データを記録することより、プログラム立ち上げの時間が短縮できるという効果がある。この場合、図１５４に示すように、このように様々な光トラックの裏側の磁気トラックを選択することは磁気トラックが必ずしも、等間隔に配置されないことを意味する。従って前述の本発明のバリアブルピッチの磁気トラックの採用により、このプログラム立ち上げ時間の短縮が実現する。
【０３５０】
又、図１５４の磁気ＴＯＣ４４２に示すように、磁気ＴＯＣに、各磁気トラック０１，０２・・の裏側の光トラックの光アドレスを記録することにより、自由なピッチの磁気トラックが設定できる。前述の使用頻度順に、この磁気トラックを並べることにより、頻度管理データが省略でき、実質的な容量が大きくなるという効果がある。
【０３５１】
（実施例２０）
実施例２０では、このＣＤＲＯＭ１ａを用いてＣＤＲＯＭソフトのプログラムのバッグを修正する方法を開示する。
【０３５２】
図１５７（ｂ）のファイルのデータテーブルに示すように容量５４０ＭＢのＣＤＲＯＭ１ａの光ファイル部４２１にはバグ修正プログラム４５５が記録されている。残りの部分にはＯＳ等のプログラムがＲＯＭデータとして記録されている。磁気ファイル４２２は本発明の場合３２ＫＢ程度である。ここには、容量の小さいバグ修正データ４４６のみが記録されている。修正プログラムは記録されていない。図１５７（ｂ）の下部に示すように修正データと修正内容と修正すべき光ＲＯＭデータの光アドレスが入っている。図１５７（ｃ）に示すようにＯＳ等の中のバグのある特定のファイルのみをメモリ３４に読み込み、バグ修正プログラム４４７とバグ修正データ４６により、修正済みデータ４４８を出力する。図１５７（ａ）のフローチャート図を用いて、具体的な手順を述べる。まず、ステップ４４５ａでバグのある特定ファイルを読み込む時点で、特定ファイル全てをメモリ３４に移す。ステップ４４５ｂでＮ＝０とし、ステップ４４５ｃでＮを１番進めステップ４５ｄで該当特定ファイルのＮ番目のバグ修正データを読みだしステップ４４５ｅで番地変更なしの修正かチェックし、Ｙｅｓならステップ４４５ｆでデータを修正し、Ｎｏならステップ４４５ｈで行を削除し、ステップ４４５ｊで光ファイルの論理番地を変更し、ステップ４４５ｋへ進む。Ｎｏならステップ４４５ｋに進む。ステップ４４５ｋでは行を追加するかチェックし、Ｎｏならステップ４４５ｐに進み、Ｙｅｓならステップ４４５ｍ、４４５ｎで行を追加し、光ファイルの論理番地を変更し、ステップ４４５ｐに進む。ステップ４４５ｐでは、その他の処理があるかチェックし、Ｎｏならステップ４４５ｒに進み、Ｙｅｓならステップ４４５ｑで他の処理を行い、ステップ４４５ｒでＮがＭに達し修正が完了したかチェックし、ステップ４４５ｓで修正を完了し、修正済みの特定ファイルを出力する。本実施例の場合、修正プログラムを光ＲＯＭ部に予め記録し、修正データを出荷時に磁気ファイル４２２に記録するため、ＯＳ等のバグ修正が光ディスク製造後にできるという大きな効果がある。さらに、光ＲＯＭ部に修正プログラムが記録してある。このため容量の小さい磁気ファイル４２２には修正データの記録だけでよい。このため、より大量の修正データが記録できるという効果かある。
【０３５３】
（実施例２１）
実施例２１では辞書等のファイルを読みだし時にリアルタイムでＣＤＲＯＭのバグデータを修正する方法を述べる。
【０３５４】
図１５８（ｂ）に示すように磁気ファイル４２２の中には光ＲＯＭデータ修正テーブル４４６が記録されており、光アドレスに対応した修正後のデータが記録されている。図１５８（ｃ）に示すように光ファイル４２１の中の修正プログラム４４７と磁気ファイル４２２の修正データにより光ファイル４２１の各データをリアルタイムで修正し、修正済データ４４８として出力する。
【０３５５】
この流れを図１５８（ａ）のフローチャート図で説明する。ファイルデータ修正プログラム４４７はステップ４４７ａで特定の光データの読みだし命令を受け、ステップ４４７ｂで読み出すデータの光アドレスの開始番号にＮをセットする。ステップ４４７ｃでＮを１番増加させ、ステップ４４７ｄで光アドレスＮのデータを読みだしステップ４４７ｅで光アドレスが修正テーブル４４６のｋ１〜ｋＭであるかチェックする。Ｎｏならステップ４４７ｇに進み、Ｙｅｓならステップ４４７ｆで光アドレスＮのデータを修正テーブルに基づき修正し、次のステップ４４ｇで必要な光データを全て読みだしたかチェックする。Ｎｏならステップ４４７ｃに戻り、Ｙｅｓならステップ４４７ｈに進み、修正済みの光データを出力する。本実施例の場合、光アドレス単位にデータを修正し出力するため、リアルタイムでデータが出力されるという効果がある。従って辞書ＣＤＲＯＭソフト等の小さな単位のデータ出力の場合に効果がある。各修正データを例えば平均１０Ｂとすると本発明のＣＤＲＯＭ１ａは３２ＫＢ程度の磁気記録領域をもつため３０００ヶ所の修正が可能となる。従って辞書のＣＤＲＯＭソフト等の修正用に適している。また辞書の場合、使用頻度の高いデータの記録や重要なデータのマーキングに磁気記録層３を用いることにより、新しい機能が追加できるため効果が高い。
【０３５６】
（実施例２２）
前述の実施例では磁気ファイル４２２のデータをデータ圧縮伸長プログラムにより、実質的に容量を数倍に拡張させる方法を開示した。
【０３５７】
実施例２２では、最近のＷＩＮＤＯＷＳパソコンのようにハードディスク４２５が標準整備化した現状に着目し、ハードディスク４２５に物理的に大容量ファイルを定義し、この大容量ファイルが磁気ファイル４２２の中に論理的に存在するような仮想メモリ方式を用いて、磁気ファイル４２２の容量を論理的に増大させる方法について述べる。この場合、基本的な構成と動作は図１５３の場合と同じであるため、重複する説明は省略する。図１５９のブロック図に示すようにマシンＩＤ＝Ａｐのパソコン４０８とＣＤＲＯＭドライブ１ａとディスクＩＤ＝ＡＨのＨＤＤ４２５やディスクＩＤ＝ＢＨのＤＤや光ディスクの交換型光ディスク４２８はインターフェースを介して物理的に接続されている。又、磁気ファイル４２２はアプリケーションプログラム４１２とネットワークＯＳ４３１とネットワークＢＩＯＳ４３６、通信ポート４３２、ＴＯＰＩＰ等のＬＡＮネットワーク４３７を介してマシンＩＤ＝Ｂｐのパソコン４０８ａと接続可能になっており、パソコン４０８ａと直接接続されたディスクＩＤ＝ＣＤのハードディスク４０５ａとも接続可能となっている。従って、本実施例の磁気ファイル４２２の仮想的な大容量ディスクは物理的にパソコン４０８のハードディスク４２５と交換ディスク４２８そして別のパソコン４０８ａのハードディスク４２５ａの３ヶ所に設定できる。それを各々仮想ディスク４５０、４５０ａ、４５０ｂと呼び図中に斜線部で示す。
【０３５８】
この仮想ディスク４５０を用いることにより、例えばＣＤＲＯＭ１枚あたり３２ｋＢしか記録できない磁気ファイル４２２の容量が仮想的に１００ＭＢとか１０ＧＢに増大する。近年のＷＩＮＤＯＷパソコンはＨＤＤが必須であり、オフィスではネットワーク機能が殆どのパソコンについている。本実施例はパソコンのハードディスクの空き容量とネットワーク機能を用いて殆どのパソコン本実施例のＣＤＲＯＭ１ａを挿入しても仮想的な大容量メモリ空間が得られる。
【０３５９】
次に、図１６０のファイルデータ構造図を用いて具体的なデータ構造を説明する。
【０３６０】
ＣＤＲＯＭ１ａは物理的に存在する光ファイル４２１と磁気ファイル４２２と論理的に定義された仮想ファイル４５０からなる。仮想ファイル４５０の実際のデータは図に示すＨＤＤ４２５や交換型ディスク４２８や他のパソコン４０８ａの物理ファイルＨＤＤ４２５ａの中の物理ファイル４５１に記録されている。ＣＤＲＯＭ１ａの磁気ファイル部４２２には仮想ファイル４５０と物理ファイル４５１のリンク情報と各仮想ファイルの名称や属性等のディレクトリ情報が入った仮想ディレスクリエントリ４５２が記録されている。仮想ディレクトリエントリ４５２は１：磁気ファイルの中のアドレス４３８、２：ＬＡＮを介して他のパソコンと接続するコマンドの入った通信プログラムの番号の入った接続プログラム番号４５３、３；実際のデータが入っている物理ファイル４５１の入ったディスクの接続されたパソコンやドライブのマシンＩＤＮｏ．が入ったマシンＩＤ番号４５４、４：物理ファイル４５１が入っているディスクのＩＤ番号が入ったディスクＩＤ４５５、５：仮想ファイル４５０のファイル名４５６、６：拡張子４５７、７：仮想ファイルの種類を示す属性４５８、８：予約領域４５９、９：ファイルの変更日時を示す変更時刻４６０、１０：フィイルが開始されるクラスタ番号を示す開始クラスタ番号４６１、１１：ファイルサイズ４６２の１１項目の属性データから構成されている。このうち項目５から１１まではＭＳＤＯＳ等のｏｓで用いられているディレクトリとほぼ同じであり、通常３２バイトで構成されている。全項目で４８〜６４Ｂｙｔｅである。
【０３６１】
さて、磁気ファイルテーブル４２２ａに示すように磁気ファイル４２２にはこの仮想ディレクトリエントリ４５２が仮想ファイルの数だけ入っている。図１６０には図面の関係で項目１、２、３、４、５、１０だけを表示している。
【０３６２】
まず１番目の仮想ディレクトリエントリ４５２ａは項目２の接続プログラム番号４５３に”ＡＮ”が入っている。次に項目３の副マシンＩＤＮｏ４５４をみると、物理ファイル４５１の入ってるマシンＩＤがＡｐであることがわかる。図の場合ＣＤＲＯＭ１ａはマシンＩＤ＝ＡｐのパソコンのＣＤＲＯＭドライブに接続されているため、ＬＡＮを接続する接続プログラムＡＮを起動して他のパソコンのディスクをアクセスする必要はないことがわかる。主マシンＩＤ４５４が他のパソコンの場合、接続プログラムＡＮを起動して、主マシンＩＤ４５４のＬＡＮアドレスのパソコンに接続し、そのディスク４２５ａをアクセスさせる。リンクデータ４５２には、ディレクトリ情報のほぼ全てが記録されているため、パソコン側でディレクトリを見る場合物理ファイル４５１をアクセスする必要はなく、仮想ファイル４５０のデータを読み書きする時にのみ物理ファイルをアクセスすればよい。このため、リンクデータ４５２により物理ファイルのアクセスが減るという効果がある。
【０３６３】
こうして、物理ファイル４５１に到達すると、物理ファイルのディレクトリ４６３にはディレクトリ領域テーブル４６５に示すように、通常のフォーマットの副仮想ディレクトリエントリ４６７が記録されている。このデータは主仮想ディレクトリエントリ４５２の項目１〜１１のうち項目５〜１１が記録される。反面項目８の副予約領域４６８には仮想ファイル４５０のある元の主ＣＤＲＯＭ側の主ディスクＩＤと、仮想ファイル４５０を設定したユーザーＩＤ４７０、ファイル毎の暗記番号４７１、仮想ファイルを作った最終の主パソコンの主マシンＩＤ４７２等のデータが、仮想ディレクトリエントリ４５２に比べて追加されている。この追加されたデータは仮想ファイル４５０と物理ファイル４５１との関連を物理ファイル４５１側から確認するために記録してある。チェックして関連が低ければＯＳは書き込みを許可しない。また、項目７の属性４５８には仮想ファイル４５０に関係しない通常の書き込みを禁止するため、ＭＳＤＯＭの場合”０１Ｈ”なる再生専用コードが記録されている。従って記録は原則的にできない。仮想ファイル４５０にデータを記録する場合、パソコンの入出力制御システムには、仮想ファイル４５０のＣＤＲＯＭＩＤ４６９と変更的副４６０等の情報が送られる。このデータが、副ファイルリンクデータ４６７と一致する子ことをチェックしてＯＫなら物理ファイル４５１への記録をカーネル部のＩＯＳＹＳが書き込みを許可し、記録が実行される。”Ｆｉｌｅ  Ａ”にデータを追加する場合、物理ファイル４５１のディレクトリ４６３をみて、ＦＡＴ４６６の内容を例えばＦＡＴ４６６ａのように追記して、新たなデータ領域に”Ｆｉｌｅ  Ａ”の追加データを物理的に記録する。この場合ファイルサイズが記録前に比べて大きくなるため物理ファイルと仮想ファイルの仮想ディレクトリエントリとディレクトリエントリ４６７の各々のファイルサイズ４６２のデータを例えば”５６００ＫＢ”と書き換える。
【０３６４】
こうして仮想ファイル４５０に対応する物理ファイル４５１のデータの記録再生ができる。この仮想ファイル４５０が実現する作業は全てＯＳ、入出力ＯＳ、ネットワークＯＳが行うため、ユーザーからみた場合あたかもＣＤＲＯＭ１ａの磁気記録部３に例えば５６００ＫＢの物理ファイルが存在するかのように扱える。
【０３６５】
４８Ｂ程度の仮想ディレクトリエントリ４５２の１つのデータから仮想ファイル４５０と数十ＫＢから数ＧＢの物理ファイル４５１をリンクさせ、データの物理的な記録再生が可能となる。従ってＣＤＲＯＭ１ａに付随した本発明の磁気ファイル４２２の容量が３２ＫＢの小容量しか得られなくても５００〜１０００ヶの仮想ディレクトリ４５２つまり５００〜１０００本の仮想ファイル４５０を仮想的に記録再生することができる。１ファイル１０ＭＢとすると５ＧＢ程度の仮想的なＲＡＭディスク容量が得られるという著しい効果がある。
【０３６６】
では、ＣＤＲＯＭ用の仮想ファイルを実現する方法をフローチャートに基づき説明する。まず、図１６１の仮想ファイル再生ルーチンフローチャートを用いて仮想ファイルを再生する方法を述べる。
【０３６７】
ステップ４８１ａおいて、ファイル”Ｘ”を呼ぶ命令を受けたとする。次のステップ４８１ｂにおいて、ディレクトリ情報の内容だけで充分かをチェックし、Ｙｅｓなら磁気ファイル４２２の中の仮想ディレクトリエントリを読み、ステップ４８１ｄにおいて、図１６４（ａ）の画面表示図の画面４９５の表示文字４９６ａに示すようにファイル名又はディレクトリ名、ファイルサイズ、作成日時等のディレクトリ内容だけをパソコンの画面に表示する。
【０３６８】
ここで画面表示の説明をする。
図１６４（ａ）において表示文字４９５ｂ，４９５ｃは各々１０ＭＢの静止画ファイル１ＧＢの動画ファイルの記録可能な仮想ファイル４５０がドライブＡつまりＲＡＭ付ＣＤＲＯＭ１ａに論理的に存在することを示している。操作者にはあたかも大容量の記録可能なファイルがあるようにみえる。当然再生等用の５４０ＭＢのＣＤＲＯＭファイルも表示文字４９６ｄに表示されており、”計４ケのファイル”の表示文字４９６ｅも表示されている。本実施例ではパソコンは２０ＧＢのハードディスクを備えている。そして、１枚のＣＤＲＯＭ１ａに対する仮想ディスクの仮想ディスク設定容量ＶＭＡＸは図１６０のデフォルトの主マシンＩＤ４７４の副ディスクＩＤの欄に記録されている。ここで副ディスクＩＤの物理ファイル容量もしくは仮想ディスク設定容量のいずれかが仮想ディスクの記録できる最大容量である。この値から現在の仮想ファイルの使用容量を引いたものが残った記録容量である。図１６４（ａ）の場合は全容量１０ＧＢの仮想ファイルが設定されており、１０２０ＭＢ仮想ファイルを消費している。１００００ＭＢ−１０２０ＭＢとなり、残り８９８０ＭＢの容量の仮想ファイル４５０があることを画面表示している。表示文字４９６ｇのように仮想ファイルを示す。符号”Ｖ”が仮想ファイルについているので他ファイルと区別できる。
【０３６９】
また図１６５のパソコン画面図と図１５１のブロック図に示すように、ＲＡＭ付ＣＤＲＯＭ１ａのドライバをＡドライフＢドライブに分けるとＣＤＲＯＭのＲＯＭ部は表示文字４９６ｈのように表示され、ＣＤＲＯＭのＲＡＭ部は表示文字４９６ｉ，４９６ｊのようにＲＯＭとＲＡＭが別々に表示されるため、操作者が扱い易いという効果がある。また、マルチタスクの処理の場合、ＲＯＭ部とＲＡＭ部を独立して同時に読み書きすることができるため、処理速度が速くなる効果もある。さて、図１６１のフローチャートのステップ４８１ｂに戻る。Ｎｏならステップ４８１ｅへ進み、現在の使用しているマシンＩＤＮｏと仮想ディレクトリエントリ４５２に記録されている主マシンＩＤ番号４５４が同一かチェックし、Ｎｏならこのパソコンには物理ファイルがないためステップ４８２ａへとび、Ｙｅｓならこのパソコン４０８の中に物理ファイル４５１があるためステップ４５１ｆへ進み、物理ファイルのドライブ名を副ディスクＩＤ４５５より読み込み、ドライブが動作しているかチェックする。Ｎｏならステップ４８１ｇで”ドライブＩＤの電源投入”を指示する表示を画面に出し、ステップ４８１ｈで該当ドライブが動作したかチェックし、Ｎｏならステップ４８１ｉでＳＴＯＰし、Ｙｅｓならステップ４８１ｊへ進む。ステップ４８１ｊでは副ディスクＩＤ４５５のディスクが存在するかチェックし、Ｎｏならステップ４８１ｋへ進み、フロッピーや光ディスク等の交換媒体かどうかを副ディスクＩＤの中の交換媒体識別子をみて判断し、Ｎｏならステップ４８１ｎで”エラー”表示を画面上に出し、ＳＴＯＰする。Ｙｅｓならステップ４８１ｍで副ディスクＩＤ４５５の”ディスク挿入せよ”の表示を画面に出し、ステップ４８１ｊに戻る。ステップ４８１ｊに戻り、Ｙｅｓならステップ４８１ｑに進み、副ディスクＩＤのディスクのディレクトリ領域４６５をみて、該当するファイル名４５６を探す。ステップ４８１ｒであるかみて、Ｎｏならステップ４８１ｐでエラー表示を出す。Ｙｅｓならステップ４８１ｓで情報の照合を行い、本当に仮想ファイルに対応する物理ファイルであるか確認する。具体的には仮想ディレクトリエントリ４５２とディレクトリエントリ４６７の中のデータを照合する。又、ＣＤＲＯＭのディスクＩＤとディレクトリエントリ４６７の中のＣＤＲＯＭ側主ディスクＩＤ４６９のＩＤとを照合する。変更時刻やファイルサイズも照合する。属性はチェックしない。ステップ４８１ｔで全ての照合すべき項目が同一かチェックし、Ｎｏならステップ４８１ｕでエラー表示し、Ｙｅｓならステップ４８１ｖでディレクトリ領域４６５の該当ファイル”Ｘ”の物理データの読み出しを開始する。まず、ＦＡＴの開始クラスタ番号”ＹＹＹ”を待って、ステップ４８１ｗでＦＡＴの”ＹＹＹ”に連続するクラスタ番号を読み出し、ステップ４８１ｘでデータ領域の前述のクラスタ番号の全データのうち、必要なデータを読み出す。次のステップ４８１ｙでファイル”Ｘ”の読み出しは完了し、仮想ファイル４５０はパソコン４０８のハードディスクの容量の範囲内で、任意の容量値を得られる。
【０３７０】
さて、ステップ４８１ｅに戻り、現在のパソコンのハードディスクの中に、仮想ファイルに対応する物理ファイルがない時は、ステップ４８２ａにとび、子の物理ファイルの入った主マシンＩＤのパソコンとの接続を開始する。この場合接続ルーチン４８２はネットワークＯＳが担当する。まず主マシンＩＤのＬＡＮアドレスを仮想ディレクトリエントリの主マシンＩＤの項目から読み出し、ステップ４８２ｂで接続プログラムの番号を読み出し、所定のネットワーク接続プログラムを実行し、前述のＬＡＮアドレスを入力し、接続を試みる。ステップ４８２ｃで接続をチェックし、失敗（Ｎｏ）ならステップ４８２ｄでエラー表示を出し、成功（Ｙｅｓ）なら副パソコン４０８ａへ該当ファイル読み出し命令をＬＡＮ等のネットワークを介して送信する。
【０３７１】
ステップ４８２ｇからは副パソコン４０８ａのＯＳ作業となる。まず、主パソコンよりＦｉｌｅ”Ｘ”の読み出し命令を受けて、物理ファイルの中のデータを読み出すが、この作業は前に説明した物理ファイルデータ読み出しサブルーチン４８３とまったく同じである。このため、ステップ４８３ａでは、このサブルーチン４８３ａではこのサブルーチンを使う。ステップ４８２ｈでファイルの読み出し完了をチェックし、Ｙｅｓなら該当ファイルのデータをステップ４８２ｊへ進み、主パソコン４０８へファイル”Ｘ”のデータを送信し、ステップ４８２ｋへ進む。Ｎｏならステップ４８２ｉに進み、主パソコンへエラーメッセージを送り、同じくステップ４８２ｋへ進む。
【０３７２】
ステップ４８２ｋではＬＡＮを介して再び主パソコン４８０のネットワークＯＳの接続ルーチン４８２となる。ステップ４８２ｋでは、副パソコン４０８ａからの該当ファイルのデータもしくは、エラーメッセージを受信し、ステップ４８２ｍでエラーメッセージかをチェックする。Ｙｅｓならステップ４８２ｐでエラー表示を出し、Ｎｏならステップ４８２ｙへ進み、ファイル読み出し作業を終了する。
【０３７３】
次に図１６２のフローチャートを開いて、仮想ファイルの書き換えルーチン４８５ａの手順を説明する。図１６６（ａ）のように画面に表示文字４９６が出ている、ステップ４８５ａで使用者が特定ファイル”ｘ”のデータを書き換える命令を出した場合のステップ４８５ｂでこの特定ファイル”ｘ”の仮想ディレクトリエントリ４５２を読み込み、ステップ４８５ｃでこのファイルに暗唱番号があるかチェックする。Ｙｅｓならステップ４８６ｄで図１６６（ａ）の表示文字４９６ｐのように画面に”ｐａｓｓｗｏｒｄ？”と表示する。操作者が表示文字４９６ｑに示すように”１２３４５６”とキーボードに入力し、この番号が暗唱番号とチェックし、Ｎｏならステップ４８５ｅで”エラー”の表示を画面に出す。
【０３７４】
Ｙｅｓならステップ４８５ｇに進み、パソコンのマシンの中に物理ファイル４５１があるかチェックする。もし、現在のマシンＩＤと主マシンＩＤ４５４と一致するかチェックし、Ｙｅｓならステップ４８５ｈに進み、Ｎｏなら他のパソコンとネットワークで接続する接続ルーチン４８８の中のステップ４８６ａに進む。Ｙｅｓなら、物理ファイルデータ書き換えサブルーチン４８７のステップ４８５ｈに進み、仮想ディレクトリエントリ４５２の中の副マシンＩＤのドライブ名を取り出し、このドライブ名のドライブがパソコンの中に存在するかチェックする。”Ｎｏ”なら図１６６（ｂ）のようにステップ４８５ｉの”ドライブ電源を入れて下さい”との表示文字４９６ｒを画面に出し、ステップ４８５ｉで該当ドライブの有無をチェックし、”Ｎｏ”ならステップ４８５ｊに進み、画面に”エラー”表示文字４５６ｓを出す。Ｙｅｓなら同じくステップ４８５ｋへ進む。ステップ４８５ｋで、次にドライバの中副ディスクＩＤ４５５と同じＩＤ番号のディスクがあるかチェックする。Ｎｏならステップ４８５ｍにとび、交換媒体属性をチェックし、Ｙｅｓならステップ４８５ｎで図１６６（ｄ）のように”交換媒体ディスクｘｘを入れて下さい”と表示し、ステップ４８５ｋへ戻る。Ｎｏならステップ４８５ｊへとび”エラー”の表示をする。
【０３７５】
さて、ステップ４８５ｋがＹｅｓの場合、副ディスクＩＤのディスクの中のディレクトリ領域４６５を読み、該当ファイル名４５６を探しチェックする。Ｎｏなら、ステップ４８５ｊへとびエラー表示をする。Ｙｅｓなら、ステップ４８５ｒへ進み、この物理ファイルが仮想ファイルの本当の物理ファイルかを照合する。具体的には、仮想ディレクトリエントリ４５２の内容とディレクトリエントリ４６７の属性データ以外の、データを同一かどうかチェックする。特にクライアント側のＣＤＲＯＭのディスクＩＤとサーバー側のディスクエントリに入っているＣＤＲＯＭ側主ディスクＩＤ４６９とを照合する。
【０３７６】
ステップ４８５ｓでチェックし、Ｎｏならステップ４８５ｊへとび”エラー”を表示する。Ｙｅｓならステップ４８５ｔへ進み、ＯＳ等のシステムがＦｉｌｅｘのディレクトリエントリの、属性データ”０１Ｈ”叉は”０２Ｈ”等の書き込み禁止クラブを一時的に消去する。こうすると記憶可能となる。
【０３７７】
ＣＤＲＯＭの仮想ファイル以外から、これらをファイルをみようと思っても”不可視コード”が入っているためファイルをみることもできないし、当然修正もできない。
【０３７８】
こうして仮想ファイルは、該当するＣＤＲＯＭからしか修正できないし、みることもできないように保護されている。ステップ４８５ｕで物理ファイルのあるディスクに空き容量があるかチェックし、Ｎｏならステップ４８５ｊのエラー表示を行い、Ｙｅｓなら、ステップ４８５ｖに進み、ディレクトリの該当ファイルのデータを読みだし、開始クラスタ番号を得て、ステップ４８５ｗで、ＦＡＴ領域４６６からこの開始クラスタ番号に続く、クラスタ番号を得る。ステップ４８５ｘでデータ領域４７３において該当クラスタ番号の全データ領域のデータを書き換える。もし、新データが旧データより容量が大きい場合は新しいクラスタにもデータを記録する。こうして物理ファイル４５１へデータが実際に記録される。
【０３７９】
ステップ４８５ｙで完了したかチェックしＮｏならステップ４８５ｘに戻り、Ｙｅｓなら、ステップ４８５ｚへ進み、まず物理ファイル４５１のディレクトリとＦＡＴを書き換える。この時、ディレクトリエントリ４６７の属性に”０２Ｈ”不可視属性（ｉｎｖｉｓｉｂｌｅ）を再び記録する。こうして図１６７の副パソコンの画面表示図に示すように物理ファイルの実体が操作者からみえくなるため、ＣＤＲＯＭ１ａの仮想ファイル４５０のＯＳによる書き換え作業以外の書き換えは原則的にできなくなる。従ってデータが不当な書き換えから防止されるという効果がある。前述の暗唱番号を、仮想ファイル毎に設定することにより、２重にデータが保護できる。
【０３８０】
そしてステップ４８６ｎに進み、ディレクトリ・エントリ４６７のデータを磁気ファイルの仮想ディレクトリエントリ４５２に属性データ以外、転記する。こうして両者の内容は日付、時間を含めて全く同じ内容となるため、今後書き換え時の照合作業により、物理ファイル４５１への書き込みが許可されることになる。ステップ４８６ｐで作業を終了する。
【０３８１】
ここで、ステップ４８５ｇに戻り、”Ｎｏ”の時、ステップ４８６ａにとび、ＬＡＮへの接続ルーチン４８８を開始する。まず仮想ディレクトリ・エントリ４５２から物理ファイルのある主マシンＩＤのＬＡＮアドレスを読み出す。ステップ４８６ｂでは、図１６８のネットワーク接続図に示すように主マシンＩＤのＬＡＮアドレス”Ａ”の副パソコン４０８ａへ現在ＣＤＲＯＭ１ａが装着されている主パソコン４０８のＬＡＮアドレス”Ｂ”からＬＡＮ等のネットワークを介して接続する、プログラムのＮｏを複数ヶ読みだし、ＬＡＮアドレスを入力して次々と接続プログラムを実行させる。ステップ４８６ｃで接続をチェックしいずれかのプログラムで接続できた場合は、Ｙｅｓのステップ４８６ｅへと進む。Ｎｏの時は、ステップ４８６ｄに進みエラー表示をする。ステップ４８６ｅでは副パソコン４０８ａへ物理ファイル４５１の書き換え命令と書き換える新データを送信する。
【０３８２】
次は、ステップ４８６ｆに進み、これからは主パソコンのＯＳから副パソコン４０８ａのネットワークＯＳと入出力制御ＯＳの作業へ変わる。まず、該当ファイルの書き換え命令と書き換えデータを受信し、次のステップでは、前述の物理ファィルデータ書き換えサブルーチン４８７を実行し、ステップ４８６ｇでファイルのデータ書き換えに成功したかチェックし、Ｙｅｓならステップ４８６ｈに進み、主パソコン４０８へ書き換え完了の情報と、物理ファイルのディレクトリ・エントリ４６７の最新のデータを主パソコン４０８にネットワークを介して送信し主パソコン４０８のネットワークＯＳの作業であるステップ４８６ｊにとぶ。ステップ４８６ｇに戻り、Ｎｏの場合はステップ４８６ｉにとび、主パソコン４０８にエラーメッセージをネットワークを経由して送信し、主パソコンの作業であるステップ４８６ｊにとぶ。
【０３８３】
主パソコン４０８のネットワークＯＳの作業であるステップ４８６ｊでは副パソコン４０８ａからの物理ファイル４５１のディレクトリエントリ４６７のデータもしくはエラーメッセージを受信し、ステップ４８６ｋでエラーメッセージがなければ、ステップ４８６ｎでこのディレクトリエントリ４６７の日付等のデータに基づきＣＤＲＯＭの磁気ファイルの仮想ファイル４５０の仮想ディレクトリエントリ４５２を同一となるように書き換え、ステップ４８６ｐで書き換え作業を終了する。ステップ４８６ｋに戻り、エラーメッセージがあれば、４８６ｍに進み、画面に”エラー”表示をする。
【０３８４】
こうして図１６８のネットワーク接続図に示すようにＲＡＭ付きＣＤＲＯＭ２ａの例えば１０ＧＢの仮想ファイル４５０は実際には、光ディスク２の磁気記録層３にはたかだか３２ＫＢの物理的なメモリーしか存在しないが本発明の仮想ディスクの方法を用いることにより、大容量ファイルが論理的に実現できる。
【０３８５】
ある場合は自分の主パソコン４０８のＨＤＤに定義された物理ファイル４５１であるし、離れた場所にある副パソコン４０８ａのＨＤＤの物理ファイル４５１のでもよい。
【０３８６】
図２２０は図１６８のネットワーク接続図をディレクトリー構成図で表現したものである。計算機Ａを主マシン４０８、計算機Ｂを副マシン４０８ａと定義し、主マシン４０８に本発明のハイブリッドメディア媒体２を挿入した例を示す。ＣＤＲＯＭドライブは光ＲＯＭ部をＦドライブ、磁気記録層をＧドライブと定義すると、Ｆドライブのデータは１００％全て実際に媒体の中に実在する実在ＲＯＭファイル４６８で５４０〜６００ＭＢのＲＯＭである。しかし、Ｇドライブの磁気記録部は３２ＫＢであり、実在ＲＡＭファイル４６９は３２ＫＢしかない。しかし前述のように仮想ＲＡＭファイル４７０がＯＳ又はデバイスドライバにより論理的にされており、ＨＤＤのＣドライブかネットワーク４７２を介して他の計算機４０８ａのＨＤＤの中に物理的に定義された実在ＲＡＭファイル４７１内中に仮想ＲＡＭファイル４７０の実際のデータが記録されている。そして仮想ＲＡＭファイル４７０の実際のデータ、データＡ，データＢ，Ｃ，Ｄ，Ｅ，Ｆを開ける時のみ、磁気記録層つまり、主実在ＲＡＭファイル４６９の中の接続テーブル４７３に基づきＯＳは副実在ＲＡＭファイルのデータを読み出しあたかも仮想ＲＡＭファイル４７０の中に実際のデータが記録されているかの如く、動作する。接続テーブル４７３の中には仮想ＲＡＭファイル４７０中の実際のデータが記録された実在ＲＡＭファイル４７１のＨＤＤが存在する計算機４０８ａのネットワーク上のＴＣＰ／ＩＰアドレスやイーサーネットアドレス等のネットワークアドレス及び接続プロトロル実在ＲＡＭファイル４７１のあるドライブ名、ディレクトリー名暗唱番号が記録されているため、この接続テーブル４７３に基づき、ネットワーク４７２が機能している限り、前述のようにＯＳは仮想ＲＡＭファイル４７０の実際のデータが入っている副実在ＲＡＭファイル４７１のデータをとり出すことができる。
【０３８７】
ユーザーからみた場合、ネットワークが接続され機能している限り、どの計算機に本発明のハイブリッド媒体２をいれても磁気ファイル４２２の中にはＦｉｌｅＡ，Ｂ，Ｃ，Ｄ，Ｅ，Ｆの中のデータＡ，Ｂ，Ｃ，Ｄ，Ｅ，Ｆが記録されているようにみえる。しかし、実際は磁気記録部に記録されているのはｕｓｒ１，ｕｓｒ２等のディレクトリー名とＦｉｌｅＡ，Ｂ，Ｃ，Ｄ，Ｅ，Ｆのファイル名、容量、作成日時等のファイルの属性データつまり、ファイルのディレクトリーエントリー情報のみが記録されているに過ぎない。ディレクトリーエントリーデータはＭＳ−ＤＯＳの場合、３２バイトであるため３２ＫＢの容量をもつ本発明のハイブリッド記録媒体では約１０００個のファイルもしくはディレクトリーが実際に記録できる。従来のＣＤ−ＲＯＭにはフロッピーが１枚付属しているものが主流である。本発明の場合、各々の仮想ファイルのデータ容量はフロッピィと同じ１．４４ＭＢをデフォルト値に設定してあるため、互換性の点で取り扱い易いという効果がある。もちろん前述のように１０ＭＢ，１００ＭＢに設定することも可能である。この場合、約１０００ファイル分つまり１ＧＢ近くのデータが仮想的に３２ＫＢの物理ＲＡＭ容量しかもたないＲＯＭ／ＲＡＭメディアの中に記録できるという大きな効果がある。大容量で低コストのＲＯＭと小容量で低コストのＲＡＭの組み合わせた媒体は経済的であるが、ユーザーは本発明により、コストを上げないで仮想的に大容量ＲＡＭをもつ交換媒体を手に入れることができる。この方式は磁気記録層付ＣＤ−ＲＯＭの例を用いて説明したが、ＲＯＭとＲＡＭをもつ光ディスクやＩＣカードに用いることもできる。図２２０と図２２４，図２２５にはＲＯＭとＲＡＭをもつＩＣカードに仮想ＲＡＭファイルを実現した例を示している。ＩＣカードの場合ＲＯＭは非常に安くなっているが、不揮発ＲＡＭのコストはフラッシュメモリーの例にみるように数桁コストが高い。光ディスクも同じである。光ディスクやＩＣにみるように一般的にＲＯＭの価格はＲＡＭの価格よりも大巾に安い。本発明により、磁気記録層付ＣＤ−ＲＯＭのように安いＲＯＭ部を大容量とし、高いＲＡＭ部を小容量にした媒体を用いても、ネットワークに接続された機器においてはＲＡＭ容量を仮想的に大容量化できるため、あらゆる交換型ＲＡＭ媒体の容量を仮想的に増大させることができる。米国では５３％、日本では１３％パソコンはネットワークに接続されており、増加しつつある。従って本発明は今後到来するネットワーク時代においては交換型ＲＡＭ／ＲＯＭ媒体の容量を仮想的に飛躍的に増大させるという極めて大きな効果をもたらす。
【０３８８】
もちろん図２２５の媒体２ｙに示すように交換型のＲＡＭ専用媒体の容量も仮想的に増大できることはいうまでもない。この場合、例えば３２ＫＢの容量しかないＩＣカードでも１０００個のファイルを容量には制限なく、仮想的に記録再生できるという効果がある。
【０３８９】
さて、以上は既にある仮想ファイルの再生手順と書き替え手順を述べた。図１６３のフローチャートを用いて、仮想ファイルを新規に作成する方法を説明する。まずステップ４９１ａにおいて図１６９（ａ）の画面表示図に示すように新規ファイル名”ｘ”データファイルのセーブ命令叉はユーザーＩＤを使用者が入力したとする。ＯＳは磁気ファイル４２２に空き容量があるかチェックし、Ｎｏならステップ４９１ｃでＳＴＯＰし、Ｙｅｓならステップ４９１ｄで、ユーザーＩＤのデフォルトの主マシンＩＤ４７４と副ディスクＩＤを読み出し、ステップ４９１ｅでデフォルトでよいか図１６９（ａ）に示すように画面表示し、Ｎｏならステップ４９１ｆで変更したデフォルト値を使用者に入力させ、もう一度確認する。Ｙｅｓなら、ステップ４９１ｇに進み、仮想ファイルにリンクしたディフォルトの主マシンＩＤと、現在ＣＤＲＯＭが括入されているマシンＩＤが同一かチェックする。Ｎｏならネットワーク接続サブルーチンのステップ４９２ａへ進み、Ｙｅｓならファイル新規登録サブルーチン４９３のステップ４９１ｈに進む。ステップ４９１ｈではデフォルトのディスクＩＤのディスクがあるかチェックし、Ｎｏならステップ４９１ｉで交換型ディスクか、データをチェックし、Ｙｅｓなら図１６９（ａ）のように”ｉｎｓｅｒｔ  ｄｉｓｋ  ｘｘ”と表示し、ステップ４９１ｋに戻ると、物理ファイルを確保するための物理的容量がディスクにあるかチェックする。Ｎｏならステップ４９１ｕの”エラー”の表示を行い、Ｙｅｓなら次のステップ４９１ｍに進み、物理ファイルのデータ領域４７３の空き領域にクラスタ開始番号ｘｘからデータを記録し、ステップ４９１ｎで完了したかチェックしＮｏならステップ４９１ｕのエラー表示を出し、Ｙｅｓなら、物理ファイルのＦＡＴ領域４６６とディレクトリ領域４６５を記録ファイルに基づき、書き換える。ステップ４９１ｑでは、ＯＳが、物理ファイルの図１６０のディレクトリ・エントリ４６７の属性４５８に”０２Ｈ”等の不可視属性を記録する。”０１Ｈ”書き込み禁止を記録してもよい。こうして、この入力制御ＯＳが、このような仮想ファイルにだけ特別な扱いをすることによりファイルは仮想ファイルにリンクして記録再生されるが、他の手順では記録も再生もできなくなる。次のステップ４９１ｒで主マシンＩＤや暗唱番号をディレクトリ・エントリ４６７に記録する。次のステップ４９１ｓでは物理ファイル４５１のディレクトリ・エントリー４６７と同じ内容の登録日時、ファイル名等のユニークな情報を記録媒体２の仮想ディレクトリエントリ４５２に記録することにより、将来この仮想ファイルを書き換える時、物理ファイル４５１との照合が確実にでき、誤ってネットワーク上の他のパソコンの中にある他の物理ファイル４５１を書き換えることが防止される。ステップ４９１ｔで新規ファイル作成ルーチンは完了する。
【０３９０】
さて、接続サブルーチン４８８のステップ４９１ｇに戻り、Ｎｏの時はステップ４９２ａに進み、仮想ディレクトリ・エントリー４５２の主マシンのＬＡＮアドレスも読み出し、ネットワークを介して主パソコンと接続し、副パソコン４０８のディスクの中に仮想ファイル４５０の物理ファイル４５１をファイル新規登録サブルーチン４９３を用いて登録し、結果を主パソコンへ報告する。このステップ４９２ａからステップ４９２ｊまでのフローは図１６２の場合と同じであるため省略する。ステップ４９２ｉで新規登録を確認し、ステップ４９１ｓに進み、物理ファイル４５１のディレクトリエントリ４６７のデータを記録媒体２の仮想ディレクトリエントリ４５２に記録してステップ４９１ｔで新規ファイル登録を完了する。
【０３９１】
これまでの実施例では、ＯＳがＤＯＳの場合の画面表示状態を示したが、図２７１ではＭａｃＯＳやＷｉｎｄｏｗＯＳのようなウィンドウ表示の場合の表示動作を説明する。基本的な動作は図１６４（ａ）（ｂ）（ｃ）（ｄ）、図１６５、図１６６、図１６７のＤＯＳＯＳの場合と同じであるため、前文と共通する説明は前文を参照されたい。図２７１において、まず本発明のＲＡＭのついたＣＤ−ＲＯＭ２を挿入した場合、ＣＤ−ＲＯＭアイコン５７０とＣＤ−ＲＯＭ・ＲＡＭアイコン５７１の１組になったアイコンが表示される。これはＣＤ−ＲＯＭのみのアイコンと形が異なるので区別できる。ここでＣＤ−ＲＯＭ内のディレクトリー５６８ａ、５６８ｂ、５６８ｃを表示するウィンドウ５６７ａが開き、ディレクトリー５６８ａ、５６８ｂ、５６８ｃが表示される。これまでは従来の動作と変わらない。しかし本発明では、ＣＤ−ＲＯＭ−ＲＡＭアイコン５７１が表示されているため、このアイコンをダブルクリックするとＣＤ−ＲＯＭ２のＲＡＭ部である磁気記録部の中に実際に記録されているデータが読み出される。そして、ウィンドウ５６７ｂの中にディレクトリー５６８ｄ、５６８ｅ、５６８ｆのデータが磁気記録層等の媒体のＲＡＭ部のマスターファイルから読み出され、画面に表示される。本発明では、前述のように仮想ファイルの小容量のマスターファイルは磁気記録部に、大容量のスレーブファイルは不可視化されてＨＤＤの中に、それぞれ分割されて記録されている。この時、ウィンドウ５６７ｂには上記のＲＡＭ部の３２ＫＢの実体の容量表示５７６が表示されると同時に、ＨＤＤ５７１の中に上述のマスターファイルのスレーブファイルとして物理的に割り当てられた実際のファイルの容量を示す“７．６ＧＢ”の仮想容量表示５７７が表示される。図２７１においては、ＲＡＭ部の実体データが読み出される。つまり図１６０で説明した物理ファイル４２２のデータ、実際にＣＤ−ＲＯＭ２の磁気記録部に記録されたデータのみが読み出され、仮想ファイル４５０の中のデータ、つまりＨＤＤの中の物理ファイル４５１はこの段階では読み出されない。こうして、例えば３２ＫＢのＲＡＭ部しかもたない本発明のＣＤ−ＲＯＭ２においてもＲＡＭ容量があたかも７．６ＧＢに拡大されたように使用者には見える。この場合、図２７１に示すように、ＣＤ−ＲＯＭ２のＲＯＭ部のアイコン５７０とＲＡＭ部のアイコン５７１が、別々にクリックできるため、独立してオープンできるという効果がある。
【０３９２】
次に、図２７２ではＣＤ−ＲＯＭ２のアイコン５７０をマウスでダブルクリックすると、ＲＯＭ部とＲＡＭ部のウィンドウが一体化されて、複合化されたウィンドウ５７６ａ、５７６ｂが同時に開く。ＲＯＭ部のウィンドウ５６７ａではＣＤ−ＲＯＭ２のＲＯＭ部の６４０ＫＢの実際に媒体２の中に存在する実体ファイルの実体容量表示が表示される。一方ＲＡＭ部のウィンドウ５６７ｂでは実際に媒体２の中に存在しない７．６ＧＢの仮想ファイルのスレーブファイルの仮想容量表示５７７ａと３２ＫＢの媒体２の中に存在するマスターファイルの実体ファイル表示５７６ａの双方が表示される。図２７２の場合、２つのウインドウが一体化されているためアイコン５７０を１回ダブルクリックするだけで媒体２のＲＯＭとＲＡＭのディレクトリーやファイルが１組のウインドウで表示されるため操作者のキー入力が減るという効果がある。ここで、さらにフォルダー５６８ａを開くと矢印５１ａに示すようにフォルダー５６８ａのウインドウ５６７ｃが開きＣＤ−ＲＯＭの媒体中に記録されているファイル５６９ａが表示される。
【０３９３】
一方、ＲＡＭ部のウインドウ５６７ｂの中に表示されているフォルダー５６８ｃは媒体２中の実体のマスターファイルを読み出すことにより表示できる。このアイコンをダブルクリックすると矢印５１ｂに示すようにフォルダーＡのウインドウ５７６ｄが開き、ファイル５６９ｂ，５６９ｃ，５６９ｄのアイコンが表示される。この操作までのファイル情報とディレクトリー情報は媒体２の磁気記録部のような小容量のＲＡＭ部に記録されている。従ってハードディスク５７２ａの中に記録されている仮想ファイルの実際の物理ファイルつまりスレーブファイルであるフォルダー５７４やファイル５７３を読み出す必要はない。操作者はあたかもＣＤ−ＲＯＭ２のＲＡＭ部の容量が７．６ＧＢや５２０ＭＢあるように操作できる。この場合、仮想ファイルの実体ファイルのフォルダー５７４とファイル５７３はＩｎｖｉｓｉｂｌｅ  Ｆｉｌｅとして画面上に表示されない。従って操作者が仮想ファイルとリンクしているＣＤ−ＲＯＭ２が装着されていない時に、実体ファイルを書き換えたり、消したりする誤操作を防ぐことができる。ここまでは媒体２の中の実体のマスターファイルを開いたに過ぎない。
【０３９４】
次に図２７２に示す仮想ファイルのファイル５６９の中のプログラムを開く場合を図２７３を用いて説明する。使用者がファイル５６９を開くと、点線の矢印５１ｃのようにファイル５６９の中の５２０ＭＢの大容量のファイル“ＦｉｌｅＸ”が実在し、開いたように見える。しかし、実際のスレーブファイルＨＤＤ５７１の中に存在し、かつ画面では見えないＩｎｖｉｓｉｂｌｅフォルダー５７４ａの中のＩｎｖｉｓｉｂｌｅフォルダー５７４ｃの中のＩｎｖｉｓｉｂｌｅファイル５７３ｂが、矢印５１ｄのように前述のＯＳにより開かれる。ＤＴＰ等の大容量ファイルがＲＯＭ部に記録されたプログラムとともに開かれる。例えばそして表示５７５のように、あたかもＲＡＭ部の容量が５２０ＭＢあるように動作する。
【０３９５】
この場合、仮想ファイルとリンクしているマスターファイルの記録されたＣＤ−ＲＯＭ・ＲＡＭ媒体２を紛失した場合、スレーブファイルであるＩｎｖｉｓｉｂｌｅファイル５７３ｂを消すことができなくなる。従って知らない間にＨＤＤ５７４の空き容量が次第に減ってくるという課題が将来発生することが考えられる。これを避けるためには、プルダウンメニューから“スれーぶファイルの可視化”を選ぶと、スレーブファイルを可視化するウィンドウ５６７ｆが表示される。このウィンドウ５６７ｆのパスワード入力部５７８ａに正しいｐａｓｓｗａｒｄを入力すると、矢印５１ｇのようにｐａｓｓｗｏｒｄに対応したＩｎｖｉｓｉｂｌｅファイル５７３ｂが可視化される。次にプルダウンメニューから、“Ｅｒａｓｅ  Ｖｉｒｔｕａｌ  Ｆｉｌｅ”を選択すると、ファイル消去ウィンドウ５６７ｆが表示される。このウィンドウ５６７ｆのＦｉｌｅ名をファイル名入力部５７９にファイル名を入力し、パスワード入力部５７８ｂにそのファイルに対応したパスワードを入力すると、その消したいＩｎｖｉｓｉｂｌｅ  Ｆｉｌｅ５７３の物理ファイルをＨＤＤ５７１の中から消すことができる。こうしてＨＤＤ５７１の中の仮想マスターファイルのスレーブファイルの中で不要なファイルを消すことができる。このためリンクするＨＤＤの中のスレーブファイルの整理ができ、効率的に使うことができる。又、スレーブファイルはパスワードで保護されているため、マスターファイルのパスワードを入力した操作者以外の操作者にスレーブファイルを消される心配はない。こうしてＣＤ−ＲＯＭのＲＡＭ部のマスターファイルに対応するスレーブファイルは保護される。図２７３に示したネットワークを介して、他のコンピュータＢの中のＨＤＤ５７１ａの中に仮想のマスターファイルの実体のスレーブファイル部を設定した場合も、同様にしてパスワードにより、表示や消去がプロテクトされる。
【０３９６】
ここで図２７４のフローチャートを用いて、ＭａｃＯＳやウィンドウズＯＳのウィンドウに仮想ファイルを表示する方法を述べる。ステップ５６６ａでＣＤ−ＲＯＭがインサートされ、ステップ５６６ｂでＣＤ−ＲＯＭ／ＲＡＭ２のアイコンが表示される。ステップ５６６ｃで第１情報のディレクトリーもしくはフォルダを開く場合は、ステップ５６６ｄで、図２７１のようにＣＤ−ＲＯＭ／ＲＡＭのＲＯＭ部の第１情報のディレクトリーを示すウィンドウ５６７ａを開く。ステップ５６６ｅで、第２情報のディレクトリーを開く場合はステップ５６６ｆでＣＤ−ＲＯＭ／ＲＡＭのＲＡＭ部のディレクトリー５６８ｄを開く。そして、ステップ５６６ｇでＲＯＭ部のマスターファイルに記録されている仮想ファイル“Ｆｉｌｅ  Ｘ”の仮想容量表示５７６、実体容量表示５７７、実体のスレーブファイルの入っているパソコンのホームマシンネーム、ホームアドレス、ドライブ名、ディレクトリ名をファイル属性表示ウィンドウ５６７に表示する。この時点では仮想ファイルのマスターファイルを開くだけでよく図２７３のＨＤＤ５７１や５７１ａの中のスレーブファイルを開く必要はない。ステップ５６６ｋにおいて第２情報の仮想ファイルの中のスレーブファイルを開く場合は、ステップ５６６ｉに進み、ホームマシンＩＤ番号と現在操作中のコンピューターＡのＩＤ番号が“一致”した場合は、ステップ５６６ｊへ進む。この場合、ホームＨＤＤはコンピューターＡに直接接続されているため、ネットワークと接続する必要はない。ステップ５６６ｉで“一致”しない場合はステップ５６６ｐへ進む。ステップ５６６ｐでは図２７３に示すようにＣＤ−ＲＯＭが接続されているコンピュータＡとは別のコンピューターＢがスレーブファイルが記録されているホームマシンであるためまずネットワークに接続する必要がある。このため、まずネットワークが接続されているかどうかをチェックし、Ｎ０の時はステップ５６６ｍへ進む。ステップ５６６ｍにおいて、図２７３に示す表示部１６に表示されたネットワーク状態表示ウインドウ５０７ｈに示すように、”Ｎｅｔｗｏｒｋ  ｉｓ  ｎｏｔｃｏｎｎｅｃｔｅｄ”と表示し、再びステップ５６６ｐに戻る．Ｙｅｓの時はステップ５６６ｍへ進みネットワークを介して、ホームマシンと接続し、ステップ５６６ｊに進む。ステップ５６６ｊにおいては、ＣＤ−Ｒ０Ｍ媒体２と仮想ファイルの実体のスレーブファイルがリンクされている。従ってＣＤーＲ０Ｍの仮想ファイルに対応するホームマシンのホームドライブのＨＤＤ５７１のホームデイレクトリ５７４の物理的に存在するスレーブファイルのＩｎｖｉｓｉｂｌｅファイル５７３が開く。ステップ５６６ｋでは図２７３に示すように、例えば５２０ＭＢの容量の”ＦｉｌｅＸ”が開き、ＣＤーＲ０Ｍ部に記録されているＤＴＰ等のプログラムが起動する。
【０３９７】
本発明の０Ｓではこのように動作するため、一つのＣＤーＲ０Ｍ２の中に大容量Ｒ０Ｍ部のソフトと３２ＫＢ程度の極小容量のＲＡＭ部をもつ媒体を使用した場合このＲＡＭ部の容量は数ＧＢ等の大容量に仮想的に拡大できる。この場合、物理的には、ＣＤ−Ｒ０Ｍ・ＲＡＭが装着されたマシンやネットワークで接続されたホームマシンのホームＨＤＤ５７１の中の実在するメモリーにスレーブファイルの物理ファイルを記録する。媒体のＲＡＭ部にはホームＨＤＤのホームマシンのアドレス等のネットワークを介して接続するための情報と実在する実体ファイルのデイレクトリーや容量、日付等の前の実施例で説明したように、１ファイルにつき数十バイトの最小限の情報を記録すればよい。従ってＣＤ−Ｒ０Ｍ・ＲＡＭのＲＡＭ部の物理容量は小容量でよい。ウインドウに図２７１、図２７２、図２７３のように表示することにより仮想ファイルの実在ファイル５７３はＩｎｖｉｓｉｂｌｅファイルになっておりウインドウに全く表示されない。このため操作者にはＣＤ−Ｒ０Ｍ２のＲＡＭ部のアイコン５７１しかみえない。従って、あたかも、ＲＡＭ部のアイコン５７１の中に数百ＭＢや数ＧＢのファイルが記録されているように操作者には見える。つまり実際３２ＫＢのＲＡＭが数ＧＢの大容量ＲＡＭのように扱えるという効果がある。また、スレーブの物理ファイルの方がパスワードによりプロテクトされ消去不能であり、かつＩｎｖｉｓｉｂｌｅであるため、他の操作者が誤って物理ファイルを消すという誤操作も防止できる。しかし、どうしても仮想ファイルに対応する物理ファイルを元のＣＤ−Ｒ０Ｍ・ＲＡＭなしで表示させたり消去したい時は可視化ウインドウ５６７ｆのような表示が出る。ここでパスワードを入力することによりＩｎｖｉｓｉｂｌｅファイルをＶｉｓｉｂｌｅファイルにすることができる。
【０３９８】
次に本発明の方式では仮想ファイルを新設する時にウインドウ５６７が表示され、このウィンドウの中にホームマシン名とファイル名とパスワードの入力することにより、仮想ファイルを設定できる。物理ファイルを消す時はウインドウ５６７ｇのよう表示されるので、このウィンドウの中にファイル名とパスワードを入力することにより、マスターのＣＤ−Ｒ０Ｍ・ＲＡＭ２なしでも物理ファイルを消すことができる。マスターＣＤ−ＲＯＭ・ＲＡＭ２を紛失しても仮想ファイルの物理ファイルつまりスレーブ（ｓｌａｖｅ）ファイルを消せる。このようにして本発明ではＨＤＤ５７１の中の仮想ファイルの中の実体ファイル５７３つまりスレーブファイルを整理できる。
【０３９９】
以上のようにウインドウやＭａｓ０ＳのようにＣＤ−Ｒ０Ｍドライバーソフトが入っている０ＳでＣＤ−Ｒ０Ｍ・ＲＡＭを使う時、本発明のＣＤ−Ｒ０Ｍ．ＲＡＭ用の仮想ファイルを使用することにより、ＣＤ−Ｒ０ＭのＲＡＭ部の容量が仮想的にほぼ無制限に拡大できる。従って低コストの本発明のＣＤ−Ｒ０Ｍ・ＲＡＭ媒体２と本発明の仮想ファイルの双方を用いることにより従来の高価なパーシャルＲ０Ｍ型の光デイスクと同等もしくは同等以上の効果が得られる。
【０４００】
小容量ＲＡＭとしてＣＤ−Ｒ０Ｍ・ＲＡＭ媒体２の例を用いたがＲＯＭ付ＩＣカードのＲＡＭ部やパーシャルＲ０Ｍ型光デイスクのように、Ｒ０Ｍをもつ交換媒体のＲＡＭ部に仮想ファイルを設定することにより同様の効果があるが、説明は前の実施例を参照されたい。
【０４０１】
次に記録媒体２について述べる。このようにディレクトリ情報を磁気記録層に記録する場合、このデータが破壊されると仮想ファイルが壊れてしまう。従って、ＣＤＲＯＭ等に応用する場合は図１７１に示すように同一の仮想ディレクトリエントリを２個所もしくは３個所、物理的に離れた場所に記録する。ＣＤ等のディスク特有の円周傷から守るため別のトラック６７ｘ，６７ｙ，６７ｚに記録する。また半径方向の傷から守るため、角度の異なるθｘ，θｙ，θｚの角度上と仮想ディレクトリエントリ４５２ｘ，４５２ｙ，４５２ｚを配置することによりディレクトリ情報の破壊が防げるという効果がある。
【０４０２】
近年のパソコンは１０年間に１０００倍近くＨＤＤの価格／容量が下がったこともあり、数〜数十ＧＢ程度の容量をもつものが、増えつつある。この点に着目すると、容量に充分余裕のあるＨＤＤの容量を利用して、物理ファイルをシステムが定義し、本発明の８〜３２ＫＢの小容量ＲＡＭのついた光ディスク２のＲＡＭ領域に大容量の仮想ファイルを論理的に定義することにより、あたかも光ＲＡＭ付ＲＯＭディスクが数ＭＢから数ＧＢの大容量記録型メモリーをもつように使用者が扱える。このような著しい効果がある。また近年のビジネス用パソコンではほぼ１００％が、何らかのＬＡＮネットワークに接続されている。叉近年のパソコンのＯＳもネットワーク機能をもっている。従って、光ディスク２を挿入した主パソコン４０８にたまたま仮想ファイル４５０に対応するサーバー側の物理ファイル４５１がなくても、図１６８に示すようにこのネットワークを経由して、自動的に副パソコン４０８ａの物理ファイル４５１ａをアクセスしてデータの記録もしくは再生を行う方式を本実施例では明らかにしている。この方式により、どのパソコンに本発明の光記録媒体２を挿入しても仮想ファイルの物理ファイルにアクセスできると言う著しい効果がある。これらの方法をネットワークＯＳや出力制御ＯＳに組み込む実施例を示しているが、アプリケーションプログラムで実現することもできる。
【０４０３】
以上のようにして、光記録面をもつ記録媒体２の裏側に、磁気記録層３を設けることにより、光磁気記録のようになＲＡＭ型記録再生装置では磁界変調型の光磁気記録の記録再生装置の磁界変調間の磁界ヘッドを共用して、部品点数とコストを殆ど上げることなく、記録媒体に設けた独立したチャンネルの情報の磁気記録を行なうことができる。この場合、磁気ヘッド用スライダートラッキング機構をもともともつため、記録再生装置側のコスト上昇は殆どない。従って、ほぼ同一価格で光記録と独立した磁気記録再生機能を追加できるという効果がある。
【０４０４】
又、この記録された記録媒体を音楽用ＣＤやＨＤやゲーム用ＣＤＲＯＭやＭＤＲＯＭに適用し、裏面に磁気記録トラックを設けたものを図１７のブロック図に示すＲＯＭ型の記録再生装置１により再生させることにより、再生時、前回使用時の状況に復帰できるなどの著しい効果が得られる。また、実施例１で説明したようにＴＯＣ領域の１トラックだけに記録を限定した場合でも、ギャップ巾を２００μｍとした場合、数百ｂｉｔ記録できる。この容量は現行の不輝発メモリー付ゲーム用ＩＣ−ＲＯＭの用途に要求される要求をみたす。ＴＯＣ領域の１トラックに限定した場合、磁気トラックのアクセス手段が不要となるため、システムが簡単になる。
【０４０５】
又、光記録の再生専用型の記録再生装置においては、記録媒体に対して光ヘッドとの対向する反対側に磁気ヘッド部等を設ける必要があるが、この部品は光磁気記録の磁界変調用ヘッドと共用できるため量産効果により価格を下げられる。又、もともと、低密度用の磁気記録用部品光記録部品に比べると格段にコストが安いため、価格上昇分は少ない。光ヘッドとその反対側にある磁気ヘッドを機械的に連動させるためトラッキング機構の追加はない。従ってコスト上昇は少ない。
【０４０６】
ＲＡＭ型、ＲＯＭ型の記録媒体の表面の光記録層に刻まれているアドレス情報、もしくは、時間情報により、光ヘッドのトラッキングを行なうことにより、トラッキング精度は高くないものの、ディスク上の任意の位置に磁気ヘッドをトラッキング制御することができる。このことにより、リニアセンサーやフロッピーディスクにみられるリニアアクチュエータといった民生用途としては、高価な部品を一切追加しなくてもよいという効果が得られる。
【０４０７】
従来の磁界変調型の光磁気記録媒体の裏面の保護層はバインダーと潤滑剤からスピンコートにより製造される。本発明の場合、この同一工程で、この材料に磁性材料を加え、スピンコートするだけで、よく製造工程も増加しない。このコスト上昇分は全体コストからみると無視できるオーダーである。従って、殆どコスト上昇なく、磁気記録機能という新たな価値が追加される。
【０４０８】
以上のように本発明では磁気チャンネルが殆んどコストの上昇なしに追加できるため、従来のＲＯＭ型光ディスクやＲＯＭ専用プレーヤーにＲＡＭ機能を付加できる。
【０４０９】
またＤＣＣやＶＨＳ等のオーディオカセット、ビデオカセットのラベル部に本発明の高Ｈｃの磁気シートを貼り、カセットローディング時に上記磁気シート上に記録されたデータを磁気ヘッド８により読みとり、マイコンのＩＣメモリーに蓄積し、磁気シート上のデータ更新が必要な場合はカセットが挿入されている間にＩＣメモリーの内容のみを更新し、カセット取り出し時にＩＣメモリーの蓄積データのうち更新したデータのみをカセットの出口に設けた固定された磁気ヘッドにより上記磁気シートの磁気記録層のデータを書き換えることにより、カセットテープのアドレスやＴＯＣ等のインデックス情報がカセットにテープと独立して記録できるため、カセットテープ内の情報検索が瞬時にできるという効果がある。
【０４１０】
又、図１８０の構成でディスプレイ４４ａとキーパッド４５０が接続されたビデオゲーム機において本発明を用い、磁気記録層３に不正コピー識別信号が記録されてないと再生しないようにすると不正コピーされたＣＤを排除できるという効果がある。当然ゲーム途中結果や得点や使用者名や環境設定データ等のデータを磁気記録層３に記録再生できるため、使用者は電源を切っても別の機械を使っても次の使用時、前回のゲームの途中からゲームを再開できるという効果がある。磁気記録層３は図１８０ではＣＤの印刷面側に設けてあるが前述のように透明基板側に設けてもよい。この場合、小型化できるという効果がある。
【０４１１】
（実施例２３）
図１８１は第２３の実施例のブロック図を示す。
【０４１２】
実施例２３は簡単な構成の記録再生装置に関して述べる。一般的には、上ブタを開けてＣＤ等の記録媒体を出し入れする方式のＣＤプレーヤは構成が簡単であるため部品点数が少ない。この方式の場合、図１８２（ａ）（ｂ）の上面図と図１８３（ａ）〜（ｅ）の横断面図に示すように、上ブタ３８９の開閉に応じて、上ブタ３８９を閉めた時のみ、磁気ヘッドをＣＤ上に移動させ、ＣＤの装着を容易にしている。図１８２（ａ）においては上ブタ３８９は“開”状態になっている。この時ＣＤ２は入っていない。磁気ヘッド８があるとＣＤ２を装着できないだけでなく、無理をして装着すると磁気ヘッド８が破壊される。そこで、上ブタ“開”時は、磁気ヘッド８がＣＤ２の外側に設けた磁気ヘッド保護部５０１の下に退避されている。
【０４１３】
次にＣＤ２を装着して上ブタ“閉”時は磁気ヘッド８とそのサスペンション部は上ブタ３８９に連動して矢印５１方向に進み、ＣＤ２の上に移動する。
【０４１４】
この手順を、図１８３を用いて説明する。図１８３（ａ）において、上ブタ３８９が矢印５１ａ方向に閉まるとフタ回転軸３９３，３９３ａが回転し、ヘッド退避器５０２が矢印５１ｂ方向に移動し、連結された磁気ヘッド８は矢印５１ｃ方向に移動する。こうして図１８３（ｂ）に示すように磁気ヘッド８とスライダ４１とサスペンション４１ａはＣＤ等の記録媒体２上に移動する。
【０４１５】
次に磁気ヘッド８の昇降について図１８３（ｃ）（ｄ）（ｅ）を用いて述べる。図１８３（ｃ）のように光ヘッド６がＴＯＣ等の最内周トラック６５ａを再生し、図１８４に示すようにメディア識別子５０４を読み、メディアに磁気トラック６７があるか判断し、Ｙｅｓなら図１８３（ｄ）に示すように最内周トラックより内側に光ヘッド６を移動すると、ヘッド昇降リンク５０３によりヘッド昇降器５０５が押され、磁気ヘッド８が最外周の磁気トラック６７ａにコンタクトし、磁気記録信号を記録もしくは再生する。
【０４１６】
この場合、回転サーボの制御法には図１８５（ａ）に示すように、サーボ信号領域５０５を設けてある。製造時に図１８５（ｂ）のように高Ｈｃ部を塗布し、図１８５（ｃ）のように工場等でフォーマットし、サーボ信号，セクタ情報，一枚一枚のメディア毎にユニークなメディア固有番号５０６を同期信号領域５０７に２７５０〜４０００Ｏｅ等の強力なＨｃをもつ磁性材料でも記録できる磁気ヘッドを用いて、工場もしくは専用機で記録してある。次に図１８５（ｄ）に示すようにややＨｃの低い１６００〜２７５０Ｏｅの一般のやや低いＨｃの磁性部４０２を塗布する。その上に図１８５（ｅ）に示す保護層５０を塗布する。
【０４１７】
この方法では、最終メディアの高Ｈｃ部はただでさえも磁気記録が困難であるのに磁性部４０２と保護層５０が上にあるため、スペースロスのため、書き換えることができなくなる。従って、同期信号領域５０７に記録されたメディア固有番号５０６は書き換えできず、前述の不正複製防止機能が破られることがないという効果がある。
【０４１８】
またサーボ信号５０５やアドレス信号は、通常市販されている記録再生装置では記録再生が当然できないだけでなく、誤って記録しても、減磁することもない。このため、いかなる使用条件においても工場出荷後は同期信号領域のデータはほぼ完全に保護されるため、安定な記録が実現するという効果がある。
【０４１９】
さて、ここで図１８３（ｄ）の回転サーボの説明に戻る。ＣＤ２の最内周の内側部に光記録部分が設けてあれば、光トラックの同期信号で、ＣＬＶのモーターの通常の回転制御を行うことにより、モーターの回転数は一定になり、磁気記録再生ができる。
【０４２０】
しかし、ＣＤの規格に沿って最内周の内側部に光記録部がない時は図１８５（ａ）で説明した同期信号領域５０７のサーボ信号５０５を磁気ヘッド８が再生し、図１８１の回転サーボ信号再生部３０ｃにより回転サーボ信号が再生され、モータ駆動回路２６に送られ、モーターが一定の回転数に制御される。こうして安定して図１８５の磁気トラック６７ａのデータ記録領域５０８，５０８ａのうち記録再生が必要なセクタに、データが記録再生される。
【０４２１】
次に記録再生が完了すると図１８３（ｅ）のように光ヘッド６が外周部に移動することにより、ヘッド昇降リンク５０３は元の位置に戻り、磁気ヘッド８は矢印５１ｅの上方向に移動し、磁気トラック６７ａから離れ、摩耗を防ぐ。このようにトラバースモーター２３により、磁気ヘッド８の昇降ができるため、ヘッド昇降アクチュエーターを別に設けなくてもよく、部品点数を削減できるという効果がある。
【０４２２】
また、図１８６（ｃ）（ｄ）（ｅ）に示すように、図１８６（ｄ）に示すように光ヘッド６をトラバースモーター２３により、最外周の外側に強制的に移動させ、ヘッド昇降リンク５０３を矢印５１ａ方向に移動させるため、磁気ヘッド８を矢印５１ｂ方向に下げ、磁気トラック６７ａと接触し、磁気信号の記録再生ができる。この時、光ヘッド６の磁気ノイズが妨害になる場合は、光ヘッドアクチュエーター１８の動作を停止させる。また、動作を停止させた場合やメディアにより光トラックの信号再生できない場合は光ヘッドの駆動電流を停止させるとともに、図１８５（ａ）に示した磁気トラックのサーボ信号５０５より図１８１の回転サーボ信号再生部３０ｃにより再生し、回転サーボをかける。このことにより、光再生と磁気再生が時間的に分離できる。従って、光ヘッドからのノイズの磁気再生への影響がなくなるため、エラーレートの少ない磁気再生ができるという効果が加わる。
【０４２３】
実施例２３の方式は複数の磁気トラック方式にも１トラックにも用いることができるが、前の別の実施例で述べたように１トラック方式の場合、ヘッドのアクセスが不要となるため、装置の構成が簡単になるという効果がある。また、最外周の１トラックの場合、容量が大きくなる効果がある。
【０４２４】
なお、図１等を用いて説明した多トラック方式の実施例において、磁気再生時に、光ヘッド６から磁気ヘッド８への磁気ノイズが図１１６に示すように発生し、エラーレートを上げる。この場合、既述したが、図１８７に示すようにセクタに同期信号領域５０７を設け、磁気サーボ信号５０５を工場もしくはフォーマッターで記録したメディアを用いることにより、磁気再生時に光信号によるサーボから磁気信号によるサーボに切りかえて光ヘッド６の駆動電流を止めることができる。このため、光ヘッドからのノイズを遮断できるという効果がある。
【０４２５】
次に、磁気サーボ信号を使用しないで光サーボ信号で回転サーボをかける方法を図１８８（ａ）〜（ｆ）の横断面図を用いて述べる。
【０４２６】
図１８８（ａ）はｔ＝０の状態を示す。光ヘッド６はＴＯＣトラック６５ａの外周トラックにある。図１８８（ｂ）のｔ＝ｔ１において、光ヘッド６はＴＯＣトラック６５ａを読み、メディア識別子５０４が図１８４の（ｃ）に示すようにＴＯＣのサブコードや図１８４（ｂ）の音声トラックのサブコード部や図１８４（ａ）のＣＤＲＯＭの第１トラックの中から探し出す。この時、光ヘッド６によりヘッド昇降リンク５０３は点線Ａから点線Ｂの位置へ移動するため、機械遅延器５０９のスイッチ５１１はＯＮになる。しかし、遅延時間ｔＤに達するまで、ヘッド昇降リンク５０３ａは動作しない。そして、ｔ＝ｔ２の図１８４（ｃ）にＴＯＣのデータの再生を完了する。この時間は数分の１秒であるため遅延時間ｔＤ＞ｔ２に設定すると、磁気ヘッド８は下へおりない。メディア識別子がない時、つまりＯＦＦ時はｔＤ＞ｔ３となる。ｔ＝ｔ３の図１８８（ｄ）において、光ヘッド６は矢印５１ｄ方向に移動し、ヘッド昇降リンク５０３はスイッチ５１１を押すのを中止するため、ヘッドは降りない。
【０４２７】
メディア識別子がある時は、磁気トラック６７ａが必ずある。つまり、ＯＮ時はｔ４＞ｔＤなるｔ＝ｔ４においては図１８８（ｅ）に示すようにスイッチ５１１は設定遅延時間のｔＤ以上押されるため、機械遅延器５０９の出力は作動し、ヘッド昇降リンク５０３ａは矢印５１ｅ方向に、磁気ヘッド８のサスペンションを含む支持部を押し下げ、磁気ヘッドは磁気トラック６７ａにコンタクトする。この時、光ヘッド６はＴＯＣ等の光トラック６５ａを再生しているため、光サーボ信号が再生され、この光サーボ信号により、モーター１７はＣＬＶで一定の回転数で回転する。従って、磁気信号が、光再生信号の同期信号と同期して再生される。この場合、磁気再生と光再生信号で回転サーボをかけることが同時にできるため、別に回転サーボの構成を追加しなくてもよく、メディアと装置の構成が簡単になるという効果がある。この場合、図１８１から回転サーボ信号再生部３０ｃを省略できる。
【０４２８】
磁気信号の再生もしくは記録が完了した時点で、図１８１のシステム制御部１０はトラバース移動回路２４ａに信号を送り、光ヘッド６を矢印５１ｆ方向に移動させると、機械遅延器５０９のスイッチ５１１は解放され、ｔＤより短い遅延時間ｔＤＳ経過後のｔ＝ｔ５において図１８８（ｆ）に示すように、ヘッド昇降リンク５０３ａは矢印５１ｇの上方向に上がり、磁気ヘッド８は上がり、磁気トラック６７ａとの接触から解放される。こうして、より簡単な構成で磁気ヘッドの昇降ができ、光再生と磁気再生が同時にできる。
【０４２９】
また、図１８５に示したように、複数の磁気トラック６７を用いる場合、図１８９（ａ）のメディアの横断面図に示すように、まず、磁気ヘッド８のトラック巾ＴＷＨを磁気トラック６７ａの巾ＴＷよりも、偏芯量の分だけ大きくとる。このことにより、記録用のヘッドと再生用のヘッドを共用することができるという効果がある。これはＴＷＨ＞＞ＴＷにすることにより、磁気トラック６７ａの全トラック中に記録できるため前回の記録部が全く残らないからである。複数のトラックを図１８９（ａ）のように磁気層を分離して設けることにより、記録・再生ヘッドが共用できる。
【０４３０】
さて、複数トラック方式の場合、トラックピッチＴＰの設定が重要となる。ＣＤ規格の場合、光トラック６５の位置とＣＤの円中心とは±０．２ｍｍ半径方向の誤差△ｒが許容されている。理想的な条件なら、図１８９（ａ）のように特定の光トラック６５ａの裏側に磁気トラック６７ａが配置されており、光アドレスによる磁気トラックのアクセスが正確にできる。しかし、現実には最悪条件で図１８９（ｂ）のように＋△ｒだけ光トラック６５ａと磁気トラック６７ａがずれている場合や、逆方向の最悪条件で図１８９（ｃ）のように−△ｒだけ光トラック６５ａと磁気トラック６７ａがずれている場合の２つの状態が考えられる。隣の磁気トラック６７ｂを磁気ヘッド８が誤ってアクセスしないためには、
ｒ−△ｒ−ＴＷＨ／２＞ｒ＋△ｒ＋ＴＷＨ／２−ＴＰ
を満たす必要があり、
ＴＰ＞２△ｒ＋ＴＷＨ
となる。
【０４３１】
ＣＤの場合、△ｒ＝０．２ｍｍであるから
ＴＰ＞０．４ｍｍ
つまり、トラックピッチを０．４ｍｍ以上広く設定する必要がある。
【０４３２】
先述の図１８７（ａ），図１８９（ａ）のように磁気層を分離し、単一の磁気ヘッドを用い磁気サーボ信号を記録することにより、システムは図１９０に示すように、簡単な構成になるという効果がある。
【０４３３】
また、本実施例の図１８３（ｃ）（ｄ）（ｅ）で説明したトラバースモーター２３を用いて、磁気ヘッド８を昇降させる方法は図１９１の横断面図に示すように光ヘッド６と磁気ヘッド８がメディアに対して同一面側にある場合でも適用できる。図１９１（ｃ）のＴＯＣトラック６７ａ状態から識別子を判別した場合、図１９１（ｄ）の状態へ光ヘッド６が矢印５１ａ方向に移動し、ヘッド昇降リンク５０３が同一方向へ移動し、矢印５１ｂ方向へ磁気ヘッド８をもち上げて、光記録面側の外周部に設けた磁気トラック６７ａにコンタクトし、磁気記録／再生を行う。この時、光ヘッドは内周部に設けた光トラックにより、光サーボ信号を再生し回転サーボをかけるか、磁気トラック６７ａ上に予め設けられた磁気サーボ信号で回転サーボをかけて低速回転をする。
【０４３４】
磁気記録完了後、光ヘッド６は、図１９１（ｅ）に示すように外周部に移動し、磁気ヘッド８は下がり、コンタクトから解放される。
【０４３５】
又、図１９２（ｃ）から（ｄ）に示すように光ヘッド６が最外周部の外側へ矢印５１ａへ移動することにより、磁気ヘッド８を矢印５１ｂにもち上げて磁気トラック６７ａにコンタクトさせることもできる。図１８６とほぼ同じ動作をするため、説明は省略する。
【０４３６】
以上のように磁気記録トラック６７ａを光記録面側の外周部に設けることにより、磁気ヘッド８を光ヘッド６と同じ側に設けても、トラバースモーター２３で磁気ヘッド８を昇降でき、部品点数を削減できる。上ブタ方式のＣＤプレーヤー等にこの同一面方式を用いる場合、図１９３（ａ）に示すように、上ブタ３８９が開いて、ＣＤ２が装着されていない場合、磁気ヘッド８とサスペンション４１ａが外部に露出してしまう。これらは光ピック６と違い手で触ると、壊れてしまう。これを避けるため、上ブタ３８９がｏｐｅｎの時磁気ヘッドシャッター５１２が磁気ヘッド８の上部をおおっている。そして、ＣＤ２を装着して上ブタ３８９を閉める時、この磁気ヘッドシャッタ５１２が矢印５１ａ方向に移動して、磁気ヘッド８を露出させる。この動作を図１９１（ａ）の横断面図を用いて説明すると上ブタ３８９が矢印５１方向に閉まるに従い、フタ回転軸３９３が矢印５１ｄ方向に回転し、磁気ヘッドシャッター５１２が矢印５１ｅ方向に移動し、図１９１（ｂ）に示すように磁気ヘッド窓５１３が開き、磁気ヘッド８の昇降が可能となる。図１９２（ａ）（ｂ）の場合も同様である。磁気ヘッドシャッター５１２を設けることにより、外力に弱い磁気ヘッド８とサスペンション４１ａを操作者の指等による、不用意な破壊を確実に防止できるという効果がある。
【０４３７】
次に、図１９３（ａ）（ｂ）の上面図に示したように磁気ヘッド８と光ヘッド６のトラバースの位置が離れている場合は問題ないが、設計上トラバースの移動範囲に磁気ヘッド８を設ける必要がある場合は、図１９４（ｅ）に示すように磁気ヘッド部８にバネ５１４を設けて光ヘッド６が最外周光トラック６５ａを再生する時のみ矢印５１ａ方向に磁気ヘッド８が光ヘッド６により押されて、外側に退避させることにより、光ヘッド６のアクセス範囲を確保できるという効果がある。これは、特に、磁気記録トラック６７ａが光記録面側に設けられていないＣＤ等のメディアを再生する場合に、最外周光トラックまでアクセスする必要があるため効果がある。
【０４３８】
カートリッジ４２に入ったＭＤ（Ｍｉｎｉ  Ｄｉｓｋ）のＲＯＭディスクに磁気トラック６７を設けた場合の実施例を図２２２（ａ）〜（ｆ）を用いて説明する。図２２２（ａ）の上面図に示すように、ＭＤのＲＯＭディスクのカートリッジ４２には片側に半径方向の小さいシャッタ窓３０２しかないため、磁気ヘッド８と光ヘッド６の両方を設ける場合、同じ直線５１４ｃ上に配置することになる。従って光ヘッド６のトラッキング範囲と磁気ヘッドの位置とは重なる。そして磁気ヘッド８の存在により最外周の光トラック６５ａを光ヘッド６をアクセスすることが困難となる。本発明では図２２２（ｅ）に示すように磁気ヘッド８を半径方向に可動構造とし、バネ５１４でストッパー５１４ｄに押しつけて、所定位置に固定している。このため図２２２（ｆ）に示すように光ヘッド６が最外周の光トラック６５ａをアクセスする時は、磁気ヘッド８ａに示すように半径方向もしくは円周方向の光ヘッド６の移動領域５１４ｃから磁気ヘッド８が一時的に退避する。こうして、磁気ヘッド８をシャッタ窓３０２部の一に配置しても光ヘッド６は最外周の光トラック６５ａをアクセスできるという効果が得られる。なお、光ヘッド６が内周部に戻ると磁気ヘッド８もバネ５１４とストッパー５１４ｃにより所定位置に復帰する。また、磁気トラック６７は媒体の光読みとり側の最外周部に１トラックだけ光読みとり側の面に厚さｈをもちながら、設けられている。この厚みがあるため光記録部に接触しないため及ぼす影響が最小になるとともに１トラックで最大の容量が最外周を用いてるため得られる。この場合予想される磁気ヘッドと光ヘッドの配置の干渉も、本発明の退避方式により回避できるため、従来のＭＤディスクと互換を保ちながら、磁気記録層付ＲＯＭディスクの媒体とシステムが実現できるという効果が得られる。
【０４３９】
ここで、磁気ヘッドの昇降モーターを光ヘッドのトラバースモーターと兼用させる方法を述べるにあたり、まず磁気ヘッドの昇降の禁止と解除について述べる。磁気層のあるＲＯＭ媒体２には図２２２（ａ）に示すように磁気記録層識別穴３１３ａがある。磁気層がない媒体のカートリッジには識別穴３１３ａがないため、図２２２（ｃ）に示すように磁気ヘッド昇降禁止手段５１４ｂが押され磁気ヘッド８は昇降禁止状態になる。このため磁気ヘッド８が誤って昇降し、媒体２を傷つけることが防止されるという効果がある。光ヘッド走行領域５１４ｃ方向には可動状態を保つため、光ヘッド６は最外周光トラック６５ａをアクセスできる。
【０４４０】
磁気層がある媒体２が装着された場合は、図２２２（ｄ）の図に示すように磁気層識別穴３１３ａがあるため磁気ヘッド昇降禁止手段５１４ｂが図下方に押されないため磁気ヘッド８の昇降は制限されない。磁気ヘッド昇降禁止手段５１４ｂのような簡単な機械部品で磁気ヘッドの昇降の禁止と解除ができるため、識別電気スイッチや昇降を禁止させるアクチュエーターを省略できるという効果がある。
【０４４１】
次に磁気ヘッドの昇降方法について述べる。光ヘッド６が最内周部以外にある時は、図２２２（ｃ）のように磁気ヘッド８はＯＦＦ状態にある。しかし、図２２２（ｅ）に示すように光ヘッド６が最内周に移動するとヘッド昇降連結手段５１ａが、矢印５１ｂ方向に移動し、磁気ヘッド８が矢印５１ｃ方向に上がり、磁気トラック６７ａと接触する。こうして磁気記録再生が可能となる。光ヘッド６が最内周部から通常の位置に戻ると、図２２２（ｃ）に示すように、磁気ヘッド８は下がり、磁気トラック６７ａとの接触は解除される。さて、この方式はＣＤやＭＤのように最内周にディレクトリやＴＯＣが記録されているＲＯＭ媒体にとっては適している。何故なら、本発明の場合、ディスク装着の最初と終了時の２回だけ磁気記録再生を行えば良いが、ＣＤ，ＭＤの場合、ディスク装着の最初に１回必ずＴＯＣを数秒間読む。本実施例の場合、この期間に磁気ヘッド８は磁気トラック６７ａと接触し、磁気データを再生する。ＴＯＣ領域の光再生を同時に行っているため、回転サーボもされているし、光同期クロックから分周して磁気記録の書き込みクロックを得ることができる。こうして光ヘッドのトラバースモータ２３により、磁気ヘッドの昇降ができるため、構成が簡単になるという効果が得られる。ディスク再生作業を終了する時に、磁気トラック６７ａのデータを書きかえる必要がある場合は、終了時に光ヘッド６を再び最内周に移動させると磁気ヘッド６と磁気トラック６７ａは接触するため図１のキャッシュメモリー３４に蓄えられた磁気トラックのデータは、磁気トラック６７ａに転記された後、光ヘッドは元の位置に戻り、磁気ヘッド８は非接触状態となり、全ての作業を完了する。
【０４４２】
次に光ヘッドと磁気ヘッドがメディアの異なる側に配置されている場合、光ヘッド６の設計によっては磁石からの磁界が大きい場合がある。図１９５は“ＳＡＮＹＯ”製のＣＤＲＯＭ光ピックアップのＣＤの光記録層部の磁界の実測データである。磁気ヘッドがない時は４００ガウス，磁気ヘッド８が対向してあると８００ガウスである。従って、メディアのＨｃが低いと磁気記録データが消えるおそれがある。対策としては、まず本発明のようにＨｃを１５００エルステッドに上げるとともに、このような光ヘッドを使う場合は、できるだけ、磁気ヘッド８を対向させないことである。このため図１９６（ｃ）に示すように磁気ヘッド退避リンク５１５をトラバースとリンクして移動させ、光ヘッド６が外周の光トラック６５ａをアクセスする時磁気ヘッド８が、記録媒体２の外側に押しやられるようにすることにより、磁気ヘッド８による磁束の集中が回避され、磁気記録データの破壊が防止できるという効果がある。
【０４４３】
このような光ヘッド６からの直流の磁界だけでなく、図１１６に示したような交流の磁気ノイズにより、図１９７に示すように光ヘッドアクチュエーターを含む光ヘッド６からＬＨだけの距離以上離して磁気ヘッド８を設けることにより、光ヘッド６からの直流、交流ノイズの妨害を未然に防ぐことができるという効果が得られる。このＬＨとしては図１１６から１０ｍｍ以上離すことにより、１５ｄＢノイズが下がるため、最低１０ｍｍ以上離す必要があることがわかる。
【０４４４】
次に、１トラック方式の場合、構成が簡単になるが、最外周のトラックを用いても、ＣＤの場合直径１２ｃｍであり、かつカートリッジがないため高Ｈｃとスペースロスを考慮すると、数ＫＢしか記録容量が確保できない。そこで図１９８（ａ）に示すようにトラック６７ａを３つに分割したマルチトラックヘッド８を用いると３倍に容量が上がる。ＣＤの偏心を考えると、図１９８（ｂ）のようにアジマスヘッド８ａ，８ｂ，８ｃの３つのアジマス角をもつ磁気ヘッド８を用いることにより、トラック密度を３倍に上げられる。非アジマスヘッドであるとトラックピッチＴＰは０．４ｍｍ＋トラック巾必要であるが、アジマスヘッドであると０．１３ｍｍ＋トラック巾までつめられる。図１９８（ｃ）（ｄ）のように２つのアジマス角のアジマスヘッド８ａ，８ｂを用いると２倍の容量が得られる。
【０４４５】
次にＴＯＣ部にメディア識別子を記録する方法について述べる。図１９９（ａ）のメディアの上面図のＴＯＣ部に図１９９（ｂ）のような光トラック６５ａ，６５ｂ，６５ｃ，６５ｄに示すように蛇行させ、ウォブリングさせ信号を記録させることにより、ＴＯＣ部に新たな情報を記録できる。図２００に示すように光再生部にウォブリング信号復調器３８ｃを設けることにより、このウォブリング信号は再生できる。この方法により、ＴＯＣにメディア識別子等の情報を記録できるためＴＯＣを再生するだけでメディアの識別が可能となるだけでなく、曲名やタイトル名もＴＯＣに記録できるという新たな効果が生まれる。
【０４４６】
トラバースモーター２３を用いて、磁気ヘッドの昇降を行う方法を述べたが、図２０１のようなトレイ式のＣＤプレーヤーにおいてはローディングモーター５１６を用いて、ヘッドの昇降をできる。図２０１（ａ）において、ローディングモーター５１６が回転しトレイ移動歯車５１８が矢印５１ａ方向に移動し、トレイ５２０のローディングが始まる。図２０１（ｂ）においてトレイ５２０は収納させ、マイクロスイッチ５２１が押されて、モーターは停止し、ＣＤの再生が始まる。メディア識別子があると、モーター５１６はさらに矢印５１ｇ方向に回転し、トレイ移動歯車５１８はさらに矢印５１ｂ方向に進み、図２０１（ｃ）に示すようにヘッド昇降リンク５０３を回転させヘッド昇降器５１９を矢印５１ｃ方向に押し上げ、ヘッド８を磁気トラック６７ａに接触させ、磁気記録再生させる。磁気記録再生が完了すると、モーター５１６は逆方向に回転し、トレイ移動歯車５１８は矢印５１ｄ方向に移動し、これに伴い、ヘッド昇降器５１９は矢印５１ｅ方向に上がり、磁気ヘッド８は磁気トラック６７ａの接触から解放され、通常光再生が行われる。前述のように磁気データはＩＣメモリーのメモリー部３４に蓄積され、データ更新はこのメモリ部３４のデータを使って行われる。そして、トレイ排出直前に、更新データのみが実際に磁気記録再生され、磁気記録データの更新が行われる。
【０４４７】
では、図２２６の斜視図に示すように上ブタ開閉方式のＣＤプレーヤー等の記録再生装置上に本発明の方式のうち、光ヘッド６と反対側に磁気ヘッド８を取り付けた方式の一実施例を示す。
【０４４８】
前の実施例の図１３１で説明した方法では、光ヘッド６および磁気ヘッド８のトラッキングの移動方向と上ブタの開閉軸５２１とは垂直方向であったため、上ブタ開閉により、磁気ヘッド８と光ヘッド６の対向位置がずれるという課題があった。これに対し、図２２６の方式ではトラバースモーター２３ａによる光ヘッド６と磁気ヘッド８の矢印５１で示す移動方向と、上ブタ３８９の開閉軸５２１は平行にしてある。このため、上ブタ３８９を開閉してもサスペンション４１ａと磁気ヘッド８の１組と光ヘッド６との対向位置が全くずれないという項かがある。こうして、より正確に光トラックの裏側の磁気トラックをアクセスできる。
【０４４９】
上ブタ３８ａに光センサ３８６を設けてあるため、上ブタを閉じた場合、光センサ３８６はＣＤ２のラベル面につけられた光学マークを読みとり、磁気層がある時のみ、昇降モーター２１により、ヘッド昇降器５１９を駆動し、磁気ヘッド８を磁気層に降ろすことにより、従来のＣＤの破壊を防げるという効果がある。
【０４５０】
次に、ビデオＣＤのプレイバック機能のついたＣＤプレーヤーに本発明を用いた場合を示す。前に説明した図１８０，図１８１，図２００ではフォトＣＤプレーヤーやビデオＣＤプレーヤーに本発明のＨｙｂｒｉｄメディアを用いた例を示したが、図２２７のブロック図を用いて更に詳しく説明する。図２２７のブロック図は図１８１のブロック図と基本的な構成と動作は同じであるため詳しい説明は省略し、異なる部分とビデオＣＤに関連する部分に絞り説明する。出力部３３の中の動画再生部３３ｂの中にはＭＰＥＧ１規格のＭＰＥＧビデオデコーダ３３ｅがあり、再生された画像圧縮されたビデオ信号を伸長し、元のビデオ動画の画像信号に復元する。そしてＤ／Ａコンバータ３３ｆとＮＴＳＣ／ＰＡＬエンコーダ３３ｇにより、ＮＴＳＣもしくはＰＡＬのアナログＴＶ信号としてモニター４４９に出力する。音声はＭＰＥＧ１のレベル２を用いて、ＭＰＥＧオーディオデコーダ３３ｊとＤ／Ａコンバータ３３ｋによりアナログ音声として出力する。
【０４５１】
図２２７のブロック図で特徴的なことはビデオＣＤのプレイバック機能における各メニュー画面毎に選択した番号を記録したメニュー画面−選択番号テーブル５２２をメモリーに蓄積していることである。そしてこのメニュー画面−選択番号テーブル５２２の内容の一部もしくは全部を磁気記録再生回路により記録媒体２の磁気記録層３のトラック６７ａを再生することにより得る。終了時にはメニュー画面−選択番号テーブル５２２の内容のうち変更があった場合のみ変更データを磁気記録層に記録する。
【０４５２】
これを図２２８のデータ構造図を用いてファイル構造の観点から述べると、光記録つまりＣＤ−ＲＯＭのＶｉｄｅｏ  ＣＤフォーマットはＣＤ−ＲＯＭ−ＸＡ規格のＩＳＯ９６６０規格に基づいて作られ、図２２８のトラック１はビデオＣＤデータトラック５２６といわれるビデオＣＤのＩｎｄｅｘやメニューや制御信号等が記録されている。この中にはリストＩＤオフセットテーブル５２５があり、動画アドレス５２５ａや静止画アドレス５２５ｂが記録されている。またプレイバックコントロール部５２３には動画再生手順を示すプレイリスト５２３ａやメニュー画面の再生手順を示すセレクションリスト５２３ｂが記録されており、プレイバックの手順の制御情報が入っている。
【０４５３】
通常のＣＤ−ＲＯＭのビデオＣＤは図２２８の光記録データしかないため一過性の作業しかできない。しかし、本発明のＣＤ−ＨＢの場合、磁気記録データがありこの中にメニュー画面番号−選択番号テーブル５２２が記録されており、更新できるため、操作者の過去のメニュー選択番号が再度、再生できる。例えば教育ソフトにおいて前回学習した最後の分岐点まで画面を進めることができる。このため操作者は再度メニューにおいて番号を入力する必要がなくなるという効果がある。
【０４５４】
次に手順の面で本発明のビデオＣＤのプレーヤーの動作を述べる。図２２９は本発明のフローチャート図を示す。ステップ５２４ａでビデオＣＤの再生を開始し、ステップ５２４ｂで磁気データの有無をチェックし、Ｎｏならステップ５２４ｔで通常の再生を行い、ステップ５２４ｕに示す手順で画面を再生する。Ｙｅｓならステップ５２４ｃで磁気データの操作者名を再生し磁気データ用メニュー画面を表示し、操作者の名前を選択させる。ステップ５２４ｄで磁気データを使う間もＮｏなら通常の再生を行い、Ｙｅｓならステップ５２４ｅで磁気データを再生し、操作者に対応したメニュー画面番号−選択番号テーブル５２２のデータを再生する。次にステップ５２４ｆで光記録層のプレイバックコントロール領域の分岐手順に基づき、再生する。この場合、プレイリスト５２３ａから動画のアドレスをセレクションリスト５２３ｂからメニュー画面のアドレスを得る。ステップ５２４ｇ，５２４ｈで動画を再生し、Ｎ番目のメニュー静止画を出力する。この時ステップ５２４ｊで図２３０に示すようなメニュー画面−選択番号テーブル５２２よりＮ番目のデータ５２２ｎを読み出し、操作者に対応した番号、例えば選択番号Ｎ−１を読み出し、デフォルト値としてステップ５２４ｐで自動的にメニューの番号をステップ５２４ｑで次の画面を再生する。ステップ５２４ｋで選択番号が記録されてない場合はステップ５２４ｍ，５２４ｎで操作者に選択させる。ステップ５２４ｒ，５２４ｓで完了と継続をチェックし、継続しない時はステップ５２４ｕに進み、ステップ５２４ｗでメニュー選択番号を保存するか聞き、Ｙｅｓならステップ５２４ｘでテーブル５２２に変更データがあるかチェックし、Ｙｅｓなら各メニューの選択番号の変更分のみを磁気記録層に記録しステップ５２４ｚで終了する。こうして、ビデオＣＤの操作者ごとに異なる回動再生が可能となるという効果がある。
【０４５５】
ステップ５２４ｕに通常のビデオＣＤの再生手順を示しているが、メニュー画面１と２で画面が停止し、操作者が毎回番号を手で入力する必要があるため従来方式ではわずらわしいという課題があった。本発明により操作者は一度入力すれば再度入力する必要がなくなるという効果がある。図２３１（ａ）は画像と音声のデータ構造を示す。また図２３１（ｂ）は１トラックのＭＰＥＧデータのインデックスナンバーを示す。
【０４５６】
次に磁気トラックをさらに高速にアクセスする方法を述べる。図２３２に示すように特定のアドレスをサーチして磁気トラックをアクセスする場合、光アドレスを探すのは時間がかかる。光アドレスを高速でサーチするためＣＤでは図２３３に示すサブコードのＰｂｉｔに１を連続して、一周近く記録してある。すると、図２３２の光トラック６５ａ，６５ｂに示すように光ヘッド６がトラック６５を移動するとき必ずＰ＝１を再生し、検知できる。本発明では、サブコードの例えばＴｂｉｔを１周近く１とした磁気トラックサーチ情報５２７を光アドレスサーチ情報５２６と独立して光トラック６５ｘ．６５ｙに設けることにより、はるかに高速に該当磁気トラックをサーチできるという効果が得られる。磁気アドレスは例えばサブコードのＵｂｉｔに記録すればよい。
【０４５７】
【発明の効果】
以上のようにして、光記録面をもつ記録媒体２の裏側に、磁気記録層３を設けることにより、光磁気記録のようになＲＡＭ型記録再生装置では磁界変調型の光磁気記録の記録再生装置の磁界変調間の磁界ヘッドを共用して、部品点数とコストを殆ど上げることなく、記録媒体に設けた独立したチャンネルの情報の磁気記録を行なうことができる。この場合、磁気ヘッド用スライダートラッキング機構をもともともつため、記録再生装置側のコスト上昇は殆どない。従って、ほぼ同一価格で光記録と独立した磁気記録再生機能を追加できるという効果がある。
【０４５８】
又、この記録された記録媒体を音楽用ＣＤやＨＤやゲーム用ＣＤＲＯＭやＭＤＲＯＭに適用し、裏面に磁気記録トラックを設けたものを図１７のブロック図に示すＲＯＭ型の記録再生装置１により再生させることにより、再生時、前回使用時の状況に復帰できるなどの著しい効果が得られる。また、実施例１で説明したようにＴＯＣ領域の１トラックだけに記録を限定した場合でも、ギャップ巾を２００μｍとした場合、数百ｂｉｔ記録できる。この容量は現行の不輝発メモリー付ゲーム用ＩＣ−ＲＯＭの用途に要求される要求をみたす。ＴＯＣに限定した場合、磁気トラックのアクセス手段が不要となるため、システムが簡単になる。
【０４５９】
又、光記録の再生専用型の記録再生装置においては、記録媒体に対して光ヘッドとの対向する反対側に磁気ヘッド部等を設ける必要があるが、この部品は光磁気記録の磁界変調用ヘッドと共用できるため量産効果により価格を下げられる。又、もともと、低密度用の磁気記録用部品光記録部品に比べると格段にコストが安いため、価格上昇分は少ない。光ヘッドとその反対側にある磁気ヘッドを機械的に連動させるためトラッキング機構の追加はない。従ってコスト上昇は少ない。
【０４６０】
ＲＡＭ型、ＲＯＭ型の記録媒体の表面の光記録層に刻まれているアドレス情報、もしくは、時間情報により、光ヘッドのトラッキングを行なうことにより、トラッキング精度は高くないものの、ディスク上の任意の位置に磁気ヘッドをトラッキング制御することができる。このことにより、リニアセンサーやフロッピーディスクにみられるリニアアクチュエータといった民生用途としては、高価な部品を一切追加しなくてもよいという効果が得られる。
【０４６１】
従来の磁界変調型の光磁気記録媒体の裏面の保護層はバインダーと潤滑剤からスピンコートにより製造される。本発明の場合、この同一工程で、この材料に磁性材料を加え、スピンコートするだけで、よく製造工程も増加しない。このコスト上昇分は全体コストからみると無視できるオーダーである。従って、殆どコスト上昇なく、磁気記録機能という新たな価値が追加される。
【０４６２】
以上のように本発明では磁気チャンネルが殆んどコストの上昇なしに追加できるため、従来のＲＯＭ型光ディスクやＲＯＭ専用プレーヤーにＲＡＭ機能を付加できる。
【０４６３】
本発明ではＣＤＲＯＭ等のカートリッジなしのＲＯＭディスク及び、ＭＤＲＯＭ等のカートリッジ付のＲＯＭディスクに関して具体的に民生用パーシャルＲＡＭディスクを実現している。
【０４６４】
カートリッジなしのＲＯＭディスクの場合、その裏面に単純に磁気記録層を設けた従来例の方式は前述のように民生用途には使えない。民生用の場合、使用環境が多岐にわたるからである。家庭内では磁石、汚れ、傷等の影響をうけ、最悪条件においてはフロッピーディスクのように磁気記録層を露出状態におくと、記録情報が容易に破壊されてしまう。本発明ではメディアのＨｃを１２００Ｏｅ以上に上げ、磁石の磁界対策を行い信頼性を確保している。また磁気記録層の上にモース硬度５以上の固い保護層を設けて爪等の傷対策としている。メディアに揆水性の材料を保護層に用いたりクリーニング機構をシステム内に設ける方法により、汚れ対策を行っている。
【０４６５】
このようなメディアを使うと、当然システムの構成や機能を、この特殊なメディアに対応させる必要がある。一般的にフロッピイディスクやハードディスクの磁気ディスクでは数百オングストロームのオーダーでスペースロスが発生する。これに対し、本発明では保護膜もしくは印刷層が磁気記録層の上部にあるため、スペースロスが通常の磁気ディスクの磁気記録に比べると桁違いの１μｍ以上となる。これを記録するためにはまず本発明では磁気ヘッドのヘッドギャップを５μｍ以上に拡大した構成をとっている。このことにより耐環境性の強い前述の本発明のメディアを再生できるという効果がある。又、コストを下げるためには光トラック上にＣＤの場合１秒間に７５ケ記録されているサブコードというアドレス情報を用いて、特定の光トラックに光ヘッドをアクセスさせ、光ヘッドと連動して移動する磁気ヘッドにより特定の磁気トラックのトラッキングを行っている。この場合一ケのアクチュエーターを兼用し磁気ヘッドと光ヘッドの移動を行うことができる。このことによりコストが大巾に下がるという効果がある。
【０４６６】
また光ヘッドのアクチュエータ部から磁気ヘッドに飛び込む磁気ノイズは４０ｄＢ以上あるため光ヘッドをシールドするか、磁気ヘッドと光ヘッドの位置を離すことにより、混入ノイズのレベルが下がるという効果がある。またメディアには液体の潤滑層を設けられないため磁気ヘッドによる摩耗が激しい。そのため、内部メモリーに磁気記録層の情報を一旦収納し、情報処理中は内部メモリーの内容を書き換えて磁気ヘッドの記録再生回数を減らすとともに、磁気情報の記録再生時以外の期間は磁気ヘッドと磁気ディスク面とを離して、磁気ヘッドの実質的なパス回数を減らしている。従ってメディアとヘッドの寿命が著しく延びるという効果がある。またディスク挿入時の立ち上がりを早くするために、“バリアブルトラックピッチモード”を設けている。これは立ち上がり時に光ヘッドがアクセスする光トラックの順番通りに、その光トラックの丁度裏側に磁気トラックをその順番で形成する。すると、立ち上がり時にこれらの磁気トラックを順番通りに光トラックがアクセスし磁気ヘッドも自動的にアクセスする。立ち上がり時に必要な磁気記録データをこれらの磁気トラックに記録しておけば、磁気トラックを余分にアクセスすることなく立ち上がり時に必要な磁気トラックの情報は再生されることになる。こうするとロスタイムがなくなり立ち上がりが早くなるという効果がある。また各曲ごとに磁気トラックの情報がある場合、例えばカラオケ等の時の各曲別の個人データのアクセスも早くなるという効果もある。又、通常のフロッピーのように、特定の角度上に各トラックのデータの先頭部分を設ける必要はなく、ランダムに同期領域を配置できるため、回転角度検知が不要となり機器のコストが下がる。
【０４６７】
又、ＭＤＲＯＭのようにカートリッジ付ディスクにおいては磁気記録層にフロッピー等に用いられている通常のＨｃの低い磁性材料を用いることができるし、保護層によるスペースロスの増大もない。しかし、元々カートリッジにライナーをつけることが考慮されていないため、ライナーを設けると摩擦トルク発生のためにこれまでのドライブモーターのトルクが弱く正常に回転しない。このため本発明では、磁気記録時のみ一時的にライナーをメディア面に接触させる構成をとっている。このパーシャルライナー方式により、ゴミの影響が妨げるという効果がある。又光磁気の磁界変調用ヘッドを磁気ヘッドと共用させる構成により、部品点数を減らせるという効果がある。
【０４６８】
以上のように、本発明によりＣＤ等の規格を満しながら、光記録面の裏側に磁気記録部をもつメディアと記録再生装置を民生用途の使用環境において信頼性を確保しながら、民生用途のコストで実現することができる。
【図面の簡単な説明】
【図１】本発明の実施例１における記録再生装置のブロック図
【図２】同実施例１における光記録ヘッド部の拡大図
【図３】同実施例１におけるヘッド部の拡大図
【図４】同実施例１におけるトラッキング方向のヘッド部の拡大図
【図５】同実施例１における磁気ヘッド部の拡大図
【図６】同実施例１における磁気記録のタイミングチャート
【図７】同実施例１における記録媒体の断面図
【図８】同実施例１における記録媒体の断面図
【図９】同実施例１における記録媒体の断面図
【図１０】同実施例１における記録部の断面図
【図１１】同実施例１における記録部の断面図
【図１２】同実施例１における記録部の断面図
【図１３】同実施例１における記録部の断面図
【図１４】同実施例１における記録部の断面図
【図１５】同実施例１におけるカセットの斜視図
【図１６】同実施例１における記録再生装置の斜視図
【図１７】同実施例１における記録再生装置のブロック図
【図１８】同実施例１におけるゲーム機の斜視図
【図１９】本発明の実施例２における磁気記録再生装置のブロック図
【図２０】同実施例２における磁気ヘッド部の拡大図
【図２１】同実施例２における磁気ヘッド部の拡大図
【図２２】同実施例２における磁気ヘッド部の拡大図
【図２３】本発明の実施例３における記録部の拡大図
【図２４】本発明の実施例４における記録再生装置のブロック図
【図２５】同実施例４における磁気記録部の拡大図
【図２６】同実施例４における光磁気記録部の拡大図
【図２７】同実施例４における記録部の断面図
【図２８】同実施例４におけるフローチャート
【図２９】同実施例４におけるフローチャート
【図３０】（ａ）は同実施例４の光磁気ディスク装着時の断面図
（ｂ）は同実施例４のＣＤ装着時の断面図
【図３１】同実施例４の光磁気記録部の拡大図
【図３２】本発明の実施例５における記録再生装置のブロック図
【図３３】同実施例５における磁気記録部の拡大図
【図３４】同実施例５における光磁気記録部の拡大図
【図３５】同実施例５における光磁気記録部の拡大図
【図３６】同実施例５における磁気記録部の拡大図
【図３７】同実施例５における光磁気記録部の拡大図
【図３８】本発明の実施例６における記録再生装置のブロック図
【図３９】同実施例６における磁気記録部のブロック図
【図４０】同実施例６における磁界変調部の拡大図
【図４１】同実施例６における磁気記録部の上面図
【図４２】同実施例６における磁気記録部の上面図
【図４３】同実施例６における磁気記録部の拡大図
【図４４】同実施例６における磁界変調部の拡大図
【図４５】（ａ）は本発明の実施例７におけるディスクカセットの上面図
（ｂ）は同実施例７におけるディスクカセットの上面図
【図４６】（ａ）は同実施例７におけるディスクカセットの上面図
（ｂ）は同実施例７におけるディスクカセットの上面図
【図４７】（ａ）は同実施例７におけるディスクカセットの上面図
（ｂ）は同実施例７におけるディスクカセットの上面図
【図４８】（ａ）は同実施例７におけるディスクカセットの上面図
（ｂ）は同実施例７におけるディスクカセットの上面図
【図４９】（ａ）は同実施例７におけるライナー周辺部の上面図
（ｂ）は同実施例７におけるライナー周辺部の上面図
（ｃ）は同実施例７におけるライナー周辺部の上面図
【図５０】（ａ）は同実施例７におけるライナー周辺部の上面図
（ｂ）は同実施例７におけるライナー周辺部の上面図
（ｃ）は同実施例７におけるライナー部の横断面図
（ｄ）は同実施例７におけるディスクカセットの横断面図
【図５１】同実施例７におけるライナーピン挿入ｏｆｆ時のＡ−Ａ’面の横断面図
【図５２】同実施例７におけるライナーピン挿入ｏｎ時のＡ−Ａ’面の横断面図
【図５３】（ａ）は同実施例７におけるライナーピン挿入ｏｆｆ時のＡ−Ａ’面の横断面図
（ｂ）は同実施例７におけるライナーピン挿入ｏｎ時のＡ−Ａ’面の横断面図
【図５４】（ａ）は同実施例７における磁気ヘッドマウントｏｆｆ時のＡ−Ａ’面の横断面図
（ｂ）は同実施例７における磁気ヘッドマウントｏｎ時のＡ−Ａ’面の横断面図
【図５５】（ａ）は同実施例７における磁気ヘッドマウントｏｆｆ時のＡ−Ａ’面の横断面図
（ｂ）は同実施例７における磁気ヘッドマウントｏｎ時のＡ−Ａ’面の横断面図
【図５６】同実施例７における記録媒体の上面図
【図５７】（ａ）は同実施例７におけるライナーピン挿入ｏｆｆ時のＡ−Ａ’面の横断面図
（ｂ）は同実施例７におけるライナーピン挿入ｏｎ時のＡ−Ａ’面の横断面図
【図５８】同実施例７におけるライナーピン前部の断面図（ｏｆｆ時）
【図５９】同実施例７におけるライナーピン前部の断面図（ｏｎ時）
【図６０】同実施例７におけるライナーピンの横断面図（ｏｆｆ時）
【図６１】同実施例７におけるライナーピンの横断面図（ｏｎ時）
【図６２】同実施例７におけるライナーピンｏｆｆ時の前部の断面図
【図６３】同実施例７におけるライナーピンｏｎ時の前部の断面図
【図６４】同実施例７におけるライナーピンｏｆｆ時の前部の断面図
【図６５】同実施例７におけるライナーピンｏｎ時の前部の断面図
【図６６】同実施例７におけるライナーピンｏｆｆ時の前部の断面図
【図６７】同実施例７におけるライナーピンｏｆｆ時の非動作時の前部の断面図
【図６８】（ａ）は本発明の実施例８におけるディスクカセットの上面図
（ｂ）は同実施例８におけるディスクカセットの上面図
【図６９】（ａ）は同実施例８におけるライナーピン挿入ｏｆｆ時の周辺部の横断面図
（ｂ）は同実施例８におけるライナーピン挿入ｏｎ時の周辺部の横断面図
【図７０】（ａ）は同実施例８におけるディスクカセットの上面図
（ｂ）は同実施例８におけるディスクカセットの上面図
（ｃ）は同実施例８におけるディスクカセットの上面図
【図７１】同実施例８におけるディスクカセットとライナーピンの横断面図
【図７２】（ａ）は同実施例８におけるライナーピン周辺部の横断面図
（ｂ）は同実施例８における従来カセット装着時のライナーピン周辺部の横断面図
【図７３】（ａ）は同実施例８におけるライナーピン挿入ｏｆｆ時の周辺部の横断面図
（ｂ）は同実施例８におけるライナーピン挿入ｏｎ時の周辺部の横断面図
【図７４】（ａ）は同実施例８におけるライナーピン挿入ｏｆｆ時の周辺部の横断面図
（ｂ）は同実施例８におけるライナーピン挿入ｏｎ時の周辺部の横断面図
【図７５】本発明の実施例９におけるディスクカセットの上面図
【図７６】同実施例９におけるライナーピン挿入ｏｆｆ時の周辺部の横断面図
【図７７】同実施例９におけるライナーピン挿入ｏｎ時の周辺部の横断面図
【図７８】（ａ）は同実施例９におけるライナーピン挿入ｏｆｆ時の周辺部の横断面図
（ｂ）は同実施例９におけるライナーピン挿入ｏｎ時の周辺部の横断面図
【図７９】（ａ）は本発明の実施例１０における未補正時のトラッキング原理図
（ｂ）は同実施例１０における未補正時のトラッキング原理図
【図８０】（ａ）は同実施例１０における光ヘッドのトラッキング状態図
（ｂ）は同実施例１０における光ヘッドのトラッキング状態図
【図８１】（ａ）は同実施例１０におけるディスクの光トラックの偏心量の図
（ｂ）は同実施例１０における光トラックの偏心量の図
（ｃ）は同実施例１０におけるトラッキングエラ−信号の図
【図８２】（ａ）は同実施例１０における未補正時の光ヘッドのトラッキング状態図
（ｂ）は同実施例１０における補正後の光ヘッドのトラッキング状態図
【図８３】同実施例１０における基準トラックの図
【図８４】（ａ）は同実施例１０におけるＯＮ時のスライダーの側面図
（ｂ）は同実施例１０におけるＯＦＦ時のスライダーの側面図
【図８５】（ａ）は同実施例１０における磁気記録ＯＦＦ時のスライダー部の側面図
（ｂ）は同実施例１０における磁気記録ＯＮ時のスライダー部の側面図
【図８６】同実施例１０におけるディスクの位置とアドレスとの対応関係図
【図８７】本発明の実施例１１における磁気記録時のブロック図
【図８８】（ａ）は同実施例１１における磁気ヘッドの横断面図
（ｂ）は同実施例１１における磁気ヘッドの低面図
（ｃ）は同実施例１１における別の磁気ヘッドの低面図
【図８９】同実施例１１におけるスパイラル状の記録フォーマット図
【図９０】同実施例１１におけるガードバンドの記録フォーマット図
【図９１】同実施例１１におけるデータ構造図
【図９２】（ａ）は同実施例１１における記録タイミングチャート
（ｂ）は同実施例１１における２ヘッド同時記録時の記録タイミングチャート
【図９３】同実施例１１における再生時のブロック図
【図９４】同実施例１１におけるデータ配置図
【図９５】同実施例１１におけるトラバース制御のフローチャート
【図９６】同実施例１１におけるシリンドリカル状の記録フォーマット図
【図９７】同実施例１１におけるトラバース歯車回転数と半径の関係図
【図９８】同実施例１１における光記録面フォーマット図
【図９９】同実施例１１における下位互換性をもたせた場合の記録フォーマット図
【図１００】同実施例１１における光記録面と磁気記録面の対応関係図
【図１０１】実施例１２における記録媒体の斜視全体図
【図１０２】同実施例１２における記録媒体の斜視全体図
【図１０３】同実施例１２における記録媒体の膜作成印刷工程における横断面図
【図１０４】同実施例１２における記録媒体の膜作成印刷工程における横断面図
【図１０５】同実施例１２における塗布工程の斜視全体図
【図１０６】同実施例１２における塗布転写工程における記録媒体の横断面図
【図１０７】同実施例１２における記録媒体の製造工程図
【図１０８】同実施例１２における記録媒体の塗布転写工程における記録媒体の横断面図
【図１０９】同実施例１２における記録媒体の塗布工程の斜視全体図
【図１１０】実施例１３における記録再生装置の全体ブロック図
【図１１１】同実施例１３における磁気ヘッド周辺部の横断面図
【図１１２】同実施例１３におけるヘッドギャップ長と減衰量（ｄＢ）との関係図
【図１１３】同実施例１３における磁気トラックの上面図
【図１１４】同実施例１３における磁気ヘッド周辺部の横断面図
【図１１５】同実施例１３における記録媒体挿入時の横断面図
【図１１６】本発明の実施例１２、１３における光ピックアップと磁気ヘッド間の距離と相対ノイズ量の関係図
【図１１７】本発明の実施例１３におけるヘッドトラバース部の横断面図
【図１１８】同実施例１３におけるヘッドトラバース部の上面図
【図１１９】同実施例１３における別のヘッドトラバース部の横断面図
【図１２０】同実施例１３における別のヘッドトラバース部の横断面図
【図１２１】同実施例１２における家庭内各種製品の磁界の強さの図
【図１２２】同実施例１３における記録媒体の記録フォーマット図
【図１２３】同実施例１３における記録媒体上のノーマルモードの記録フォーマット図
【図１２４】同実施例１３における記録媒体上のバリアブルトラックピッチモードの記録フォーマット図
【図１２５】同実施例１３における光記録情報の参照テーブルを用いて磁気記録情報を圧縮する説明図
【図１２６】同実施例１３におけるヘッドトラバース部の横断面図
【図１２７】同実施例１３における記録再生のフローチャート図（その１）
【図１２８】同実施例１３における記録再生のフローチャート図（その２）
【図１２９】同実施例１３におけるノイズ検知ヘッドの構成図
【図１３０】同実施例１３における磁気センサーの構成図
【図１３１】（ａ）は本発明の実施例１４における記録再生装置の上ブタの開閉状態を示す横断面図
（ｂ）は本発明の同実施例１４における記録媒体の印刷面の上面図
【図１３２】同実施例１４における光記録再生クロック信号と磁気記録再生信号クロック信号と磁気再生信号と再生パルス第１データ列Ｄ１とＰＷＭの磁気記録再生信号と再生パルスと第２データ列の時間関係図
【図１３３】同実施例１４における光記録媒体のカートリッジの斜視図
【図１３４】同実施例１４における記録再生装置の全体のブロック図
【図１３５】同実施例１４における記録媒体の回転角速度ωと光記録再生クロック信号と磁気記録再生クロック信号と磁気記録信号と磁気記録信号の記録波長λの時間関係図
【図１３６】本発明の実施例１５における記録再生装置のブロック図
【図１３７】（ａ）は同実施例１５におけるカートリッジ挿入時の斜視図
（ｂ）は同実施例１５におけるカートリッジ固定時の斜視図
（ｃ）は同実施例１５におけるカートリッジ排出時の斜視図
【図１３８】（ａ）は同実施例１５におけるカートリッジ挿入時の斜視図
（ｂ）は同実施例１５におけるカートリッジ固定時の斜視図
（ｃ）は同実施例１５におけるカートリッジ排出時の斜視図
【図１３９】（ａ）は同実施例１５におけるカートリッジ挿入時の横断面図
（ｂ）は同実施例１５におけるカートリッジ固定時の横断面図
（ｃ）は同実施例１５におけるカートリッジ排出時の横断面図
【図１４０】本発明の実施例１６における記録再生装置のブロック図
【図１４１】（ａ）は同実施例１６におけるカートリッジ挿入時の斜視図
（ｂ）は同実施例１６におけるカートリッジ固定時の斜視図
（ｃ）は同実施例１６におけるカートリッジ排出時の斜視図
【図１４２】（ａ）は同実施例１６におけるカートリッジ挿入時の斜視図
（ｂ）は同実施例１６におけるカートリッジ固定時の斜視図
（ｃ）は同実施例１６におけるカートリッジ排出時の斜視図
【図１４３】（ａ）は同実施例１６におけるカートリッジ挿入時の横断面図
（ｂ）は同実施例１６におけるカートリッジ固定時の横断面図
（ｃ）は同実施例１６におけるカートリッジ排出時の横断面図
【図１４４】（ａ）は同実施例１４における記録媒体への磁気記録層の塗布工程図
（ｂ）は同実施例１４における記録媒体への磁気記録層の塗布工程図
【図１４５】（ａ）は同実施例１４における記録媒体の上面図
（ｂ）は同実施例１４における記録媒体の上面図
（ｃ）は同実施例１４のＯＣＲ文字の記録された記録媒体
【図１４６】（ａ）は同実施例１４における記録媒体の断面図
（ｂ）は同実施例１４における記録媒体の断面図
【図１４７】本発明の実施例１７における鍵解錠方式のブロック図
【図１４８】同実施例１７における鍵解錠プログラムのフローチャート図
【図１４９】本発明の実施例１８における鍵解錠のブロック図
【図１５０】同実施例１８における鍵解錠のフローチャート図
【図１５１】本発明の実施例１９におけるパソコンとＣＤＲＯＭドライブのブロック図
【図１５２】同実施例１９における記録媒体の光アドレステーブルと磁気アドレステーブルの図
【図１５３】同実施例１９におけるパソコンで１ドライブ方式のＣＤＲＯＭドライブのブロック図
【図１５４】（ａ）は同実施例１９における光ファイルと磁気ファイルのアドレステーブル
（ｂ）は同実施例１９における２つのファイルのアドレスリンクテーブル
【図１５５】同実施例１９における光記録媒体の横断面図
【図１５６】同実施例１９における光ディスクの初期立上げのフローチャート図
【図１５７】（ａ）本発明の実施例２０におけるＣＤＲＯＭソフトのバグ修正をプログラムのフローチャート図
（ｂ）は同実施例２０における磁気ファイルと光ファイルのアドレスデータテーブル
（ｃ）は同実施例２０におけるバグ修正部のブロック図
【図１５８】（ａ）は本発明の実施例２１におけるＣＤＲＯＭソフトのバグ修正プログラムのフローチャート図（ｂ）は同実施例２１におけるデータ修正テーブルの図
（ｃ）は同実施例２０におけるバグ修正部のブロック図
【図１５９】本発明の実施例２２におけるコンピュータとディスクドライブの全体ブロック図
【図１６０】同実施例２２におけるコンピュータのファイル構造
【図１６１】同実施例２２におけるコンピュータの仮想ファイル再生作業のフローチャート図
【図１６２】同実施例２２におけるコンピュータシステムの仮想ファイル書き換え作業のフローチャート図
【図１６３】同実施例２２におけるコンピュータシステムの仮想ファイル新規作成作業のフローチャート図
【図１６４】（ａ）は同実施例２２におけるコンピュータの主コンピュータの画面表示図
（ｂ）は同実施例２２におけるコンピュータの主コンピュータの画面表示図
（ｃ）は同実施例２２におけるコンピュータの主コンピュータの画面表示図
（ｄ）は同実施例２２におけるコンピュータの主コンピュータの画面表示図
【図１６５】同実施例２２における２ドライブ方式の場合のコンピュータの表示画面図
【図１６６】（ａ）は同実施例２２における主コンピュータの画面表示図
（ｂ）は同実施例２２における主コンピュータの画面表示図
（ｃ）は同実施例２２における主コンピュータの画面表示図
（ｄ）は同実施例２２における主コンピュータの画面表示図
【図１６７】（ａ）は同実施例２２における物理ファイルのある副コンピュータ側の画面表示図
（ｂ）は同実施例２２における物理ファイルのある副コンピュータ側の物理ファイルの存在を表示した画面表示図
【図１６８】同実施例２２における主コンピュータと副コンピュータのネットワーク接続時のデータ関連図
【図１６９】同実施例２２における主コンピュータの画面表示図
【図１７０】本発明の実施例１７におけるコンピュータの画面表示図
【図１７１】同実施例２２における記録媒体の情報記録配置図
【図１７２】（ａ）は本発明の実施例１３における磁気ヘッドの斜視図
（ｂ）は同実施例１３における磁気ヘッドの横断面図
（ｃ）は同実施例１３における磁気ヘッドの横断面図
【図１７３】（ａ）は同実施例１３における磁気ヘッドの斜視図
（ｂ）は同実施例１３における磁気ヘッドの横断面図
【図１７４】（ａ）は同実施例１３における磁気ヘッドの斜視図
（ｂ）は同実施例１３における磁気ヘッドの横断面図
【図１７５】（ａ）は同実施例１３における磁気ヘッドの斜視図
（ｂ）は同実施例１３における磁気ヘッドの横断面図
【図１７６】（ａ）は同実施例１３におけるノイズ検知コイルの斜視図
（ｂ）は同実施例１３におけるノイズ検知コイルの横断面図
【図１７７】（ａ）は同実施例１３におけるノイズ検知コイルの斜視図
（ｂ）は同実施例１３におけるノイズ検知方式のブロック図
【図１７８】（ａ）は同実施例１３におけるノイズ検知コイルの斜視図
（ｂ）は同実施例１３におけるノイズ検知方式のブロック図
【図１７９】同実施例１３におけるノイズキャンセル前の再生信号とノイズキャンセル後の再生信号の周波数分布図
【図１８０】本発明の実施例２２における磁気記録再生装置のブロック図
【図１８１】本発明の実施例２３における磁気記録再生装置のブロック図
【図１８２】（ａ）は同実施例２３における磁気記録再生装置の上面図
（ｂ）は同実施例２３における磁気記録再生装置の上面図
【図１８３】（ａ）は同実施例２３における磁気記録再生装置の横断面図
（ｂ）は同実施例２３における磁気記録再生装置の横断面図
（ｃ）は同実施例２３における磁気記録再生装置の横断面図
（ｄ）は同実施例２３における磁気記録再生装置の横断面図
（ｅ）は同実施例２３における磁気記録再生装置の横断面図
【図１８４】（ａ）は同実施例２３における記録媒体のデータ構造
（ｂ）は同実施例２３における記録媒体のデータ構造
（ｃ）は同実施例２３における記録媒体のデータ構造
【図１８５】（ａ）は同実施例２３における記録媒体の上面図
（ｂ）は同実施例２３における記録媒体の横断面図
（ｃ）は同実施例２３における記録媒体の横断面図
（ｄ）は同実施例２３における記録媒体の横断面図
（ｅ）は同実施例２３における記録媒体の横断面図
【図１８６】（ａ）は同実施例２３における磁気記録再生装置の横断面図
（ｂ）は同実施例２３における磁気記録再生装置の横断面図
（ｃ）は同実施例２３における磁気記録再生装置の横断面図
（ｄ）は同実施例２３における磁気記録再生装置の横断面図
（ｅ）は同実施例２３における磁気記録再生装置の横断面図
【図１８７】（ａ）は同実施例２３における磁気記録再生装置の横断面図
（ｂ）は同実施例２３における磁気記録再生装置の横断面図
（ｃ）は同実施例２３における磁気記録再生装置の横断面図
（ｄ）は同実施例２３における磁気記録再生装置の横断面図
（ｅ）は同実施例２３における磁気記録再生装置の横断面図
【図１８８】（ａ）は同実施例２３における磁気記録再生装置の横断面図
（ｂ）は同実施例２３における磁気記録再生装置の横断面図
（ｃ）は同実施例２３における磁気記録再生装置の横断面図
（ｄ）は同実施例２３における磁気記録再生装置の横断面図
（ｅ）は同実施例２３における磁気記録再生装置の横断面図
（ｆ）は同実施例２３における磁気記録再生装置の横断面図
【図１８９】（ａ）は同実施例２３における記録媒体の横断面図
（ｂ）は同実施例２３における記録媒体の横断面図
（ｃ）は同実施例２３における記録媒体の横断面図
（ｄ）は同実施例２３におけるトラックピッチの計算式の図
【図１９０】（ａ）は同実施例２３における磁気記録再生装置のブロック図
【図１９１】（ａ）は同実施例２３における磁気記録再生装置の横断面図
（ｂ）は同実施例２３における磁気記録再生装置の横断面図
（ｃ）は同実施例２３における磁気記録再生装置の横断面図
（ｄ）は同実施例２３における磁気記録再生装置の横断面図
（ｅ）は同実施例２３における磁気記録再生装置の横断面図
【図１９２】（ａ）は同実施例２３における磁気記録再生装置の横断面図
（ｂ）は同実施例２３における磁気記録再生装置の横断面図
（ｃ）は同実施例２３における磁気記録再生装置の横断面図
（ｄ）は同実施例２３における磁気記録再生装置の横断面図
（ｅ）は同実施例２３における磁気記録再生装置の横断面図
【図１９３】（ａ）は同実施例２３における磁気記録再生装置の上面図
（ｂ）は同実施例２３における磁気記録再生装置の上面図
【図１９４】（ａ）は同実施例２３における磁気記録再生装置の横断面図
（ｂ）は同実施例２３における磁気記録再生装置の横断面図
（ｃ）は同実施例２３における磁気記録再生装置の横断面図
（ｄ）は同実施例２３における磁気記録再生装置の横断面図
（ｅ）は同実施例２３における磁気記録再生装置の横断面図
【図１９５】同実施例２３における磁気ヘッドからの距離とＤＣ磁界の強さの関係図
【図１９６】（ａ）は同実施例２３における磁気記録再生装置の横断面図
（ｂ）は同実施例２３における磁気記録再生装置の横断面図
（ｃ）は同実施例２３における磁気記録再生装置の横断面図
【図１９７】同実施例２３における磁気記録再生装置の上面図
【図１９８】（ａ）は同実施例２３における磁気ヘッドの横断面図
（ｂ）は同実施例２３における磁気ヘッドの上面図
（ｃ）は同実施例２３における磁気ヘッドの横断面図
（ｄ）は同実施例２３における磁気ヘッドの上面図
【図１９９】（ａ）は同実施例２３における記録媒体の上面図
（ｂ）は同実施例２３における記録媒体の拡大上面図
（ｃ）は同実施例２３における記録媒体の横断面図
【図２００】同実施例２３における磁気記録再生装置のブロック図
【図２０１】（ａ）は同実施例２３における磁気記録再生装置の横断面図
（ｂ）は同実施例２３における磁気記録再生装置の横断面図
（ｃ）は同実施例２３における磁気記録再生装置の横断面図
（ｄ）は同実施例２３における磁気記録再生装置の横断面図
【図２０２】本発明の実施例１における記録再生装置のブロック図
【図２０３】（ａ）は同実施例１における周期Ｔ，１．５Ｔ，２Ｔの発生頻度分布図
（ｂ）は同実施例１における周期Ｔ，１．５Ｔ，２Ｔの発生頻度分布図
【図２０４】従来のＣＤ規格におけるバースト訂正の最大長と訂正シンボル数の関係
【図２０５】本発明の実施例１における媒体上のデータの分数距離を示す図
【図２０６】同実施例１におけるエラー訂正符号のデータ量とエラーレートの関係図
【図２０７】（ａ）は同実施例１におけるインターリーブの配列変換図
（ｂ）は同実施例１におけるインターリーブによるデータの分散距離を示す図
【図２０８】同実施例１におけるデインターリーブ部のブロック図
【図２０９】（ａ）は同実施例１におけるリードソロモンＥＣＣエンコーダーのブロック図
（ｂ）は同実施例１におけるリードソロモンＥＣＣデコーダーのブロック図
【図２１０】同実施例１におけるエラー訂正プログラムのフローチャート図
【図２１１】同実施例１における記録再生装置のブロック図
【図２１２】（ａ）は同実施例１におけるインターリーブの配列変換図
（ｂ）は同実施例１におけるインターリーブによるデータの分散距離を示す図
【図２１３】同実施例１におけるＣＤのサブコードの符号の時間間隔と距離を示す図
【図２１４】本発明の実施例１４における磁気トラック−光アドレス対応テーブルの図
【図２１５】同実施例１４におけるサブコード同期信号検出部と磁気記録部のブロック図
【図２１６】同実施例１４における記録再生装置の磁気記録時のブロック図
【図２１７】同実施例１４における記録再生装置の磁気再生時のブロック図
【図２１８】（ａ）は同実施例１４における光再生同期信号のタイムチャート図
（ｂ）は同実施例１４における磁気記録動作ＯＮ／ＯＦＦのタイムチャート図
（ｃ）は同実施例１４における磁気記録同期信号のタイムチャート図
（ｄ）は同実施例１４における光再生動作ＯＮ／ＯＦＦのタイムチャート図
（ｅ）は同実施例１４における光再生同期信号のタイムチャート図
（ｆ）は同実施例１４における磁気再生動作ＯＮ／ＯＦＦのタイムチャート図
（ｇ）は同実施例１４における磁気再生同期信号のタイムチャート図
（ｈ）は同実施例１４における磁気再生データのタイムチャート図
【図２１９】従来のＣＤ規格におけるディスクの偏芯量を示す図
【図２２０】本発明の実施例２２におけるファイル構造図
【図２２１】本発明の実施例１３における磁気トラックのアクセス方法と磁気記録の頭出しをする方法のフローチャート図
【図２２２】（ａ）は本発明の実施例２３におけるカートリッジ入り媒体の上面図
（ｂ）は同実施例２３における磁気ヘッドの昇降を示す図
（ｃ）は同実施例２３における磁気ヘッドの昇降を示す図
（ｄ）は同実施例２３における磁気ヘッドの昇降を示す図
（ｅ）は同実施例２３における磁気ヘッドの昇降を示す図
（ｆ）は同実施例２３における磁気ヘッドの退避を示す図
【図２２３】（ａ）は本発明の実施例１２におけるメディア識別子のついた媒体の横断面図（ｂ）は同実施例１２における光記録部に記録された磁気層付きメディア識別子の具体的な物理構造を示す図
【図２２４】本発明の実施例２２におけるＩＣカード媒体を用いた場合のファイル構成図
【図２２５】同実施例２２におけるパーシャルＲＯＭ型光ディスクを用いた場合のファイル構成図
【図２２６】本発明の実施例２３における記録再生装置の斜視図
【図２２７】同実施例２３における記録再生装置のブロック図
【図２２８】同実施例２３における記録再生装置のビデオＣＤのデータ構造図
【図２２９】同実施例２３における記録再生装置のフローチャート図
【図２３０】同実施例２３における記録再生装置のメニュー画面番号・選択番号テーブルの図
【図２３１】（ａ）は従来のビデオＣＤのデータフォーマット図
（ｂ）は従来のビデオＣＤのデータフォーマット図
【図２３２】同実施例２３における記録再生装置の光アドレスサーチ情報を示す図
【図２３３】同実施例２３における記録再生装置のデータ構造図
【図２３４】本発明の実施例１７におけるマスタリング装置のブロック図
【図２３５】（ａ）は同実施例１７における記録時の線速度の時間変化図
（ｂ）は同実施例１７における光ディスク上の１．２ｍ／ｓ時のアドレス位置の図
（ｃ）は同実施例１７における光ディスク上の１．２ｍ／ｓ→１．４ｍ／ｓ時のアドレス位置の図
【図２３６】（ａ）は同実施例１７における正規のＣＤのアドレスの物理配置図
（ｂ）は同実施例１７における不正に複製されたＣＤのアドレスの物理配置図
【図２３７】（ａ）は同実施例１７におけるディスクの回転パルスと時間の関係図
（ｂ）は同実施例１７における物理位置信号と時間の関係図
（ｃ）は同実施例１７におけるアドレス情報と時間の関係図
【図２３８】同実施例１７におけるＣＤの複製防止原理の説明図
【図２３９】同実施例１７における記録再生装置のブロック図
【図２４０】同実施例１７における不正複製ディスクのチェックのフローチャート図
【図２４１】（ａ）は同実施例１７におけるＩＤ番号記録したＣＤの工程図
（ｂ）は従来のＣＤの工程図
【図２４２】（ａ）は同実施例１７における着磁機の上面図
（ｂ）は同実施例１７における着磁機の側面図
（ｃ）は同実施例１７における着磁機の側面拡大図
（ｄ）は同実施例１７における着磁機のブロック図
【図２４３】同実施例１７におけるＩＤ番号入力の原理図
【図２４４】（ａ）は同実施例１７における定線速度時の線速度−時間図
（ｂ）は同実施例１７における線速度変更時の線速度−時間図
（ｃ）は同実施例１７における一定線速度時のアドレスの物理配置図
（ｄ）は同実施例１７における線速度変化時のアドレスの物理配置図
【図２４５】（ａ）は同実施例１７における正規の原盤の断面図
（ｂ）は同実施例１７における正規の成形ディスクの断面図
（ｃ）は同実施例１７における不正に複製された原盤の断面図
（ｄ）は同実施例１７における不正に複製された成形ディスクの断面図
【図２４６】同実施例１７におけるＣＤ作成機と記録再生装置のブロック図
【図２４７】同実施例１７におけるフローチャート図
【図２４８】同実施例１７におけるデイスク原盤のアドレスの配置図
【図２４９】同実施例１７における記録再生装置のブロック図
【図２５０】（ａ）は同実施例１７における不正のディスクの断面図
（ｂ）は同実施例１７における正規のディスクの断面図
（ｃ）は同実施例１７における光再生信号の波形図
（ｄ）は同実施例１７におけるデジタル信号の波形図
（ｅ）は同実施例１７におけるエンベロープの波形図
（ｆ）は同実施例１７におけるデジタルの波形図
（ｇ）は同実施例１７における検出信号の波形図
【図２５１】同実施例１７におけるディスク物理配置表を示す図
【図２５２】（ａ）は同実施例１７における偏芯のない光ディスクのアドレス配置図
（ｂ）は同実施例１７における偏芯のある光ディスクのアドレス配置図
【図２５３】（ａ）は同実施例１７における正規ディスクのトラッキング変位量を示す図
（ｂ）は同実施例１７における不正複製ディスクのトラッキング変位量を示す図
【図２５４】（ａ）は同実施例１７におけるアドレスＡｎを示す図
（ｂ）は同実施例１７における角度Ｚｎを示す図
（ｃ）は同実施例１７におけるトラッキング量Ｔｎを示す図
（ｄ）は同実施例１７におけるピット深さＤｎを示す図
【図２５５】同実施例１７におけるレーザー出力とピット深さと再生信号を示す図
【図２５６】同実施例１７における各原盤作成装置に対する複製防止効果を示す図
【図２５７】同実施例１７における原盤作成装置のブロック図
【図２５８】同実施例１７における原盤作成装置のブロック図
【図２５９】同実施例１７における原盤作成装置のブロック図
【図２６０】同実施例１７における原盤作成装置のブロック図
【図２６１】同実施例１７における原盤作成装置のブロック図
【図２６２】同実施例１７における原盤作成システムの全体ブロック図
【図２６３】（ａ）は同実施例１７におけるレーザー出力の波形図
（ｂ）は同実施例１７におけるレーザー出力の波形図
（ｃ）は同実施例１７における基板の断面図
（ｄ）は同実施例１７における基板の断面図
（ｅ）は同実施例１７における成形ディスクの断面図
【図２６４】同実施例１７におけるレーザー記録出力と再生信号との関係図
【図２６５】同実施例１７における原盤作成の工程図
【図２６６】（ａ）は同実施例１７における作成原盤の上面図
（ｂ）は同実施例１７における原盤のプレス型の横断面図
【図２６７】同実施例１７における原盤作成の工程図
【図２６８】（ａ）は同実施例１７における作成原盤の上面図
（ｂ）は同実施例１７における原盤とプレス型の横断面図
【図２６９】実施例１７における原盤作成及び記録媒体製造の工程フローチャート図
【図２７０】実施例１７におけるディスクチェック方式のフローチャート図
【図２７１】実施例２２における仮想ファイルを用いた場合のパソコン画面の表示状態を示す図
【図２７２】実施例２２における仮想ファイルを用いた場合のパソコン画面の表示状態を示す図
【図２７３】実施例２２における仮想ファイルを用いた場合のパソコン画面の表示状態を示す図
【図２７４】実施例２２における仮想ファイル方式におけるファイルのオープン及び表示のフローチャート図
【符号の説明】
１  記録再生装置
２  記録媒体
３  磁気記録層
４  光記録層
５  光透過層
６  光ヘッド
７  光記録ブロック
８  磁気ヘッド
８ａ  主磁極
８ｂ  副磁極
８ｃ  ヘッドキャップ
８ｅ  均一磁界領域
８ｍ  磁界変調磁気ヘッド
８ｓ  キャンセル用磁気ヘッド
９  磁気記録ブロック
１７  モーター
１８  光ヘッド
１９  ヘッド台
２３  ヘッド移動アクチュエーター
２３ａ  トラバースアクチュエーター
２４ａ  トラバース移動回路
３４  メモリー
３４ａ  メモリー（システム用）
３７  光記録回路
３７ａ  時間軸回路
３７ｂ  光記録部
３７ｃ  光出力部
３７ｄ  合成部
３８ａ  クロック再生回路
４０  コイル
４０ａ  磁界変調用コイル
４０ｂ  磁気記録用コイル
４０ｃ  タップ
４０ｄ  タップ
４０ｅ  タップ
４１  スライダー
４２  ディスクカセット
４３  印刷下地層
４４  印刷領域
４５  印字
４６  ピット
４７  基板
４８  光反射層
４９  印刷インキ
５０  保護層
５１  矢印
５２  光記録信号
５４  レンズ
５７  発光部
６０  接着層
６１  磁気記録信号
６５  光トラック
６６  焦点
６７  磁気トラック
６７ａ  記録磁気トラック
６７ｂ  再生磁気トラック
６７ｓ  サーボ用磁気トラック
６７ｆ  ガードバンド
６７ｇ  ガードバンド
６７ｘ  清掃用トラック
６９  ハイμ磁性層
７０  ヘッドギャップ
７０ａ  記録ヘッドギャップ
７０ｂ  再生ヘッドギャップ
８１  干渉層
８４  反射膜
８５  変調磁界
８５ａ  磁束
８５ｂ  磁束
１５０  連結部
２０１  判別ステップ
２０２  再生ステップ
２０３  再生転記ステップ
２０４  再生専用ステップ
２０５  記録転記ステップ
２０６  記録ステップ
２０７  転記ステップ
２１０  消磁領域
２１０ａ  消磁領域
２１０ｂ  消磁領域
３０１  シャッター
３０２  ヘッド穴
３０３  ライナー穴
３０４  ライナー
３０５  ライナー支持部
３０５ａ  可動部
３０５ｂ  副ライナー支持部
３０５ｃ  ライナー昇降部
３０７  溝
３０７ａ  ライナー駆動溝
３１０  ライナーピン
３１１  ライナーピンガイド
３１２  ピン駆動テコ
３１３  認識穴
３１４  保護ピン
３１５  ライナー駆動部
３１６  ピン軸
３１７  バネ
３１８  連結部
３１９  ピンシャッター
３２０  光アドレス
３２１ａ  センター
３２１ｂ  センター
３２１ｃ  センター
３２２  光データ列
３２３  アドレス
３２４  データ
３２５  ガードバンド
３２６  トラック群
３２７  ブロック
３２８  トラックデータ
３２８  同期信号
３２９  アドレス
３３０  パリティ
３３１  データ
３３３  分離回路
３３４  変調回路
３３５  ディスク回路角検知部
３３６  偏心補正量メモリー
３３７  無信号部
３３８  トラバース制御部
３３９  光アドレス磁気アドレス対応テーブル
３４０  ヘッドアンプ
３４１  復調器
３４２  エラーチェック部
３４３  データ分離部
３４４  ＡＮＤ回路
３４５  記録データ
３４６  無光アドレス領域
３４７  光アドレス領域
３４８  磁気ＴＯＣ領域
３４９  トラック軌跡
３５０  ヘッド再生部
３５１  メモリーデータ
３５２  塗布材ツボ
３５３  塗布材転写ロール
３５４  凹版ドラム
３５５  エッチング部
３５６  スクライバー
３５７  ソフト転写ロール
３５８  塗布部
３６０  磁気シールド
３６１  樹脂部
３６２  ランダム磁界発生機
３６３  トラバースシャクト
３６３ｂ  磁気ヘッドトラバースシャクト
３６４  位置基準部
３６５  ディスクロック部
３６６  トラバース連結部
３６７  トラバース歯車
３６７ｃ  磁気ヘッドトラバース歯車
３６８  参照テーブル
３６９  同期部
３７０  記録フォーマット
３７１  トラック番号部
３７２  データ部
３７３  ＣＲＣ部
３７４  ギャップ部
３７５  連結部ガイド部
３７６  ディスククリーニング部
３７７  磁気ヘッドクリーニング部
３７８  ノイズキャンセラー
３８０  ディスククリーニング部連結部
３８１  磁気センサー
３８２  光再生クロック信号
３８３  磁気クロック信号
３８４  磁気記録信号
３８５  判別ウインドウ時間
３８６  光センサー
３８７  光学マーク
３８７ａ  バーコード
３８８  透光部
３８９  上ブタ
３９０  カセットブタ
３９１  磁気面用シャッタ
３９２  シャッタ連結部
３９３  カセットブタ回転軸
３９４  カセット挿入口
３９５  テープ
３９６  ラベル部
３９７  ブザー
３９８  磁気記録領域
３９９  スクリーン印刷機
４００  バーコード印刷機
４０１  高Ｈｃ部
４０２  磁性部
４０２ａ  空間部
４０３  磁性部
４０４  鍵管理テーブル
４０５  フローチャートのステップ
４０６  鍵解除デコーダ
４０７  音声伸長ブロック
４０８  パーソナルコンピュータ
４０９  ハードディスク
４１０  インストールステップ
４１１  アプリケーション
４１２  ＯＳ
４１３  ＢＩＯＳ
４１４  ドライブ
４１５  インタフェース
４１６  フローチャートのステップ
４２１  光ファイル
４２２  磁気ファイル
４３６  ネットワークＢＩＯＳ
４３７  ＬＡＮネットワーク
４４７  フローチャートのステップ
４４７ａ  フローチャートステップ
４４８  修正済みデータ
４４９  ディスプレイ
４５０  キーパッド
４５１  エラー訂正ステップ
４５２  パリティ
４５３  Ｃ１パリティ
４５４  Ｃ２パリティ
４５５  Ｉｎｄｅｘ
４５６  サブコード同期検出部
４５７  インデックス検出部
４５８  分周器
４５９  磁気同期信号検出部
４６０  最短／最長パルス検出部
４６１  疑似光同期信号発生部
４６２  疑似磁気同期信号発生部
４６３  光同期信号検出器
４６４  分周／逓倍器
４６５  切換えスイッチ
４６６  波形整形部
４６７  クロック再生部
４６８  メディア識別子
４６９  光アドレス情報
４７０  データ
５１４  バネ
５１４ａ  ヘッド昇降連結手段
５１４ｂ  ヘッド昇降禁止手段
５１４ｃ  光ヘッド走行領域
５１６  ローディングモータ
５１７  ローディング歯車
５１８  トレイ移動歯車
５１９  ヘッド昇降器
５２０  トレイ
５２１  上ブタの開閉軸
５２２  メニュー画面・選択番号テーブル
５２３  プレイバックコントロール情報
５２４  フローチャートのステップ
５２５  リストＩＤオフセットテーブル
５２６  光サーチ情報
５２７  磁気トラッチサーチ情報
５２８  マスターデータ
５２９  マスタリング装置
５３０  データ配置
５３１  Ｚｏｎｅ
５３２  物理配置テーブル
５３３  不正ディスクチェック回路
５３４  暗号デコーダ
５３５  照合回路
５３６  出力／動作停止手段
５３７  暗号エンコーダ
５３８  暗号信号
５３９  物理位置
５４０  着磁機
５４１  着磁部
５４２  着磁極
５４３  着磁電流発生器
５４４  電流切換器
５４５ａ  コイル
５４６  ＩＤ番号発生器
５４７  混合器
５４８  分離キー
５４９  分離器
５５０  ＩＤ番号
５５１  フローチャートのステップ
５５２  物理配置信号
５５３  角度位置検知部
５５４  トラッキング量検知部
５５５  ピット深さ検知部
５５６  測定ディスク物理配置表
５５７  ディスク中心
５５８  ディスクの回転中心
５５９  偏芯部
５６０  ピット
５６１  複製ピット
５６２  パルス信号
５６３  複製防止信号
５６４  トラッキング変調信号発生部
５６５  コピー防止信号発生部
５６６  光出力変調信号発生部
５６７  光出力変調部
５６８  パルス巾変調部
５６９  パルス巾調整部
５７０  出力アドレス情報部
５７１  時間軸変更部
５７２  原盤
５７３  感光層
５７４  感光部
５７５  金属原盤
５７６  成形デイスク
５７７  第２感光部
５７８  通信インターフェース部
５７９  外部暗号デコーダー
５８０  ピット群
５８１  再生波形
５８２  ランダム抽出器
５８３  乱数発生器
５６５  画面
５６６  ステップ（ステップ仮想ファイルのフローチャート）
５６７  ウィンドウ
５６８  フォルダー
５６９  ファイル
５７０  ＣＤ−ＲＯＭアイコン
５７１  ＣＤ−ＲＯＭ−ＲＡＭアイコン
５７２  ＨＤＤ
５７３  Ｉｎｖｉｓｉｂｌｅ  ｆｉｌｅ
５７４  Ｉｎｖｉｓｉｂｌｅ  Ｆｏｌｄｅｒ
５７５  表示
５７６  実体容量表示
５７７  仮想容量表示
５７８  パスワード入力部
５７９  ファイル名入力部
【図１】
0003557658.tif 000002
【図２】
0003557658.tif 000003
【図３】
0003557658.tif 000004
【図４】
0003557658.tif 000005
【図５】
0003557658.tif 000006
【図６】
0003557658.tif 000007
【図７】
0003557658.tif 000008
【図８】
0003557658.tif 000009
【図９】
0003557658.tif 000010
【図１０】
0003557658.tif 000011
【図１１】
0003557658.tif 000012
【図１２】
0003557658.tif 000013
【図１３】
0003557658.tif 000014
【図１４】
0003557658.tif 000015
【図１５】
0003557658.tif 000016
【図１６】
0003557658.tif 000017
【図１７】
0003557658.tif 000018
【図１８】
0003557658.tif 000019
【図１９】
0003557658.tif 000020
【図２０】
0003557658.tif 000021
【図２１】
0003557658.tif 000022
【図２２】
0003557658.tif 000023
【図２３】
0003557658.tif 000024
【図２４】
0003557658.tif 000025
【図２５】
0003557658.tif 000026
【図２６】
0003557658.tif 000027
【図２７】
0003557658.tif 000028
【図２８】
0003557658.tif 000029
【図２９】
0003557658.tif 000030
【図３０】
0003557658.tif 000031
【図３１】
0003557658.tif 000032
【図３２】
0003557658.tif 000033
【図３３】
0003557658.tif 000034
【図３４】
0003557658.tif 000035
【図３５】
0003557658.tif 000036
【図３６】
0003557658.tif 000037
【図３７】
0003557658.tif 000038
【図３８】
0003557658.tif 000039
【図３９】
0003557658.tif 000040
【図４０】
0003557658.tif 000041
【図４１】
0003557658.tif 000042
【図４２】
0003557658.tif 000043
【図４３】
0003557658.tif 000044
【図４４】
0003557658.tif 000045
【図４５】
0003557658.tif 000046
【図４６】
0003557658.tif 000047
【図４７】
0003557658.tif 000048
【図４８】
0003557658.tif 000049
【図４９】
0003557658.tif 000050
【図５０】
0003557658.tif 000051
【図５１】
0003557658.tif 000052
【図５２】
0003557658.tif 000053
【図５３】
0003557658.tif 000054
【図５４】
0003557658.tif 000055
【図５５】
0003557658.tif 000056
【図５６】
0003557658.tif 000057
【図５７】
0003557658.tif 000058
【図５８】
0003557658.tif 000059
【図５９】
0003557658.tif 000060
【図６０】
0003557658.tif 000061
【図６１】
0003557658.tif 000062
【図６２】
0003557658.tif 000063
【図６３】
0003557658.tif 000064
【図６４】
0003557658.tif 000065
【図６５】
0003557658.tif 000066
【図６６】
0003557658.tif 000067
【図６７】
0003557658.tif 000068
【図６８】
0003557658.tif 000069
【図６９】
0003557658.tif 000070
【図７０】
0003557658.tif 000071
【図７１】
0003557658.tif 000072
【図７２】
0003557658.tif 000073
【図７３】
0003557658.tif 000074
【図７４】
0003557658.tif 000075
【図７５】
0003557658.tif 000076
【図７６】
0003557658.tif 000077
【図７７】
0003557658.tif 000078
【図７８】
0003557658.tif 000079
【図７９】
0003557658.tif 000080
【図８０】
0003557658.tif 000081
【図８１】
0003557658.tif 000082
【図８２】
0003557658.tif 000083
【図８３】
0003557658.tif 000084
【図８４】
0003557658.tif 000085
【図８５】
0003557658.tif 000086
【図８６】
0003557658.tif 000087
【図８７】
0003557658.tif 000088
【図８８】
0003557658.tif 000089
【図８９】
0003557658.tif 000090
【図９０】
0003557658.tif 000091
【図９１】
0003557658.tif 000092
【図９２】
0003557658.tif 000093
【図９３】
0003557658.tif 000094
【図９４】
0003557658.tif 000095
【図９５】
0003557658.tif 000096
【図９６】
0003557658.tif 000097
【図９７】
0003557658.tif 000098
【図９８】
0003557658.tif 000099
【図９９】
0003557658.tif 000100
【図１００】
0003557658.tif 000101
【図１０１】
0003557658.tif 000102
【図１０２】
0003557658.tif 000103
【図１０３】
0003557658.tif 000104
【図１０４】
0003557658.tif 000105
【図１０５】
0003557658.tif 000106
【図１０６】
0003557658.tif 000107
【図１０７】
0003557658.tif 000108
【図１０８】
0003557658.tif 000109
【図１０９】
0003557658.tif 000110
【図１１０】
0003557658.tif 000111
【図１１１】
0003557658.tif 000112
【図１１２】
0003557658.tif 000113
【図１１３】
0003557658.tif 000114
【図１１４】
0003557658.tif 000115
【図１１５】
0003557658.tif 000116
【図１１６】
0003557658.tif 000117
【図１１７】
0003557658.tif 000118
【図１１８】
0003557658.tif 000119
【図１１９】
0003557658.tif 000120
【図１２０】
0003557658.tif 000121
【図１２１】
0003557658.tif 000122
【図１２２】
0003557658.tif 000123
【図１２３】
0003557658.tif 000124
【図１２４】
0003557658.tif 000125
【図１２５】
0003557658.tif 000126
【図１２６】
0003557658.tif 000127
【図１２７】
0003557658.tif 000128
【図１２８】
0003557658.tif 000129
【図１２９】
0003557658.tif 000130
【図１３０】
0003557658.tif 000131
【図１３１】
0003557658.tif 000132
【図１３２】
0003557658.tif 000133
【図１３３】
0003557658.tif 000134
【図１３４】
0003557658.tif 000135
【図１３５】
0003557658.tif 000136
【図１３６】
0003557658.tif 000137
【図１３７】
0003557658.tif 000138
【図１３８】
0003557658.tif 000139
【図１３９】
0003557658.tif 000140
【図１４０】
0003557658.tif 000141
【図１４１】
0003557658.tif 000142
【図１４２】
0003557658.tif 000143
【図１４３】
0003557658.tif 000144
【図１４４】
0003557658.tif 000145
【図１４５】
0003557658.tif 000146
【図１４６】
0003557658.tif 000147
【図１４７】
0003557658.tif 000148
【図１４８】
0003557658.tif 000149
【図１４９】
0003557658.tif 000150
【図１５０】
0003557658.tif 000151
【図１５１】
0003557658.tif 000152
【図１５２】
0003557658.tif 000153
【図１５３】
0003557658.tif 000154
【図１５４】
0003557658.tif 000155
【図１５５】
0003557658.tif 000156
【図１５６】
0003557658.tif 000157
【図１５７】
0003557658.tif 000158
【図１５８】
0003557658.tif 000159
【図１５９】
0003557658.tif 000160
【図１６０】
0003557658.tif 000161
【図１６１】
0003557658.tif 000162
【図１６２】
0003557658.tif 000163
【図１６３】
0003557658.tif 000164
【図１６４】
0003557658.tif 000165
【図１６５】
0003557658.tif 000166
【図１６６】
0003557658.tif 000167
【図１６７】
0003557658.tif 000168
【図１６８】
0003557658.tif 000169
【図１６９】
0003557658.tif 000170
【図１７０】
0003557658.tif 000171
【図１７１】
0003557658.tif 000172
【図１７２】
0003557658.tif 000173
【図１７３】
0003557658.tif 000174
【図１７４】
0003557658.tif 000175
【図１７５】
0003557658.tif 000176
【図１７６】
0003557658.tif 000177
【図１７７】
0003557658.tif 000178
【図１７８】
0003557658.tif 000179
【図１７９】
0003557658.tif 000180
【図１８０】
0003557658.tif 000181
【図１８１】
0003557658.tif 000182
【図１８２】
0003557658.tif 000183
【図１８３】
0003557658.tif 000184
【図１８４】
0003557658.tif 000185
【図１８５】
0003557658.tif 000186
【図１８６】
0003557658.tif 000187
【図１８７】
0003557658.tif 000188
【図１８８】
0003557658.tif 000189
【図１８９】
0003557658.tif 000190
【図１９０】
0003557658.tif 000191
【図１９１】
0003557658.tif 000192
【図１９２】
0003557658.tif 000193
【図１９３】
0003557658.tif 000194
【図１９４】
0003557658.tif 000195
【図１９５】
0003557658.tif 000196
【図１９６】
0003557658.tif 000197
【図１９７】
0003557658.tif 000198
【図１９８】
0003557658.tif 000199
【図１９９】
0003557658.tif 000200
【図２００】
0003557658.tif 000201
【図２０１】
0003557658.tif 000202
【図２０２】
0003557658.tif 000203
【図２０３】
0003557658.tif 000204
【図２０４】
0003557658.tif 000205
【図２０５】
0003557658.tif 000206
【図２０６】
0003557658.tif 000207
【図２０７】
0003557658.tif 000208
【図２０８】
0003557658.tif 000209
【図２０９】
0003557658.tif 000210
【図２１０】
0003557658.tif 000211
【図２１１】
0003557658.tif 000212
【図２１２】
0003557658.tif 000213
【図２１３】
0003557658.tif 000214
【図２１４】
0003557658.tif 000215
【図２１５】
0003557658.tif 000216
【図２１６】
0003557658.tif 000217
【図２１７】
0003557658.tif 000218
【図２１８】
0003557658.tif 000219
【図２１９】
0003557658.tif 000220
【図２２０】
0003557658.tif 000221
【図２２１】
0003557658.tif 000222
【図２２２】
0003557658.tif 000223
【図２２３】
0003557658.tif 000224
【図２２４】
0003557658.tif 000225
【図２２５】
0003557658.tif 000226
【図２２６】
0003557658.tif 000227
【図２２７】
0003557658.tif 000228
【図２２８】
0003557658.tif 000229
【図２２９】
0003557658.tif 000230
【図２３０】
0003557658.tif 000231
【図２３１】
0003557658.tif 000232
【図２３２】
0003557658.tif 000233
【図２３３】
0003557658.tif 000234
【図２３４】
0003557658.tif 000235
【図２３５】
0003557658.tif 000236
【図２３６】
0003557658.tif 000237
【図２３７】
0003557658.tif 000238
【図２３８】
0003557658.tif 000239
【図２３９】
0003557658.tif 000240
【図２４０】
0003557658.tif 000241
【図２４１】
0003557658.tif 000242
【図２４２】
0003557658.tif 000243
【図２４３】
0003557658.tif 000244
【図２４４】
0003557658.tif 000245
【図２４５】
0003557658.tif 000246
【図２４６】
0003557658.tif 000247
【図２４７】
0003557658.tif 000248
【図２４８】
0003557658.tif 000249
【図２４９】
0003557658.tif 000250
【図２５０】
0003557658.tif 000251
【図２５１】
0003557658.tif 000252
【図２５２】
0003557658.tif 000253
【図２５３】
0003557658.tif 000254
【図２５４】
0003557658.tif 000255
【図２５５】
0003557658.tif 000256
【図２５６】
0003557658.tif 000257
【図２５７】
0003557658.tif 000258
【図２５８】
0003557658.tif 000259
【図２５９】
0003557658.tif 000260
【図２６０】
0003557658.tif 000261
【図２６１】
0003557658.tif 000262
【図２６２】
0003557658.tif 000263
【図２６３】
0003557658.tif 000264
【図２６４】
0003557658.tif 000265
【図２６５】
0003557658.tif 000266
【図２６６】
0003557658.tif 000267
【図２６７】
0003557658.tif 000268
【図２６８】
0003557658.tif 000269
【図２６９】
0003557658.tif 000270
【図２７０】
0003557658.tif 000271
【図２７１】
0003557658.tif 000272
【図２７２】
0003557658.tif 000273
【図２７３】
0003557658.tif 000274
【図２７４】
0003557658.tif 000275